(57)【要約】      （修正有）【課題】非Ａ非Ｂ非Ｃ非Ｄ非Ｅ型肝炎試薬及びそれらの使用方法の提供。【解決手段】種々の診断及び治療用途に有用な肝炎ＧＢウイルス（ＨＧＢＶ）の核酸及びアミノ酸配列、ＨＧＢＶ核酸またはアミノ酸配列を使用するためのキット、ＨＧＢＶ免疫原性粒子、ＨＧＢＶに特異的に結合する抗体、及び、ＨＧＢＶ核酸またはアミノ酸配列からポリクローナル抗体またはモノクローナル抗体を製造する方法、並びに肝炎ＧＢウイルスを含む疑いのある検査試料中のＨＧＢＶ抗原を検出方法を提供する。【選択図】なし【特許請求の範囲】
【請求項１】
配列番号３９７のアミノ酸配列を含むポリプロテインをコードする読取り枠（ＯＲＦ）を含む正鎖ＲＮＡゲノムによってコードされるアミノ酸配列からなる肝炎ＧＢウイルス（ＨＧＢＶ）のポリペプチド。
【請求項２】
前記ポリペプチドが精製ポリペプチド、組換えポリペプチド又は合成ポリペプチドである、請求項１に記載のＨＧＢＶポリペプチド。
【請求項３】
配列番号３９７のアミノ酸配列を含むポリプロテインをコードする読取り枠（ＯＲＦ）を含む正鎖ＲＮＡゲノムによってコードされる肝炎ＧＢウイルスのポリペプチドからなる診断用試薬。
【請求項４】
肝炎ＧＢウイルス（ＨＧＢＶ）抗原の少なくとも１つのエピトープに特異的に結合する精製抗体であって、前記エピトープが少なくとも５つのアミノ酸からなり、前記ＨＧＢＶ抗原が、(a)配列番号３９７を含むポリプロテインをコードする正鎖ＲＮＡウイルスゲノムによってコードされており、且つ(b)ＨＧＢＶ−ＡまたはＨＧＢＶ−Ｃに特異的に結合する抗体とは免疫反応性でないことを特徴とする、前記精製抗体。
【請求項５】
前記抗体がポリクローナル抗体またはモノクローナル抗体である、請求項４に記載の抗体。
【請求項６】
シグナル生成化合物に結合している、請求項４または５に記載の抗体。
【請求項７】
検査試料中、肝炎ＧＢウイルス（ＨＧＢＶ）の抗体の存在を検出するためのアッセイキットであって、少なくとも１つのＨＧＢＶ抗原を有するポリペプチドの容器を含み、前記ＨＧＢＶ抗原が、(a)配列番号３９７を含むポリプロテインをコードする正鎖ＲＮＡウイルスゲノムによってコードされ、且つ(b)ＨＧＢＶ−ＡまたはＨＧＢＶ−Ｃに特異的に結合する抗体とは免疫反応性でないことを特徴とする、前記アッセイキット。
【請求項８】
肝炎ＧＢウイルス（ＨＧＢＶ）の抗体を含む疑いのある検査試料中の同抗体を検出する方法であって、
(a)抗原／抗体複合体を形成するのに十分な時間及び条件下に、前記検査試料を、(i)少なくとも５つのアミノ酸からなる少なくとも１つのＨＧＢＶエピトープを含み、(ii)配列番号３９７を含むポリプロテインをコードする正鎖ＲＮＡウイルスゲノムによってコードされ、且つ(iii)ＨＧＢＶ−ＡまたはＨＧＢＶ−Ｃに特異的に結合する抗体とは免疫反応性でないポリペプチドに接触させ、
(b)ＨＧＢＶの抗体を含む前記複合体を検出する
ことからなる、前記抗体の検出方法。
【請求項９】
前記ポリペプチドが組換え技術または合成手段により製造される、請求項８に記載の方法。
【請求項１０】
ステップ(b)において、前記複合体を検出する前に、前記複合体を指示薬に接触させることを特徴とする、請求項８に記載の方法。
【請求項１１】
前記指示薬がシグナル生成化合物である、請求項10に記載の方法。
【請求項１２】
肝炎ＧＢウイルス（ＨＧＢＶ）を含む疑いのある検査試料中のＨＧＢＶ抗原を検出する方法であって、
(a)抗原／抗体複合体を形成するのに十分な時間及び条件下に、前記検査試料を、ＨＧＢＶ抗原の少なくとも５つのアミノ酸からなる少なくとも１つのエピトープに特異的に結合する抗体またはそのフラッグメントに接触させ、
(b)(i)配列番号３９７を含むポリプロテインをコードする正鎖ＲＮＡウイルスゲノムによってコードされ、且つ(ii)ＨＧＢＶ−ＡまたはＨＧＢＶ−Ｃに特異的に結合する抗体とは免疫反応性でない前記ＨＧＢＶ抗原を含む前記複合体を検査試料中に検出する
ことからなる、前記抗原の検出方法。
【請求項１３】
ステップ(b)において、前記複合体を検出する前に、前記複合体を指示薬に接触させてインキュベートすることを特徴とする、請求項12に記載の方法。
【請求項１４】
前記指示薬がシグナル生成化合物である、請求項13に記載の方法。
【発明の詳細な説明】
【技術分野】
【０００１】
本発明は、ヒトにおいて肝炎を惹起する一群の感染性ウイルス性物質、特にかかるウイルス群から誘導されるポリヌクレオチド、それらにコードされるポリペプチド、かかるポリペプチドに特異的に結合する抗体、並びに、かかる材料を使用する診断薬及びワクチンに係わる。
【背景技術】
【０００２】
肝炎は、血液製剤の輸血、臓器移植及び血液透析によってドナーからレシピエントに感染される最も重要な疾患の１つである。また肝炎は、汚染された食物及び水の摂取や、人同士の接触によっても感染し得る。ウイルス性肝炎は固有のウイルス遺伝子及び複製モードを有する一群のウイルス性物質を含み、種々の感染経路で肝損傷の程度は様々であるが、肝炎を惹起することが知られている。急性ウイルス性肝炎は、黄疸、肝圧痛及び、アスパラギン酸トランスアミナーゼ（ＡＳＴ）、アラニントランスアミナーゼ（ＡＬＴ）及びイソクエン酸デヒドロゲナーゼ（ＩＳＤ）のごとき肝トランスアミナーゼレベルの上昇を含む特定の患者症状によって臨床診断される場合もあるが、臨床的に顕在化しないこともあり得る。ウイルス性肝炎物質としては、肝炎Ａ型ウイルス（ＨＡＶ）、肝炎Ｂ型ウイルス（ＨＢＶ）、肝炎Ｃ型ウイルス（ＨＣＶ）、肝炎δ型ウイルス（ＨＤＶ）、肝炎Ｅ型ウイルス（ＨＥＶ）、エプスタイン−バールウイルス（ＥＢＶ）、及びサイトメガロウイルス（ＣＭＶ）が挙げられる。
【０００３】
１９６０年代後期に使用可能となった、献血血液をＨＢＶ表面抗原（ＨＢｓＡｇ）の存在についてスクリーニングする特異的血清アッセイは、血液レシピエントの輸血後肝炎（ＰＴＨ）の発生を低減させることにおいて良い結果を与えてはいるが、ＰＴＨは相変わらず有意な率で発生している。Ｈ．Ｊ．Ａｌｔｅｒら，Ａｎｎ．Ｉｎｔ．Ｍｅｄ．７７：６９１−６９９（１９７２）；Ｈ．Ｊ．Ａｌｔｅｒら，Ｌａｎｃｅｔ  ｉｉ：８３８−８４１（１９７５）。研究者らは、これまでヒトにおいて肝炎を惹起することが知られているウイルス（ＨＡＶ、ＨＢＶ、ＣＭＶ及びＥＢＶ）への暴露と関係なくウイルス性肝炎を惹起する、「非Ａ非Ｂ型肝炎」（ＮＡＮＢＨ）と名付けられた新規の物質を探し始めた。例えばＳ．Ｍ．Ｆｅｉｎｓｔｏｎｅら，Ｎｅｗ  Ｅｎｇｌ．Ｊ．Ｍｅｄ．２９２：７６７−７７０（１９７５）；編者無記名，Ｌａｎｃｅｔ  ｉｉ：６４−６５（１９７５）；Ｂ．Ｎ．ＦｉｅｌｄｓのＦ．Ｂ．Ｈｏｌｌｉｎｇｅｒ及びＤ．Ｍ．Ｋｎｉｐｅら，Ｖｉｒｏｌｏｇｙ，Ｒａｖｅｎ  Ｐｒｅｓｓ，Ｎｅｗ  Ｙｏｒｋ，ｐｐ２２３９−２２７３（１９９０）参照。
【０００４】
静脈内薬物使用者における急性ＮＡＮＢＨの多発性発症；輸血後ＮＡＮＢＨを獲得した患者の固有の感染後潜伏期間；チンパンジー交差攻撃（ｃｒｏｓｓ−ｃｈａｌｌｅｎｇｅ）実験の結果；感染チンパンジーの超微細構造肝病理分析；及び疑似患者のクロロホルムに対する抵抗性の差など、幾つかの疫学的及び実験的な証拠により１種以上の非経口感染ＮＡＮＢ物質の存在が示されている。Ｊ．Ｌ．Ｄｉｅｎｓｔａｇ，Ｇａｓｔｒｏｅｎｔｅｒｏｌｏｇｙ  ８５：４３９−４６２（１９８３）；Ｊ．Ｌ．Ｄｉｅｎｓｔａｇ，Ｇａｓｔｒｏｅｎｔｅｒｏｌｏｇｙ  ８５，７４３−７６８（１９８３）；Ｆ．Ｂ．Ｈｏｌｌｉｎｇｅｒら，Ｊ．Ｉｎｆｅｃｔ．Ｄｉｓ．１４２：４００−４０７（１９８０）；Ｆ．ＣｈｉｓａｒｉのＤ．Ｗ．Ｂｒａｄｌｅｙ編，Ａｄｖａｎｃｅｓ  ｉｎ  Ｈｅｐａｔｉｔｉｓ  Ｒｅｓｅａｒｃｈ，Ｍａｓｓｏｎ，Ｎｅｗ  Ｙｏｒｋ，ｐｐ．２６８−２８０（１９８４）；及び、Ｄ．Ｗ．Ｂｒａｄｌｅｙら，Ｊ．Ｉｎｆｅｃｔ．Ｄｉｓ．１４８：２５４−２６５（１９８３）。
【０００５】
急性肝炎を発症した外科医から得た血清試料は、タマリン（Ｓａｇｕｉｎｕｓ  ｓｐｅｃｉｅｓ）に接種すると肝炎を誘発することが示された。４匹のタマリンのうち４匹ともが接種後数週間以内に肝酵素の上昇を生じ、これから、該外科医の血清中の物質がタマリンに肝炎を誘発した可能性があることが判る。種々の非ヒト霊長目動物において順次継代されることにより、この肝炎は感染性物質によって惹起されることが判り、濾過実験からはこの物質がウイルス性であることが示された。上記外科医及びタマリンにおいて肝炎の原因となった感染性物質は「ＧＢ物質（ＧＢ  ａｇｅｎｔ）」と名付けられた。Ｆ．Ｄｅｉｎｈａｒｄｔら，Ｊ．Ｅｘｐｅｒ．Ｍｅｄ．１２５：６７３−６８８（１９６７）；Ｆ．Ｄｉｅｎｈａｒｄｔら，Ｊ．Ｅｘｐｅｒ．Ｍｅｄ．，前出；Ｅ．Ｔａｂｏｒら，Ｊ．Ｍｅｄ．Ｖｉｒｏｌ．５：１０３−１０８（１９８０）；Ｒ．Ｏ．Ｗｈｉｔｔｉｎｇｔｏｎら，Ｖｉｒａｌ  ａｎｄ  Ｉｍｍｕｎｏｌｏｇｉｃａｌ  Ｄｉｓｅａｓｅｓ  ｉｎ  Ｎｏｎｈｕｍａｎ  Ｐｒｉｍａｔｅｓ，Ａｌａｎ  Ｒ．Ｌｉｓｓ，Ｉｎｃ．，Ｎｅｗ  Ｙｏｒｋ，ｐｐ．２２１−２２４（１９８３）。
【０００６】
ＧＢ物質はヒトにおいてＮＡＮＢＨを惹起する物質であり得ること、及びＧＢ物質は種々の実験室で研究された既知のＮＡＮＢＨ物質とは関連のないことが示されているが、ＧＢ物質に関する決定的な、また最終的な研究は知られておらず、ウイルス性物質は発見されていないし、分子学的に特性分析されてもいない。Ｆ．Ｄｅｉｎｈａｒｄｔら，Ａｍ．Ｊ．Ｍｅｄ．Ｓｃｉ．２７０：７３−８０（１９７５）；及びＪ．Ｌ．Ｄｉｅｎｓｔａｇら，Ｎａｔｕｒｅ  ２６４：２６０−２６１（１９７６）。更にＥ．Ｔａｂｏｒら，Ｊ．Ｍｅｄ．Ｖｉｒｏｌ．，前出；Ｅ．Ｔａｂｏｒら，Ｊ．Ｉｎｆｅｃｔ．Ｄｉｓ．１４０：７９４−７９７（１９７９）；Ｒ．Ｏ．Ｗｈｉｔｔｉｎｇｔｏｎら，前出；及びＰ．Ｋａｒａｙｉａｎｎｉｓら，Ｈｅｐａｔｏｌｏｇｙ  ９：１８６−１９２（１９８９）参照。
【０００７】
初期の研究では、ＧＢ物質はいかなる既知のヒト肝炎ウイルスとも無関係であるとされていた。Ｓ．Ｍ．Ｆｅｉｎｓｔｏｎｅら，Ｓｃｉｅｎｃｅ  １８２：１０２６−１０２８（１９７３）；Ｐ．Ｊ．Ｐｒｏｖｏｓｔら，Ｐｒｏｃ．Ｓｏｃ．Ｅｘｐ．Ｂｉｏｌ．Ｍｅｄ．１４８；５３２−５３９（１９７５）；Ｊ．Ｌ．Ｍｅｌｎｉｃｋ，Ｉｎｔｅｒｖｉｒｏｌｏｇｙ  １８：１０５−１０６（１９８２）；Ａ．Ｗ．Ｈｏｌｍｅｓら，Ｎａｔｕｒｅ  ２４３：４１９−４２０（１９７３）；及び、Ｆ．Ｄｅｉｎｈａｒｄｔら，Ａｍ．Ｊ．Ｍｅｄ．Ｓｃｉ．，前出。しかしながら、ＧＢ物質がヒトにおいて肝炎感染を誘発するウイルスであるのか、またはＧＢ血清によって活性化され、一旦活性化されると他のタマリンに容易に継代してそれらに肝炎を誘発する潜在的タマリンウイルスであるのかが問題とされた。また、ＧＢ陽性血清を接種されたマーモセットの極一部は臨床上肝炎を発症せず（５２匹のうち４匹，７．６％）、かかる動物は自然免疫を有していた可能性があり、従ってＧＢ物質はマーモセットウイルスであり得ることも示された。Ｗ．Ｐ．Ｐａｒｋｓら，Ｊ．Ｉｎｆｅｃｔ．Ｄｉｓ．１２０：５３９−５４７（１９６９）；Ｗ．Ｐ．Ｐａｒｋｓら，Ｊ．Ｉｎｆｅｃｔ．Ｄｉｓ．１２０：５４８−５５９（１９６９）。形態的研究は不明瞭であり、ある報告書の免疫電子顕微鏡調査では、ＧＢ物質は、パルボウイルスの球構造と類似の、寸法分布が２０〜２２ｎｍの免疫複合体を形成していると示されているが、他の研究では、ＧＢ陽性タマリンの肝ホモジネートから得られた免疫電子顕微鏡データから正二十面体対称構造の３４〜３６ｎｍの凝集体（ａｇｇｒｅｇａｒｅｓ）が検出され、ＧＢ物質はカリチ様ウイルスであると報告されている。例えばＪ．Ｄ．Ａｌｍｅｉｄａら，Ｎａｔｕｒｅ  ２６１：６０８−６０９（１９７６）；Ｊ．Ｌ．Ｄｉｅｎｓｔａｇら，Ｎａｔｕｒｅ，前出参照。
【０００８】
主に非経口感染によって生じるＨＣＶと、腸内感染するＨＥＶとの２種類の肝炎を惹起するウイルスが最近になって発見され報告された。例えば、Ｑ．Ｌ．Ｃｈｏｏら，Ｓｃｉｅｎｃｅ  ２４４：３５９−３６２（１９８９），Ｇ．Ｋｕｏら，Ｓｃｉｅｎｃｅ  ２４４：３６２−３６４（１９８９），欧州特許出願公開第０３１８２１６号明細書（１９８９年３月３１日公開），Ｇ．Ｒ．Ｒｅｙｅｓら，Ｓｃｉｅｎｃｅ  ２４７：１３３５−１３３９（１９９０）参照。ＨＣＶは、ＮＡＮＢＨ物質が原因とみられるＰＴＨの大部分及び輸血によるものでない急性ＮＡＮＢＨの多くに関与している。編者無記名，Ｌａｎｃｅｔ  ３３５：１４３１−１４３２（１９９０）；Ｊ．Ｌ．Ｄｉｅｎｓｔａｇ，Ｇａｓｔｒｏｅｎｔｅｒｏｌｏｇｙ  ９９：１１７７−１１８０（１９９０）；及び、Ｍ．Ｊ．Ａｌｔｅｒら，ＪＡＭＡ  ２６４：２２３１−２２３５（１９９０）。
【０００９】
ドナー試料中のＨＣＶ抗体を検出することにより、血液供給系におけるＮＡＮＢＨ感染血液の７０〜８０％が除外されるが、ＨＣＶの発見及び検出によって肝炎感染が完全に予防されているわけではない。Ｈ．Ａｌｔｅｒら，Ｎｅｗ  Ｅｎｇ．Ｊ．Ｍｅｄ．３２１：１４９４−１５００（１９８９）。最近の文献で、別の肝炎物質がＰＴＨ、並びにＰＴＨと関連のない集団獲得急性及び／または慢性肝炎の原因であり得るかどうかが問題とされた。例えば、１９８８〜１９９０年にフランスで行われた予測臨床標本調査においてモニターとなった１８１人の患者のうち、調査人は全部で１８のＰＴＨ症例を記載している。これら１８人の患者のうちの１３人は、抗ＨＣＶ抗体、ＨＢｓＡｇ、ＨＢＶ及びＨＣＶ核酸について陰性であった。筆者らにはＰＴＨを惹起する非Ａ非Ｂ非Ｃ型物質の潜在的な重要性が推量された。Ｖ．Ｔｈｉｅｒｓら，Ｊ．Ｈｅｐａｔｏｌｏｇｙ  １８：３４−３９（１９９３）。１９８５〜１９８８年にドイツで行われた別の調査でモニターとなった１，４７６人の患者のうち、記録された２２のＰＴＨ症例はＨＢＶまたはＨＣＶ感染とは関係なかった。Ｔ．Ｐｅｔｅｒｓら，Ｊ．Ｍｅｄ．Ｖｉｒｏｌ．３９：１３９−１４５（１９９３）。
【００１０】
肝炎を惹起する新規の固有のウイルス群から誘導される物質、例えばポリヌクレオチド、そこにコードされている組換え及び合成ポリペプチド、かかるポリペプチドに特異的に結合する抗体、並びにかかる物質を使用する診断薬及びワクチンを同定及び提供することは有利となろう。このような物質により、急性及び／または慢性ウイルス性肝炎をより正確に診断する医療機関の能力が著しく向上し、提供された血液及び臓器において非Ａ、非Ｂ及び非Ｃ型肝炎を検出することにより、より安全な血液及び臓器を供給し得るであろう。
【００１１】
（発明の要約）
本発明は、肝炎ＧＢウイルス（ＨＧＢＶ）のゲノムまたはその相補体に選択的にハイブリダイズし得るＨＧＢＶから誘導された精製ポリヌクレオチドまたはそのフラグメントであって、ＨＧＢＶ−Ａ、ＨＧＢＶ−Ｂ及びＨＧＢＶ−Ｃからなる群から選択されるアミノ酸配列と少なくとも３５％の一致率（ｉｄｅｎｔｉｔｙ）、より好ましくは４０％の一致率、更に好ましくは６０％の一致率、最も好ましくは８０％の一致率を有するアミノ酸配列を含むポリプロテインをコードする読取り枠（ＯＲＦ）を含む正鎖ＲＮＡゲノムを特徴とする精製ポリヌクレオチドまたはそのフラグメントを提供する。更に、肝炎ＧＢウイルス（ＨＧＢＶ）のゲノムまたはその相補体に選択的にハイブリダイズし得るＨＧＢＶから誘導される組換えポリヌクレオチドまたはそのフラグメントも提供されるが、ここで、前記ヌクレオチドはＨＧＢＶの少なくとも１つのエピトープをコードする配列を含んでおり、前記組換えヌクレオチドは、ＨＧＢＶ−Ａ、ＨＧＢＶ−Ｂ及びＨＧＢＶ−Ｃからなる群から選択されるアミノ酸配列と少なくとも３５％の一致率を有するアミノ酸配列を含むポリプロテインをコードする読取り枠（ＯＲＦ）を含む正鎖ＲＮＡゲノムを特徴とする。かかる組換えポリヌクレオチドは組換えベクター内に含まれ、更に前記ベクターを用いて形質転換された宿主細胞を構成する。
【００１２】
本発明は更に、肝炎ＧＢウイルス（ＨＧＢＶ）ゲノムから誘導されるヌクレオチド配列を含むＨＧＢＶ組換えポリヌクレオチドまたはそのフラグメントであって、組換えベクター内に含まれ、更に前記ベクターを用いて形質転換された宿主細胞を構成し、前記配列がＨＧＢＶのエピトープをコードするＨＧＢＶ組換えポリヌクレオチドまたはそのフラグメントを提供する。ＨＧＢＶ組換えポリヌクレオチドは、ＨＧＢＶ−Ａ、ＨＧＢＶ−Ｂ及びＨＧＢＶ−Ｃからなる群から選択されるアミノ酸配列と少なくとも３５％の一致率を有するアミノ酸配列を含むポリプロテインをコードする読取り枠（ＯＲＦ）を含む正鎖ＲＮＡゲノムを特徴とする。本発明は、肝炎ＧＢウイルス（ＨＧＢＶ）から誘導されるＤＮＡまたはＲＮＡの読取り枠を含む組換え発現系であって、前記読取り枠がＨＧＢＶゲノムまたはｃＤＮＡの配列を含んでおり、且つ前記読取り枠が所望の宿主と適合性のある制御配列に操作可能に結合されている組換え発現系を提供し、更に、前記組換え発現系を用いて形質転換された細胞及び、前記細胞によって産生される長さが少なくとも約８個のアミノ酸のポリペプチドを提供する。
【００１３】
本発明は更に、肝炎ＧＢウイルス（ＨＧＢＶ）ポリペプチドまたはそのフラグメントの調製物、即ち、ＨＧＢＶ−Ａ、ＨＧＢＶ−Ｂ及びＨＧＢＶ−Ｃからなる群から選択されるアミノ酸配列と少なくとも３５％の一致率、より好ましくは４０％の一致率、更に好ましくは６０％の一致率を有するアミノ酸配列を含むポリプロテインをコードする読取り枠（ＯＲＦ）を含む正鎖ＲＮＡゲノムを特徴とするアミノ酸配列またはそのフラグメントを含む組換えポリペプチドを含む精製ＨＧＢＶを提供する。ポリクローナル抗体及びモノクローナル抗体、並びに、少なくとも１種の肝炎ＧＢウイルス（ＨＧＢＶ）ポリペプチドまたはそのフラグメントを含む融合ポリペプチド、真核性または原核性宿主内で産生されたときに粒子を形成し得るアミノ酸配列を有する非ＨＧＢＶポリペプチドと、少なくとも１つのＨＧＢＶエピトープとを含む、肝炎ＧＢ（ＨＧＢＶ）感染に対して免疫原性である粒子、及び、ＨＧＢＶ−Ａ、ＨＧＢＶ−Ｂ及びＨＧＢＶ−Ｃからなる群から選択されるアミノ酸配列と少なくとも３５％の一致率を有するアミノ酸配列を含むポリプロテインをコードする読取り枠（ＯＲＦ）を含む正鎖ＲＮＡゲノムを特徴とする、肝炎ＧＢウイルス（ＨＧＢＶ）に対するポリヌクレオチドプローブが提供される。
【００１４】
少なくとも１つの肝炎ＧＢウイルス（ＨＧＢＶ）エピトープを含むポリペプチドを製造するためのアッセイキット及び方法であって、ＨＧＢＶ−Ａ、ＨＧＢＶ−Ｂ及びＨＧＢＶ−Ｃからなる群から選択されるアミノ酸配列と少なくとも３５％の一致率を有するアミノ酸配列を含むポリプロテインをコードする読取り枠（ＯＲＦ）を含む正鎖ＲＮＡゲノムを特徴とするポリペプチドをコードする配列を含む発現ベクターを用いて形質転換された宿主細胞をインキュベートすることからなるアッセイキット及び方法も提供される。更には、固相、組換えもしくは合成ペプチド、またはプローブを使用する方法を含む、検査試料中のＨＧＢＶ核酸、抗原及び抗体を検出する方法も提供される。更に、ワクチン、肝炎ＧＢウイルス（ＨＧＢＶ）に感染させた組織培養増殖細胞、免疫応答を生じるのに十分な量の少なくとも１つのＨＧＢＶエピトープを含む単離免疫原性ポリペプチドまたはそのフラグメントを個体に投与することからなる、肝炎ＧＢウイルス（ＨＧＢＶ）に対する抗体を製造する方法も提供される。更に、ポリヌクレオチドもしくはポリペプチドまたはこれらのフラグメントを含む診断試薬も提供される。
【００１５】
（発明の詳細）
本発明は、新たに確認された病因物質である非Ａ、非Ｂ、非Ｃ、非Ｄ、及び非Ｅ型肝炎を惹起する物質、総称して「肝炎ＧＢウイルス」または「ＨＧＢＶ」の特性分析法を提供する。本発明は、ＨＧＢＶ病因物質の存在を判定する方法、ＨＧＢＶに感染したヒトまたはタマリンの個体由来の感染血清、血漿または肝ホモジネートから生成された病因物質の核酸を得、これまでに単離されていないウイルス性物質のゲノムから新たに合成される抗原を検出し、非感染個体と比較して感染個体のみに認められる生成物を産生したクローンを選択する方法を提供する。
【００１６】
ＨＧＢＶから誘導される核酸配列の部分は、検査試料中のＨＧＢＶの存在を判定するため、及び天然変種を単離するためのプローブとして有用である。かかる配列により、ＨＧＢＶゲノム内にコードされているＨＧＢＶ抗原のポリペプチド配列を得ることもできるし、診断試験の標準または試薬として及び／またはワクチンの成分として有用なポリペプチドを製造することもできる。かかるポリペプチド配列内に含まれる少なくとも１つのエピトープに対するモノクローナル抗体及びポリクローナル抗体もまた、診断試験及び治療薬に、抗ウイルス性物質のスクリーニングに、かかる核酸配列が誘導されるＨＧＢＶ物質の単離に有用である。ＨＧＢＶゲノムのその他の部分の単離及び配列決定も、かかる核酸配列から誘導されるプローブまたはＰＣＲプライマーを使用することにより行うことができ、従って、ＨＧＢＶの診断及び／または治療において予防薬及び治療薬として有用となろうＨＧＢＶの別のプローブ及びポリペプチドを製造することができる。
【００１７】
本発明の１つの態様によれば、精製ＨＧＢＶポリヌクレオチド、組換えＨＧＢＶポリヌクレオチド、ＨＧＢＶゲノムから誘導された配列を含む組換えポリヌクレオチド、ＨＧＢＶのエピトープをコードする組換えポリペプチド、ＨＧＢＶのエピトープをコードする合成ペプチド、上記組換えポリペプチドのいずれかを含む組換えベクター、及び、かかるベクターを用いて形質転換された宿主細胞が提供される。これらの組換えポリペプチド及び合成ペプチドは単独でも組合せても使用することができるし、或いは、ＨＧＢＶのエピトープを与える他の物質と一緒に使用することもできる。
【００１８】
本発明の別の態様においては、精製ＨＧＢＶ、精製ＨＧＢＶ由来のポリペプチドの調製物、精製ＨＧＢＶポリペプチド、ＨＧＢＶに含まれるエピトープと免疫学的に同一であるエピトープを含む精製ポリペプチドが提供される。
【００１９】
本発明の更に別の態様においては、所望の宿主と適合性である制御配列に操作可能に連結されている、ＨＧＢＶゲノムまたはＨＧＢＶ  ｃＤＮＡから誘導されたＤＮＡの読取り枠（ＯＲＦ）を含む組換え発現系、該組換え発現系を用いて形質転換された細胞、及び、該形質転換細胞によって産生されたポリペプチドが提供される。
【００２０】
本発明の別の態様は、少なくとも１つの組換えＨＧＢＶポリペプチド、ＨＧＢＶゲノムまたはＨＧＢＶ  ｃＤＮＡから誘導された配列を含む少なくとも１つの組換えポリペプチド、ＨＧＢＶエピトープを含む少なくとも１つの組換えポリペプチド、ＨＧＢＶポリペプチドを含む少なくとも１つの融合ポリペプチドを含む。
【００２１】
更に本発明は、ＨＧＢＶの少なくとも１つのエピトープに特異的に結合するモノクローナル抗体を製造する方法、少なくとも１つのＨＧＢＶエピトープに特異的に結合するポリクローナル抗体の精製調製物、並びに、診断、予防及び治療用途を含む、かかる抗体を使用する方法を提供する。
【００２２】
本発明の更に別の態様においては、真核性宿主中で産生されたときに粒子を形成し得るアミノ酸配列を有する非ＨＧＢＶポリペプチドと、ＨＧＢＶエピトープとを含む、ＨＧＢＶ感染に対して免疫原性の粒子が提供される。
【００２３】
更に、ＨＧＢＶに対するポリヌクレオチドプローブも提供される。
【００２４】
本発明は、適当な容器に入った、ＨＧＢＶから誘導されたポリヌクレオチドの存在及び／または量を検出するために使用し得る試薬であって、約８個またはそれ以上のヌクレオチドからなるＨＧＢＶ由来のヌクレオチド配列を含むポリヌクレオチドプローブを含む試薬；適当な容器に入った、ＨＧＢＶ抗原の存在及び／または量を検出するための試薬であって、検出すべきＨＧＢＶ抗原に対する抗体を含む試薬；及び、適当な容器に入った、ＨＧＢＶ抗原に対する抗体の存在及び／または量を検出するための試薬であって、ＨＧＢＶ抗原中に存在するＨＧＢＶエピトープを含むポリペプチドを含む試薬を含むキットを提供する。種々のアッセイ形式のための他のキットも本明細書に記載の本発明によって提供される。
【００２５】
本発明の他の態様として、固相に付着された少なくとも１種のＨＧＢＶエピトープを含むポリペプチドと、固相に付着されたＨＧＢＶエピトープに対する抗体とが挙げられる。更に、ＨＧＢＶエピトープを含むポリペプチドをコードする配列を含む発現ベクターを用いて形質転換された宿主細胞を、該ポリペプチドの発現が可能となる条件下でインキュベートすることからなる、ＨＧＢＶエピトープを含むポリペプチドを製造する方法と、該方法によって製造されたＨＧＢＶエピトープを含むポリペプチドも本発明に含まれる。
【００２６】
本発明は更に、本発明の組換えまたは合成ポリペプチド及び本発明の抗体を、いずれもシグナル生成化合物を使用し得る種々の形式で使用するアッセイを提供する。検出手段を与えるためのシグナル生成化合物を使用しないアッセイも提供される。記載の全てのアッセイは、通常は抗原もしくは抗体のいずれかまたは両方を検出するものであり、検査試料を少なくとも１種の本発明の試薬と接触させて少なくとも１種の抗原／抗体複合体を形成させ、該複合体の存在を検出することを含む。かかるアッセイについては詳述する。
【００２７】
ＨＧＢＶエピトープを含む免疫原性ペプチド、もしくはＨＧＢＶの不活化調製物、もしくはＨＧＢＶの弱毒化調製物を含むＨＧＢＶ感染治療用ワクチン、または、ＨＧＢＶエピトープを発現する組換えワクチンの使用、並びに／または合成ペプチドの使用も本発明に含まれる。有効なワクチンにはこれらの免疫原性ペプチドの組合せが使用され得る（例えば、組換え抗原、合成ペプチド及び天然ウイルス性抗原のカクテルが同時にまたは異なる時点で投与される）。これらのなかには、単独で使用し得るものもあるし、後で免疫原性エピトープを別に与えて補い得るものもある。更に本発明には、ＨＧＢＶに対する抗体を産生させる方法であって、個体に、接種個体において免疫応答を生起するのに十分な量のＨＧＢＶエピトープを含む単離免疫原性ポリペプチドを投与することからなる方法も含まれる。
【００２８】
更に、ＨＧＢＶに感染した組織培養増殖細胞も本発明によって提供される。
【００２９】
本発明の更に別の態様においては、同定されていない感染性物質のゲノムから誘導されたＤＮＡまたはｃＤＮＡを単離する方法が提供されるが、該方法は代表相違分析（ｒｅｐｒｅｓｅｎｔａｔｉｏｎａｌ  ｄｉｆｆｅｒｅｎｃｅ  ａｎａｌｙｓｉｓ，ＲＤＡ）の他に類のない改良方法であって、これについては後述する。
【００３０】
（定義）
本明細書において使用される「肝炎ＧＢウイルス」または「ＨＧＢＶ」なる用語は、ヒトにおいて非Ａ、非Ｂ、非Ｃ、非Ｄ、非Ｅ型肝炎を惹起するウイルス種、及びそれらから誘導される弱毒化株または欠陥干渉粒子を総称的に示す。これには更に、汚染された食物、飲料水などによって感染された急性ウイルス性肝炎；（性行為、呼吸及び非経口経路伝染を含む）人同士の接触または静脈内薬物使用によって感染されるＨＧＢＶに起因する肝炎も含まれる。本発明方法により、ＨＧＢＶを獲得した個体の同定が可能となる。個々には、ＨＧＢＶ単離体を特に「ＨＧＢＶ−Ａ」、「ＨＧＢＶ−Ｂ」及び「ＨＧＢＶ−Ｃ」と表記する。本明細書においてＨＧＢＶゲノムはＲＮＡからなる。ＨＧＢＶのヌクレオチド配列及び推定アミノ酸配列の分析から、このウイルス群はＦｌａｖｉｒｉｄａｅファミリーと類似のゲノム構成を有することが明らかである。絶対的ではないが、基本的には、ゲノム構成の類似性に基づき、ｔｈｅ  Ｉｎｔｅｒｎａｔｉｏｎａｌ  Ｃｏｍｍｉｔｔｅｅ  ｏｎ  ｔｈｅ  Ｔａｘｏｎｏｍｙ  ｏｆ  Ｖｉｒｕｓｅｓは、このファミリーがＦｌａｖｉｖｉｒｕｓ、Ｐｅｓｔｉｖｉｒｕｓ及び肝炎Ｃ型グループの３つの属からなると勧告している。アミノ酸レベルでの類似性を探すと、肝炎ＧＢウイルスサブクローンの配列は、少しではあるが一部が肝炎Ｃ型ウイルスのものと類似であることが判る。ここで与えられる情報は、ＨＧＢＶの他の株を分類するのに十分である。
【００３１】
ＨＧＢＶ−ＣはＨＣＶの一遺伝子型ではないことを示す幾つかの証拠が挙がっている。第１に、ＨＧＢ−Ｃ配列を含む血清においてＨＣＶ抗体の存在を試験した。ＨＣＶに暴露されたかまたは感染した個体の常套検出方法は、ＨＣＶ−１由来の３つ以上の領域から誘導される抗原を使用する抗体試験に依存する。かかる試験により、ＨＣＶの既知の遺伝子型に対する抗体を検出し得る（例えばＳａｋａｍｏｔｏら，Ｊ．Ｇｅｎ．Ｖｉｒｏｌ．７５：１７６１−１７６８（１９９４）及びＳｔｕｙｖｅｒら，Ｊ．Ｇｅｎ．Ｖｉｒｏｌ．７４：１０９３−１１０２（１９９３）参照）。ＨＣＶ特異的ＥＬＩＳＡでは８つのうち６つのケースでＧＢ−Ｃ配列を含む血清を検出できなかった。第２に、ＨＣＶ抗体に対して血清反応陰性の幾つかのヒト血清は、高感度ＲＴ−ＰＣＲアッセイによるとＨＣＶゲノムＲＮＡに対して陽性であることが判った（Ｓｕｇｉｔａｎｉ，Ｌａｎｃｅｔ  ３３９：１０１８−１０１９（１９９２））。このアッセイでは、ＨＧＢ−Ｃ配列を含む８つの血清のうち７つでＨＣＶ  ＲＮＡを検出できなかった（表Ａ）。即ち、血清学的アッセイ及び分子学的アッセイのいずれによってもＨＧＢＶ−ＣはＨＣＶの一遺伝子型ではない。
【００３２】
ヘリカーゼ領域内のＨＧＢ−Ｃの推定翻訳産物の一部をＨＧＢＶ−Ａ、ＨＧＢＶ−Ｂ、ＨＣＶ−１、及びＦｌａｖｉｖｉｒｉｄａｅの別のメンバーの相同領域と並べ、一致した配列を系統発生学的に分析すると、ＨＧＢＶ−ＣはＨＣＶグループの他のメンバーよりＨＧＢＶ−Ａに密接に関係することが判る。進化距離（ｅｖｏｌｕｔｉｏｎａｒｙ  ｄｉｓｔａｎｃｅ）０．４２を示すＨＧＢＶ−ＣとＨＧＢＶ−Ａの配列は、進化距離０．９２を示すＨＧＢＶ−ＣとＨＧＢＶ−Ｂほどは離れていない（表３３、後記）。即ち、ＨＧＢＶ−ＡとＨＧＢＶ−ＣはＧＢウイルスの１つのサブグループのメンバーであり、ＨＧＢＶ−Ｂはそれ自体で１つのサブグループのメンバーであると考えられる。種々のＨＣＶ単離体由来のヘリカーゼ配列を系統発生学的に分析すると、それらは、最大進化距離が０．２０である分岐の小さいグループを形成していることが判る（表３２、後記）。ＨＣＶグループとＨＧＢＶグループとを比較すると、各グル−プからの任意の２つの配列の最小進化距離は０．６９であることが判る。上記の距離の値を使用し、図４２に表す系統樹を作成した。これらのウイルスの分岐度が比較的高いことから、ＧＢウイルスは単に肝炎Ｃ型グループ内のタイプまたはサブタイプをなすのではなく、独自の系統発生学的グループを構成することが判る。ＨＣＶウイルスゲノムの小部分から誘導される配列情報を使用した系統発生学的分析は、新規の単離体を遺伝子型グループに割当てる容認可能な方法であることが示されている（Ｓｉｍｍｏｎｄｓら，Ｈｅｐａｔｏｌｏｇｙ  １９：１３２１−１３２４（１９９４））。最近の分析では、代表的なＨＣＶ単離体由来のヘリカーゼ遺伝子内の１１０個のアミノ酸からなる配列を使用すれば、それらは、それぞれの遺伝子型に適当に分類される（Ｓｉｍｍｏｎｄｓら，Ｊ．Ｇｅｎ．Ｖｉｒｏｌ．７５：１０５３−１０６１（１９９４））。従って、示された進化距離は、多分、ＧＢウイルスと肝炎Ｃ型ウイルスとの高度の分岐を正しく反映している。
【００３３】
先行特許出願において、「ＨＧＢＶ株はポリペプチドレベルで同定可能であり、ＨＧＢＶ株はポリペプチドレベルで４０％以上が相同、好ましくは約６０％以上が相同、更に好ましくは約８０％以上が相同である」と述べられていた。「相同」なる用語は、使用されてはいるが、２つのポリヌクレオチドまたはポリペプチド配列の関連の度合いを示す場合に曖昧であり、実際には進化上の関連性を示唆するものである。当分野の最近の慣例によれば、「相同性」なる用語はもはや使用されず、代わりに、「類似性（ｓｉｍｉｌａｒｉｔｙ）」及び／または「一致性（ｉｄｅｎｔｉｔｙ）」なる用語を使用して２つのポリヌクレオチドまたはポリペプチド配列の関連の度合いを示している。アミノ酸配列の「類似性」及び／または「一致性」を決定する方法は当分野において公知であるが、例えば、アミノ酸配列を直接決定し、それを本明細書に与えられた配列と比較したり、推定ＨＧＢＶのゲノム材料のヌクレオチド配列を（通常はｃＤＮＡ中間体を介して）決定し、そこにコードされているアミノ酸配列を決定し、対応領域を比較するなどが挙げられる。通常、「一致性」とは、各ゲノム上の適当な場所においてＨＧＢＶのヌクレオチド配列と別の株のヌクレオチド配列、またはＨＧＢＶのアミノ酸配列と別の株のアミノ酸配列が正確に一致することを意味する。通常、「類似性」とは、適当な場所においてＨＧＢＶのアミノ酸配列と別の株のアミノ酸配列が正確に一致することを意味するが、その場合、アミノ酸は同一または類似の化学的及び／または物理的特性、例えば電荷または疎水性を有する。（ｔｈｅ  Ｇｅｎｅｔｉｃｓ  Ｃｏｍｐｕｔｅｒ  Ｇｒｏｕｐ，Ｍａｄｉｓｏｎ，Ｗｉｓｃｏｎｓｉｎ，５３７１１から入手可能な）Ｗｉｓｃｏｎｓｉｎ  Ｓｅｑｕｅｎｃｅ  Ａｎａｌｙｓｉｓ  Ｐａｃｋａｇｅ，バージョン８において使用可能なプログラム、例えばＧＡＰプログラムにより、２つのポリヌクレオチドまたは２つのポリペプチドの配列間の一致率及び類似率を計算し得る。２つの配列間の一致率及び類似率を計算する他のプログラムも当分野において公知である。
【００３４】
更に、ＨＧＢＶ−Ａ、ＨＧＢＶ−ＢまたはＨＧＢＶ−Ｃの株を同定することにおいて、以下のパラメーターを単独または組合せて使用し得る。ＨＧＢＶ株は好ましくは約６０％以上、より好ましくは約８０％以上の遺伝的関連性があり得ると考えられることから、ＨＧＢＶ−Ａ、ＨＧＢＶ−ＢまたはＨＧＢＶ−Ｃとこれらの肝炎ＧＢウイルスの１つの株との間のヌクレオチド配列全体の一致率は約４５％以上であると推定される。
【００３５】
更に、ＨＧＢＶ株は好ましくは約４０％以上、より好ましくは約６０％以上、更に好ましくは約８０％以上の遺伝的関連性があり得ると考えられることから、ＨＧＢＶ−ＡのゲノムとＨＧＢＶ−Ａのある株のゲノムとのアミノ酸レベルでの配列全体の一致率は約３５％以上であろうと推定される。更に、２つ以上の連続配列の組合せで与えられているであろう、少なくとも約１３ヌクレオチドからなる対応連続配列がある。また、ＨＧＢＶ株は好ましくは約４０％以上、より好ましくは約６０％以上、更に好ましくは約８０％以上の遺伝的関連性があり得ると考えられることから、ＨＧＢＶ−ＢのゲノムとＨＧＢＶ−Ｂのある株のゲノムとのアミノ酸レベルでの配列全体の一致率は約３５％以上であると推定される。更に、２つ以上の連続配列の組合せで与えられているであろう、少なくとも１３ヌクレオチドからなる対応連続配列がある。また、ＨＧＢＶ株は好ましくは約４０％以上、より好ましくは約６０％以上、更に好ましくは約８０％以上の遺伝的関連性があり得ると考えられることから、ＨＧＢＶ−ＣのゲノムとＨＧＢＶ−Ｃのある株のゲノムとのアミノ酸レベルでの配列全体の一致率は約３５％以上であろうと推定される。更に、２つ以上の連続配列の組合せで与えられているであろう、少なくとも約１３ヌクレオチドからなる対応連続配列がある。
【００３６】
本発明の組成物及び方法により、ＨＧＢＶ及びその存在し得る株の増殖、同定、検出及び単離が可能となる。更に本発明の組成物及び方法により、ＨＧＢＶの存在し得る種々の株に対する診断薬及びワクチンの製造が可能となり、抗ウイルス性物質のスクリーニング処理に有用となる。情報は、ウイルス分類学者が該種に属する他の株を同定するのに十分となろう。本発明者らは、ＨＧＢＶが本明細書に含まれる配列をコードすると考えている。かかる配列の存在をアッセイする方法は当分野において公知であり、例えばリガーゼ連鎖反応（ＬＣＲ）、ポリメラーゼ連鎖反応（ＰＣＲ）及びハイブリダイゼーションといった増幅方法が挙げられる。更に、かかる配列は、免疫原性ウイルスエピトープを見い出し得る読取り枠を含む。このエピトープは、他の既知の肝炎誘発ウイルスと比較し、ＨＧＢＶに固有である。エピトープの固有性は、ＨＧＢＶに対する免疫学的反応性と、肝炎Ａ、Ｂ、Ｃ、Ｄ及びＥ型ウイルスに対する免疫学的反応性の欠如とによって判定し得る。免疫学的反応性を判定する方法は当分野において公知であり、例えばラジオイムノアッセイ（ＲＩＡ）、酵素結合免疫吸着アッセイ（ＥＬＩＳＡ）、血球凝集反応（ＨＡ）、蛍光偏光イムノアッセイ（ＦＰＩＡ）が挙げられるが、適当な方法の幾つかの例を本明細書に記載する。
【００３７】
特定の配列、例えばＨＧＢＶ  ｃＤＮＡまたはＨＧＢＶゲノム「から誘導された」ポリヌクレオチドとは、特定のヌクレオチド配列の領域に対応する、即ち類似であるかまたは相補的である、おおよそ少なくとも約６個のヌクレオチド、好ましくは少なくとも約８個のヌクレオチド、より好ましくは少なくとも約１０〜１２個のヌクレオチド、更に好ましくは少なくとも約１５〜２０個のヌクレオチドの配列からなるポリヌクレオチド配列を指す。ポリヌクレオチドを誘導する領域の配列は、ＨＧＢＶゲノムに固有の配列に類似または相補的であるのが好ましい。配列がＨＧＢＶゲノムに固有の配列に相補的または類似であるか否かは、当業者には公知の方法で判断し得る。特定の配列の固有性を決定する方法として、例えばデータバンクにある配列との比較を行い得る。配列を誘導し得る領域としては、限定的ではないが、特異的エプトープをコードする領域、並びに非翻訳及び／または非転写領域が挙げられる。
【００３８】
誘導ポリヌクレオチドは必ずしもＨＧＢＶのヌクレオチド配列から物理的に誘導される必要はなく、限定的ではないが、ポリヌクレオチドを誘導する領域の塩基配列により与えられる情報に基づいた化学的合成、複製、または逆転写もしくは転写を含む任意の方法で生成し得る。更に、特定の配列に対応する領域の組合せは、当分野において公知の方法で所期の用途に応じて変更し得る。
【００３９】
特定の核酸配列またはＨＧＢＶゲノムから誘導される「ポリペプチド」または「アミノ酸配列」とは、配列内にコードされているポリペプチドと同一のアミノ酸配列を有するポリペプチド、または、少なくとも３〜５個のアミノ酸、より好ましくは少なくとも８〜１０個のアミノ酸、更に好ましくは１５〜２０個のアミノ酸からなり、配列内にコードされているポリペプチドと免疫学的に一致し得る前記ポリペプチドの一部を指す。
【００４０】
本明細書において使用される「組換えポリペプチド」とは少なくとも、起源または操作によって、天然もしくはライブラリーの形態で関連するポリペプチドの全部または一部と関連せず、及び／またはそれが天然で結合しているもの以外のポリヌクレオチドに結合している、ゲノム、半合成または合成のポリペプチドを意味する。組換えまたは誘導ポリペプチドは必ずしもＨＧＢＶの特定の核酸配列またはＨＧＢＶゲノムから翻訳される必要はない。組換えまたは誘導ポリペプチドは、化学的合成もしくは組換え発現系の発現、または突然変異ＨＧＢＶからの単離を含む任意の方法で生成することもできる。
【００４１】
本明細書において使用される「合成ペプチド」なる用語は、当業者には公知の方法で化学的に合成し得る、任意の長さの重合形態のアミノ酸を意味する。かかる合成ペプチドは種々の用途に有用である。
【００４２】
本明細書において使用される「ポリヌクレオチド」なる用語は、リボヌクレオチドまたはデオキシリボヌクレオチドいずれかの任意の長さの重合形態のヌクレオチドを意味する。この用語は分子の一次構造のみを指す。従って該用語には、二本鎖及び一本鎖ＤＮＡ並びに二本鎖及び一本鎖ＲＮＡが含まれる。更に、メチル化及び／またはキャップ付加による修飾形態のポリヌクレオチド、並びに未修飾形態のポリヌクレオチドも含まれる。
【００４３】
「ｃＤＮＡに対応する配列を含むＨＧＢＶ」とは、ＨＧＢＶが、特定のＤＮＡ内の配列と類似または相補的なポリヌクレオチド配列を含むことを意味する。該ｃＤＮＡに対する類似または相補の程度は約５０％以上、好ましくは少なくとも約７０％、より好ましくは少なくとも約９０％である。対応する配列の長さは少なくとも約７０ヌクレオチド、好ましくは少なくとも約８０ヌクレオチド、更に好ましくは少なくとも約９０ヌクレオチドである。ＨＧＢＶとｃＤＮＡの対応は当分野において公知の方法によって決定し得るが、例えば、配列決定した物質を記載のｃＤＮＡと直接比較したり、ハイブリダイズし一本鎖ヌクレアーゼにより消化し、消化されたフラグメントのサイズを決定することなどが挙げられる。
【００４４】
「精製ウイルスポリヌクレオチド」とは、ウイルスポリヌクレオチドが天然で関連するポリペプチドを実質的に含まない、即ちその約５０％未満、好ましくは約７０％未満、より好ましくは約９０％未満を含まないＨＧＢＶゲノムまたはそのフラグメントを指す。ウイルスポリヌクレオチドを精製する方法は当分野において公知であり、例えば、カオトロピック（ｃｈａｏｔｒｏｐｉｃ）剤を用いて粒子を破壊し、イオン交換クロマトグラフィー、アフィニティークロマトグラフィー、密度沈降によってポリヌクレオチド及びポリペプチドを分離することが挙げられる。「精製ウイルスポリペプチド」とは、ウイルスポリペプチドが天然で関連する細胞成分を実質的に含まない、即ちその約５０％未満、好ましくは約７０％未満、より好ましくは約９０％未満を含まないＨＧＢＶポリペプチドまたはそのフラグメントを意味する。精製方法は当業者には公知である。
【００４５】
本明細書において使用される「ポリペプチド」とはアミノ酸の分子鎖を指し、特定の長さ産物を指すものではない。従って、ペプチド、オリゴペプチド及びタンパク質がポリペプチドの定義に含まれる。しかしながらこの用語には、ポリペプチドの発現後の修飾、例えばグリコシル化、アセチル化、リン酸化などは含まれないものとする。
【００４６】
「組換え宿主細胞」、「宿主細胞」、「細胞」、「細胞系」、「細胞培養物」、及び単細胞物質として培養された微生物または高等真核細胞系を示す他の同様の用語は、組換えベクターまたは他の移入ＤＮＡのレシピエントとして使用され得る、または使用された細胞を指し、トランスフェクトされた元の細胞の本来の子孫をも含む。
【００４７】
本明細書において使用される「レプリコン」とは、細胞内でポリヌクレオチド複製の自立単位として挙動する、プラスミド、染色体またはウイルスといった任意の遺伝子エレメントを意味する。即ちレプリコンはそれ自体の制御下で複製し得る。
【００４８】
「ベクター」は、別のポリヌクレオチドセグメントが複製及び／または発現し得るように付加されたレプリコンである。
【００４９】
「制御配列」なる用語は、それらが結合しているコーディング配列の発現を行うのに必要なポリヌクレオチド配列を指す。制御配列の特性は宿主生物に応じて異なる。原核細胞においては制御配列は一般にプロモーター、リボソーム結合部位及びターミネーターを含み、真核細胞においては制御配列は一般にプロモーター、ターミネーター、及び場合によってはエンハンサーを含む。従って「制御配列」なる用語は、少なくともその存在が発現に必要な全ての成分を含んでいるものとし、更には、存在すれば有利な追加成分、例えばリーダー配列を含んでもよい。
【００５０】
「操作可能に結合された」とは、上記成分が予定通りに機能し得る関係にある状況を指す。従って例えば、コーディング配列に「操作可能に結合された」制御配列は、制御配列に適合する条件下でコーディング配列の発現が行われるように連結されている。
【００５１】
「読取り枠」または「ＯＲＦ」なる用語は、ポリペプチドをコードするポリヌクレオチド配列の領域を指す。この領域はコーディング配列の一部または全コーディング配列を与え得る。
【００５２】
「コーディング配列」は、適当な調節配列の制御下に置かれたときにｍＲＮＡに転写される、及び／またはポリペプチドに翻訳されるポリヌクレオチド配列である。コーディング配列の境界は、５’末端にある翻訳開始コドンと３’末端にある翻訳終結コドンとによって決定される。コーディング配列としては、限定的ではないが、ｍＲＮＡ、ｃＤＮＡ、及び組換えポリヌクレオチド配列が挙げられる。
【００５３】
「〜を用いて／として免疫学的に同定可能な」なる用語は、特定のポリペプチド、通常はＨＧＢＶタンパク質中に存在し、これに固有であるエピトープ及びポリペプチドが存在することを指す。免疫学的な一致（ｉｄｅｎｔｉｔｙ）は、抗体結合及び／または結合の競合によって判定し得る。かかる方法は当業者には公知であるし、本明細書にも記載される。エピトープの固有性は、公知のデータバンク、例えばＧｅｎＢａｎｋにおいてエピトープをコードするポリヌクレオチド配列をコンピューター検索するか、または他の既知のタンパク質とアミノ酸配列を比較することにより判定し得る。
【００５４】
本明細書において使用される「エピトープ」とはポリペプチドの抗原決定基を意味する。恐らく、エピトープは、３個のアミノ酸をそのエピトープに固有の空間的配置で含み得る。通常エピトープは少なくとも５個のこのようなアミノ酸からなり、より一般的には少なくとも８〜１０個のアミノ酸からなる。空間的配置を調査する方法は当分野において公知であり、例えばＸ線結晶分析及び２次元核磁気共鳴が挙げられる。
【００５５】
ポリペプチド内に含まれる特定のエピトープを抗体が認識したことから抗体に結合するとき、該ポリペプチドは該抗体に対して「免疫学的に反応性である」。免疫学的反応性は、抗体結合、特に抗体結合速度、及び／または、該抗体に対するエピトープを含む既知のポリペプチドを競合物質として使用する結合の競合によって判定し得る。ポリペプチドが抗体に対して免疫学的に反応性であるかどうかを決定する方法は当分野において公知である。
【００５６】
本明細書において使用される「ＨＧＢＶエピトープを含む免疫原性ポリペプチド」なる用語は、天然ＨＧＢＶポリペプチドまたはそのフラグメント、並びに、他の手段、例えば化学的合成または組換え微生物中でのポリペプチドの発現によって製造されたポリペプチドを意味する。
【００５７】
「形質転換」なる用語は、挿入方法に関係なく、外来ポリヌクレオチドを宿主細胞中に挿入することを指す。例えば、直接取込み、形質導入またはｆ−交配（ｆ−ｍａｔｉｎｇ）が含まれる。外来ポリヌクレオチドは、非組込みベクター、例えばプラスミドとして維持することもできるし、或いは、宿主ゲノム中に組込むこともできる。
【００５８】
「治療」とは予防及び／または加療を指す。
【００５９】
本明細書において使用される「個体」なる用語は、動物、特に哺乳動物種のものを指し、限定的ではないが、家畜、競技用動物、霊長目及びヒトを含むが、特に該用語はタマリン及びヒトを指す。
【００６０】
本明細書において使用される「正鎖」（または「＋」）は、ポリペプチドをコードする配列を含む核酸を示す。「負鎖」（または「−」）は、「正」鎖の配列と相補的な配列を含む核酸を示す。
【００６１】
ウイルスの「陽性鎖ゲノム」は、ＲＮＡであろうとＤＮＡであろうと、ゲノムが一本鎖であり、ウイルスポリペプチドをコードすることを示す。
【００６２】
「検査試料」とは、被分析物（例えば問題の抗体または問題の抗原）のソースとなる個体の成分を指す。かかる成分は当分野において公知である。検査試料には本発明の方法によって試験し得る生物試料が含まれるが、ヒト及び動物の体液、例えば全血、血清、血漿、脳脊髄液、尿、リンパ液、並びに、呼吸管、胃腸管及び尿生殖管の種々の外分泌物、涙、唾液、乳、白血球、ミエローマなど、並びに、生物学的液体、例えば細胞培養液上清、固定組織試料、固定細胞試料が挙げられる。
【００６３】
「精製ＨＧＢＶ」とは、ウイルスが通常関連する細胞構成物質、及び感染組織中に存在し得る他のタイプのウイルスから単離されたＨＧＢＶの調製物を指す。ウイルスを単離する方法は当業者には公知であり、例えば遠心及びアフィニティークロマトグラフィーが挙げられる。
【００６４】
「ＰＮＡ」は、ある処理、例えばターゲットの存在を判定するようなアッセイに使用し得る「ペプチド核酸類縁物」を指す。ＰＮＡは、ＲＮＡターゲットまたはＤＮＡに対する電気的に中性の物質である。例えばＤＮＡプローブの代わりにアッセイに使用されるＰＮＡプローブは、ＤＮＡプローブを使用したときには得られない利点を与える。かかる利点としては、製造可能性、大規模標識、再現性、安定性、イオン強度の変化に対する低感度性、及び、ＤＮＡまたはＲＮＡを使用する方法に存在する酵素分解に対する抵抗性が挙げられる。ＰＮＡは、フルオレセイン、放射性核種、化学発光化合物などのシグナル生成化合物で標識することができる。このようにＰＮＡは、ＤＮＡまたはＲＮＡの代わりに方法に使用し得る。本明細書にはＤＮＡを使用するアッセイを記載するが、必要であればアッセイ試薬を適当に変更し、ＰＮＡをＲＮＡまたはＤＮＡの代わりに使用することも常法の範囲内である。
【００６５】
（一般用途）
本発明の特定の組換えタンパク質、合成ペポチド、または精製ウイルスポリペプチドを製造したならば、その組換えまたは合成ペプチドを使用し、ＨＧＢＶに対する抗原または抗体の存在を検出する本明細書に記載のごとき固有のアッセイを開発することができる。またかかる組成物を使用し、所望するＨＧＢＶの免疫学的エピトープに特異的に結合する特異的組換えタンパク質または合成ペプチドを用い、モノクローナル及び／またはポリクローナル抗体を開発することができる。少なくとも１種の本発明のポリヌクレオチドを使用して、当分野において公知の方法に従ってワクチンを開発することも考えられる。
【００６６】
アッセイに使用される試薬は、アッセイに使用されるモノクローナル抗体もしくはモノクローナル抗体の混合物または（組換えもしくは合成）ポリペプチドといった試薬を各々が含む１つ以上の容器、例えばバイアルやボトルを包含する試験キットの形態で提供され得ると考えられる。当業者には公知の緩衝液、対照などの他の構成成分をかかる試験キットに含めてもよい。
【００６７】
「固相」（「固体支持体」）は当業者には公知であり、反応トレーのウェルの壁、試験管、ポリスチレンビーズ、磁性ビーズ、ニトロセルロースストリップ、膜、微粒子（例えばラテックス粒子）、ヒツジ（または他の動物）の赤血球、Ｄｕｒａｃｙｔｅｓなどが挙げられる。「固相」は限定的なものではなく、当業者によって選択され得る。即ち、ラテックス粒子、微粒子、磁性または非磁性ビーズ、膜、プラスチックチューブ、マイクロタイターウェルの壁、ガラスまたはシリコンチップ、ヒツジ（または他の適当な動物）の赤血球、及びＤｕｒａｃｙｔｅｓは全てが適当な例である。ペプチドを固相上に固定する適当な方法としては、イオン性、疎水性、共有結合性の相互作用などが挙げられる。本明細書において使用される「固相」とは、不溶性であるかまたは後続反応によって不溶性にし得る任意の材料を指す。固相は、捕獲剤を引き付けて固定する固有の能力において選択され得る。或いは固相は、捕獲剤を引き付けて固定する能力を有する補助的レセプターを保持し得る。補助的レセプターは、捕獲剤自体または捕獲剤に結合している帯電物質とは反対の電荷を有する帯電物質を含み得る。或いはまたレセプター分子は、固相上に固定（付着）されており、特異的結合反応によって捕獲剤を固定する能力を有する任意の特異的結合メンバーとすることもできる。アッセイ実施前またはアッセイ実施中に、レセプター分子によって捕獲剤を固相材料に間接的に結合することができる。固相は、プラスチック、誘導体化プラスチック、磁性または非磁性金属、ガラスまたはシリコン表面を備えた試験管、マイクロタイターウェル、シート、ビーズ、微粒子、チップ、ヒツジ（または他の適当な動物）の赤血球、Ｄｕｒａｃｙｔｅｓ、並びに、当業者には公知の他の構成とし得る。
【００６８】
固相が、検出抗体がアクセスし得るに十分な多孔性及び抗原を結合するのに適当な表面親和性を有する任意の適当な多孔質材料からなることも考えられ、本発明の範囲内である。一般には微孔質構造が好ましいが、水和状態でゲル構造を有する材料も使用し得る。かかる有用な固体支持体としては、天然ポリマー炭水化物及びそれらの合成変性、架橋または置換誘導体、例えば寒天、アガロース、架橋アルギン酸、置換架橋グアゴム、特に硝酸及びカルボン酸とのセルロースエステル、混合セルロースエステル、セルロースエーテル；窒素を含む天然ポリマー、例えば架橋または変性ゼラチンを含むタンパク質及び誘導体；天然炭化水素ポリマー、例えばラテックス及びゴム；適当な多孔質構造を有するよう製造され得る合成ポリマー、例えばポリエチレン、ポリプロピレン、ポリスチレン、ポリ塩化ビニル、ポリ酢酸ビニルを含むビニルポリマー及びその部分加水分解誘導体、ポリアクリルアミド、ポリメタクリレート、上記ポリ縮合物のコポリマー及びターポリマー、例えばポリエステル、ポリアミド、及び他のポリマー、例えばポリウレタンまたはポリエポキシド；多孔質無機材料、例えばアルカリ土類金属及びマグネシウムの硫酸塩または炭酸塩（例えば硫酸バリウム、硫酸カルシウム、炭酸カルシウム）、アルカリ及びアルカリ土類金属、アルミニウム並びにマグネシウムのケイ酸塩；並びに、アルミニウムまたはケイ素の酸化物または水和物、例えばクレー、アルミナ、タルク、カオリン、ゼオライト、シリカゲルまたはガラス（これらの材料は上記ポリマー材料と一緒に充填剤として使用し得る）；並びに、これらの混合物またはコポリマー、例えば既存の天然ポリマー上で合成ポリマーの重合を開始することにより得られるグラフトコポリマーが挙げられる。これらの材料は全てが、フィルム、シート、またはプレートといった適当な形状で使用することもできるし、紙、ガラス、プラスチックフィルム、またはファイバーといった適当な不活性担体に被覆、接着または積層することもできる。
【００６９】
ニトロセルロースの多孔質構造は、モノクローナル抗体を含む広範囲の試薬に対して優れた吸収性及び吸着性を示す。ナイロンも同様の特性を有しており、やはり適当である。上述のごとき多孔質固体支持体は厚さが約０．０１〜０．０５ｍｍ、好ましくは約０．１ｍｍのシートの形態であると考えられる。孔径は広範囲で変えることができるが、約０．０２５〜１５μ、特に約０．１５〜１５μであるのが好ましい。かかる支持体の表面は、抗原または抗体と支持体との共有結合を惹起する化学処理によって活性化し得る。一般には、あまり理解されていない疎水性の力によって多孔質材料上に吸着することにより、抗原または抗体は不可逆的に結合される。適当な固体支持体は米国特許出願第２２７，２７２号明細書にも記載されている。
【００７０】
「指示薬」は、ＨＧＢＶの特異的結合メンバーに結合（付着）した、外部手段によって検出し得る測定可能シグナルを生成し得るまたは生成する「シグナル生成化合物」（標識）を含む。本明細書において使用される「特異的結合メンバー」とは特異的結合対、即ち一方の分子が化学的または物理的手段を介して第２の分子に特異的に結合する２つの分子のメンバーを意味する。ＨＧＢＶに対する特異的結合対の抗体メンバーであるほか、指示薬は、ハプテン−抗ハプテン系、例えばビオチンまたは抗ビオチン、アビジンまたはビオチン、炭水化物またはレクチン、相補的ヌクレオチド配列、エフェクター分子またはレセプター分子、酵素補因子及び酵素、酵素阻害物質または酵素などとし得る。免疫反応性特異的結合メンバーは、サンドイッチアッセイにおいてはＨＧＢＶに、競合アッセイにおいては捕獲剤に、また間接アッセイにおいては任意の特異的結合メンバーに結合し得る、抗体、抗原、または抗体／抗原複合体であり得る。
【００７１】
考えられる種々の「シグナル生成化合物」（標識）としては、色原体、酵素のごとき触媒、フルオレセイン及びローダミンのごとき発光化合物、ジオキセタン、アクリジニウム、フェナントリジニウム及びルミノールのごとき化学発光化合物、放射性元素、直接可視標識が挙げられる。酵素の例としてはアルカリ性ホスファターゼ、西洋ワサビペルオキシダーゼ、β−ガラクトシダーゼなどが挙げられる。特定の標識の選択は限定的ではなく、標識はそれ自体でまたは１種以上の他の物質と一緒になってシグナルを生成することができる。
【００７２】
本発明は、特異的結合メンバーを使用するアッセイを提供する。本明細書において使用される「特異的結合メンバー」は特異的結合対、即ち一方の分子が化学的または物理的手段を介して第２の分子に特異的に結合する２種類の異なる分子のメンバーである。従って、一般的なイムノアッセイの抗原及び抗体特異的結合対のほかに、他の特異的結合対として、ビオチンとアビジン、炭水化物とレクチン、相補的ヌクレオチド配列、エフェクター分子とレポーター分子、補因子と酵素、酵素阻害物質と酵素などを挙げ得る。特異的結合対には更に、元の特異的結合対の類似物、例えば被分析物質類似物であるメンバーも含まれ得る。免疫反応性特異的結合メンバーとしては、組換えＤＮＡ分子によって形成されるものを含み、抗原、抗原フラグメント、モノクローナル及びポリクローナル抗体及び抗体フラグメント、これらの複合体が挙げられる。本明細書において使用される「ハプテン」なる用語は、抗体に結合することはできるが、担体タンパク質に結合していなければ抗体形成を誘起し得ない部分抗原または非タンパク質結合メンバーを指す。
【００７３】
本明細書において使用される「被分析物質」は、検査試料中に存在し得る検出すべき物質である。被分析物質は、それに対して天然特異的結合メンバー（例えば抗体）が存在するかまたはそれに対して特異的結合メンバーを調製し得る物質であり得る。即ち、被分析物質は、アッセイにおいて１つ以上の特異的結合メンバーに結合し得る物質である。「被分析物質」としては、任意の抗原性物質、ハプテン、抗体、及びこれらの組合せが挙げられる。特異的結合対のメンバーとして、被分析物質は天然特異的結合パートナー（対）によって検出することができ、例えば、ビタミンＢ１２の測定には特異的結合対のメンバーとして固有因子タンパク質が使用され、葉酸を測定するには葉酸塩結合タンパク質が使用され、炭水化物の測定には特異的結合対のメンバーとしてレクチンが使用される。被分析物質としてはタンパク質、ペプチド、アミノ酸、ヌクレオチドターゲットなどが挙げられる。
【００７４】
種々の他の固相を使用する他の実施態様も考えられ、それらも本発明の範囲内である。例えば、欧州特許出願公開第０３２６１００号明細書に対応する同時係属米国特許出願第１５０，２７８号明細書及び米国特許出願第３７５，０２９号明細書（欧州特許出願公開第０４０６４７３号明細書）に記載の、負電荷を有するポリマーを用いて固定可能な反応複合体を固定するイオン捕獲法を本発明に従って使用し、高速液相（ｆａｓｔ  ｓｏｌｕｔｉｏｎ−ｐｈａｓｅ）免疫化学反応を行うことができる。固定可能な免疫複合体は、負電荷を有するポリアニオン／免疫複合体と予め処理して正電荷をもたせた多孔質マトリックスとのイオン相互反応によって反応混合物の残りの部分から分離し、ＥＰＯ特許出願公開第０，２７３，１１５号明細書に対応する同時係属米国特許出願第９２１，９７９号明細書に記載のごとき化学発光シグナル測定に記載のものを含む、文献明記の種々のシグナル生成系を使用して検出し得る。
【００７５】
また本発明方法は、固相が（磁性または非磁性）微粒子からなる自動化及び半自動化系を含む、微粒子技術を使用する系での使用にも適合し得る。このような系として、ＥＰＯ特許出願公開第０  ４２５  ６３３号明細書及び同第０  ４２４  ６３４号明細書にそれぞれ対応する係属米国特許出願第４２５，６５１号明細書及び同第４２５，６４３号明細書に記載のものが挙げられる。
【００７６】
イムノアッセイ用の走査型プローブ顕微鏡（ＳＰＭ）を使用すると、本発明のモノクローナル抗体を容易に適合し得る。走査型プローブ顕微鏡、特に原子力（ａｔｏｍｉｃ  ｆｏｒｃｅ）顕微鏡においては、捕獲相、例えば少なくとも１種の本発明のモノクローナル抗体を固相に付着させ、走査型プローブ顕微鏡を使用し、固相の表面に存在し得る抗原／抗体複合体を検出する。走査型トンネル顕微鏡を使用すると、抗原／抗体複合体を検出するために多くのイムノアアッセイ系に通常は使用せねばならない標識が必要でなくなる。このような系は係属米国特許出願第６６２，１４７号明細書に記載されている。特異的結合反応をモニターするためにＳＰＭは多くの態様で使用され得る。１つの実施態様においては、特異的結合パートナーの１つのメンバー（本発明のモノクローナル抗体である被分析物質特異的物質）を走査に適した表面に付着させる。被分析物質特異的物質の付着は、当業者には公知の方法に従って、プラスチックまたは金属表面の固相からなる試験片に吸着させることにより行い得る。或いは、誘導体化プラスチック、金属、シリコン、またはガラスの固相からなる試験片に特異的結合パートナー（被分析物質特異的物質）を共有結合させることもできる。共有結合方法は当業者には公知であり、特異的結合パートナーを試験片に不可逆的に結合する種々の手段を含む。試験片がシリコンまたはガラスである場合、特異的結合パートナーを付着させる前に表面を活性化する必要がある。トリエトキシアミノプロピルシラン（Ｓｉｇｍａ  Ｃｈｅｍｉｃａｌ  Ｃｏ．，Ｓｔ．Ｌｏｕｉｓ，ＭＯから入手可能）、トリエトキシビニルシラン（Ａｌｄｒｉｃｈ  Ｃｈｅｍｉｃａｌ  Ｃｏ．，Ｍｉｌｗａｕｋｅｅ，ＷＩ）及び（３−メルカプト−プロピル）−トリメトキシシラン（Ｓｉｇｍａ  Ｃｈｅｍｉｃａｌ  Ｃｏ．，Ｓｔ．Ｌｏｕｉｓ，ＭＯ）といった活性化シラン化合物を使用し、それぞれアミノ、ビニル及びチオールといった反応性の基を導入することができる。このような活性化表面を使用して結合パートナーを（アミノまたはチオールの場合には）直接に結合することもできるし、活性化表面を更に、グルタルアルデヒド、ビス（スクシンイミジル）スベレート、ＳＰＰＤ９（スクシンイミジル  ３−［２−ピリジルジチオ］プロピオネート）、ＳＭＣＣ（スクシンイミジル−４−［Ｎ−マレイミドメチル］シクロヘキサン−１−カルボキシレート）、ＳＩＡＢ（スクシンイミジル［４−ヨードアセチル］アミノベンゾエート）及びＳＭＰＢ（スクシンイミジル４−［１−マレイミドフェニル］ブチレート）といったリンカーと反応させ、結合パートナーを表面から離すこともできる。ビニル基は、酸化して共有結合手段を与えることもできるし、特異的結合パートナーに対して複数の付着点を与え得るポリアクリル酸のごとき種々のポリマーを重合するためのアンカーとして使用することもできる。アミノ表面を種々の分子量の酸化デキストランと反応させ、種々のサイズ及び結合能の親水性リンカーを与えることもできる。酸化可能なデキストランの例として、Ｄｅｘｔｒａｎ  Ｔ−４０（分子量４０，０００ダルトン）、Ｄｅｘｔｒａｎ  Ｔ−１１０（分子量１１０，０００ダルトン）、Ｄｅｘｔｒａｎ  ��−５００（分子量５００，０００ダルトン）、Ｄｅｘｔｒａｎ  Ｔ−２Ｍ（分子量２，０００，０００ダルトン）（これら全てはＰｈａｒｍａｃｉａから入手可能）、またはＦｉｃｏｌｌ（分子量７０，０００ダルトン）（Ｓｉｇｍａ  Ｃｈｅｍｉｃａｌ  Ｃｏ．，Ｓｔ  Ｌｏｕｉｓ，ＭＯから入手可能）が挙げられる。また、１９８８年１月２９日出願係属米国特許出願第１５０，２７８号明細書及び１９８９年７月７日出願同第３７５，０２９号明細書に記載の方法及び化学物質を使用し、高分子電解質相互作用を使用して特定的結合パートナーを試験片の表面に固定することもできる。好ましい付着方法は共有結合によるものである。特異的結合メンバーを付着させたあと、非特異的結合を最少限に抑えるために表面を更に、血清、タンパク質、または他のブロッキング剤で処理してもよい。該表面がアッセイに適しているか検証するため、それを製造場所または使用時点で走査してもよい。走査方法は、試験片の特異的結合特性を変化させないものとする。
【００７７】
「サンドイッチ」イムノアッセイ及びプローブアッセイを含む種々の他のアッセイ形式を使用し得る。例えば、本発明のモノクローナル抗体を種々のアッセイ系に使用して、検査試料中のＨＧＢＶタンパク質の存在を、もしあるとするならば判定することができる。与えられるかかるモノクローナル抗体のフラグメントを使用してもよい。例えば高速アッセイ形式においては、固相に被覆したポリクローナルもしくはモノクローナル抗ＨＧＢＶ抗体またはそのフラグメントまたはこれらの抗体の組合せを、ＨＧＢＶタンパク質を含み得る検査試料と接触させ、混合物を形成する。この混合物を、抗原／抗体複合体を形成するのに十分な時間及び条件下でインキュベートする。シグナル生成化合物を付着させた、ＨＧＢＶ領域に特異的に結合するモノクローナルもしくはポリクローナル抗体またはそのフラグメントまたはこれらの抗体の組合せを含む指示薬を、抗原／抗体複合体と接触させて第２の混合物を形成する。この第２の混合物を、抗体／抗原／抗体複合体を形成するのに十分な時間及び条件下でインキュベートする。検査試料中に存在しており固相上に捕獲されたＨＧＢＶ抗原の存在は、もしあるとすれば、シグナル生成化合物によって生成される測定可能なシグナルを検出することにより判定される。検査試料中に存在するＨＧＢＶ抗原の量は生成されたシグナルに比例する。
【００７８】
或いは、固体支持体に結合させたポリクローナルもしくはモノクローナル抗ＨＧＢＶ抗体またはそのフラグメントまたはこれらの抗体の組合せと、検査試料と、シグナル生成化合物を付着させた、ＨＧＢＶ抗原に特異的に結合するモノクローナルもしくはポリクローナル抗体またはそのフラグメントまたはこれらの抗体の組合せを含む指示薬とを接触させて混合物を形成する。この混合物を、抗体／抗原／抗体複合体を形成するのに十分な時間及び条件下でインキュベートする。検査試料中に存在しており固相上に捕獲されたＨＧＢＶタンパク質の存在は、もしあるとすれば、シグナル生成化合物によって生成される測定可能なシグナルを検出することにより判定される。検査試料中に存在するＨＧＢＶタンパク質の量は生成されたシグナルに比例する。
【００７９】
更に別のアッセイ形式においては、１種または２種以上組合せた本発明のモノクローナル抗体を、ＨＧＢＶタンパク質に対する抗体を検出するための競合プローブとして使用し得る。例えばＨＧＢＶタンパク質を単独でまたは組合せて固相に被覆することができる。次いで、ＨＧＢＶ抗原に対する抗体を含む疑いのある検査試料を、シグナル生成化合物と少なくとも１種の本発明モノクローナル抗体とを含む指示薬と一緒に、検査試料及び指示薬と固相、または指示薬と固相とで、抗原／抗体複合体を形成するのに十分な時間及び条件下でインキュベートする。モノクローナル抗体の固相への結合の低下を定量的に測定し得る。非Ａ、非Ｂ、非Ｃ、非Ｄ、非Ｅ型肝炎陰性が確認されている検査試料から生成されるシグナルと比較してシグナル低下が測定され得るならば、検査試料中に抗ＨＧＢＶ抗体が存在することが判る。
【００８０】
更に別の検出方法においては、本発明のモノクローナル抗体またはポリクローナル抗体の各々を、免疫組織化学分析による固定組織片及び固定細胞におけるＨＧＢＶ抗原の検出に使用し得る。かかる抗体を直接標識する（フルオレセイン、コロイド金、西洋ワサビペルオキシダーゼ、アルカリ性ホスファターゼなど）か、または（本明細書に例示した種々の標識を用いた）第２標識抗種抗体を使用して標識して疾患の履歴を追跡する細胞化学分析も本発明の範囲内である。
【００８１】
更に、モノクローナル抗体をＣＮＢｒ活性化セファロースと類似のマトリックスに結合し、細胞培養物、または血液及び肝といった生物組織由来の特異的ＨＧＢＶタンパク質のアフィニティー精製に使用し、組換えまたは天然ウイルスＨＧＢＶ抗原及びタンパク質を精製することもできる。
【００８２】
本発明のモノクローナル抗体は、治療を目的とするキメラ抗体の生成や、他の類似の用途に使用することもできる。
【００８３】
モノクローナル抗体またはそのフラグメントは、ＨＧＢＶ抗原を検出するために個々に提供され得る。本明細書において与えられるモノクローナル抗体（及びそのフラグメント）の組合せは、少なくとも１種の本発明の抗ＨＧＢＶ抗体と、他のＨＧＢＶ領域に対する抗体との混合物または「カクテル」中の、各々が異なる結合特異性を有する成分として一緒に使用され得る。即ちこのカクテルは、ＨＧＢＶタンパク質に対する本発明のモノクローナル抗体と、ＨＧＢＶゲノムの他の抗原決定基に対する他のモノクローナル抗体とを含み得る。
【００８４】
かかるアッセイ形式に使用し得るポリクローナル抗体またはそのフラグメントは、アッセイに使用される特異的ＨＧＢＶ領域または他のＨＧＢＶタンパク質に特異的に結合すべきである。使用されるポリクローナル抗体は哺乳動物由来のものであるのが好ましく、ヒト、ヤギ、ウサギまたはヒツジの抗ＨＧＢＶポリクローナル抗体を使用し得る。最も好ましくは、ポリクローナル抗体はウサギポリクローナル抗ＨＧＢＶ抗体である。アッセイに使用されるポリクローナル抗体は単独でもポリクローナル抗体のカクテルとしても使用し得る。アッセイ形式に使用されるカクテルは異なるＨＧＢＶ特異性を有するモノクローナル抗体またはポリクローナル抗体いずれかからなるので、それらは、ＨＧＢＶ感染の診断、評価及び予防に、並びにＨＧＢＶタンパク質の分化及び特異性の研究に有用となろう。
【００８５】
全てのＨＧＢＶウイルスに共通な合成、組換えまたは天然ペプチドを使用することにより、ＨＧＢＶ群のウイルスがアッセイにおいて検出可能となり得ることが考えられ、本発明の範囲内である。ＨＧＢＶ−Ａ、ＨＧＢＶ−Ｂ、ＨＧＢＶ−Ｃ、更には他のＨＧＢＶウイルス由来の種々のエピトープを同定する種々の合成、組換えまたは天然ペプチドをアッセイ形式に使用し得ることも本発明の範囲内である。後者の場合、それらを１つの固相に被覆してもよいし、各ペプチドをそれぞれ別個の固相、例えば微粒子上に被覆し、それらを合わせて、あとでアッセイに使用し得るペプチドの混合物を形成してもよい。このようなアッセイ形式の変形は当業者には公知であり、後述する。
【００８６】
別のアッセイ形式においては、ＨＧＢＶに対する抗体及び／または抗原の存在を以下のように同時アッセイにおいて検出し得る。検査試料を、固相に付着された第１被分析物質に特異的な第１結合メンバーを含む第１被分析物質用捕獲剤と、第２固相に付着された第２被分析物質に対する第１結合メンバーを含む第２被分析物質用捕獲剤とに同時に接触させ、それによって混合物を形成する。この混合物を、捕獲剤／第１被分析物質複合体及び捕獲剤／第２被分析物質複合体を形成するのに十分な時間及び条件下でインキュベートする。このように形成された複合体を、シグナル生成化合物で標識された第１被分析物質に特異的な結合対のメンバーを含む指示薬と、シグナル生成化合物で標識された第２被分析物質に特異的な結合対のメンバーを含む指示薬とに接触させ、第２混合物を形成する。この第２混合物を、捕獲剤／第１被分析物質／指示薬複合体及び捕獲剤／第２被分析物質／指示薬複合体を形成するのに十分な時間及び条件下でインキュベートする。１種以上の被分析物質の存在は、検査試料中の１種以上の被分析物質の存在の指標として、いずれか一方または両方の固相上に形成された複合体に関連して生成されたシグナルを検出することにより判定される。このアッセイ形式においては、ヒト発現系から誘導されたタンパク質を、本明細書に記載のごとき哺乳動物発現系から誘導されたタンパク質から生成されるモノクローナル抗体と同様に使用し得る。かかるアッセイ系は、欧州特許出願公開第０４７３０６５号明細書に対応する係属米国特許出願第０７／５７４,８２１号明細書、発明の名称“Ｓｉｍｕｌｔａｎｅｏｕｓ  Ａｓｓａｙ  ｆｏｒ  Ｄｅｔｅｃｔｉｎｇ  Ｏｎｅ  Ｏｒ  Ｍｏｒｅ  Ａｎａｌｙｔｅｓ”に詳述されている。
【００８７】
更に別のアッセイ形式においては、組換えタンパク質及び／または合成ペプチドを使用して検査試料中の抗ＨＧＢＶの存在を検出し得る。例えば、検査試料を、少なくとも１種の組換えタンパク質または合成ペプチドを付着させた固相と一緒にインキュベートする。これらを、抗原／抗体複合体を形成するのに十分な時間及び条件下で反応させる。インキュベーション後、抗原／抗体複合体を検出する。選択したアッセイ系に従い、指示薬を使用して検出を容易にし得る。別のアッセイ形式においては、検査試料を、本明細書に記載のごとく製造された組換えタンパク質または合成ペプチドを付着させた固相と接触させ、更に、好ましくは指示薬で標識された、該タンパク質に特異的なモノクローナルまたはポリクローナル抗体と接触させる。抗体／抗原複合体が形成されるのに十分な時間及び条件下でインキュベートした後、固相を遊離相から分離し、ＨＧＢＶ抗体の存在の指標としての標識を固相または遊離相において検出する。本発明のタンパク質を使用する他のアッセイ形式も考えられる。それらには、検査試料を、第１供給源由来の少なくとも１種の抗原を付着させた固相と接触させ、固相及び検査試料を、抗原／抗体複合体を形成するのに十分な時間及び条件下でインキュベートし、次いで固相を、第１供給源とは異なる第２供給源から誘導された標識抗原と接触させることを含む。例えば、Ｅ.ｃｏｌｉのごとき第１供給源から誘導された組換えタンパク質を固相上の捕獲抗原として使用し、検査試料をこのように調製された固相に添加し、異なる供給源（即ちＥ.ｃｏｌｉ以外）から誘導された組換えタンパク質を指示薬の一部として使用する。同様に、固相上の組換え抗原と指示薬相中の合成ペプチドとを組合せることもできる。第１供給源由来のＨＧＢＶに特異的な抗原を捕獲抗原として使用し且つ異なる第２供給源由来のＨＧＢＶに特異的な抗原を使用するアッセイ形式も考えられる。組換え抗原の種々の組合せ、並びに合成ペプチド、精製ウイルスタンパク質の使用などが本発明の範囲に含まれる。このようなアッセイその他が本出願人名義の米国特許第５,２５４,４５８号明細書に記載されており、その内容は参照により本明細書に包含されるものとする。
【００８８】
他のアッセイ系では、ウイルスゲノム（またはそのフラグメント）を含むＨＧＢＶウイルス粒子またはサブウイルス粒子に、特異的抗体とウイルスタンパク質（ペプチドなど）の接触によって特異的に結合する（ポリクローナル、モノクローナルまたは天然）抗体が使用される。次いでこの捕獲された粒子をＬＣＲまたはＰＣＲなどの方法によって分析し、ウイルスゲノムが検査試料中に存在するかどうかを判定することができる。該方法に従って分析し得る検査試料としては、血液、肝、痰、尿、便、唾液などが挙げられる。かかる抗原捕獲増幅法を使用する利点は、特異的抗体を使用して検査試料中のウイルスゲノムを他の分子から分離し得ることである。このような方法は係属米国特許出願第０８／１４１,４２９号明細書に記載されている。
【００８９】
本発明を固相を使用する場合について記載したが、本発明の抗体、タンパク質及びペプチドといった試薬は非固相アッセイ系においても使用し得ると考えられる。このようなアッセイ系は当業者には公知であり、本発明の範囲に含まれるものとする。
【００９０】
（材料及び方法）
（一般方法）
特に記載のない限り、本発明の実施には、分子生物学、微生物学、組換えＤＮＡ及び免疫学の分野における慣用的な公知の技術及び方法が使用される。このような技術は文献に詳述されている。例えば、Ｊ．Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ，第２版，Ｃｏｌｄ  Ｓｐｒｉｎｇ  Ｈａｒｂｏｒ  Ｐｒｅｓｓ，Ｃｏｌｄ  Ｓｐｒｉｎｇ  Ｈａｒｂｏｒ，Ｎ．Ｙ．（１９８９）；Ｄ．Ｎ．Ｇｌｏｖｅｒ編，ＤＮＡ  Ｃｌｏｎｉｎｇ，Ｖｏｌｕｍｅｓ  Ｉ  ａｎｄ  ＩＩ（１９８５）；Ｍ．Ｊ．Ｇａｉｔ編，Ｏｌｉｇｏｎｕｃｌｅｏｔｉｄｅ  Ｓｙｎｔｈｅｓｉｓ，（１９８４）；Ｂ．Ｄ．Ｈａｍｅｓら編，Ｎｕｃｌｅｉｃ  Ａｃｉｄ  Ｈｙｂｒｉｄｉｚａｔｉｏｎ，（１９８４）；Ｂ．Ｄ．Ｈａｍｅｓら編，Ｔｒａｎｓｃｒｉｐｔｉｏｎ  ａｎｄ  Ｔｒａｎｓｌａｔｉｏｎ，（１９８４）；Ｒ．Ｉ．Ｆｒｅｓｈｎｅｙ編，Ａｎｉｍａｌ  Ｃｅｌｌ  Ｃｕｌｔｕｒｅ，（１９８６）；Ｉｍｍｏｂｉｌｉｚｅｄ  Ｃｅｌｌｓ  ａｎｄ  Ｅｎｚｙｍｅｓ，ＩＲＬ  Ｐｒｅｓｓ（１９８６）；Ｂ．Ｐｅｒｂａｌ，Ａ  Ｐｒａｃｔｉｃａｌ  Ｇｕｉｄｅ  ｔｏ  Ｍｏｌｅｃｕｌａｒ  Ｃｌｏｎｉｎｇ，（１９８４）；シリーズ，Ｍｅｔｈｏｄｓ  ｉｎ  Ｅｎｚｙｍｏｌｏｇｙ，Ａｃａｄｅｍｉｃ  Ｐｒｅｓｓ，Ｉｎｃ．，Ｏｒｌａｎｄｏ，Ｆｌｏｒｉｄａ；Ｊ．Ｈ．Ｍｉｌｌｅｒら編，Ｇｅｎｅ  Ｔｒａｎｓｆｅｒ  Ｖｅｃｔｏｒｓ  Ｆｏｒ  Ｍａｍｍａｌｉａｎ  Ｃｅｌｌｓ，Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ，Ｎ．Ｙ．（１９８７）；Ｗｕら編，Ｍｅｔｈｏｄｓ  ｉｎ  Ｅｎｚｙｍｏｌｏｇｙ，Ｖｏｌ．１５４及び１５５；Ｍａｙｅｒら編，Ｉｍｍｕｎｏｌｏｇｉｃａｌ  Ｍｅｔｈｏｄｓ  Ｉｎ  Ｃｅｌｌ  ａｎｄ  Ｍｏｌｅｃｕｌａｒ  Ｂｉｏｌｏｇｙ，Ａｃａｄｅｍｉｃ  Ｐｒｅｓｓ，Ｌｏｎｄｏｎ（１９８７）；Ｓｃｏｐｅｓ，Ｐｒｏｔｅｉｎ  Ｐｕｒｉｆｉｃａｔｉｏｎ：Ｐｒｉｎｃｉｐｌｅｓ  ａｎｄ  Ｐｒａｃｔｉｃｅ，第２版，Ｓｐｒｉｎｇｅｒ−Ｖｅｒｌａｇ，Ｎ．Ｙ．；及び、Ｄ．Ｗｅｉｒら編，Ｈａｎｄｂｏｏｋ  Ｏｆ  Ｅｘｐｅｒｉｍｅｎｔａｌ  Ｉｍｍｕｎｏｌｏｇｙ，Ｖｏｌ．Ｉ−ＩＶ（１９８６）；Ｎ．Ｌｉｓｉｔｉｓｙｎら，Ｓｃｉｅｎｃｅ  ２５９：９４６−９５１（１９９３）参照。
【００９１】
本発明の試薬及び方法は、本明細書に記載のごとく改良された代表相違分析によって単離された、タマリンまたはヒトであるＨＧＢＶ感染個体の血漿、血清または肝ホモジネート中に存在する極めて関連性のあるヌクレオチド配列群を与えることにより実現可能となる。このヌクレオチド配列群は、未感染個体由来のヒトまたはタマリンゲノムＤＮＡにはハイブリダイズしないこと、ＨＧＢＶ感染個体の肝（または肝ホモジネート）、血漿または血清中にしか存在しないこと、及びＧｅｎＢａｎｋに存在しないことから、ヒトまたはタマリンに由来するものではない。更に、該配列群は、ＨＡＶ、ＨＢＶ、ＨＣＶ、ＨＤＶ及びＨＥＶゲノム内に含まれる配列と核酸レベルで有意な一致を示さず、翻訳産物でも一致レベルは有意とは考えられないほど低い。ＨＧＢＶ感染ヒト由来の感染性血清、血漿または肝ホモジネートはかかるポリヌクレオチド配列を含むが、未感染ヒト由来の血清、血漿または肝ホモジネートはかかる配列を含まない。これらのポリヌクレオチド配列の幾つかを含む感染肝をノーザンブロット分析すると、それらがウイルスゲノムと同様のサイズの大きなＲＮＡ転写物から誘導されていることが判る。ＨＧＢＶ感染ヒト由来の血清、血漿または肝ホモジネートはこのポリペプチドに結合する抗体を含むが、未感染ヒト由来の血清、血漿または肝ホモジネートはこのポリペプチドに対する抗体を含まず、かかる抗体は、急性非Ａ、非Ｂ、非Ｃ、非Ｄ及び非Ｅ感染後の個体において誘起されている。これらを基準にすると該配列は、非Ａ、非Ｂ、非Ｃ、非Ｄ及び非Ｅ型肝炎を惹起する、またはこれに関連のあるウイルスの配列であると考えられる。
【００９２】
この核酸配列群を使用し得ることにより、ＨＧＢＶ感染に起因する非Ａ、非Ｂ、非Ｃ、非Ｄ、非Ｅ型肝炎を診断したり、血液ドナー、献血血液、血液製剤及び個体を感染についてスクリーニングすることにおいて有用なＤＮＡプローブ及びポリペプチドを構築し得る。例えば、該配列から、例えばウイルスを保有する疑いのある被験者の血清中のウイルスゲノムの存在を検出するためのハイブリダイゼーションプローブまたはＰＣＲプライマーとして有用であったり、また献血血液中のウイルスの存在をスクリーニングするために有用な、約８〜１０またはそれ以上のヌクレオチドのＤＮＡオリゴマーを合成し得る。当該核酸配列群により、ＨＧＢＶに感染した際に生成される抗体の存在に対する診断試薬として有用な、ＨＧＢＶ特異的ポリペプチドを設計及び製造し得る。該核酸配列から誘導される精製ポリペプチドに対する抗体を使用し、感染個体及び血液中のウイルス性抗原を検出することもできる。かかる核酸配列により、ＨＧＢＶに対するワクチンとして、及び抗体を製造するために使用し得るポリペプチドを設計及び製造することが可能となり、そうすればそれを疾患の予防及び／またはＨＧＢＶ感染個体の治療に使用し得る。
【００９３】
かかる核酸配列群により、ＨＧＢＶゲノムを更に特性分析することも可能となる。かかる配列から誘導されるポリヌクレオチドプローブを使用し、ゲノムまたはｃＤＮＡライブラリーを別の重複核酸配列についてスクリーニングし、更にそれを使用して重複した配列を得ることができる。ゲノムがセグメント化されていてもセグメントが共通配列を欠いていることがなければ、この方法を使用して全ゲノムの配列を得ることができる。しかしながら、ゲノムがセグメント化されている場合、記載のごときＲＤＡクローニング処理を繰り返して後述のごとく修飾するか、後述のごとくλ−ｇｔ１１血清学的スクリーニング処理を繰り返して後述のクローンを単離するか、或いは、精製ＨＧＢＶ粒子からゲノムを単離することにより、ゲノムの他のセグメントを得ることができる。
【００９４】
上記配列から誘導されるｃＤＮＡ配列及びポリペプチド、並びにかかるポリペプチドに対する抗体も、ＨＧＢＶ原因物質の単離及び同定に有用である。例えば、かかる核酸配列から誘導されるポリペプチド中に含まれるＨＧＢＶエピトープに対する抗体をアフィニティークロマトグラフィーに基づく方法に使用し、ウイルスを単離することができる。或いは、抗体を使用し、他の方法で単離されたウイルス粒子を同定することもできる。単離されたウイルス粒子中のウイルス性抗原及びゲノム物質を更に特性分析することもできる。
【００９５】
ＨＧＢＶゲノムを更に配列決定すること、ＨＧＢＶ抗原を更に特性分析すること、及びゲノムを特性分析することにより得られる情報により、ＨＧＢＶに誘発される非Ａ、非Ｂ、非Ｃ、非Ｄ、非Ｅ型肝炎の診断、予防及び治療に、並びに感染血液及び血液関連製剤のスクリーニングに使用し得る別のプローブ及びポリペプチド並びに抗体を設計及び合成することができる。
【００９６】
かかる核酸配列群が誘導されるゲノムから誘導される抗原、抗体及びポリヌクレオチドを含む、ＨＧＢＶに対するプローブが得られれば、ＨＧＢＶの生物学的特性を明らかにすることに特に使用される組織培養系の開発が可能となる。一旦これが既知となれば、ＨＧＢＶの複製またはその感染を優先的に阻害する抗ウイルス性化合物をベースにして新規の治療方法を開発し得ると考えられる。
【００９７】
ＨＧＢＶの病因物質を同定及び単離するために使用した１方法では、Ｎ．Ｌｉｓｉｔｓｙｎら，Ｓｃｉｅｎｃｅ．２５９：９４６−９５１（１９９３）により報告されているような再現相違分析（ＲＤＡ）として知られる公知方法の変法によりＧＢ物質のクローニング／単離を行った。この方法は控除ハイブリダイゼーションの原理に基づいて２つの複合哺乳動物ゲノム間のＤＮＡ相違をクローニングする。要約すると、この方法では２つの被験ゲノムを（該当ターゲット配列を含む）「テスター」及び（正常ＤＮＡに相当する）「ドライバー」と属的に区別する。ＲＤＡに関するＬｉｓｉｔｓｙｎらの記述は類似する複合ＤＮＡバックグラウンド間のＤＮＡ相違の同定及びクローニングに限られている。これらの相違は特定の細胞系、血液、血漿又は組織サンプル中に存在し且つ非感染細胞系、血液、血漿又は組織サンプル中に不在の任意の大きいＤＮＡウイルス（例えば≧２５，０００ＤＮＡ塩基対）を含み得る。ＨＧＢＶは≦１０，０００塩基のＤＮＡ又はＲＮＡゲノムを含む小さいウイルスであるらしいと先行文献に示されているので、小さいウイルスを検出できるようにＲＤＡプロトコルを修正した。方法の主要段階を以下に記載し、図１３に示す。
【００９８】
要約すると、段階１では市販キットを使用して全核酸（ＤＮＡ及びＲＮＡ）を単離する。ＲＤＡではサンプルが高度に整合していることが必要である。理想的には、テスター及びドライバー核酸サンプルを同一源（動物、ヒト等）から得るべきである。高度に関連するものであれば、非同一材料をテスター及びドライバー核酸源に使用してもよい。ＲＮＡのランダムに開始される逆転写とそれに続いてランダムに開始されるＤＮＡ合成により全核酸から２本鎖ＤＮＡを生成する。この処理は、１本鎖ＲＮＡウイルス及び１本鎖ＤＮＡウイルスをＲＤＡに使用可能な２本鎖ＤＮＡ分子に変換するものである。未知ウイルスがＤＮＡ又はＲＮＡゲノムの一方を有すると仮定するならば、文献に記載されているようにＤＮＡ単独又はＲＮＡ単独抽出手順を使用して２本鎖ＤＮＡを生成することができる。
【００９９】
段階２ではテスター及びドライバー核酸を増幅し、予備接種及び感染性血漿源から抽出された全核酸に相当する大量の材料（即ちテスターアンプリコン及びドライバーアンプリコン）を生成する。これは、４ｂｐ認識部位を有する制限エンドヌクレアーゼ（例えばＳａｕ３ＡＩ）で上記のように調製した２本鎖ＤＮＡを開裂することにより達せられる。ＤＮＡフラグメントをオリゴヌクレオチドアダプター（セット＃１）に連結する。ＤＮＡフラグメントを末端充填し、ＰＣＲ増幅する。ＰＣＲ増幅後、オリゴヌクレオチドアダプター（セット＃１）を制限エンドヌクレアーゼ消化（例えばＳａｕ３Ａ  Ｉ）により除去し、その後の控除ハイブリダイゼーション法で使用する大量のテスター及びドライバー核酸を遊離させる。
【０１００】
段階３の実験の目的はテスターゲノムに固有のＤＮＡを集積することである。これは控除ハイブリダイゼーション及び動的集積を単一段階として組み合わせることにより達せられる。要約すると、オリゴヌクレオチドアダプターセット（＃２又は＃３）をテスターアンプリコンの５’末端に連結する。テスターアンプリコンと過剰のドライバーアンプリコンを混合し、変性させ、２０時間ハイブリダイズさせる。テスター及びドライバーＤＮＡ間で共通して保存される大量の配列がこの時間中にアニールする。更に、テスターアプリコンに特有な配列が再アニールする。しかし、ハイブリダイゼーション時間が制限されているため、多少の１本鎖テスター及びドライバーＤＮＡが残存する。
【０１０１】
段階４では、再アニールしたテスター及びドライバーＤＮＡの３’末端を文献に記載されているように高温で熱安定ＤＮＡポリメラーゼで充填する。テスターに固有の再アニールした配列はアニールした配列の両鎖上に連結されたアダプターを含む。こうしてこれらの分子の３’末端充填により２つのＤＮＡ鎖上にＰＣＲプライマーに相補的な配列が生成される。従って、これらのＤＮＡ種はＰＣＲにかけると指数的に増幅される。これとは対照的にテスター及びドライバーアンプリコン間で共通に保存された配列を含む比較的大量のハイブリッド分子（即ち一方の鎖はテスターアンプリコンに由来し、一方の鎖はドライバーアンプリコンに由来する）はＰＣＲにより直線的に増幅される。これは、（テスターアンプリコンに由来する）鎖のみが連結されたアダプター配列を含み、３’末端充填がドライバーアダプターに由来する鎖上にＰＣＲプライマーに相補的な配列のみを生起するためである。
【０１０２】
段階５では、ＰＣＲを１０増幅サイクル使用して該当２本鎖ＤＮＡを定量的に増量する。段階４で記載したように、再アニールしたテスター配列は指数的に増幅され、テスター及びドライバーアニール間で共通して保存された配列は直線的に増幅される。
【０１０３】
段階６では、文献に記載されているようにヤエナリヌクレアーゼを使用して１本鎖ＤＮＡヌクレアーゼ消化により残存する１本鎖ＤＮＡを除去する。
【０１０４】
段階７では、ヌクレアーゼ消化後に残存する２本鎖ＤＮＡを更に１５〜２５サイクルＰＣＲ増幅する。
【０１０５】
最後に段階８ではこれらのＤＮＡ産物を制限エンドヌクレアーゼで開裂し、オリゴヌクレオチドアダプターを除去する。その後、これらのＤＮＡ産物を（前サイクルのＲＤＡで使用されなかったオリゴヌクレオチドアダプターを使用して段階＃３から開始する）次回の増幅にかけるか、又は適切なプラスミドベクターにクローニングし、更に分析する。
【０１０６】
上記ＲＤＡ法は当業者に公知の再現相違分析の変法である。予備接種及び感染性血清源からウイルスクローンを単離するように方法を変形した。これらの変形をテスター及びドライバーＤＮＡのアンプリコンの調製に関して以下に説明する。まず第１に、出発材料は従来報告されているように哺乳動物細胞のゲノムＤＮＡから得た２本鎖ＤＮＡではなく、タマリンから得た感染性予備接種生物血液サンプルから抽出した全核酸であった。他の生物サンプル（例えば臓器、組織、胆汁、糞便又は尿）を核酸源として使用してテスター及びドライバーアンプリコンを生成してもよい。第２に、出発核酸の量は文献に記載されているよりも実質的に少量である。第３に、６ｂｐでなく４ｂｐ認識部位を有する制限エンドヌクレアーゼを使用した。これは従来技術と実質的に相違する。Ｌｉｓｉｔｓｙｎらの教示によると、ＲＤＡはアンプリコン（即ち再現物）の生成がハイブリダイズ（即ち控除）されるＤＮＡの複合度を低下させるという理由で有効である。
【０１０７】
従来技術では、６ｂｐ認識部位を有する制限酵素を使用してゲノムを分画した。これらの制限エンドヌクレアーゼは約４０００ｂｐ毎に開裂する。他方、従来技術に記載されているＰＣＲ条件では配列の増幅寸法は≦１５００ｂｐである。従って、６ｂｐ配列を認識する制限酵素で分画されたＤＮＡの複合種（例えばゲノム）のその後のＰＣＲ増幅の結果、制限エンドヌクレアーゼ消化後に寸法≦１５００ｂｐのＤＮＡのフラクションを含むアンプリコンが生成される。ＲＤＡのハイブリダイゼーション段階が有効に行われるためにはＤＮＡ複合度のこの低下（１０〜５０分の１と推定される）が必要であると報告されている。複合度が低下しないならば、控除段階中にテスター中の固有配列は有効にハイブリダイズすることができず、従って、これらの固有配列はＲＤＡの後続ＰＣＲ段階中に指数的に増幅されない。
【０１０８】
ＲＤＡを受ける核酸配列の複合度が低下すると、比較的小さいウイルスを単離するためにＲＤＡを使用し難くなる。相互に１．５ｋｂ以内に２つの６ｂｐ認識部位が存在する確率はかなり低いので、小さい（≦１０ｋｂ）ウイルスを単離できない恐れがある（表１）。
【０１０９】
【表１】
2005041862.tif 000002
【０１１０】
これに対して本発明者らは、より切断頻度の高い制限エンドヌクレアーゼを使用してＲＤＡ被験ＤＮＡを分画するならば、小さいウイルスのクローニングにＲＤＡが有用であることを知見した。表１に示す通り、４ｂｐ認識部位酵素をベースとするアンプリコンは、約２５０ｂｐ毎に４ｂｐ認識部位フラグメントＤＮＡを有する制限エンドヌクレアーゼのように、如何なる小さいウイルスからも数個のフラグメントをほぼ確実に含む。他方、ＤＮＡ種のほぼ全部は４ｂｐ認識制限エンドヌクレアーゼによる消化後に≦１５００ｂｐで即ちＰＣＲ増幅されるので、アンプリコンはその生成起源である核酸源と同程度の複合度であると思われる。相対ウイルス配列コピー数は任意の特定又は内在配列コピー数よりも多いと予想されるので、テスターアンプリコン中に存在する固有ウイルス配列はハイブリダイゼーション段階（上記段階３）中に２本鎖分子を形成できるはずである。従って、これらの配列は上記のように指数的に増幅される。相対ウイルス配列コピー数がバックグラウンド又は内在核酸配列コピー数に近づくので、重複６ｂｐ配列を認識し（例えばＢｓｔＹＩ又はＨｉｎｃＩＩ）且つ約１０００ｂｐ毎に開裂する制限エンドヌクレアーゼを使用するか、又は６ｂｐ配列を認識する数個の制限エンドヌクレアーゼを同時に使用して、ＰＣＲによる増幅前にＤＮＡを分画することができると推論される。こうして、テスターアンプリコンからウイルス配列を排除する危険を最小限にしながら、ＲＤＡを受けるアンプリコンの複合度を適度に低下させることができる。この方法の有用性は、本明細書中に記載する感染性タマリン血漿からのＨＧＢＶ配列のクローニングにより立証される。
【０１１１】
ＨＧＢＶ免疫反応性エピトープを同定するための免疫スクリーニング
以下に記載するような免疫スクリーニングも、ＨＧＢＶ配列を同定する付加的手段であった。急性又は慢性ＨＧＢＶ感染を有する下記パラメーター内で基準に合致する個体からの個々の血清、血漿又は肝臓ホモジネート又はそのプールを使用してウイルス粒子を単離する。これらの粒子から単離した核酸をゲノムライブラリー及び／又はウイルスゲノムに対するｃＤＮＡライブラリーの構築で鋳型として使用する。推定ＨＧＢＶ粒子を単離し、当業者に公知のλ−ｇｔ１１又は類似のシステムでゲノム及び／又はｃＤＮＡライブラリーを構築するために使用する手順を以下に説明する。λ−ｇｔ１１はβ−ガラクトシダーゼとの融合ポリペプチドとして挿入ｃＤＮＡを特異的に発現させ、規定抗原に対する特異抗血清で以って多数の組換えファージをスクリーニングするために開発されたベクターである。ｃＤＮＡを含むｃＤＮＡプールから生成されるλ−ｇｔ１１  ｃＤＮＡライブラリーを、非Ａ、非Ｂ、非Ｃ、非Ｄ及び非Ｅ肝炎既往個体からの血清と特異的に結合することが可能なコード化エピトープについてスクリーニングする。Ｖ．Ｈｕｎｙｈら，Ｄ．Ｇｌｏｖｅｒ編，ＤＮＡ  Ｃｌｏｎｉｎｇ  Ｔｅｃｈｎｉｑｕｅｓ；  Ａ  Ｐｒａｃｔｉｃａｌ  Ａｐｐｒｏａｃｈ，  ＩＲＬ  Ｐｒｅｓｓ，Ｏｘｆｏｒｄ，Ｅｎｇｌａｎｄ，ｐｐ．４９−７８（１９８５）を参照されたい。約１０６〜１０７個のファージをスクリーニングして陽性ファージを同定、精製後、ＨＧＢＶ物質に先に感染した各個体からの血清と結合する特異性を試験する。下記基準に合致する患者に由来し且つこれらの基準に合致しない患者には存在しない血清又は血漿と選択的に結合するファージがその後の試験に好適である。オーバーラップする核酸配列を単離する方法を使用することにより、付加的な上流及び下流ＨＧＢＶ配列を含むクローンが得られる。単離クローン内でコードされるＨＧＢＶ核酸配列のヌクレオチド配列を分析し、複合配列が１つの長い連続ＯＲＦを含むか否かを決定する。
【０１１２】
本明細書に記載するようなＨＧＢＶ配列から回収される配列（及びその相補体）及びその配列又は任意部分は、合成法を使用して調製してもよいし、本明細書に記載すると同様の方法を使用して合成法を部分配列の回収と組み合わせることにより調製してもよい。この記載は、完全ＨＧＢＶゲノムに対応するゲノム又はｃＤＮＡ配列を単離することが可能な方法に関する。しかしながら、これらの配列を単離するための他の方法も当業者に自明であり、本発明の範囲内であるとみなされる。
【０１１３】
菌株寄託
ＨＧＢＶ核酸配列ライブラリーからの複製株（クローン２、４、１０、１６、１８、２３及び５０）はブダペスト条約に基づき１９９４年２月１０日付けで１２３０１  Ｐａｒｋｌａｗｎ  Ｄｒｉｖｅ，Ｒｏｃｋｖｉｌｌｅ，Ｍａｒｙｌａｎｄ  ２０８５２に所在のＡｍｅｒｉｃａｎ  Ｔｙｐｅ  Ｃｕｌｔｕｒｅ  Ｃｏｌｌｅｃｔｉｏｎに寄託し、寄託日から３０年間、最新の試料分譲請求から５年間、又は米国特許の存続期間のうちのいずれか最長の期間保管される。上記寄託株及び本明細書に記載する他の全寄託材料は便宜の目的で呈示するに過ぎず、本明細書中の教示に鑑みて本発明を実施するために必要ではない。全寄託材料中のＨＧＢＶ  ｃＤＮＡ配列は参考資料として本明細書の一部とする。プラスミドは以下のＡ．Ｔ．Ｃ．Ｃ．寄託番号を付託された。クローン２はＡ．Ｔ．Ｃ．Ｃ．寄託番号６９５５６、クローン４はＡ．Ｔ．Ｃ．Ｃ．寄託番号６９５５７、クローン１０はＡ．Ｔ．Ｃ．Ｃ．寄託番号６９５５８、クローン１６はＡ．Ｔ．Ｃ．Ｃ．寄託番号６９５５９、クローン１８はＡ．Ｔ．Ｃ．Ｃ．寄託番号６９５６０、クローン２３はＡ．Ｔ．Ｃ．Ｃ．寄託番号６９５６１、クローン５０はＡ．Ｔ．Ｃ．Ｃ．寄託番号６９５６２を付与された。
【０１１４】
ＨＧＢＶ核酸配列ライブラリーからの複製株（クローン１１、１３、４８及び１１９）はブダペスト条約に基づき１９９４年４月２９日付けで１２３０１  Ｐａｒｋｌａｗｎ  Ｄｒｉｖｅ，Ｒｏｃｋｖｉｌｌｅ，Ｍａｒｙｌａｎｄ  ２０８５２に所在のＡｍｅｒｉｃａｎ  Ｔｙｐｅ  Ｃｕｌｔｕｒｅ  Ｃｏｌｌｅｃｔｉｏｎに寄託し、寄託日から３０年間、最新の試料分譲請求から５年間、又は米国特許の存続期間のうちのいずれか最長の期間保管される。上記寄託株及び本明細書に記載する他の全寄託材料は便宜の目的で呈示するに過ぎず、本明細書中の教示に鑑みて本発明を実施するために必要ではない。全寄託材料中のＨＧＢＶ  ｃＤＮＡ配列は参考資料として本明細書の一部とする。プラスミドは以下のＡ．Ｔ．Ｃ．Ｃ．寄託番号を付託された。クローン１１はＡ．Ｔ．Ｃ．Ｃ．寄託番号６９６１３、クローン１３はＡ．Ｔ．Ｃ．Ｃ．寄託番号６９６１１、クローン４８はＡ．Ｔ．Ｃ．Ｃ．寄託番号６９６１０、クローン１１９はＡ．Ｔ．Ｃ．Ｃ．寄託番号６９６１２を付与された。
【０１１５】
ＨＧＢＶ核酸配列ライブラリーからの付加的株（クローン４−Ｂ１．１、６６−３Ａ１．４９、７０−３Ａ１．３７及び７８−１Ｃ１．１７）はブダペスト条約に基づき１９９４年７月２８日付けで１２３０１  Ｐａｒｋｌａｗｎ  Ｄｒｉｖｅ，Ｒｏｃｋｖｉｌｌｅ，Ｍａｒｙｌａｎｄ  ２０８５２に所在のＡｍｅｒｉｃａｎ  Ｔｙｐｅ  Ｃｕｌｔｕｒｅ  Ｃｏｌｌｅｃｔｉｏｎに寄託し、寄託日から３０年間、最新の試料分譲請求から５年間、又は米国特許の存続期間のうちのいずれか最長の期間保管される。上記寄託株及び本明細書に記載する他の全寄託材料は便宜の目的で呈示するに過ぎず、明細書中の教示に鑑みて本発明を実施するために必要ではない。全寄託材料中のＨＧＢＶ  ｃＤＮＡ配列は参考資料として本明細書の一部とする。プラスミドは以下のＡ．Ｔ．Ｃ．Ｃ．寄託番号を付与された。クローン４−Ｂ１．１はＡ．Ｔ．Ｃ．Ｃ．寄託番号６９６６６、クローン６６−３Ａ１．４９はＡ．Ｔ．Ｃ．Ｃ．寄託番号６９６６５、クローン７０−３Ａ１．３７はＡ．Ｔ．Ｃ．Ｃ．寄託番号６９６６４、クローン７８−１Ｃ１．１７はＡ．Ｔ．Ｃ．Ｃ．寄託番号６９６６３を付与された。
【０１１６】
クローンｐＨＧＢＶ−Ｃクローン＃１はブダペスト条約に基づき１９９４年１１月８日付けで１２３０１  Ｐａｒｋｌａｗｎ  Ｄｒｉｖｅ，Ｒｏｃｋｖｉｌｌｅ，Ｍａｒｙｌａｎｄ  ２０８５２に所在のＡｍｅｒｉｃａｎ  Ｔｙｐｅ  Ｃｕｌｔｕｒｅ  Ｃｏｌｌｅｃｔｉｏｎに寄託し、寄託日から３０年間、最新の試料分譲請求から５年間、又は米国特許の存続期間のうちのいずれか最長の期間保管される。上記寄託株及び本明細書に記載する他の全寄託材料は便宜の目的で呈示するに過ぎず、本明細書上の教示に鑑みて本発明を実施するために必要ではない。ｐＨＧＢＶ−Ｃクローン＃１はＡ．Ｔ．Ｃ．Ｃ．寄託番号６９７１１を付与された。全寄託材料中のＨＧＢＶ  ｃＤＮＡ配列は参考資料として本明細書の一部とする。
【０１１７】
ウイルスポリペプチド及びフラグメントの調製
核酸配列を入手できることにより、いずれかの鎖でコードされるポリペプチドの抗原活性領域をコードする発現ベクターを構築することができる。これらの抗原活性領域は、例えばポリヌクレオチド結合タンパク質、ポリヌクレオチドポリメラーゼ、及びウイルス粒子の複製及び／又はアセンブリに必要な他のウイルスタンパク質を含むウイルスの非構造領域以外に、例えばエンベロープ（コート）又はコア抗原を含むウイルスの構造領域から誘導され得る。所望のポリペプチドをコードするフラグメントは慣用制限消化又は合成法によりゲノム又はｃＤＮＡクローンから得られ、例えばβ−ガラクトシダーゼ（β−ｇａｌ）、スーパーオキシドジスムターゼ（ＳＯＤ）又はＣＭＰ−ＫＤＯシンテターゼ（ＣＫＳ）等の融合配列の部分を含み得るベクターに連結される。ＳＯＤの融合配列を含むポリペプチドの製造に有用な方法及びベクターは１９８６年１０月１日付け公開ＥＰＯ第０１９６０５６号に記載されており、ＣＫＳの融合配列を含むポリペプチドの製造に有用な方法及びベクターは１９８９年９月１３日付け公開ＥＰＯ第０３３１９６１号に記載されている。いずれかの方向の鎖においてオープンリーディングフレームを含む核酸配列の任意の所望部分は成熟又は融合タンパク質等の組換えタンパクとして得られ、あるいはＨＧＢＶゲノム又はｃＤＮＡでコードされるポリペプチドを化学的合成により提供することもできる。
【０１１８】
融合又は成熟形態のいずれかに関係なく、また分泌を可能にするシグナル配列を含むか否かに関係なく、所望のポリペプチドをコードする核酸配列を任意の適当な宿主に適切な発現ベクターに連結することができる。当該技術分野では真核及び原核両者の宿主系を使用して組換えタンパク質を形成することができ、本明細書にはこれらの宿主のいくつかを挙げる。次に溶解細胞又は培地からポリペプチドを単離し、所期用途に必要な程度まで精製する。精製は当業者に公知の方法により実施することができ、特に塩析、イオン交換樹脂クロマトグラフィー、アフィニティークロマトグラフィー、遠心分離等を使用することができる。このようなポリペプチドは診断薬として又は受動的免疫療法に使用することができる。更に、これらのポリペプチドに対する抗体は、ＨＧＢＶ粒子を単離及び同定するために有用である。ＨＧＢＶ抗原はＨＧＢＶ粒子からも単離することができる。これらウイルス粒子は組織培養物又は感染個体中のＨＧＢＶ感染細胞中で増殖させることができる。
【０１１９】
抗原性ポリペプチドの調製及び固相との結合
ポリペプチドの抗原性領域又はフラグメントは比較的小さく、通常約８〜１０アミノ酸長又はそれ以下である。５アミノ酸程度のフラグメントでも抗原性領域を特徴付けることができる。これらのセグメントはＨＧＢＶ抗原の領域に対応し得る。ＨＧＢＶゲノム又はｃＤＮＡ配列を基本として使用することにより、ＨＧＢＶポリペプチドの短いセグメントをコードする核酸配列を融合タンパク質又は単離ポリペプチドとして組換えにより発現させることができる。これらの短いアミノ酸配列は、化学的合成によっても得られる。化学的に合成された小さいポリペプチドは、得られた合成ポリペプチドが適正なエピトープを提供するように適正に配置されており且つ抗原性となるには小さ過ぎる場合に適切なキャリヤー分子に結合され得る。結合方法は当業者に公知であり、非限定的な例としては、Ｎ−スクシンイミジル−３−（２−ピリジルチオ）プロピオネート（ＳＰＤＰ）及びスクシンイミジル−４−（Ｎ−マレイミドメチル）シクロヘキサン−１−カルボキシレート（ＳＭＣＣ）を使用する。システイン残基を加えることにより、スルフヒドリル基をもたないポリペプチドを修飾することができる。これらの物質は、該物質と一方のタンパク質上のペプチドシステイン残基の間にジスルフィド結合を生成し、他方のタンパク質中のリジン上のε−アミノ又は他の遊離アミノ基を介してアミド結合を生成する。このような種々のジスルフィド／アミド形成物質は公知である。他の２官能カップリング剤はジスルフィド結合でなくチオエステルを形成する。これらのチオエーテル形成剤の多くは市販されており、当業者に公知である。そのカルボキシ基は、スクシンイミド又は１−ヒドロキシ−２−ニトロ−４−スルホン酸ナトリウム塩と結合させることにより活性化することができる。宿主に有害な抗体の産生をそれ自体誘導しないものであれば、任意のキャリヤーを使用することができる。適切なキャリヤーとしては、特にタンパク質、多糖類（例えばラテックス官能化セファロース、アガロース、セルロース、セルロースビーズ）、ポリマーアミノ酸（例えばポリグルタミン酸、ポリリシン、アミノ酸コポリマー）及び不活性ウイルス粒子を挙げることができる。タンパク質基質の例としては、血清アルブミン、アオガイヘモシアニン、イムノグロブリン分子、チログロブリン、オボアルブミン、破傷風毒素及び当業者に公知の他のタンパク質を挙げることができる。
【０１２０】
ＨＧＢＶエピトープを含むハイブリッド粒子免疫原の調製
ＨＧＢＶエピトープの免疫原性は、粒子形成タンパク質（例えばＨＢＶ表面抗原にあるような）融合又は結合した哺乳動物又は酵母系で調製することにより強化することもできる。粒子形成タンパク質をコードする配列にＨＧＢＶエピトープを直接結合した構築物は、ＨＧＢＶエピトープに対して免疫原性のハイブリッドを生成する。更に、調製されるＨＧＢＶに対して特異的なエピトープを含む全てのベクターは、異なる程度の免疫原性を有する。ＨＧＢＶ配列を含む粒子形成タンパク質から構築される粒子はＨＧＢＶ及びＨＢＶに対して免疫原性がある。
【０１２１】
Ｂ型肝炎表面抗原はＳ．ｃｅｒｅｖｉｓｉａｅ及び哺乳動物細胞中で形成されて粒子に結合することが確認され、これらの粒子の形成はモノマーサブユニットの免疫原性を強化することが報告されている。Ｐ．Ｖａｌｅｎｚｕｅｌａら，Ｎａｔｕｒｅ  ２９８：３３４（１９８２）；  Ｐ．Ｖａｌｅｎｚｕｅｌａら，Ｉ．Ｍｉｌｌｍａｎら編，Ｈｅｐａｔｉｔｉｓ  Ｂ，Ｐｌｅｎｕｍ  Ｐｒｅｓｓ，ｐｐ．２２５−２３６（１９８４）。構築物はＨＢｓＡｇの免疫優性エピトープを含み得る。このような構築物は酵母で発現可能であることが報告されており、酵母発現のための異種ウイルス配列を含むハイブリッドが開示されている。例えばＥＰＯ第１７４，４４４号及びＥＰＯ第１７４，２６１号を参照されたい。これらの構築物はチャイニーズハムスター卵巣（ＣＨＯ）細胞等の哺乳動物細胞で発現され得ることも報告されている。Ｍｉｃｈｅｌｌｅら，Ｉｎｔｅｒｎａｔｉｏｎａｌ  Ｓｙｍｐｏｓｉｕｍ  ｏｎ  Ｖｉｒａｌ  Ｈｅｐａｔｉｔｉｓ，１９８４を参照されたい。ＨＧＢＶにおいては粒子形成タンパク質をコードする配列の部分を、ＨＧＢＶエピトープをコードするコドンで置換することができる。この置換では、酵母又は哺乳動物中で免疫原性粒子を形成するための単位の凝集を媒介するために不要な領域を削除し、こうしてＨＧＢＶエピトープとの競合から付加的なＨＧＢＶ抗原部位を排除することができる。
【０１２２】
ワクチン製造
ワクチンは、ＨＧＢＶ核酸配列又は該核酸配列に対応するＨＧＢＶゲノムに由来する１種以上の免疫原性ポリペプチド又は核酸から製造することができる。ワクチンはＨＧＢＶのエピトープを含む組換えポリペプチドを含み得る。これらのポリペプチドは細菌、酵母又は哺乳動物細胞中で発現させてもよいし、あるいはウイルス調製物から単離してもよい。種々の構造タンパク質が防御抗ＨＧＢＶ抗体を誘導するＨＧＢＶのエピトープを含み得ることも予想される。こうして、これらのワクチンの製造時には合成ペプチドも使用することができる。従って、ＨＧＢＶの少なくとも１個のエピトープを含むポリペプチドをＨＧＢＶワクチン中で単独又は組み合わせて使用することができる。更に、非構造タンパク質及び構造タンパク質は、中和抗体を産生しないとしても、ウイルス病原性に対する防御を提供し得ると予想される。
【０１２３】
上記に鑑み、ＨＧＢＶに対する多価抗体は１種以上の構造タンパク質及び／又は１種以上の非構造タンパク質を含み得る。これらのワクチンは例えば組換えＨＧＢＶポリペプチド及び／又はウイルス粒子から単離されたポリペプチド及び／又は合成ペプチドから構成され得る。これらの免疫原エピトープは組み合わせて使用することができ、即ち組換えタンパク質、合成ペプチド及び／又はウイルス粒子から単離されたポリペプチドの混合物として使用することができ、これらのワクチンは同一又は異なる時刻に投与することができる。更に、ワクチンに不活化ＨＧＢＶを使用することも可能であり得る。このような不活化はウイルス溶解物を調製してもよいし、肝炎様ウイルスの不活化を生じることが当業者に知られている他の手段、例えば有機溶媒もしくは界面活性剤による処理、又はホルマリン処理により実施してもよい。本発明では弱毒ＨＧＢＶ株調製物も開示する。ＨＧＢＶにおけるタンパク質には他の公知ウイルスと交差反応できるものもあり、従って、ＨＧＢＶと他のウイルスとの間に共有エピトープが存在し、これらの病原物質により生じる疾患の１種以上に対する防御抗体をもたらすと予想される。この確信に基づいて多重目的ワクチンを設計できることが予想される。
【０１２４】
少なくとも１種の免疫原性ペプチドを活性成分として含むワクチンの調製は当業者に公知である。典型的には、このようなワクチンは溶液又は懸濁液としての注射剤として調製される。注射前に液体に溶解又は懸濁するのに適切な固体形態も製造可能である。調製物を乳化してもよいし、タンパク質をリポソームに封入してもよい。活性免疫原性成分は多くの場合には活性成分と適合可能な医薬的に許容可能な賦形剤と混合する。適切な賦形剤の非限定的な例としては、水、食塩水、デキストロース、グリセロール、エタノール等が挙げられ、種々の量のこれらの賦形剤を組み合わせて使用してもよい。ワクチンは更に、湿潤剤、乳化剤、ｐＨ緩衝剤及び／又はワクチンの効力を強化するアジュバント等の少量の補助物質も含有し得る。例えば、このようなアジュバントとしては、水酸化アルミニウム、Ｎ−アセチル−ムラミル−Ｌ−トレオニル−Ｄ−イソグルタミン（ｔｈｒ−ＤＭＰ）、Ｎ−アセチル−ノルムラミル−Ｌ−アラニル−Ｄ−イソグルタミン（ＣＧＰ  １１６８７、別称ｎｏｒ−ＭＤＰ）、Ｎ−アセチルムラミル−Ｌ−アラニル−Ｄ−イソグルタミニル−Ｌ−アラニン−２−（１’，２’ジパルミトイル−ｓｎ−グリセロ−３−ヒドロキシホスホリルオキシ）エチルアミン（ＣＧＰ  １９８３５Ａ、別称ＭＴＰ−ＰＥ）及びＲＩＢＩ（ＭＰＬ＋ＴＤＭ＋ＣＷＳ）の２％スクアレン／Ｔｗｅｅｎ−８０（登録商標）エマルジョンが挙げられる。アジュバントの効力は、同様に種々のアジュバントから構成されるワクチン中のポリペプチドを投与した結果生じたＨＧＢＶ抗原配列を含む免疫原性ポリペプチドに対する抗体の量を測定することにより決定することができる。
【０１２５】
ワクチンは通常、静脈内又は筋肉内注射により投与される。他の投与方法に適切な別の製剤には座薬があり、場合によっては経口製剤でもよい。座薬の場合、慣用バインダー及びキャリヤーの非限定的な例としてはポリアルキレングリコール又はトリグリセリドが挙げられる。このような座薬は約０．５％〜約１０％、好ましくは約１％〜約２％の活性成分を含有する混合物から形成することができる。経口製剤は例えば医薬グレードのマンニトール、ラクトース、澱粉、ステアリン酸マグネシウム、ナトリウムサッカリン、セルロース、炭酸マグネシウム等のような一般に使用される賦形剤を含有する。これらの組成物は溶液、懸濁液、タブレット、ピル、カプセル、徐放製剤又は散剤の形態をとることでがき、約１０％〜約９５％、好ましくは約２５％〜約７０％の活性成分を含有し得る。
【０１２６】
ワクチン中で使用するタンパク質は中性又は塩形態としてワクチンに配合され得る。医薬的に許容可能な塩としては、（ペプチドの遊離アミノ基と共に形成され且つ）無機酸（例えば塩酸又はリン酸）又は有機酸（酢酸、蓚酸、酒石酸、マレイン酸）と共に形成される酸付加塩や、当業者に公知の他の塩を使用することができる。遊離カルボキシル基と共に形成される塩は無機塩基（例えば水酸化ナトリウム、水酸化カリウム、水酸化アンモニウム、水酸化カルシウム、水酸化鉄（III）等）及び有機塩基（例えばイソプロピルアミン、トリメチルアミン、２−エチルアミノエタノール、ヒスチジン、プロカイン）及び当業者に公知の他の塩基から誘導され得る。
【０１２７】
ワクチンは剤形に適合可能な方法で且つ予防及び／又は治療上有効な量を投与される。投与量は一般に１回に抗原約５μｇ〜約２５０μｇであり、被投与患者、患者の免疫系の抗体合成能力及び所望の防御度に依存する。投与するために必要な活性成分の厳密な量は処方医の判断にも依存し、患者毎に異なる。ワクチンは単一投与スケジュールで投与してもよいし、多重投与スケジュールで投与してもよい。多重投与では、１〜１０回に分けて一次ワクチン接種過程を実施した後、免疫応答を維持及び／又は強化するために必要な期間後、例えば１〜４カ月後に二次投与を実施し、個体が必要とする場合には更に数カ月後にも投与する。投与計画は少なくとも一部には個体の必要により決定され、処方医の判断による。免疫原性ＨＧＢＶ抗原を含有するワクチンは他の免疫調節剤、例えば免疫グロブリンと併用投与し得ることが予想される。
【０１２８】
ＨＧＢＶエピトープに対する抗体の製造
本明細書中に記載するように調製した免疫原性ペプチドを使用してポリクローナル又はモノクローナル抗体を製造する。ポリクローナル抗体を製造する際には、選択した哺乳動物（例えばマウス、ウサギ、ヤギ、ウマ等）を少なくとも１種のＨＧＢＶエピトープを有する免疫原性ポリペプチドで免疫感作する。免疫感作した動物からの血清を適当なインキュベーション時間後に収集し、公知手順に従って処理する。ＨＧＢＶエピトープに対するポリクローナル抗体を含有する血清が他の抗原に対する抗体を含有する場合には、例えばイムノアフィニティークロマトグラフィーによりポリクローナル抗体を精製することができる。ポリクローナル抗体を製造及び処理するための方法は当業者に公知であり、特にＭａｙｅｒとＷａｌｋｅｒ編，Ｉｍｍｕｎｏｃｈｅｍｉｃａｌ  Ｍｅｔｈｏｄｓ  Ｉｎ  Ｃｅｌｌ  ａｎｄ  Ｍｏｌｅｃｕｌａｒ  Ｂｉｏｌｏｇｙ，Ａｃａｄｅｍｉｃ  Ｐｒｅｓｓ，Ｌｏｎｄｏｎ  （１９８７）に記載されている。ポリクローナル抗体は先にＨＧＢＶに感染した哺乳動物からも得られる。アフィニティークロマトグラフィーを使用してＨＧＢＶに感染した個体の血清からＨＧＢＶエピトープに対する抗体を精製するための方法の１例をここに記載する。
【０１２９】
ＨＧＢＶエピトープに対するモノクローナル抗体も当業者により製造することができる。このような抗体を製造するための一般方法は周知であり、例えばＫｏｈｌｅｒとＭｉｌｓｔｅｉｎ，Ｎａｔｕｒｅ  ２５６：４９４（１９７５）に記載されており、Ｊ．Ｇ．Ｒ．Ｈｕｒｒｅｌ編，Ｍｏｎｏｃｌｏｎａｌ  Ｈｙｂｒｉｄｏｍａ  Ａｎｔｉｂｏｄｉｅｓ：  Ｔｅｃｈｎｉｑｕｅｓ  ａｎｄ  Ａｐｐｌｉｃａｔｉｏｎｓ，ＣＲＣ  Ｐｒｅｓｓ  Ｉｎｃ．，Ｂｏｃｏ  Ｒａｔｏｎ，ＦＬ（１９８２）に考察されており、Ｌ．Ｔ．Ｍｉｍｍｓら，Ｖｉｒｏｌｏｇｙ  １７６：６０４−６１９（１９９０）により教示されている。不死化抗体産生細胞系は細胞融合により作成することができ、オンコジーンＤＮＡによるＢリンパ球の直接形質転換又はエプスタイン−バールウイルスによるトランスフェクション等の他の方法により作成することもできる。同様にＭ．Ｓｃｈｒｅｉｅｒら，Ｈｙｂｒｉｄｏｍａ  Ｔｅｃｈｎｉｑｕｅｓ，Ｓｃｏｐｅｓ  （１９８０）  Ｐｒｏｔｅｉｎ  Ｐｕｒｉｆｉｃａｔｉｏｎ，Ｐｒｉｎｃｉｐｌｅｓ  ａｎｄ  Ｐｒａｃｔｉｃｅ，第２版，Ｓｐｒｉｎｇｅｒ−Ｖｅｒｌａｇ，Ｎｅｗ  Ｙｏｒｋ（１９８４）；  Ｈａｍｍｅｒｌｉｎｇら，Ｍｏｎｏｃｌｏｎａｌ  Ａｎｔｉｂｏｄｉｅｓ  ａｎｄ  Ｔ−Ｃｅｌｌ  Ｈｙｂｒｉｄｏｍａｓ  （１９８１）；  Ｋｅｎｎｅｔら，Ｍｏｎｏｃｌｏｎａｌ  Ａｎｔｉｂｏｄｉｅｓ  （１９８０）を参照されたい。モノクローナル抗体の使用及び技術の例は米国特許出願第７４８，２９２号、７４８，５６３号、６１０，１７５号、６４８，４７３号、６４８，４７７号及び６４８，４７５号に開示されている。
【０１３０】
こうして開発されたＨＧＢＶエピトープに対するモノクローナル及びポリクローナル抗体は診断及び予後用途に有用であり、更に中和抗体は受動的免疫療法で有用である。モノクローナル抗体は特に抗イディオタイプ抗体を製造するために使用することができる。これらの抗イディオタイプ抗体は防御が所望される感染物質の抗原の「内部像」を有するイムノグロブリンである。例えば、Ａ．Ｎｉｓｏｎｏｆｆら，Ｃｌｉｎ．Ｉｍｍｕｎｏｌ．Ｉｍｍｕｎｏｐａｔｈ．２１：３９７−４０６（１９８１）及びＤｒｅｅｓｍａｎら，Ｊ．Ｉｎｆｅｃｔ．Ｄｉｓ．１５１：７６１（１９８５）を参照されたい。このようなイディオタイプ抗体を誘導するための方法は当業者に公知であり、例えばＧｒｙｃｈら，Ｎａｔｕｒｅ  ３１６：７４（１９８５）；  ＭａｃＮａｍａｒａら，Ｓｃｉｅｎｃｅ  ２２６：１３２５（１９８４）；及びＵｙｔｄｅｈａａｇら，Ｊ．Ｉｍｍｕｎｏｌ．１３４：１２２５（１９８５）に例示されている。これらの抗イディオタイプ抗体はＨＧＢＶ感染の治療及びＨＧＢＶ抗原の免疫原性領域の解明にも有用であり得る。
【０１３１】
診断オリゴヌクレオチドブローブ及びキット
単離したＨＧＢＶ核酸配列の所定部分を基材として用いて、ＨＧＢＶゲノムとハイブリダイズし、ウイルス剤の同定、ウイルスゲノムの更なる特性分析、及び羅患した個体でのウイルス検出に有用である約８ヌクレオチド以上のオリゴマーを切り出し又は合成により産生することができる。ＨＧＢＶポリヌクレオチド用の天然又は誘導プローブは、ハイブリダイゼーションによる単一ウイルス配列の検出を可能とする長さである。６〜８ヌクレオチドが処理可能な長さであり得るが、１０〜１２ヌクレオチドの配列が好ましく、約２０ヌクレオチドの配列が最も好ましいものであり得る。これらの配列が異質性に欠けた領域から誘導されることが好ましい。これらのプローブは、自動化オリゴヌクレオチド合成方法を含む常用の標準的な方法を用いて製造することができる。ＨＧＢＶゲノムの任意の単一部分の相補体は満足すべきものであろう。完全相補性は、断片長さが増せば不要であり得るが、プローブとして使用するには望ましい。
【０１３２】
診断試薬として使用するときには、血液又は血清のような分析すべき試験試料を処理してもよく、例えば試料内に含まれる核酸を抽出する。試料から得られた核酸をゲル電気泳動又は他のサイズ分離技術に付してもよいし、核酸試料をサイズ分離せずにドットブロットしてもよい。次いで、プローブを標識する。ラベルをプローブに付着させるための適切なラベル及び方法は当業界では公知であり、ニックトランスレーション又はキナーゼ反応（kinasing）により取り込まれる放射性ラベル、ビオチン、蛍光及び化学発光プローブが含まれるが、これらに限定はされない。これらのラベルの例は多数本明細書に開示されている。次いで、試料から抽出した核酸を、適切な厳密度のハイブリダイゼーション条件下にて標識プローブで処理する。
【０１３３】
プローブをＨＧＢＶゲノムに対して完全に相補的にすることができる。従って、通常は偽陽性を回避するために厳密度の高い条件が望ましい。しかしながら、厳密度の高い条件は、プローブが異質性に欠けたＨＧＢＶゲノムの領域に相補的である場合にのみ使用すべきである。ハイブリダイゼーションの厳密度は、洗浄手順中の幾つかの要素（例えば温度、イオン強度、時間及びホルムアミド濃度）により決定される。例えばＪ．Ｓａｍｂｒｏｏｋ（上掲）を参照されたい。ハイブリダイゼーションは幾つかの様々な技術により実施することができる。増幅は、例えばリガーゼ連鎖反応（ＬＣＲ）、ポリメラーゼ連鎖反応（ＰＣＲ）、Ｑ−βレプリカーゼ、ＮＡＳＢＡ等により実施することができる。
【０１３４】
ＨＧＢＶゲノム配列は、例えば約１０２〜１０３個の配列／ｍｌの比較的低レベルで、感染した個体の血清中に存在し得ると考えられる。このレベルでは、ハイブリダイゼーションアッセイで、リガーゼ連鎖反応又はポリメラーゼ連鎖反応のような増幅技術を使用する必要があり得る。このような技術は当業界では公知である。例えば、“バイオブリッジ”系は末端デオキシヌクレオチドトランスフェラーゼを用いて、非改変３’−ポリ−ｄＴ−テールを核酸プローブに付加する（Ｅｎｚｏ  Ｂｉｏｃｈｅｍ．Ｃｏｒｐ．）。ポリ−ｄＴ−テールを有するプローブを標的ヌクレオチド配列にハイブリダイズし、次いでビオチン改変ポリ−Ａにハイブリダイズする。更には、被分析物質を、酵素標識オリゴヌクレオチドと相補的な一本鎖ＤＮＡプローブにアニーリングし、得られたテール付き二本鎖を酵素標識オリゴヌクレオチドにハイブリダイズするＤＮＡハイブリダイゼーションアッセイがヨーロッパ特許第１２４２２１号に記載されている。ヨーロッパ特許第２０４５１０号は、被分析物質ＤＮＡを、テール（例えばポリ−ｄＴ−テール）を有するプローブ、及びプローブのテールにハイブリダイズする配列（例えばポリ−Ａ配列）を有し、複数の標識鎖と結合し得るアンプリファイア鎖と接触させるＤＮＡハイブリダイゼーションアッセイを記載している。この技術はまず、血清中の標的ＨＧＢＶ配列を約１０６個の配列／ｍｌに増幅することからなり得る。これは、Ｓａｉｋｉ等、Ｎａｔｕｒｅ  ３２４：１６３（１９８６）に記載の方法に従って実施され得る。次いで、増幅した配列を、当業界では公知のようなハイブリダイゼーションアッセイを用いて検出することができる。標識され得るプローブ核酸配列を含む診断キットにプローブをパッケージすることができる。あるいは、プローブを標識せずに、標識用成分をキットに含ませてもよい。キットは更に、特定のハイブリダイゼーションプロトコルに必要な又は望ましい他の適切にパッケージされた試薬や材料、例えばアッセイ実施のための標準物や指示書を含み得る。
【０１３５】
本発明で使用できる他の公知の増幅方法には、ＰＮＡＳ ＵＳＡ  ８７：１８７４−１８７８（１９９０）に教示され、Ｎａｔｕｒｅ：３５０（Ｎｏ．６３１３）：９１−９２（１９９１）でも議論されているいわゆる“ＮＡＳＢＡ”又は“３ＳＲ”技術や、Ｑ−βレプリカーゼが含まれるが、これらに限定はされない。
【０１３６】
本明細書に記載する試薬を用いて、蛍光インシトウハイブリダイゼーション（“ＦＩＳＨ”）を実施することもできる。インシトウハイブリダイゼーションは、核酸ハイブリダイゼーション法により形態の損なわれていない組織、細胞又は染色体を採取して、特殊な遺伝情報の存在や、個体細胞内での前記情報の特定位置を実証することからなる。これは細胞の均質化及び標的配列の抽出を必要としないので、細胞集団中での配列の正確な位置や分布が判明する。インシトウハイブリダイゼーションは、細胞中に集中して含まれる問題の配列を同定し得、更には該配列を含む異質細胞集団中の細胞のタイプやフラクションを同定し得る。ＤＮＡ及びＲＮＡを同一のアッセイ試薬で検出することができる。ＰＮＡをＦＩＳＨ法で使用して、増幅せずに標的を検出することができる。シグナルの増加が望ましければ、多数の発蛍光団を使用してシグナルを増し、方法の感度を高めることができる。多数のオリゴヌクレオチドを用いる一工程法又は従来の多工程法を含む様々なＦＩＳＨ法が知られている。これらのタイプの方法を様々な手段（例えばフローサイトメトリー及び画像分析）により自動化できることは本発明の範囲内である。
【０１３７】
イムノアッセイ及び診断キット
ＨＧＢＶ抗体及びその複合体を含む血清と免疫反応するポリペプチド、及びこれらのポリペプチド中のＨＧＢＶ特異エピトープに対する抗体は共に、生物試験試料中でのＨＧＢＶ抗体の存在又はウイルス及び／もしくはウイルス抗原の存在を検出するイムノアッセイで有用である。これらのイムノアッセイの設計は変形を受けることが多く、これらの変形は当業界では公知である。これらの変形は本明細書に記載する。イムノアッセイは、１個のウイルス抗原（例えばＨＧＢＶ核酸配列を含むクローン、又はこれらのクローン中のＨＧＢＶ核酸配列に由来する複合核酸配列、又はこれらのクローン中の核酸配列のソースであるＨＧＢＶゲノムから誘導されるポリペプチド）を使用し得る。あるいは、このイムノアッセイは、これらのソースから誘導されるウイルス抗原を組み合わせて使用してもよい。イムノアッセイは例えば、同一ウイルス抗原に対するモノクローナル抗体、又は異なるウイルス抗原に対するポリクローナル抗体を使用し得る。アッセイには、競合アッセイ、直接反応アッセイ又はサンドイッチ型アッセイに基づくものが含まれるが、これらに限定はされない。アッセイは、固相を使用してもよいし、免疫沈殿又は固相を使用しない他の任意の方法で実施してもよい。ラベルをシグナル生成化合物として使用するアッセイや、これらのラベルの例は本明細書に記載する。シグナルは更に、係属中の米国特許出願第６０８，８４９号、第０７０，６４７号、第４１８，９８１号、及び第６８７，７８５号に記載のビオチン及びアビジン、酵素ラベル又はビオチン抗ビオチン系を使用して増幅してもよい。ＨＧＢＶの免疫優性領域に由来するエピトープを含む組換えポリペプチドは、感染個体の生物試験試料でウイルス抗体を検出するのに有用であり得る。抗体は、急性感染と非急性感染とを識別するのに有用であり得るとも考えられる。適切な材料（例えばＨＧＢＶエピトープ又はＨＧＢＶエピトープに対する抗体を含む本発明のポリペプチド）を、アッセイの実施に必要な他の試薬や材料、及び適切なアッセイ指示書と一緒に適切な容器にパッケージングすることにより、適切な試薬を含んだ免疫診断に適したキットを製造する。
【０１３８】
本明細書に詳述する組換えタンパク質を使用するアッセイ方式を設計することができる。本発明者らはＣＫＳタンパク質を記載しているが、本発明でスーパーオキシドジスムターゼ（ＳＯＤ）等のような他の発現系を使用して、様々な方法で使用できる融合タンパク質、例えばイムノアッセイの抗原、抗体産生用免疫原等を産生できるとも考えられる。ヒト試験試料中の特異被分析物質（例えばウイルスのような感染物質）に対する抗体の存在を検出するためのアッセイ方式では、ヒト試験試料を、少なくとも１種の組換えタンパク質（ポリペプチド）でコーティングした固相と接触させてインキュベートする。試験試料中に抗体が存在すれば、この抗体は抗原ポリペプチドと複合体を形成して、固相に固定化する。複合体の形成後、固相を洗浄して未結合の物質や試薬を除去する。複合体を指示試薬と反応させて、第２の複合体形成のための時間及び条件下でインキュベートする。生成したシグナルを検出して、試験試料中でのＣＫＳ組換えポリペプチドに対する抗体の存在を調べる。カットオフ値より高いシグナル生成は、試験試料中に被分析物質に対する抗体が存在することを示す。酵素のような多数の指示試薬を用いると、存在する抗体の量は生成するシグナルに比例する。試験試料の種類によっては、試験試料を適切な緩衝試薬で希釈してもよいし、濃縮してもよいし、操作せずに（“ニート”）固相と接触させてもよい。例えば通常は、予め希釈した血清もしくは血漿試料を試験するか又は尿のような試料を濃縮して、抗体の存在及び／又は存在する抗体の量を調べることが好ましい。
【０１３９】
更には、研究中の感染物質のウイルスゲノムの様々な抗原エピトープに対するＣＫＳ融合タンパク質を使用して特異感染物質に対する抗体の存在を試験する前述のアッセイ方式では、２種以上の組換えタンパク質を使用することができる。従って、特異ウイルス抗原領域内のエピトープと、ウイルスゲノム由来の他の抗原領域に由来するエピトープとを含んでいる組換えポリペプチドを使用して、１種のエピトープに由来するポリペプチドを用いるよりも感度が増し、恐らくは特異性の高いアッセイを提供することが好ましいであろう。このようなアッセイは、確認（confirmatory）アッセイとして使用することができる。この特定のアッセイ方式では、既知量の試験試料を、組換えタンパク質／抗体複合体を形成するのに十分な時間及び条件下で少なくとも１種の組換えタンパク質でコーティングされた既知量の少なくとも１種の固相と接触させる。反応を生起するための時間、適切な条件下で、複合体を既知量の適切な指示試薬と接触させる。生成したシグナルを陰性試験試料と比較して、試験試料中での被分析物質に対する抗体の存在を調べる。微粒子のようなある種の固相を使用するときには、アッセイで使用される各組換えタンパク質が、個々の微粒子や、種々の被覆微粒子を合わせて製造される前記微粒子の混合物に付着して、各アッセイのために最適化され得る。  前述のアッセイ方式の変形には、各被分析物質に対する抗体の存在を検出するための同一又は異なる固相に付着した種々の被分析物質のＣＫＳ組換えタンパク質（例えば同一又は異なる固相上にコーティングされた１種の感染物質のある抗原領域に特異的なＣＫＳ組換えタンパク質）を、異なる感染物質のある抗原領域に特異的なＣＫＳ組換えタンパク質と共に取り込んで、一方（又は両方）の感染物質の存在を検出することが挙げられる。
【０１４０】
他のアッセイ方式としては、抗原エピトープを含むＣＫＳ組換えタンパク質が、中和アッセイのような競合アッセイで有用である。中和アッセイを実施するには、ウイルスのような感染物質の抗原領域のエピトープを示す組換えポリペプチドを可溶化し、試料希釈液と混合して、０．５〜５０．０μｇ／ｍｌの最終濃度にする。所要により希釈した既知量の試験試料（好ましくは１０μｌ）を反応ウェルに添加し、次いで組換えポリペプチドを含む試験希釈液４００μｌを添加する。所望とあれば、混合物を約１５分〜２時間プレインキュベートしてもよい。次いで、本明細書に記載のＣＫＳ組換えタンパク質でコーティングした固相を反応ウェルに加え、約４０℃で１時間インキュベートする。洗浄後、既知量の指示試薬、例えば結合希釈液中のペルオキシダーゼ標識ヤギ抗ヒトＩｇＧ  ２００μｌを添加し、４０℃で１時間インキュベートする。洗浄後、前述のような酵素結合体を使用するときには、酵素基質（例えばＯＰＤ基質）を添加して、室温で３０分間インキュベートする。１Ｎ硫酸のような停止剤を反応ウェルに添加して、反応を停止させる。４９２ｎｍで吸光度を読み取る。特異ポリペプチドに対する抗体を含む試験試料では、溶液中でのペプチドと前記抗体との競合結合によるシグナル生成は減少する。競合結合のパーセンテージは、組換えポリペプチドの存在下での試料の吸光度値を、同一希釈度の組換えポリペプチドの不在下でアッセイした試料の吸光度値と比較して計算することができる。従って、組換えタンパク質の存在下の試料と、組換えタンパク質の不在下の試料との間で生じるシグナルの差は、抗体の存在又は不在を調べるために使用する尺度となる。
【０１４１】
他のアッセイ方式としは、イムノドットブロットアッセイ系で組換えタンパク質を使用することができる。イムノドットブロットアッセイ系は、ニトロセルロース固相担体上に並置された精製組換えポリペプチドのパネルを使用する。製造した固相担体を試料と接触させ、組換えタンパク質（他の特異結合要素）に対する特異抗体（特異結合要素）を捕捉して、特異結合要素対を形成する。捕捉した抗体は、指示試薬と反応させて検出する。１９８８年８月２日出願の米国特許出願第０７／２２７，４０８号に記載されている機器内でレフレクタンスオプチックスアセンブリーを用いて、結合体特異反応を定量することが好ましい。関連米国特許出願第０７／２２７，５８６号及び第０７／２２７，５９０号（共に１９８８年８月２日出願）は更に、本出願人によるものであり、参考として本明細書に組み入れる米国特許第５，０７５，０７７号（１９８８年８月２日出願の米国特許出願第０７／２２７，２７２号）と同様に、イムノドットアッセイを実施するのに有用な特定方法や装置を記載している。簡潔に言えば、ニトロセルロースベースの試験カートリッジを多数の抗原ポリペプチドで処理する。各ポリペプチドは、試験カートリッジ上の特異反応ゾーン内に含まれている。全ての抗原ポリペプチドがニトロセルロース上に置かれた後に、ニトロセルロース上の過剰結合部位を阻止する。次いで、試験カートリッジを試験試料と接触させて、試験試料が適切な抗体を含めば各反応ゾーンの各抗原ポリペプチドが反応するようにする。反応後、試験カートリッジを洗浄し、よく知られた適切な試薬を用いて、任意の抗原抗体反応を同定する。本明細書に引用した特許及び特許出願に記載されているように、全プロセスは自動化可能である。イムノドットブロットアッセイを実施するための方法及び装置に関連する前記出願明細書は参考として本明細書に組み入れる。
【０１４２】
試験試料中に被分析物質の特異抗原に対する抗体を検出するために後述する第１及び第２の固相担体を使用するアッセイでＣＫＳ融合タンパク質を使用することができる。このアッセイ方式では、試験試料の第１のアリコートを、組換えタンパク質／被分析物質抗体複合体を形成するのに十分な時間及び条件下で、被分析物質に特異的なＣＫＳ組換えタンパク質でコーティングされた第１の固相担体と接触させる。次いで、複合体を、組換え抗原に特異的な指示試薬と接触させる。指示試薬を検出して、試験試料中での組換えタンパク質に対する抗体の存在を調べる。その後、試験試料の第２のアリコートを、組換えタンパク質／第２の抗体の複合体を形成するのに十分な時間及び条件下で、第２の抗体に特異的なＣＫＳ組換えタンパク質でコーティングされた第２の固相担体と接触させて、同一被分析物質の異なる抗原決定基の存在を調べる。複合体を、複合体の抗体に特異的な第２の指示試薬と接触させる。シグナルを検出して、試験試料中での抗体の存在を調べる。一方又は両方の被分析物質組換えタンパク質に対する抗体の存在は、試験試料中に抗被分析物質が存在することを示している。固相担体を同時に試験できるとも考えられる。
【０１４３】
ハプテンの使用は当業界では公知である。ＣＫＳ融合タンパク質を用いるアッセイでハプテンを使用して、アッセイの性能を高めることもできると考えられる。
【０１４４】
プローブを用いたＨＧＢＶゲノム、ビリオン及びウイルス抗原の更なる特性分析
ＨＧＢＶ核酸配列を使用して、ＨＧＢＶゲノムの配列、並びにＨＧＢＶ剤の同定及び単離について更なる情報を得ることができる。従って、この知識は、ＨＧＢＶの特性（例えばＨＧＢＶゲノムの種類、ウイルス粒子の構造、及びＨＧＢＶを構成する抗原の種類）の分析に役立つと考えられる。この情報により、付加的なポリヌクレオチドプローブ、ＨＧＢＶゲノムに由来するポリペプチド、及びＨＧＢＶエピトープに対する抗体を得ることができる。これらは、ＨＧＢＶにより発病する非Ａ型、非Ｂ型、非Ｃ型、非Ｄ型及び非Ｅ型肝炎の診断及び／又は治療に有益である。
【０１４５】
核酸配列情報は、ＨＧＢＶゲノムの非確定領域に由来する更なる核酸配列を単離するためのプローブ又はＰＣＲプライマーの設計に有用である。例えば、８個以上、好ましくは２０個以上のヌクレオチドの配列を含み、ＨＧＢＶ核酸配列ファミリーの５’末端又は３’末端に近い領域に由来するＰＣＲプライマー又は標識プローブを使用して、重複核酸配列をＨＧＢＶゲノム又はｃＤＮＡライブラリーから単離してもよいし、ウイルス核酸から直接単離してもよい。次いで、ＨＧＢＶ核酸配列と重複するが、該ＨＧＢＶ核酸配列のソースではないゲノムの領域に由来する配列を更に含んでいる前記配列を使用して、必ずしもクローン中の核酸配列とは重複しない他の重複断片を同定するためのプローブを合成してもよい。ＨＧＢＶゲノムがセグメント化されていても共通配列が欠けていれば、ウイルスゲノムに由来する重複核酸配列の単離技術を使用して、全ウイルスゲノムの配列を決定することが可能である。あるいは、精製したＨＧＢＶ粒子から単離したウイルスゲノムから、ゲノムセグメントの特性分析を行うことができる。ＨＧＢＶ粒子を精製し、精製手順中に該粒子を検出する方法は本明細書に記載する。ウイルス粒子からポリヌクレオチドゲノムを単離する手順は当業界ではよく知られている。次いで、単離したゲノムセグメントをクローニングして配列決定することができる。従って、ＨＧＢＶゲノムをその種類とは関係なくクローニングして配列決定することが可能である。
【０１４６】
ＨＧＢＶゲノム又はｃＤＮＡライブラリーの構築方法は当業界では公知であり、このために有用なベクターも当業界では公知である。これらのベクターには、λ−ｇｔ１１、λ−ｇｔ１０等が含まれる。単離したポリヌクレオチドを適切な制限酵素で消化して、ＨＧＢＶゲノム又はｃＤＮＡ由来のプローブにより検出されるＨＧＢＶ由来の核酸配列をクローンから単離し、配列決定してもよい。
【０１４７】
これらの重複ＨＧＢＶ核酸配列に由来する配列情報は、ウイルスゲノム内の相同性エリア及び異質性エリアを決定するのに有用である。これは、種々のゲノム株及び／又は欠陥粒子集団の存在を示し得る。これは、本明細書に記載の技術を使用して、ＨＧＢＶの単離中に、生物試料中のＨＧＢＶ又はＨＧＢＶ抗原又はＨＧＢＶ核酸を検出するためのハイブリダイゼーションプローブの設計にとっても有用である。重複核酸配列を使用して、ＨＧＢＶゲノム由来のポリペプチドに対する発現ベクターを産生してもよい。ＨＧＢＶに対してユニークであると考えられるエピトープを含む抗原が核酸配列ファミリー内にコードされている。即ち、これらの抗原に対する抗体は、ＨＡＶ、ＨＢＶ、ＨＣＶ及びＨＥＶに感染した個体には存在せず、ＧｅｎＢａｎｋのゲノム配列と、これらの核酸配列及び前記ソースのポリヌクレオチド配列との間の相同性は小さいと考えられる。従って、ＨＧＢＶ核酸配列でコードされた抗原に対する抗体を使用して、感染個体から単離した非Ａ型、非Ｂ型、非Ｃ型、非Ｄ型及び非Ｅ型粒子を同定してもよい。更には、これらはＨＧＢＶ物質の単離にも有用である。
【０１４８】
ＨＧＢＶ粒子は、例えばサイズ識別をベースとする技術（例えば沈降もしくは排除法）、又は密度をベースとする技術（例えば密度勾配超遠心分離、もしくはポリエチレングリコール（ＰＥＧ）のような物質による沈殿、もしくはアニオンもしくはカチオン交換材料や、疎水性相互反応により結合する材料、及び親和性カラムのような様々な材料でのクロマトグラフィー）を含む当業界で公知の任意の方法により、感染個体の血清又は細胞培養物から単離することができる。単離手順中に、ＨＧＢＶ核酸配列に由来するプローブを用いて抽出ゲノムのハイブリダイゼーション分析を行って、又はＨＧＢＶ核酸配列ファミリー内にコードされたＨＧＢＶ抗原に対する抗体をプローブとして使用するイムノアッセイによりＨＧＢＶの存在を検出することができる。抗体はポリクローナルであっても、モノクローナルであってもよく、抗体をイムノアッセイで使用する前に精製することが所望され得る。固相に固定化したＨＧＢＶ抗原に対する前記抗体は、イムノアフィニティークロマトグラフィーによるＨＧＢＶの単離に有用である。イムノアフィニティークロマトグラフィー法は当業界では公知であり、免疫選択活性を保持するように抗体を固相に固定化する方法を含んでいる。これらの方法には、吸着及び共有結合が含まれる。抗体の抗原結合部位が接近可能なままであるように、二官能価カップリング剤にスペーサー基を含ませてもよい。
【０１４９】
精製手順中に、ＨＧＢＶゲノム又はｃＤＮＡ配列ファミリー、及び重複ＨＧＢＶ核酸配列に由来するポリヌクレオチドをプローブ又はプライマーとして使用して、ＨＧＢＶの存在を核酸ハイブリダイゼーション又はＰＣＲにより検出及び／又は検証してもよい。ウイルス粒子の破壊を引き起こす条件下で、例えばキレート化剤の存在下で洗剤を使用して画分を処理し、ウイルス核酸の存在をハイブリダイゼーション技術又はＰＣＲにより調べる。個体（好ましくはタマリン）に単離したウイルス粒子を感染させ、次いで本明細書に記載の非Ａ型、非Ｂ型、非Ｃ型、非Ｄ型及び非Ｅ型肝炎の症状が感染によるものかどうかを調べることにより、単離した粒子がＨＧＢＶ感染誘発物質である別の確証が得られ得る。
【０１５０】
次いで、精製した調製物から得た前述のウイルス粒子の特性を更に分析することができる。ゲノム核酸を精製すれば、これを試験して、ＲＮＡｓｅ又はＤＮＡｓｅＩに対する感度を調べることができる。これらの試験に基づいて、ＨＧＢＶをＲＮＡゲノム又はＤＮＡゲノムとして調べてもよい。当業界で公知の方法により、例えば電子鏡検法による可視化、密度勾配による移動及び沈降特性により、鎖の数及び環状性又は非環状性を調べることができる。ＨＧＢＶゲノムのハイブリダイゼーションから、精製核酸の陰性又は陽性鎖数（strandedness）を調べることができる。更には、ゲノム材料がＲＮＡならば、公知の技術（例えば逆転写酵素）により精製核酸をクローニングして配列決定することができる。次いで、ウイルス粒子に由来する核酸を用いて、全ゲノムをセグメント化の如何を問わず配列決定することが可能である。
【０１５１】
保存された配列を含むポリペプチドの決定は、ＨＧＢＶゲノムと結合するプローブ選択に有用であり、それはプローブを単離することにつながる。更には、保存された配列を、ＨＧＢＶ核酸配列に由来する配列と一緒に使用して、ゲノム配列を増幅する系で使用するプライマーを設計してもよい。更には、ＨＧＢＶの構造を調べて、その成分を単離してもよい。例えば電子鏡検法により形態及び寸法を調べることができる。抗原が主要ウイルス成分中に存在するのか、少量ウイルス成分中に存在するのかを確かめ、単離した核酸配列内にコードされた特異抗原に対する抗体をプローブとして使用して、特異ウイルスポリペプチド抗原［例えばエンベロープ（コート）抗原又は内部抗原（例えば核酸結合タンパク質もしくはコア抗原）］や、ポリヌクレオチドポリメラーゼを同定して位置を調べることもできる。この情報は、診断及び治療用途に有用であり得る。例えば、ワクチン調製物中に外部抗原を含めることが好ましく、又は恐らく多価ワクチンは、構造タンパク質をコードするゲノムに由来するポリペプチド、及びゲノムの他の部分に由来するポリペプチド（例えば非構造ポリペプチド）からなり得る。
【０１５２】
ＨＧＢＶ複製用の細胞培養系及び動物モデル系
一般に、ＨＧＢＶの培養に適した細胞又は細胞系は、サル腎臓細胞（例えばＭＫ２及びＶＥＲＯ）、ブタ腎臓細胞系（例えばＰＳ）、ハムスター乳児腎臓細胞系（例えばＢＨＫ）、マウスマクロファージ細胞系（例えばＰ３８８Ｄ１、ＭＫ１及びＭｍ１）、ヒトマクロファージ細胞系（例えばＵ−９３７）、ヒト末梢血白血球、ヒト付着単球、肝細胞又は肝細胞系（例えばＨＵＨ７及びＨｅｐＧ２）、胚もしくは胚細胞（例えばニワトリ胚線維芽細胞）、又は無脊椎動物、好ましくは昆虫に由来する細胞系（例えばショウジョウバエ細胞系）、更に好ましくは節足動物に由来する細胞系（例えば蚊細胞系もしくはマダニ細胞系）を含み得る。一次肝細胞を培養し、次いでこれにＨＧＢＶを感染させることも可能である。あるいは、肝細胞培養物を、感染個体（ヒト又はタマリン）の肝臓から誘導することができる。後者の場合は、ｉｎ  ｖｉｖｏ感染させてｉｎ  ｖｉｔｒｏ継代させた細胞系の例である。更には、種々の不死化方法を使用して、肝細胞培養物に由来する細胞系を得ることができる。例えば、（肝細胞集団の増菌前後の）一次肝臓培養物を種々の細胞と融合して、安定性を維持することができる。更には、培養物に形質転換ウイルスを感染させるか、形質転換遺伝子をトランスフェクトして、永続的な又は半永続的な細胞系を生成してもよい。更には、肝臓培養物中の細胞を融合して、ＰｅｈＧ２のような確定した細胞系にしてもよい。細胞融合方法は当業者にはよく知られており、とりわけＰＥＧ及びセンダイウイルスのような融合剤の使用を含んでいる。
【０１５３】
細胞系のＨＧＢＶ感染は、細胞内へのウイルス侵入を可能とする条件下で、細胞をウイルス調製物と共にインキュベートするような技術により達成され得ると考えられる。細胞に、単離したウイルスポリヌクレオチドをトランスフェクトさせてウイルス調製物を得ることも可能であり得る。組織培養細胞をトランスフェクトする方法は当業界では公知であり、エレクトロポレーション及びＤＥＡＥ−デキストラン又はリン酸カルシウムによる沈殿を使用する技術が含まれるが、これに限定はされない。クローニングしたＨＧＢＶゲノム又はｃＤＮＡによるトラスフェクションでウイルスが複製され、ｉｎ  ｖｉｔｒｏ増殖する。培養した細胞の他に、ウイルス複製に動物モデル系を使用してもよい。従って、ＨＧＢＶ複製はチンパンジー、更には例えばマーモセット及び乳児マウスで生起し得る。
【０１５４】
ＨＧＢＶ抗ウイルス剤のスクリーニング
ＨＧＢＶ用の細胞培養系及び動物モデル系が利用できることから、ＨＧＢＶ複製を阻害する抗ウイルス剤、特に好ましくはウイルス複製を阻害しつつ細胞増殖を可能とする物質のスクリーニングも可能となる。これらのスクリーニング方法は当業界では公知である。一般に、ウイルス複製を支える細胞培養系で抗ウイルス剤がウイルス複製の阻止に及ぼす作用、次いで感染性又はウイルス病原性の阻害、また低レベルの毒性について、抗ウイルス剤を様々な濃度で動物モデル系にて検査する。本明細書に記載するＨＧＢＶ抗原及びＨＧＢＶポリヌクレオチドの検出のための方法及び組成物は、抗ウイルス剤のスクリーニングに有用である。何故ならば、これらは、抗ウイルス剤のウイルス複製への作用の検出については、細胞プラークアッセイ又はＩＤ５０アッセイよりも恐らく高感度の代替手段となるからである。例えば、本明細書に記載するＨＧＢＶポリヌクレオチドプローブを使用して、細胞培養物中に産生されるウイルス核酸の量を定量してもよい。これは、感染細胞核酸を標識したＨＧＢＶポリヌクレオチドプローブでハイブリダイズ又は競合ハイブリダイズすることにより実施され得る。更には、抗ＨＧＢＶ抗体を使用して、本明細書に記載するイムノアッセイにより、細胞培養物中のＨＧＢＶ抗原を同定、定量してもよい。更には、競合アッセイにより感染細胞培養物中のＨＧＢＶ抗原を定量することが所望され得るので、本明細書に記載するＨＧＢＶ核酸配列内にコードされるポリペプチドはこれらのアッセイで有用である。一般に、ＨＧＢＶゲノム又はｃＤＮＡに由来する組換えＨＧＢＶポリペプチドを標識し、細胞培養系で産生された抗原による、前記標識ポリペプチドとＨＧＢＶポリペプチドとの結合の阻害を監視する。これらの方法は、ＨＧＢＶが細胞死を起こさずに細胞系で複製し得る場合に特に有用である。
【０１５５】
ＨＧＢＶ弱毒化株の調製
本明細書に記載する組織培養系及び／又は動物モデル系を用いて、ＨＧＢＶ弱毒化株を単離することが可能であり得る。これらの弱毒化株は、ワクチンとして又はウイルス抗原の単離に有用である。弱毒化株は、細胞培養物及び／又は動物モデルに何度も継代させた後に単離することができる。感染した細胞又は個体での弱毒化株の検出は、当業界で公知の以下の方法に従って達成可能であり、検出には、ＨＧＢＶにコードされた１種以上のエピトープに対する抗体のプローブとしての使用、又は長さが少なくとも約８ヌクレオチドのＨＧＢＶ配列を含むポリヌクレオチドのプローブとしての使用が含まれ得る。これに加え又はこれに代わって、本明細書に記載するＨＧＢＶのゲノム情報を使用し、また組換え技術を使用して弱毒化株を構築してもよい。通常、ウイルス複製ではなく、病原性に関連するポリペプチドをコードするゲノムの領域を欠失させる。ゲノムを構築すれば、ＨＧＢＶに対する中和抗体を産生するエピトープを発現させることができる。次いで、変性ゲノムを使用して、ＨＧＢＶ複製を可能とする細胞を形質転換して、細胞をウイルス複製を可能とする条件下で増殖させることができる。弱毒化ＨＧＢＶ株はワクチン用としてだけでなく、ウイルス抗原の商業的産生のソースとしても有用である。何故ならば、これらのウイルスの処理は、ウイルス産生及び／又はウイルス製品の製造に係わる従業員に対してそれほど厳密な保護措置を必要としないからである。
【０１５６】
宿主及び発現制御配列
ゲノムをウイルスから抽出し、ゲノムライブラリーを作成、プロービングし、クローンの配列を決定し、発現ベクターを構築し、細胞を形質転換し、免疫アッセイを実施し、培養物中で細胞を増殖させるために使用する一般的な技術は当業界では公知であり、本発明に包含する。
【０１５７】
指定の宿主と適合する適切な制御配列を使用するときには、原核宿主細胞及び真核宿主細胞の両方を、所望のコード化配列の発現のために使用することができる。原核宿主としては、Ｅ．ｃｏｌｉが最も頻繁に使用される。原核生物の発現制御配列には、場合によってオペレーター部分を含むプロモーターや、リボソーム結合部位が含まれる。原核宿主と適合するトランスファーベクターは通常、アンピシリン耐性及びテトラサイクリン耐性を付与するオペロンを含むプラスミドｐＢＲ３２２や、更に抗生物質耐性マーカーを付与する配列を含む種々のｐＵＣベクターから誘導される。これらのマーカーを使用して、選択により良好な形質転換細胞を得ることができる。通常使用される原核生物制御配列には、β−ラクタマーゼ（ペニシリナーゼ）、ラクトースプロモーター系（Ｃｈａｎｇ等，Ｎａｔｕｒｅ  １９８：１０５６［１９７７］）、（Ｇｏｅｄｄｅｌ等，Ｎｕｃｌｅｉｃ  Ａｃｉｄ  Ｒｅｓ  ８：４０５７［１９８０］により報告されている）トリプトファンプロモーター系、λ誘導Ｐ１プロモーター及びＮ遺伝子リボソーム結合部位（Ｓｈｉｍａｔａｋｅ等，Ｎａｔｕｒｅ  ２９２：１２８［１９８１］）、並びにｔｒｐ及びｌａｃＵＶ５プロモーターの配列に由来するハイブリッドＴａｃプロモーター（Ｄｅ  Ｂｏｅｒ等，Ｐｒｏｃ．Ｎａｔｌ．Ａｃａｄ．Ｓｃｉ．ＵＳＡ  ２９２：１２８［１９８３］）が含まれる。前述の系は、特にＥ．ｃｏｌｉに適合し得るが、所望とあれば、Ｂａｃｉｌｌｕｓ株又はＰｓｅｕｄｏｍｏｎａｓ株のような他の原核宿主を対応する制御配列と共に使用してもよい。
【０１５８】
真核宿主は、培養系の酵母及び哺乳動物細胞を含んでいる。Ｓａｃｃｈａｒｏｍｙｃｅｓ  ｃｅｒｅｖｉｓｉａｅ及びＳａｃｃｈａｒｏｍｙｃｅｓ  ｃａｒｌｓｂｅｒｇｅｎｓｉｓが最も一般的に使用されている酵母宿主であり、好都合な真菌宿主である。酵母適合性ベクターは、栄養要求突然変異株を原栄養性とするか又は野生型株に重金属耐性を付与して良好な形質転換細胞の選択を可能とするマーカーを保有する。酵母適合性ベクターは、２ミクロン複製オリジン（Ｂｒｏａｃｈ等，Ｍｅｔｈ．Ｅｎｚ．１０１；３０７［１９８３］）、ＣＥＮ３とＡＲＳ１の組み合わせ、又は複製を行うための他の手段（例えば宿主細胞ゲノム内への適切な断片の取り込みをもたらす配列）を使用し得る。酵母ベクターの制御配列は当業界では公知であり、３−ホスホフィセレートキナーゼ（phosphophycerate kinase）用プロモーターを含む解糖酵素合成用プロモーターを含んでいる。例えば、Ｈｅｓｓ等，Ｊ．Ａｄｖ．Ｅｎｚｙｍｅ  Ｒｅｇ．７：１４９（１９６８）、Ｈｏｌｌａｎｄ等，Ｂｉｏｃｈｅｍｉｓｔｒｙ  １７：４９００（１９７８）及びＨｉｔｚｅｍａｎ  Ｊ．Ｂｉｏｌ．Ｃｈｅｍ．２５５：２０７３（１９８０）を参照されたい。Ｈｏｌｌａｎｄ，Ｊ．Ｂｉｏｌ．Ｃｈｅｍ．２５６：１３８５（１９８１）に報告されているエノラーゼ遺伝子に由来するようなターミネーターも含まれ得る。特に有用な制御系は、グリセルアルデヒド−３−ホスフェートデヒドロゲナーゼ（ＧＡＰＤＨ）プロモーター又はアルコールデヒドロゲネーゼ（ＡＤＨ）調節可能プロモーター、更にＧＡＰＤＨから誘導されるターミネーター、また分泌が望ましければ、酵母αファクターに由来するリーダー配列を含む系であると考えられる。更には、操作可能に連結した転写調節領域及び転写開始領域は、野生型生物で先天的に関連しないようなものであり得る。
【０１５９】
発現用宿主として利用可能な哺乳動物細胞系は当業界では公知であり、Ａｍｅｒｉｃａｎ  Ｔｙｐｅ  Ｃｕｌｔｕｒｅ  Ｃｏｌｌｅｃｔｉｏｎから入手可能な多数の不滅化細胞系が含まれる。これらには、ＨｅＬａ細胞、チャイニーズハムスター卵巣（ＣＨＯ）細胞、ハムスター乳児腎臓（ＢＨＫ）細胞等が含まれる。哺乳動物細胞に適したプロモーターも当業界では公知であり、Ｓｉｍｉａｎウイルス４０（ＳＶ４０）、ラウス肉腫ウイルス（ＲＳＶ）、アデノウイルス（ＡＤＶ）、ウシ乳頭腫ウイルス（ＢＰＶ）、サイトメガロウイルス（ＣＭＶ）に由来するようなウイルスプロモーターが含まれる。哺乳動物細胞は更に、ターミネーター配列及びポリＡ付加配列を必要とし得る。発現を増加させるエンハンサー配列を含めてもよいし、遺伝子の増幅を誘発する配列も所望され得る。これらの配列は当業界では公知である。哺乳動物細胞の複製に適したベクターは、ウイルスレプリコン、又は非Ａ型、非Ｂ型、非Ｃ型、非Ｄ型、非Ｅ型エピトープをコードする適切な配列の宿主ゲノム内への取り込みを確実にする配列を含み得る。ＨＣＶの哺乳動物発現系の一例は、１９９２年１月３１日出願の米国特許出願第０７／８３０，０２４号に記載されている。
【０１６０】
形質転換
形質転換は、ポリヌクレオチドを宿主細胞内に導入するための公知の方法によって可能であり、ポリヌクレオチドをウイルス内に組み込んだウイルスによる宿主細胞の形質導入、及びポリヌクレオチドの直接取り込みを含む。選択する形質転換手順は、形質転換すべき宿主に依存する。直接の取り込みによる細菌の形質転換は一般に、塩化カルシウム又は塩化ルビジウムによる処理を使用する。Ｃｏｈｅｎ，Ｐｒｏｃ．Ｎａｔｌ．Ａｃａｄ．Ｓｃｉ．ＵＳＡ  ６９：２１１０（１９７２）。Ｇｒａｈａｍ等，Ｖｉｒｏｌｏｇｙ  ５２：５２６（１９７８）のリン酸カルシウム沈殿法又はその変形を用いて、直接の取り込みによる酵母形質転換を実施してもよい。
【０１６１】
ベクター構築
ベクター構築は当業界で公知の方法を使用する。一般には、市販酵素の製造業者により一般に規定されている条件下にて、適切な制限酵素で処理して、部位特異的ＤＮＡ開裂を実施する。通常、約２０μｌの緩衝溶液中の１〜１０単位の酵素を用いて３７℃で１〜２時間インキュベートすることにより、約１マイクログラム（μｇ）のプラスミド又はＤＮＡ配列を開裂する。制限酵素と共にインキュベートした後に、フェノール／クロロホルム抽出によりタンパク質を除去し、エタノールと共に沈殿させてＤＮＡを回収する。開裂断片は、当業者に公知の方法により、ポリアクリルアミド又はアガロースゲル電気泳動法を用いて分離してもよい。
【０１６２】
混合物中に存在する適切なデオキシヌクレオチドトリホスフェート（ｄＮＴＰ）の存在下で，Ｅ．ｃｏｌｉ  ＤＮＡポリメラーゼ１（クレノウ）を用いて付着端開裂断片をブラント末端にしてもよい。Ｓ１ヌクレアーゼによる処理を使用して、一本鎖ＤＮＡ部分を加水分解してもよい。
【０１６３】
Ｔ４  ＤＮＡリガーゼ及びＡＴＰを用い、標準的な緩衝液及び温度条件下で結合する。付着端結合は、ブラント末端結合ほどＡＴＰやリガーゼを必要としない。ベクター断片を結合混合物の一部として使用するときは、ベクター断片をしばしば細菌アルカリ性ホスファターゼ（ＢＡＰ）又は仔ウシ腸アルカリ性ホスファターゼで処理して、５’−ホスフェートを除去し、ベクターの再結合を妨げる。あるいは、所望しない断片の制限酵素消化を使用して、結合を妨げることができる。結合混合物を、Ｅ．ｃｏｌｉや、抗生物質耐性を含む方法により選択された良好な形質転換細胞のような適切なクローニング宿主内に形質転換し、次いで正しい構築についてスクリーニングする。
【０１６４】
望ましいＤＮＡ配列の構築
Ｗａｒｎｅｒ，ＤＮＡ  ３：４０１（１９８４）が記載するような自動化オリゴヌクレオチド合成機を用いて、合成オリゴヌクレオチドを産生してもよい。所望とあれば、標準的な反応条件を用いて、３２Ｐ−ＡＴＰの存在下にてポリヌクレオチドキナーゼで処理して、合成鎖を３２Ｐで標識することができる。ＤＮＡ配列（例えばゲノム又はｃＤＮＡライブラリーから単離したＤＮＡ配列）を、公知の方法［例えばＺｏｌｌｅｒ，Ｎｕｃｌｅｉｃ  Ａｃｉｄ  Ｒｅｓ．１０：６４８７（１９８２）に記載の特定部位の突然変異誘発］により改変してもよい。簡潔に言えば、改変すべきＤＮＡを一本鎖配列としてファージ内にパッケージングし、改変すべきＤＮＡ部分に相補的であり、自身の配列に所望の改変を含む合成オリゴヌクレオチドをプライマーとして用いてＤＮＡポリメラーゼで二本鎖ＤＮＡに変換する。ファージの各鎖の複製域を含む形質転換細菌の培養物を寒天平板培養して、プラークを得る。理論的には新しいプラークの５０％が、突然変異配列を有するファージを含み、残りの５０％は元の配列を有する。非改変配列ではなく、正しい鎖とのハイブリダイゼーションに適した温度及び条件下で、プラーク複製物を標識した合成プローブにハイブリダイズする。ハイブリダイゼーションにより同定された配列を回収して、クローニングする。
【０１６５】
プローブとのハイブリダイゼーション
Ｇｒｕｎｓｔｅｉｎ及びＨｏｇｎｅｓｓ，Ｐｒｏｃ．Ｎａｔｌ．Ａｃａｄ．Ｓｃｉ．ＵＳＡ  ７３：３９６１（１９７５）に記載の手順を用いて、ＨＧＢＶゲノム又はＤＮＡライブラリーをプロービングしてもよい。簡潔に言えば、プロービングすべきＤＮＡをニトロセルロースフィルター上に固定化し、変性し、０〜５０％ホルムアミド、０．７５Ｍ  ＮａＣｌ、７５ｍＭクエン酸ナトリウム、それぞれ０．０２％（ｗ／ｖ）のウシ血清アルブミン（ＢＳＡ）、ポリビニルピロリドン及びＦｉｃｏｌｌ、５０ｍＭリン酸ナトリウム（ｐＨ６．５）、０．１％ＳＤＳ並びに１００μｇ／ｍｌキャリヤー変性ＤＮＡを含む緩衝液でプレハイブリダイズする。緩衝液中のホルムアミドのパーセンテージ、及びプレハイブリダイゼーションやその後のハイブリダイゼーション工程の時間／温度条件は、必要とされる厳密度に依存する。厳密度条件が低くてもよいオリゴマープローブは一般に、ホルムアイドを低率に、温度をより低く、ハイブリダイゼーション時間をより長くして使用する。ｃＤＮＡ又はゲノム配列から誘導されるような３０又は４０個以上のヌクレオチドを含むプローブは一般に、例えば約４０〜４２℃のより高温と、例えば５０％と高率のホルムアミドを使用する。プレハイブリダイゼーションの後に、３２Ｐ標識オリゴヌクレオチドプローブを緩衝液に添加し、ハイブリダイゼーション条件下でフィルターをこの混合物中でインキュベートする。洗浄後、被処理フィルターをオートラジオグラフィーにかけて、ハイブリダイズしたプローブの位置を示す。元の寒天プレート上の対応位置にあるＤＮＡを所望のＤＮＡのソースとして使用する。
【０１６６】
構築の検証及び配列決定
標準的なベクター構築では、結合混合物をＥ．ｃｏｌｉ株ＸＬ−１  Ｂｌｕｅ又は他の適切な宿主内に形質転換し、良好な形質転換細胞を抗生物質耐性又は他のマーカーにより選択する。次いで、通常はＣｌｅｗｅｌｌ等，Ｊ．Ｂａｃｔｅｒｉｏｌ．１１０：６６７（１９７２）に記載のようなクロラムフェニコール増幅の後に、Ｃｌｅｗｅｌｌ等，Ｐｒｏｃ．Ｎａｔｌ．Ａｃａｄ．Ｓｃｉ．ＵＳＡ  ６２：１１５９（１９６９）の方法で、形質転換細胞由来のプラスミドを産生する。ＤＮＡを単離し、通常は制限酵素分析及び／又は配列決定により分析する。Ｍｅｓｓｉｎｇ等，Ｎｕｃｌｅｉｃ  Ａｃｉｄ  Ｒｅｓ．９：３０９（１９８１）にも記載されているＳａｎｇｅｒ等，Ｐｒｏｃ．Ｎａｔｌ．Ａｃａｄ．Ｓｃｉ．ＵＳＡ  ７４：５４６３（１９７７）のよく知られたジデオキシ法により、又はＭａｘａｍ等，Ｍｅｔｈｏｄｓ  ｉｎ  Ｅｎｚｙｍｏｌｏｇｙ  ６５：４９９（１９８０）に記載の方法により、配列決定してもよい。ＧＣに富む領域で時々観察されるバンド圧縮の問題は、Ｂａｒｒ等，Ｂｉｏｔｅｃｈｎｉｑｕｅｓ  ４：４２８（１９８６）に記載の方法により、Ｔ−デアゾグアノシンを用いて克服される。
【０１６７】
エンザイムリンクドイムノソーベントアッセイ
エンザイムリンクドイムノソーベントアッセイ（ＥＬＩＳＡ）を使用して、抗原濃度又は抗体濃度を測定することができる。この方法は、酵素ラベルと抗原又は抗体との結合に依存し、結合酵素活性（生成シグナル）を定量ラベル（測定可能な生成シグナル）として使用している。酵素をラベルとして使用する方法、及びこのような酵素ラベルの例は本明細書に記載する。
【０１６８】
ＨＧＢＶ核酸配列の作成
非Ａ型、非Ｂ型、非Ｃ型、非Ｄ型、非Ｅ型物質のソースは、本明細書に記載する臨床的及び実験的基準に合致するＨＧＢＶウイルスに感染したヒト又はタマリンからの個々の血漿、血清もしくは肝臓ホモジネート又はそのプールである。あるいは、以下に記載する基準に合致する非Ａ型、非Ｂ型、非Ｃ型、非Ｅ型肝炎に羅患した他の個体の血液をタマリンに実験的に感染させることができる。高レベルのアラニントランスフェラーゼ活性を含む個々の血漿、血清又は肝臓ホモジネート試料を多数合わせてプールを調製することができる。この活性は、ＨＧＢＶ感染による肝炎性損傷によるものである。本発明者らの実験のひとつで計算したウイルスのＴＩＤ（タマリン感染価）は４×１０５個／ｍｌ以上であった（以下の実施例２を参照）。
【０１６９】
例えば、高力価であることが好ましいが、必ずしもそうでなくてもよい血漿、血清又は肝臓ホモジネートに由来する核酸ライブラリーを以下の方法で作成する。まず血漿、血清又は肝臓ホモジネートからウイルス粒子を単離する。次いで、アリコートを緩衝溶液（例えば５０ｍＭトリス−ＨＣｌ（ｐＨ８．０）、１ｍＭ  ＥＤＴＡ、１００ｍＭ  ＮａＣｌを含む緩衝溶液）中に希釈する。例えば１５，０００×ｇ、２０℃で２０分間の遠心分離により破片を除去する。次いで、当業者により慣用的に決定され得る適切な条件下で遠心分離を行って、得られた上清中のウイルス粒子をペレット化する。ウイルスゲノムを放出するために、ペレットをＳＤＳ懸濁液［例えば１％ＳＤＳ、１２０ｍＭ  ＥＤＴＡ、１０ｍＭトリス−ＨＣｌ（ｐＨ７．５）を含み、更に２ｍｇ／ｍｌのプロテイナーゼＫを含んでいる懸濁液］のアリコート中に懸濁させ、次いで適切な条件下で、例えば４５℃で９０分間インキュベートして粒子を破壊する。例えば０．８μｇ  ＭＳ２バクテリオファージＲＮＡをキャリヤーとして添加し、この混合物をフェノール：クロロホルム［０．５Ｍトリス−ＨＣｌ（ｐＨ７．５）、０．１％（ｖ／ｖ）β−メルカプトエタノール、０．１％（ｗ／ｖ）ヒドロキシキノロンで飽和させたフェノール］の１：１混合物で４回抽出し、次いでクロロホルムで２回抽出して核酸を単離する。水性相を例えば１−ブタノールで濃縮した後に、２．５容量の無水エタノールと共に−２０℃で一晩沈殿させる。例えばＢｅｃｋｍａｎ  ＳＷ４１ローターにて、４０，０００ｒｐｍ、４℃で９０分間遠心分離にかけて核酸を回収し、これを水に溶解し、０．０５％（ｖ／ｖ）ジエチルピロカーボネートで処理して、オートクレーブ処理する。
【０１７０】
前記手順により得られた核酸を、例えば１７．５ｍＭ  ＣＨ３ＨｇＯＨで変性し、次いでこの変性核酸を鋳型として用いてｃＤＮＡを合成し、例えばＨｕｙｎｈ（１９８５、上掲）に記載の方法を用いてファージλ−ｇｔ１１のＥｃｏＲＩ部位内にクローニングする。但し、逆転写酵素により第１核酸鎖の合成中にランダムプライマーをオリゴ（ｄＴ）１２−１８に代える（Ｔａｙｌｏｒ等，［１９７６］参照）。得られた二本鎖核酸配列を、例えばセファロースＣＬ−４Ｂカラム上でのサイジングにより分別する。平均寸法が約４００、３００、２００及び１００塩基対の溶離材料をゲノムプール内にプールする。少なくとも１つのプール内のｃＤＮＡから、λ−ｇｔ１１  ｃＤＮＡライブラリーを作成する。あるいは、病因物質がＤＮＡウイルスの場合、ゲノムＤＮＡのクローニング方法が有用であり、これは当業者には公知である。
【０１７１】
このようにして作成されたλ−ｇｔ１１ゲノムライブラリーを、非Ａ型、非Ｂ型、非Ｃ型、非Ｅ型肝炎既往個体（以下で説明する基準に合致する）からの血清、血漿又は肝臓ホモジネートと特異結合し得るエピトープについてスクリーニングする。Ｈｕｙｎｇ等（上掲）の方法を用いて、約１０４〜１０７個のファージを血清、血漿又は肝臓ホモジネートを用いてスクリーニングする。１２５Ｉ又は他の適切なリポーター分子（例えばＨＲＰＯ、アルカリ性ホスファターゼ等）で放射性標識したヒツジ抗ヒトＩｇ抗血清で結合ヒト抗体を検出することができる。陽性ファージを同定して、精製する。次いで、同一方法を用い、先にＨＧＢＶ物質に感染した所定人数の各ヒトの血清との結合の特異性について、前記ファージを試験する。理想的には、ファージは、試験する血清、血漿又は肝臓ホモジネートの全て又は大半と反応するポリペプチドをコードし、ＨＧＢＶ物質やＡ型、Ｂ型、Ｃ型、Ｄ型、Ｅ型肝炎について本明細書に記載した基準により“陰性”であることが確定した個体からの血清、血漿又は肝臓ホモジネートとは反応しない。これらの手順に従って、非Ａ型、非Ｂ型、非Ｃ型、非Ｄ型、非Ｅ型であると同定された患者からの血清、血漿又は肝臓ホモジネートにより免疫学的に特異認識されるポリペプチドをコードするクローンを単離することができる。
【０１７２】
以下で本発明を実施例により説明する。これらの実施例は例示的であって、本発明の範囲を限定するものではない。
【０１７３】
（実施例）
本明細書に記載されている実施例は、ＨＧＢＶ群のウイルスの発見方法を詳細に記載するものである。該実施例は、ＨＧＢＶ群のＨＧＢＶ−Ａ、ＨＧＢＶ−Ｂ及びＨＧＢＶ−Ｃウイルスの発見をたどり得るように年代順に記載されている。一般的には、先ず伝播性及び感染性の研究が行われた。本明細書に記載されているこれらの研究及びその後の研究により、ＨＧＢＶとしてＧＢ−Ａ及びＧＢ−Ｂの２種のＨＣＶ様ウイルスの存在が実証された。さらに、これも本明細書に詳細に記載されている退化性（degenerative）プライマーを用いたその後の実験によりＨＧＢＶ−Ｃが発見された。血清研究により実証された該ウイルス群のヒトにおける罹患率、該ウイルス群のウイルス特性分析、その特定の属における他のウイルスとの関連性及びＨＧＢＶ−Ａ、ＨＧＢＶ−Ｂ及びＨＧＢＶ−Ｃの相互関連性も教示する。
【０１７４】
（実施例１）
ＨＧＢＶの伝播性
Ａ．実験プロトコル。伝播性及び感染性研究用に、ＬＥＭＳＩＰ（Laboratory for Experimental Medicine and Surgery in Primates, Tuxedo, New York）から１６匹のタマリン（Saguinus labiatsu）を入手した。動物全てをＬＥＭＳＩＰにより承認されたプロトコルに従ってＬＥＭＳＩＰで維持且つ監視した（注：動物１匹が自然死し、もう１匹の病弱な動物は感染力実験の開始前に安楽死させた）。血清肝酵素アラニントランスアミナーゼ（ＡＬＴ）、γ−グルタミルトランスフェラーゼ（ＧＧＴ）及びイソクエン酸デヒドロゲナーゼ（ＩＣＤ）について、２〜３週間の間、１週間に一度又は２週間に一度得た血清試料に基づいて基準血清肝酵素値を決定した。接種に先立って各動物につき最低８つの血清肝酵素値を得た。平均肝酵素値＋標準偏差の３．７５倍に基づき、各動物についてカットオフ値（ＣＯ）を決定した。カットオフ値を超える肝臓酵素値は異常であり、肝臓が損傷を受けているとみなした。数匹のタマリンに以下に記載のように接種し、ＡＬＴ、ＧＧＴ及びＩＣＤ血清レベルにおける変化を監視した。その後、監視過程の間の特定時期に、その後の実験用の血清及び組織を得るべく動物数匹を殺した。
【０１７５】
Ｂ．動物の接種（初期実験）。ＨＧＢＶを接種した９匹のタマリンから肝炎の初期急性期（接種後１９〜２４日）の間に採取した血清から、既知の感染性タマリンＧＢ血清プール（Ｈ２０５ ＧＢパス１１として示される１１回継代）を調製した。該プールは、既に記載（J.L. Dienstagら, Nature 264，前出; E.Taborら,J. Med. Virol. 5, 前出）されており、関連病因物質を決定するために研究された。該プールのアリコートは、この実験研究に用いられるまでAbbott Laboratories（North Chicago, IL60064）において液体窒素貯蔵条件下に維持されていた。ＨＧＢＶの他のアリコートはAmerican Type Culture Collection（A.T.C.C.），12301 Parklawn Drive, Rockville, MD20852から、A.T.C.C.受託番号第VR-806号の下に入手し得る。
【０１７６】
第１日目に、初期群の残りの１４匹中４匹ののタマリン、認識番号Ｔ−１０５３、Ｔ−１０４８、Ｔ−１０５７及びＴ−１０６１に、前以て１：５０に希釈しておいたプールＨ２０５、１１回継代０．２５ｍｌを静脈内接種した。これらの動物を肝酵素ＡＬＴ、ＧＧＴ及びＩＣＤの変化について毎週監視した。表２は、これら４匹のタマリン（Ｔ−１０５３、Ｔ−１０４８、Ｔ−１０５７及びＴ−１０６１）に関する接種前及び接種後の肝酵素データを示す。図１〜４は、接種前及び接種後のこれら４匹のタマリンのＡＬＴレベル及びＩＣＤレベルを示している。該データが示しているように、プールＨ２０５の１：５０の希釈物を接種した４匹のタマリンのＡＬＴ、ＧＧＴ及びＩＣＤにＣＯを超える有意な上昇が得られた。
【０１７７】
同日（第１日目）、１匹のタマリン（Ｔ−１０４７）に、プールされた正常タマリン血清０．２５ｍｌを静脈内接種して陰性対照として用い、もう１匹のタマリン（Ｔ−１０４２）には、プールされた正常ヒト血清を静脈内接種して追加の陰性対照とした。図５及び図６並びに表３は、２匹の対照タマリン（Ｔ−１０４７及びＴ−１０４２）の接種前及び接種後のＡＬＴ及びＩＣＤレベルを示す。データが示しているように、該２匹の対照タマリンにおいては８週の間にＡＬＴ又はＩＣＤに全く上昇が見られなかった。
【０１７８】
同日（第１日目）、１匹のタマリン（Ｔ−１０４４）に、急性肝炎の発生から約３週間後の前記外科医（ＧＢ起源）から得た回復期血清０．２ｍｌを静脈内接種した。この標本は−２０℃で貯蔵されていた〔F. Deinhardtら, J. Exper. Med. 125:673-688 (1967)〕。もう１匹のタマリン（Ｔ−１０３４）に、該回復期血清０．１ｍｌを接種した。図７及び図８並びに表４に示されているように、接種後１１週の間には、これらのタマリンの血清肝酵素に上昇が全く見られなかった。従って、これらのデータは、元の患者から採取し、−２０℃で貯蔵されていた回復期血清には感染性ＨＧＢＶが検出されなかったことを示しており、それは、患者が感染から回復しており、且つ、ウイルスが患者の血清から除去されているか、又はウイルスタイターが−２０℃での貯蔵により検出不能なレベルにまで減少していたことを示し得る。
【０１７９】
Ｃ．その後の実験。タマリンＴ−１０５３は、接種後１週間で血清肝酵素に有意な上昇を示し、接種後１１日目に肝酵素に関して再テストを行った。１２日目に、血清肝酵素に有意な上昇が存在することが測定され、該動物をその日に殺した。その後の実験用に、血漿、肝臓及び脾臓の組織試料を得た。Ｔ−１０５３由来の血漿を以下の実施例３に記載のＲＤＡ手順用の出発物質とし、肝組織を以下の実施例８に用いた。
【０１８０】
タマリンＴ−１０４８、Ｔ−１０５７及びＴ−１０６１を血清肝臓酵素について監視した。該動物は全て、接種後２週間以内に肝臓酵素レベルが上昇したことが認められた。これらの上昇値は接種後６週間以降に見られた。３匹のタマリンは全て、接種後８４日目までに血清肝酵素レベルがＣＯを下回るレベルに減少したことが認められた。接種後９７日目に、これら３匹のタマリン（Ｔ−１０４８、Ｔ−１０５７及びＴ−１０６１）を、タマリンＴ−１０５３由来のニート血漿０．１０ｍｌ（感染性であると判明した、実施例２参照）を用いて再チャレンジし、血清肝酵素の上昇として示される肝炎が再誘発され得たかどうかを測定した。そのデータを表２、図１、図３及び図４に示す。データが示しているように、２匹のタマリン（Ｔ−１０５７及びＴ−１０６１）の血清肝酵素レベルは、接種後３週間ではＣＯを下回るレベルに留まった。１匹のタマリン（Ｔ−１０４８）は、再接種直後の２週間に血清肝酵素レベルに緩やかな上昇を示した。Ｔ−１０４８における緩やかな上昇は、ＨＧＢＶによる肝臓組織の再感染によるものか又はＨ２０５の初期接種から完全に回復していないことによるものと推定された。
【０１８１】
（実施例２）
感染性実験
Ａ．実験プロトコル。実施例１（Ａ）に記載のようにして４匹のタマリンに関する基準読み取り値を得た。接種前に各動物について簡単に基準血清肝臓酵素（ＡＬＴ、ＧＧＴ及びＩＣＤ）の値を決定した。平均肝酵素値＋標準偏差の３．７５倍に基づいて各動物についてカットオフ値（ＣＯ）を決定した。カットオフ値を超える肝酵素は異常であり、肝臓に損傷があるとみなされた。
【０１８２】
Ｂ．タマリンの接種。接種後１２日目に殺したタマリンＴ−１０５３由来の血漿（実施例１〔Ｃ〕参照）をその後の実験用の接種材料として用いた。１日目に、１匹のタマリン（Ｔ−１０５５）に、Ｔ−１０５３のニート血漿０．２５ｍｌを静脈内接種した。同日、２匹のタマリン（Ｔ−１０３８及びＴ−１０５１）に、プールされた正常タマリン血漿中に１０−４（Ｔ−１０３８）又は１０−５（Ｔ−１０５１）に順次希釈しておいたＴ−１０５３血漿０．２５ｍｌを静脈内接種した。同日、タマリンＴ−１０４９に、減少孔径（０．８μｍ、０．４５μｍ、０．２２μｍ及び０．１０μｍ）の一連のフィルターを介して濾過し、プールされた正常タマリン血漿に１０−４に希釈しておいたＴ−１０５３血漿０．２５ｍｌを静脈内接種した。
【０１８３】
血清肝酵素ＡＬＴ、ＧＧＴ及びＩＣＤの変化について実施例１に記載のようにして毎週全タマリン（Ｔ−１０５５、Ｔ−１０３８、Ｔ−１０５１及びＴ−１０４９）を監視した。表５は、これら４匹のタマリンに関する接種前及び接種後の血清肝酵素データを示す。図９は、Ｔ−１０５５の接種前及び接種後のＡＬＴ及びＩＣＤ値を示す。図９を参照すると、血清肝酵素ＡＬＴ及びＩＣＤにＣＤを超える上昇が生じたことがわかる。該タマリンを接種後１２日目に殺した。図１０及び図１１は、それぞれタマリンＴ−１０５１及びＴ−１０３８のＡＬＴ及びＩＣＤにおける接種前及び接種後の血清レベルを示す。図１０及び図１１を参照すると、接種後１１日目まで両動物の血清肝酵素ＡＬＴ及びＩＣＤに上昇が生じたことをわかる。Ｔ−１０３８を接種後１４日目に殺した。表５及び図１２は、Ｔ−１０４９に関して得られたデータを示す。表５及び図１２からわかるように、接種後１１日以内にＴ−１０４９にＣＯを超える血清肝酵素の上昇が認められた。
【０１８４】
Ｔ−１０４９に関して行われた濾過実験は、ＨＧＢＶが０．１０μｍのフィルターを通過し得ることを示し、それは、ＨＧＢＶがウイルス性であり且つ直径が０．１μｍ未満であり得ることを示唆している。さらに、Ｔ−１０３８に関して行われた感染性滴定実験は、Ｔ−１０５３血清が１ｍｌ当たり少なくとも４×１０５のタマリン感染量を含んでいることを示している。
【０１８５】
単一のＨＧＢＶ病原体の伝播性を示すために、タマリンＴ−１０４４に、Ｈ２０５接種７日後に採取し、正常なタマリン血清に１：５００希釈しておいたＴ−１０５７血清からなる接種材料０．２５ｍｌを接種した。接種後１４〜６３日からＡＬＴレベルにカットオフを超える緩やかな上昇（即ち、８２〜１０６の範囲の上昇）が認められた。
【０１８６】
接種後１４日目に採取し、正常なタマリン血清に１：２希釈しておいたＴ−１０４４の血清０．２５ｍｌをタマリンＴ−１０４７及びＴ−１０５６に順次接種した。先ず、接種後４２日目にＴ−１０４７及びＴ−１０５６にカットオフを超えるＡＬＴレベルの上昇が認められたが、それぞれ接種後６４日目及び９１日目に正常レベルに戻った。タマリンＴ−１０５８に、Ｔ−１０５３血清を用いてチャレンジ後２２日目に採取したＴ−１０５７のニート血清０．２５ｍｌを接種した。接種後１１２日の間にはＡＬＴレベルに上昇は認められなかった。
【０１８７】
（実施例３）
代表相違分析（控除ハイブリダイゼーション）
Ａ．アンプリコン用二本鎖ＤＮＡの産生
本明細書の上記材料及び方法に記載され、図１３に参照されている手順を用い、Ｈ２０５血清（実施例１Ｃ及び２Ｂ参照）の接種後１２日目に採取したタマリンＴ−１０５３感染性血漿（実施例１Ａ参照）由来の総核酸からテスターアンプリコンを合成した。接種前１７〜３０日の間にプールされたタマリンＴ−１０５３の接種前血漿からドライバーアンプリコンを合成した。簡単に言えば、両血漿を実施例２Ｂに記載のように０．１μｍのフィルターを介して濾過した。次いで、市販のキット〔United States Biochemical (USB), Cleveland, OH, cat.#73750〕及び担体として１０μｇの酵母ｔＲＮＡを用い、５０μｌの濾過血漿を抽出した。この核酸をランダムに開始して逆転写し、次いで市販のキットを用いランダム開始してＤＮＡ合成した。簡単に言えば、ランダムヘキサマーを用いて、製造業者に指示されたＰｅｒｋｉｎ  Ｅｌｍｅｒ’ｓ（Norwalk, CT）ＲＮＡ ＰＣＲキット（cat.#N808-0017）を用いて８０μｌの逆転写反応を行い、２０℃で１０分間インキュベートし、次いで４２℃で２時間インキュベートした。次いで反応を停止し、ｃＤＮＡ／ＲＮＡ重複部（duplexes）を９９℃で２分間インキュベートして変性させた。反応材料に、総量２０μｌの１０μｌの１０×ＲＰ緩衝液〔１００ｍＭのＮａＣｌ、４２０ｍＭのＴｒｉｓ（ｐＨ８．０）、５０ｍＭのＤＴＴ、１００μｇ／ｍｌのＢＳＡ〕、２５０ｐｍｏｌのランダムヘキサマー及び１３単位のＳｅｑｕｅｎａｓｅ（登録商標）バージョン２．０ポリメラーゼ（USB，cat.#70775）を補った。反応材料を２０℃で１０分間、次いで３７℃で２時間インキュベートした。フェノール：クロロホルムで抽出し、エタノール沈殿させた後、製造業者により指示されたように、これらの反応の二本鎖ＤＮＡ産物を３０μｌの反応材料容量中４単位の制限エンドヌクレアーゼＳａｕ３ＡＩ（New England Biolabs [NEB], cat.#169L）で３０分間消化した。
【０１８８】
Ｂ．アンプリコンの合成
Ｓａｕ３ＡＩ消化ＤＮＡを上記のように抽出、沈殿させた。反応材料を５０〜５５℃の乾燥加熱ブロックに入れ、４℃で１時間インキュベートすることにより、Ｓａｕ３ＡＩ消化産物全体を、１×Ｔ４ ＤＮＡリガーゼ緩衝液（ＮＥＢ）中で緩衝した３０μｌの反応材料容量中４６５ｐｍｏｌのＲ Ｂｇｌ２４（配列番号１）及び４６５ｐｍｏｌのＲ Ｂｇｌ １２（配列番号２）にアニーリングした。４００単位のＴ４ ＤＮＡリガーゼ（NEB, cat.#202S）を添加してアニーリングされた産物を連結した。１６℃で１４時間インキュベートした後、小規模のＰＣＲを行った。１０μｌの連結反応材料を、６０μｌのＨ２Ｏ、２０μｌの５×ＰＣＲ緩衝液（３３５ｍＭのＴｒｉｓ（ｐＨ８．８）、８０ｍＭの〔ＮＨ４〕２ＳＯ４、２０ｍＭのＭｇＣｌ２、０．５μｇ／ｍｌのウシ血清アルブミン及び５０ｍＭの２−メルカプトエタノール）、８μｌの４ｍＭｄＮＴＰ株、２μｌ（１２４ｐｍｏｌ）Ｒ Ｂｇｌ ２４（配列番号３）及び３．７５単位のＡｍｐｌｉ Ｔａｑ（登録商標）ＤＮＡポリメラーゼ（Perkin Elmer, cat.#N808-1012）に加えた。ＧｅｎｅＡｍｐ（登録商標）９６００サーモサイクラー（Perkin Elmer）中でＰＣＲ増幅を行った。試料を７２℃で５分間インキュベートし、連結されたアダプターの５’突出末端を充填した。試料を２５〜３０サイクル（９５℃で１分及び７２℃で３分）で増幅し、次いで７２℃で１０分間延長増幅した。アガロースゲルにより首尾よくアンプリコンが合成されたこと（即ち、約１００ｂｐ〜１５００ｂｐを超える範囲のＰＣＲ産物の塗抹標本）が確認された後で、テスター及びドライバーアンプリコンの大規模な増幅を行った。それぞれドライバー及びテスターの合成について先に記載されたようにして、４０の１００μｌＰＣＲ及び８つの１００μｌＰＣＲを設定した。１００μｌの反応材料当たり２μｌの小規模ＰＣＲ産物は、大規模アンプリコン産生用の鋳型としての役割を果たした。追加の１５〜２０サイクルの増幅を行うために、上記のようなサーモサイクリングを行った。次いでドライバー及びテスターＤＮＡ用のＰＣＲ反応材料をフェノール／クロロホルムで２回抽出し、イソプロパノールで沈殿させ、７０％エタノールで洗浄、Ｓａｕ３ＡＩで消化してアダプターを開裂した。テスターアンプリコンを低融点アガロースゲル上でさらに精製した。簡単に言えば、テスターアンプリコンＤＮＡ１０μｇを２％ＳｅａＰｌａｑｕｅ（登録商標）ゲル（FMC Bioproducts, Rockland, ME）上で移動させた。１５０〜１５００塩基対のフラグメントをゲルから切り出し、ゲルのスライスを、３ｍｌのＨ２Ｏ、４００μｌの０．５Ｍ ＭＯＰＳ及び４００μｌのＮａＣｌを用い、７２℃で２０分間融解させた。製造業者により指示されたように、Ｑｉａｇｅｎ−ｔｉｐ２０（Qiagen, Inc., Chatsworth, CA）を用いて融解したゲルスライスからＤＮＡを回収した。
【０１８９】
Ｃ．アンプリコンのハイブリッド形成及び選択的増幅
精製されたテスターＤＮＡアンプリコン約２μｌを上記のようにＮ Ｂｇｌ ２４（配列番号３）及びＮ Ｂｇｌ １２（配列番号４）に連結した。最初の控除ハイブリッド形成のために、Ｎ Ｂｇｌプライマーセットに連結されたテスターアンプリコン（０．５μｇ）とドライバーアンプリコン（２０μｇ）とを混合し、フェノール／クロロホルムで抽出し、エタノールで沈殿させた。４μｌのＥＥ×３緩衝液（３０ｍＭのＥＰＰＳ、２０℃におけるｐＨ８．０〔Sigma, St. Louis, MO〕、３ｍＭのＥＤＴＡ）にＤＮＡを再懸濁し、３５μｌの鉱油を重層した。加熱変性（９９℃で３分）させた後、変性したＤＮＡに５ＭのＮａＣｌ１μｌを加え、ＤＮＡを６７℃で２０時間ハイブリダイズした。水相を新しい管に移し、該試料に８μｌのｔＲＮＡ（５ｍｇ／ｍｌ）、次いで３９０μｌのＴＥ〔１０ｍＭのＴｒｉｓ（ｐＨ８．０）及び１ｍＭのＥＤＴＡ〕を加えた。ハイブリダイズしたＤＮＡ溶液８０μｌを、Ｈ２Ｏ４８０μｌ、５×ＰＣＲ緩衝液（上記）１６０μｌ、４ｍＭのｄＮＴＰ６４μｌ及びＡｍｐｌｉＴａｑ（登録商標）ポリメラーゼ６μｌ（３０単位）に加えた。該溶液を７２℃で５分間インキュベートして、連結されたＮ Ｂｇｌ ２４プライマーによって形成された５’オーバーハングを充填した。Ｎ Ｂｇｌ ２４（配列番号３、２０μｌのＨ２Ｏ中１．２４ｎｍｏｌ）を加え、反応材料をアリコート（１００μｌ／管）に分け、上記のように１０サイクルの増幅を行った。反応材料をプールし、フェノール／クロロホルムで２回抽出し、イソプロパノールで沈殿させ、７０％エタノールで洗浄して、４０μｌのＨ２Ｏに再懸濁した。一本鎖ＤＮＡをヤエナリヌクレアーゼ（ＭＢＮ）により除去した。簡単に言えば、増幅されたＤＮＡ２０μｌを、販売業者により記載のように、４０μｌの反応材料中２０単位のＭＢＮ（NEB）で消化した。ＭＢＮ消化物に５０ｍＭのＴｒｉｓ（ｐＨ８．８）１６０μｌを加えた。酵素を９９℃で５分間熱不活化した。８０μｌのＭＢＮ消化ＤＮＡを上記のようにしてさらに１５サイクルＰＣＲ増幅した。再び反応材料をプールし、フェノール／クロロホルムで２回抽出、イソプロパノールで沈殿させ、７０％エタノールで洗浄、Ｈ２Ｏに再懸濁した。次いで、増幅されたＤＮＡ（３〜５μｌ）をＳａｕ３ＡＩで消化し、上記のように抽出、沈殿させた。最終ＤＮＡペレットを１００μｌのＴＥに再懸濁した。
【０１９０】
Ｄ．引き続いてのハイブリッド形成／増幅段階
上記のようにして、先のハイブリッド形成／選択的増幅材料由来のＤＮＡ１００ｎｇをＪ Ｂｇｌプライマーセット（配列番号５及び配列番号６）に連結した。このＤＮＡ（５０ｎｇ）を２０μｇのドライバーアンプリコンと混合し、上記のようにしてハイブリッド形成及び増幅手順を繰り返したが、但し、サーモサイクリングの間の延長温度は７０℃であって、Ｎ Ｂｇｌプライマーセット（配列番号３及び配列番号４）の場合の７２℃ではなく、最終増幅段階（ＮＢＮ消化後の）は２５サイクルであった。次いで２回目のハイブリッド形成−増幅産物１００ｎｇをＮ Ｂｇｌプライマーセット（配列番号３及び配列番号４）に連結し、この材料２００ｐｇと２０μｇのドライバーアンプリコンとを混合し、上記のようにして３回目のハイブリッド形成／増幅を行ったが、最終増幅は２５サイクルであった。
【０１９１】
ＨＧＢＶ接種前及び急性期Ｔ−１０５３血漿に体して行われた代表相違分析（ＲＤＡ）から得られた産物の２％アガロースゲルを図１４に示す。図１４を参照すると、レーン１は、適切なサイズ（ｂｐ）のＤＮＡフラグメントを有する１５０ｎｇのＨａｅIII消化Ｐｈｉ−Ｘ１７４ＤＮＡマーカー（ＮＥＢ）を含んでいる。ドライバーアンプリコン（レーン２）及びテスターアンプリコン（レーン３）の複合性は、試料中に見られるＤＮＡ産物の塗抹標本によって実証されている。この複合性は、テスター配列が１回目（レーン４）、２回目（レーン５）又は３回目（レーン６）のハイブリッド形成／選択的増幅を受けると劇的に低下する。
【０１９２】
Ｅ．相違産物のクローニング
相違産物を、以下のようにｐＢｌｕｅｓｃｒｉｐｔＩＩＫＳ＋（Stratagene, La Jolla, CA, cat.#212207）のＢａｍＨＩ部位にクローニングした。０．５μｇのｐＢｌｕｅｓｃｒｉｐｔＩＩをＢａｍＨＩ（１０単位、NEB）で消化し、販売業者により指示されたように子牛腸管ホスファターゼ（１０単位、NEB）を用いて５’脱リン酸化した。プラスミドをフェノール：クロロホルムで抽出し、エタノールで沈殿させ、７０％エタノールで洗浄、１０μｌのＨ２Ｏに再懸濁した（最終濃度：１μｌ当たり約５０ｎｇのｐＢｌｕｅｓｃｒｉｐｔＩＩ）。２回目のハイブリッド形成／増幅産物由来の４つの最大バンドを上記のようにして２％低融点アガロースゲルから切り出した。ＴａｋａｒａＤＮＡ連結反応キット（Takara Biochemical, Berkeley, CA）を用い、融解した（７２℃、５分）ゲルスライス４μｌを、５０μｌの反応材料中５０ｎｇのＢａｍＨＩ−カット、脱リン酸化ｐＢｌｕｅｓｃｒｉｐｔＩＩに連結した。１６℃で３．５時間インキュベートした後、８μｌの連結反応材料を用いて、販売業者に指示されたように、 Ｅ．ｃｏｌｉコンピテントＸＬ−１Ｂｌｕｅ細胞（Stratagene）を形質転換した。アンピシリン（１５０μｇ／ｍｌ）を補ったＬＢプレート上に形質転換混合物をのせ、３７℃で一晩インキュベートした。得られたコロニーを液体培養中で増殖させ、ミニプレプ（miniprep）プラスミドＤＮＡを当該分野に記載のようにして分析し、クローニング産物の存在を確認した。
【０１９３】
２回目のハイブリッド形成／増殖段階から得られた４つの最大産物のクローニングに加えて、３回目のハイブリッド形成／増殖段階から得られた産物の全集団をｐＢｌｕｅｓｃｒｉｐｔＩＩにクローニングした。５０ｎｇのｐＢｌｕｅｓｃｒｉｐｔＩＩベクター（上記のように合成した）を、上記のようにして、５０μｌの反応材料中１０ｎｇの３回目のハイブリッド形成／増殖産物に連結した。１６℃で２時間インキュベートした後、１０μｌの連結反応産物を用いて、Ｅ．ｃｏｌｉコンピテントＸＬ−１Ｂｌｕｅ細胞を形質転換した。得られた形質転換産物由来の６０のコロニーを増殖させ、ミニプレプＤＮＡを合成し、上記のような当該分野において公知の方法で分析した。制限エンドヌクレアーゼ消化及びドットブロットハイブリッド形成法をユニーククローンを特定するために用いた。
【０１９４】
（実施例４）
ＨＧＢＶゲノムの抗原領域をコードするｃＤＮＡクローンの免疫分離
Ａ．クローニング材料源としての濃縮ウイルスの調製
実施例３に示されている方法に加えて、以下の分離手順を用いて、ＨＧＢＢＶゲノムを分離した。３匹のタマリン（Ｔ−１０５５、Ｔ−１０３８及びＴ−１０４９）に、実施例２に記載のタマリンＴ−１０５３から調製した血清を接種した。表５を参照すると、接種後１１日目までに３匹全てのタマリンに肝酵素値の上昇が見られた。タマリンＴ−１０５５を接種後１２日目に殺し、タマリンＴ−１０３８及びＴ−１０４９を接種後１４日目に殺した。これら３匹のタマリンそれぞれから由来の血清約３〜４ｍｌをプールし、全量約１１．３ｍｌを得た。プールされた血清を１５℃で１５分間１０，０００×ｇで遠心して清澄化した。次いでこれを連続的に０．８、０．４５、０．２及び０．１μｍの注射器フィルターに通した。次いで該濾過された材料を、ＳＷ４１−Ｔｉローター中、４℃で６８分間、４１，０００ｒｐｍで、０．３ｍｌのＣｓＣｌクッション〔密度：１０ｍＭのＴｒｉｓ、１５０ｍＭのＮａＣｌ、１ｍＭのＥＤＴＡ（ｐＨ８．０）中１．６ｇ／ｍｌ〕を介して遠心して濃縮した。約０．６ｍｌのＣｓＣｌ層を遠心後に取り出し、３つの０．２ｍｌアリコートに分け、−７０℃で貯蔵した。
【０１９５】
次いで、タマリンＴ−１０３４にこのペレット化材料（正常なタマリン血清中で調製した）の１０−６希釈物０．２５ｍｌを接種した。先ず、接種後２週間でＴ−１０３４にＡＬＴ肝酵素値の上昇が認められ、該値はその後７週間上昇を継続し、最終的に接種後１０週までに正常化した（図３０、実施例１４を参照されたい）。この実験は、プールされたタマリン血清から濃縮した材料の感染性を示した。該材料は比較的高いタイターを有することが示されたので、このウイルス濃縮源を、以下に記載のような、ｃＤＮＡライブラリー構築用の核酸源として用いた。
【０１９６】
Ｂ．ｃＤＮＡライブラリーの構築
販売業者の指示により市販のＲＮＡ抽出キット（Stratagene, La Jolla, CA）を用いて、濃縮ウイルス（上記）のアリコート（０．２ｍｌ）からＲＮＡを抽出した。最終沈殿段階の前に、試料を４つの等量のアリコートに分け、次いで５μｇ／ｍｌの酵母ｔＲＮＡの存在下に沈殿させた。これらのアリコートの中一つだけをｃＤＮＡ合成用に用いた。他のものは−８０℃で貯蔵した。製造業者に指示されたように、市販のキット（Stratagene, La Jolla, CA）を用いて、ＲＮＡから、リン酸化され、ブラント末端化二本鎖ｃＤＮＡを合成した。次いで、製造業者に指示されたように、Ｔ４ＤＮＡリガーゼキット（Stratagene, La, Jolla, CA）を用いて、１０μｌの反応材料容量中で二本鎖リンカー／プライマーをｃＤＮＡ末端（センスストランド、配列番号７；アンチセンスストランド、配列番号８）に連結した。これによって、全てのｃＤＮＡを、ＮｏｔＩ及びＥｃｏＲＩ制限酵素認識部位を含む同一の５’及び３’末端を有する混合物として得た〔G. Reyes及びJ. Kim, Mol. Cell. Probes 5:473-481 (1991); A. Akowitz及びL. Manuelidis, Gene 81:295-306 (1989); 並びにG. Inchauspeら, Viral Hepatitis and Liver Disease, F.B. Hollingerら, Eds., 382-387ページ(1991)〕。次いで、全ｃＤＮＡがそれらの配列とは無関係に増幅されるように、リンカー／プライマーのセンスストランドオリゴヌクレオチドをＰＣＲ反応におけるプライマーとして用いた。この手順により、全ｃＤＮＡ集団内に存在する微量ｃＤＮＡが、効率的にクローニングされるレベルにまで増幅され、それによって出発材料内の配列を表すｃＤＮＡライブラリーが形成された。
【０１９７】
製造業者により指示されたＧｅｎｅＡｍｐ  ＰＣＲキット（Perkin-Elmer）を用いて、ＰＥ−９６００サーモサイクラー中で、センスストランドオリゴヌクレオチドプライマーの存在下に上記連結材料の１μｌアリコートに対してＰＣＲを行った（最終濃度：１μＭ；反応材料容量：５０μｌ）。以下のようにして３０サイクルのＰＣＲを行った：９４℃で０．５分間の変性、５５℃で０．５分間のアニーリング及び７２℃で１．５分間の延長。次いで、得られた産物の１μｌアリコートを上記のようにして再増幅した。次いで、最終ＰＣＲ反応産物を等量のフェノール−クロロホルム（１：１、ｖ／ｖ）で１回、等量のクロロホルムで１回抽出し、次いで、酢酸ナトリウム（最終濃度、０．３Ｍ）及び２．５容量の無水エタノールを加えて、ドライアイス上で１０分間沈殿させた。得られたＤＮＡペレットを水に再懸濁し、製造業者に指示されたように、制限酵素ＥｃｏＲＩ（New England Biolabs）で消化した。次いで、製造業者に指示されたようにＤＮＡ結合樹脂（Prep-a-Gene, BioRad Laboratories）を用いて、消化されたｃＤＮＡを反応混合物から精製し、２０μｌの蒸留水中で溶離した。
【０１９８】
ｃＤＮＡ（８μｌ）を、３０μｌの反応材料容量中３μｇのラムダ ｇｔ１１ベクターＤＮＡアーム（Stratagen, La Jolla, CA）に４℃で１〜５日の間に連結した。製造業者に指示されたようにＧｉｇａＰａｃｋIIIＧｏｌｄパッケージ抽出物（Stratagene, 前出）を用いて、連結材料１１μｌをファージヘッドにパッケージした。得られたライブラリーは、組換え頻度が８９．３％で、平均インサートサイズが約３５０塩基対の合計約１７３万メンバー（ＰＦＵ）を含んでいた。
【０１９９】
Ｃ．組換えＧＢ ｃＤＮＡライブラリーの免疫スクリーニング
ｃＤＮＡライブラリーの免疫スクリーニングに用いた抗血清は、接種後に血清肝酵素レベルに上昇を示したタマリンから採取した。免疫スクリーニングには、２つの別個の抗血清プールを用いた。第１のプールは、２匹の動物（Ｔ−１０４８及びＴ−１０５１；それぞれ実施例１、表２と、実施例２、表５を参照されたい）由来の血清を含み、第２のプールは、１匹の動物（Ｔ−１０３４；図３０、実施例１４を参照されたい）由来の血清を含むものであった。用いられた特定の血清を表６に示す。
【０２００】
ｃＤＮＡライブラリーの免疫スクリーニングに用いるためにこれらの試料を選択した時点では、これらの試料は、１．４又は１．７組換えＣＫＳタンパク質（実施例１３）とのそれらの免疫反応性について試験されていなかった。従って、本明細書に示されている結果は、用いられた抗血清中のこれらの組換えタンパク質に対するＨＧＢＶ抗体の有無に関するいずれの情報とも関係なく得られたものである。
【０２０１】
【表２】
2005041862.tif 000003
【０２０２】
組換えファージの免疫分離に用いた手順は、Young及びDavisにより記載された方法〔R.A. Young及びR.W. Davis, PNAS 80:1194-1198 (1983)〕に基づき、以下のように変更を加えたものであった。一方は、Ｔ−１０４８及びＴ−１０５１からプールした抗血清を用い、他方はＴ−１０３４由来の抗血清を用いた２回の免疫スクリーニング実験を行った。いずれに場合にも、抗体とＥ．ｃｏｌｉタンパク質との非特異的相互作用を低減させるために、使用前に一次抗血清をＥ．ｃｏｌｉ抽出物に予備吸着させた。最初の実験では、Ｔ−１０４８／Ｔ−１０５１抗血清プールを用いて１２９万個の組換えファージを免疫スクリーニングした。２回目の実験では、Ｔ−１０３４抗血清を用いて３０万個の組換えファージを免疫スクリーニングした。組換えファージライブラリーをＥ．ｃｏｌｉストランドＹ１０９０ｒ−のローン上に置き、３７℃で３．５時間増殖させた。次いで、プレートをＩＰＴＧ（１０ｍＭ）で飽和したナイロンフィルターで覆い、４２℃で３．５時間インキュベートした。次いでフィルターを、１％のＢＳＡ、１％のゼラチン及び３％のＴｗｅｅｎ−２０（「ブロッキング緩衝液」）を含むＴｒｉｓ−塩水緩衝液中、２２℃で１時間ブロックした。次いでフィルターを一次抗血清（ブロッキング緩衝液中の１：１００希釈物）中、４℃で１６時間インキュベートした。次いで一次抗血清を取り出して次回のプラーク精製用に取って置き、０．１％Ｔｗｅｅｎ−２０を含むＴｒｉｓ−塩水中でフィルターを４回洗浄した。次いで、フィルターを１２５−Ｉ−標識（又はアルカリ−ホスファターゼ結合）ヤギ抗ヒトＩｇＧ（Jackson ImmunoResearch, West Grove, PAから入手可能）を含むブロッキング緩衝液中２２℃で６０分間インキュベートし、上記のように洗浄し、次いでＸ線フィルムに暴露（又はJ. Sambrookら, Molecular Cloning: A Laboratory Manual, 第2版, Cold Spring Harbor Press, Cold Spring Harbor, N.Y., 1989におけるような確定した手順に従って発色）した。このライブラリーから５種の免疫陽性ファージ（４−３ＢＩ、４８−１Ａ１、６６−３Ａ１、７０−３Ａ１、７８−１Ｃ１）を分離し、次いで、上記の方法を用いて３匹の感染タマリン（Ｔ−１０４８、Ｔ−１０５１、Ｔ−１０３４）由来の抗血清に対する結合特異性についてテストした。これらの組換え体は、３匹の感染タマリンそれぞれに由来する回復期血清と反応したが予備接種した血清とは反応しなかったポリペプチドをコードした（データは示さず）。
【０２０３】
組換えファージによりコードされたポリペプチドの免疫学的反応性の特異性を証明するために、ＥｃｏＲＩクローニング部位に対して５’位に位置するプライマー（配列番号９）及び３’位に位置するプライマー（配列番号１０）を用いて、ＰＣＲにより、各ｃＤＮＡをラムダファージゲノムから回収した。次いで、ＰＣＲ産物をＥｃｏＲＩで消化し、実施例１３に記載のようにして、Ｅ．ｃｏｌｉ発現プラスミドｐＪＯ２０１に次いで連結した。該ｃＤＮＡをｐＪＯ２０１のＥｃｏＲＩ部位に挿入することにより、このｃＤＮＡの翻訳読み取り枠をラムダファージクローン中にあるがままに維持した。ｐＪＯ２０１発現ベクター中のサブクローンを、４−３Ｂ１．１、４８−１Ａ１．１、６６−３Ａ１．４９、７０−３Ａ１．３７及び７８−１Ｃ１．１７とした。タマリンＴ−１０３４、Ｔ−１０４８及びＴ−１０５１由来の回復期血清（１：１００希釈物）を含むこれらのｃＤＮＡを発現する培養物から調製されたＥ．ｃｏｌｉ溶解物の免疫ブロット分析（実施例１３におけるような）により、各ＣＫＳ融合タンパク質について予測されたサイズのタンパク質との特異的免疫学的反応性が示された（データは示していない）。該ｃＤＮＡそれぞれのＤＮＡ配列を決定したが、これらのクローンはＨＧＢＶ−Ｂウイルス（配列番号１１）の配列とほぼ１００％の配列同一性を有していることが見いだされた。４−３Ｂ１．１インサート（配列番号１２及び１３）の配列は、その全体は決定されなかったが、配列決定部分は、塩基対６８３４−７４５８由来のＨＧＢＶ−Ｂ（配列番号１１）中の配列部分との９９．５％の配列同一性を示す。クローン４−３Ｂ１．１から得られた配列との同一性を示すＨＧＢＶ−Ｂ（配列番号１１）配列のこの領域は、＋１読み取り枠に翻訳され、配列番号１４として配列リストに示されている。４８−１Ａ１．１インサート（配列番号１５）の配列は、塩基対４５２３−４７５２由来のＨＧＢＶ−Ｂ（配列番号１１、実施例９を参照されたい）の配列の部分との１００％配列同一性を示す。配列番号１５に対応するＤＮＡ配列は＋１読み取り枠に翻訳され、配列番号１６として配列リストに示されている。６６−３Ａ１．４９インサート（配列番号１７）の配列は、クローン４８−１Ａ１．１の配列と実質的に１００％の配列同一性を示し、従って、配列リストにはタンパク質翻訳は示さない。７０−３Ａ１．３７インサート（配列番号１８）の配列は、塩基対６４５０−６７３２由来のＨＧＢＶ−Ｂ（配列番号１１）の配列の部分と１００％の配列同一性を示すが、但し、ＨＧＢＶ−Ｂ配列（配列番号１１）の塩基６６３０−６６３２に対応する３つの塩基対がかけている。配列番号１８に対応するＤＮＡ配列は＋２読み取り枠に翻訳され、配列番号１９として配列リストに示されている。７８−１Ｃ１．１７インサート（配列番号２０）の配列は、クローン７０−３Ａ１．３７の配列と１００％の配列同一性を示し、従って、配列リストにはタンパク質の翻訳は示さない。これらのデータは、ラムダｇｔ１１ｃＤＮＡライブラリーから分離されたｃＤＮＡクローンがＨＧＢＶ病原体のゲノムから誘導され、該ライブラリーがＧＢ感染タマリン由来の血清によって免疫学的に特異的に認識されたポリペプチドをコードすることを示している。クローン４８−１Ａ１．１（「クローン４８」）４−３Ｂ１．１、６６−３Ａ１．４９、７０−３Ａ１．３７及び７８−１Ｃ１．１７は、前記のAmerican Type Culture Collectionに寄託されている。
【０２０４】
（実施例５）
ＨＧＢＶクローンのＤＮＡ配列分析
実施例３で得られたユニーククローンをキット形態〔Sequenase（登録商標）バージョン2.0, USB〕のジデオキシヌクレオチド鎖停止法（Sangerら, 前出）を用いて配列形態した。これらの配列はオーバーラップしておらず、クローン４（配列番号２１）、クローン２（配列番号２２）、クローン１０（配列番号２３）、クローン１１（配列番号２４）、クローン１３（配列番号２５）、クローン１６（配列番号２６）、クローン１８（配列番号２７）、クローン２３（配列番号２８）、クローン５０（配列番号２９）及びクローン１１９（配列番号３０）として配列リストに示されている。クローン４、２、１０、１１、１３、１６、１８、２３、５０及び１１９はＡ．Ｔ．Ｃ．Ｃ．に寄託されている。クローン２はＡ．Ｔ．Ｃ．Ｃ．受託番号６９５５６、クローン４はＡ．Ｔ．Ｃ．Ｃ．受託番号６９５５７、クローン１０はＡ．Ｔ．Ｃ．Ｃ．受託番号６９５５８、クローン１６はＡ．Ｔ．Ｃ．Ｃ．受託番号６９５５９、クローン１８はＡ．Ｔ．Ｃ．Ｃ．受託番号６９５６０、クローン２３はＡ．Ｔ．Ｃ．Ｃ．受託番号６９５６１、クローン５０はＡ．Ｔ．Ｃ．Ｃ．受託番号６９５６２、クローン１１はＡ．Ｔ．Ｃ．Ｃ．受託番号６９６１３、クローン１３はＡ．Ｔ．Ｃ．Ｃ．受託番号６９６１１、及びクローン１１９はＡ．Ｔ．Ｃ．Ｃ．受託番号６９６１２が付与された。
【０２０５】
配列は、ＢＬＡＳＴＮアルゴリズム（Altschulら, J. Mol. Biol. 215:403-410[1990]）を用いて、ＧｅｎＢａｎｋデータベースで検索した。これらの配列はいずれもＧｅｎＢａｎｋでは見つからなかったが、これは、これらの配列がまだ文献において特性分析されていないことを示している。該ＤＮＡ配列は６つの可能な読み取り枠に翻訳され、配列リスト（配列番号２１は配列番号３１〜３６に、配列番号２２は配列番号３７〜４２に、配列番号２３は配列番号４３〜４８に、配列番号２６は配列番号４９〜５４に、配列番号２７は配列番号５５〜６０に、配列番号２８は配列番号６１〜６６に、配列番号２９は配列番号６７〜７２に翻訳する）に示されている。配列番号２４は配列番号７３（実施例９に記載）に含まれ、配列番号７４〜７９に翻訳されている。配列番号２５〜３０は配列番号８０（実施例９に記載）に含まれ、配列番号８１〜８６に翻訳されている。ＢＬＡＳＴＸアルゴリズム（Gishら, Nature Genetics 3:266-272 [1993]）を用い、翻訳された配列をＳＷＩＳＳ−ＰＲＯＴデータベースの検索に用いた。ここでも、これらの配列はＳＷＩＳＳ−ＰＲＯＴでは見つからず、それは、これらの配列がまだ文献において特性分析されていないことを示している。
【０２０６】
ＢＬＡＳＴＮ、ＢＬＡＳＴＸ及びＦＡＳＴｄｂアルゴリズムを用いて相同体を検索すると、肝炎のＣウイルスと低くはあっても幾分かの配列類似性が示される（以下の表７）。特に、クローン４（配列番号３５）、１０（配列番号４４）、１１（ＧＢ−４の残基１〜１６６、枠３〔配列番号７６〕）、１６（配列番号５０）、２３（配列番号６５）、５０（配列番号７０及び７２）並びに１１９（ＧＢ−Ａの残基９１２〜９８８、枠３〔配列番号８３〕）の翻訳は、アミノ酸レベルでの種々のＨＣＶ分離体に対する２４．１〜４５．１％の範囲の相同性がある。特に重要なのは、クローン１０（配列番号４４）の翻訳体が、ＨＣＶの推定ＲＮＡ依存性ＲＮＡポリメラーゼに対してわずかな相同性を示したことである。他の正鎖ウイルスの推定ＲＮＡ依存性ＲＮＡポリメラーゼ中に存在する保存アミノ酸（Jiangら, PNAS 90:10539-10543 [1993]）とクローン１０（配列番号４４）の推定アミノ酸翻訳体との比較により、他のＲＮＡ依存性ＲＮＡポリメラーゼの保存アミノ酸残基もクローン１０（配列番号４４）中に保存されていることが明らかになった。これには、ＲＮＡ依存性ＲＮＡポリメラーゼの正準（canonical）ＧＤＤ（Ｇｌｙ−Ａｓｐ−Ａｓｐ）シグネチャー配列が含まれている。従って、クローン１０（配列番号４４）は、ウイルス性ＲＮＡ依存性ＲＮＡポリメラーゼをコードするものと思われる。驚くべきことには、ＢＬＡＳＴＮアルゴリズムを用いた場合、クローン１０（配列番号４４）のみが、ヌクレオチドレベルでＨＣＶとの配列相同性を示した。アミノ酸レベルで低いＨＣＶ相同性を有するクローン４（配列番号２１）、１６（配列番号２６）、２３（配列番号２８）及び５０（配列番号２９）並びに１１９（配列番号３０）は、ＧｅｎＢａｎｋの検索において、ＢＬＡＳＴＮでは検出されなかった。さらに、クローン２（配列番号３７〜４２）、１３（配列番号２５及び３７〜４２）並びに１８（配列番号２７及び５５〜６０）は、上記のＧｅｎＢａｎｋ又はＳＷＩＳＳ−ＰＲＯＴＯで検索した場合に、ＨＣＶに対する有意なヌクレオチド又はアミノ酸相同性は、下記のように示さなかった。
【０２０７】
【表３】
2005041862.tif 000004
【０２０８】
（実施例６）
ＨＧＢＶクローンの外因性
ＨＧＢＶクローンは、正常又はＨＧＢＶ感染タマリン肝臓ＤＮＡ、正常なヒトリンパ球ＤＮＡ、酵母ＤＮＡ又はＥ．ｃｏｌｉＤＮＡには検出されなかった。これは、サザン法によりＨＧＢＶクローン２（配列番号２２）及び１６（配列番号２６）について示された。さらに、全ＨＧＢＶクローンをゲノムＰＣＲで分析して、タマリン、ヒト、酵母及びＥ．ｃｏｌｉゲノムに関するＨＧＢＶ配列の外因性起源を確認した。これらのデータは実施例５に記載のＨＧＢＶ配列のウイルス性性質と一致している。
【０２０９】
Ａ．サザンブロット法分析
ＨＧＢＶ感染タマリン及び正常なタマリンの肝臓ホモジネートを低速ペレット化してタマリンの肝臓の核を得た（以下に記載）。販売業者に指示されたように市販のキット（USB cat.#73750）を用いて核からＤＮＡを抽出した。タマリンＤＮＡを抽出過程の間にＲＮａｓｅで処理した。ヒト胎盤ＤＮＡ（Clontech, Palo Alto, CA）、酵母ＤＮＡ（Saccharomyces cerevisiae, Clontech）及びＥ．ｃｏｌｉＤＮＡ（Sigma）を市販源から得た。
【０２１０】
販売業者の指示に従って各ＤＮＡ試料をＢａｍＨＩ（NEB）で消化した。消化されたＤＮＡ（１０μｇ）及びＲＮＡ産物（実施例３Ｂからそれぞれ０．５μｇずつ）を１％アガロースゲル上で電気泳動させ、Sambrookらにより記載（ｐｐ．９．３４ｆｆ）のようにＨｙｂｏｎｄ−Ｎ＋ナイロンメンブラン（Amersham, Arlington Heights, IL）にキャピラリーでブロットした。ＤＮＡをメンブラン販売業者により指示されたようにアルカリ処理してメンブランに固定した。メンブランをＲａｐｉｄ Ｈｙｂ溶液（Amersham）中、６５℃で３０分間プレハイブリダイズした。
【０２１１】
ＨＧＢＶ配列の放射線標識プローブをＰＣＲにより調製した。１×ＰＣＲ緩衝液ＩＩ（Perkin Elmer）、２ｍＭのＭｇＣｌ２、２０μＭのｄＮＴＰ、それぞれ１μＭのクローン特異性センス及びアンチセンスプライマー（クローン２については、配列番号８７及び８８；クローン４については、配列番号８９及び９０；クローン１０については、配列番号９１及び９２；クローン１６については、配列番号９３及び９４；クローン１８については、配列番号９５及び９６；クローン２３については、配列番号９７及び９８；クローン５０については、配列番号９９及び１００）、１ｎｇのＨＧＢＶクローンプラスミド（実施例３〔Ｅ〕に記載）、６０μＣｉα−３２Ｐ−ｄＡＴＰ（３０００Ｃｉ／ｍｍｏｌ）及び１．２５単位のＡｍｐｌｉＴａｑ（登録商標）ポリメラーゼ（Perkin Elmer）を用いて５０μｌのＰＣＲを形成した。反応材料を、９４℃で３０秒、５５℃で３０秒及び７２℃で３０秒インキュベートして、合計３０サイクルの増幅を行い、次いで７２℃で３分間最終延長した。組み込まれなかった標識を、販売業者に指示されたようにＱｕｉｃｋ−Ｓｐｉｎ（登録商標）Ｇ−５０スピンカラム（Boehringer Mannheim, Indianapolis, IN）により除去した。プレハイブリダイズしたメンブランに添加する前にプローブを変性させた（９９℃、２分）。
【０２１２】
プレハイブリダイズしたメンブラン（２×１０６ｄｐｍ／ｍｌ）に、放射線標識したプローブを加え、Ｒａｐｉｄ Ｈｙｂ（登録商標）販売業者に指示されたように、フィルターを６５℃で２．５時間ハイブリダイズした。ハイブリダイズしたメンブランを、緩やかな厳格さ（１×ＳＳＣ、６５℃で０．１％ＳＤＳ）で洗浄し、次いで増感板を用い、−８０℃で７２時間オートラジオグラフフィルムに暴露した。これらの条件は、類似の放射線標識プローブを用いて単一コピーの遺伝子を検出するために考案された。
【０２１３】
結果は、クローン２（配列番号２２）及びクローン１６（配列番号２６）配列が、正常又はＨＧＢＶ感染タマリンの肝臓由来のＤＮＡ（それぞれ図１５及び図１６、レーン１Ｂ及び３Ｂ）、ヒトＤＮＡ（図１５及び図１６、レーン１Ａ）、酵母ＤＮＡ（図１５及び図１６、レーン２Ａ）又はＥ．ｃｏｌｉＤＮＡ（図１５及び図１６、レーン３Ａ）にハイブリダイズしなかったことを示している。さらに、ドライバーアンプリコンＤＮＡ（図１５及び図１６、レーン４Ａ、実施例２．Ｂ．に記載の予備ＨＧＢＶ接種されたタマリン血漿から誘導された）の場合にもハイブリッド形成は全く検出されなかった。対比的に、テスターアンプリコン（図１５及び図１６、レーン６Ａ、実施例２．Ｂに記載の総核酸抽出及び逆転写ステップを用いた感染性ＨＧＢＶタマリン血漿から誘導された）及び３回の控除／選択的増幅の産物（それぞれ１回目、２回目及び３回目の控除／選択的増幅からの産物に関する図１５及び図１６、レーン７Ａ、８Ａ及び４Ｂ）の場合には強力なハイブリッド形成シグナルが認められた。これらのデータは、ＨＧＢＶクローン２（配列番号２２）及び１６（配列番号２６）が感染源から増幅された核酸配列中に検出され、ＨＧＢＶクローン２（配列番号２２）及び１６（配列番号２６）が、タマリン、ヒト、酵母又はＥ．ｃｏｌｉゲノムＤＮＡ配列からは誘導されないことを示している。
【０２１４】
Ｂ．ゲノムのＰＣＲ分析
さらにＨＧＢＶ配列の外因性を示し且つそれらのウイルス起源を支持するために、タマリン、ヒト、酵母及びＥ．ｃｏｌｉ由来のゲノムＤＮＡに対してＰＣＲを行った。前出のJ. Sambrookらによる記載のようにして、 正常なタマリンの腎臓及び肝臓組織由来のＤＮＡを合成した。酵母、アカゲザルの腎臓及びヒト胎盤ＤＮＡをClonotechから得た。Ｅ．ｃｏｌｉＤＮＡはSigmaから得た。
【０２１５】
販売業者に指示されたように主としてPerkin-Elmer-Cetus製のＧｅｎｅＡｍｐ（登録商標）試薬を用いてＰＣＲを行った。各１００μｌの反応材料に対して３００ｎｇのゲノムＤＮＡを用いた。ＨＧＢＶクローン化配列（クローン２については、配列番号８７及び８８；クローン４については、配列番号８９及び９０；クローン１０については、配列番号９１及び９２；クローン１６については、配列番号９３及び９４；クローン１８については、配列番号９５及び９６；クローン２３については、配列番号９７及び９８；クローン５０については、配列番号９９及び１００）由来のＰＣＲプライマーを０．５μＭの最終濃度で用いた。ＰＣＲを３５サイクル（９４℃で１分；５５℃で１分；７２℃で１分）行い、次いで、７２℃で７分の伸長サイクルを行った。ＰＣＲ産物をアガロースゲル電気泳動により分離し、臭化エチジウムを用いて核酸を直接染色した後で紫外線照射するか及び／又はサザン法によりニトロセルロースフィルターへトランスファーした後で放射線標識プローブにハイブリダイズして視覚化した。実施例６Ａに記載のようにしてプローブを形成した。Digene（Belstville, MD）製のＦａｓｔ−Ｐａｉｒ  Ｈｙｂｒｉｄｉｚａｔｉｏｎ  Ｓｏｌｕｔｉｏｎ中でフィルターを３〜５時間プレハイブリダイズし、次いで１００−２００ｃｐｍ／ｃｍ２を用い、４２℃で１５〜２５時間Ｆａｓｔ−Ｐａｉｒ  Ｈｙｂｒｉｄｉｚａｔｉｏｎ  Ｓｏｌｕｔｉｏｎ中でハイブリダイズした。G.G. Schlauderら, J. Virol. Methods 37:189-200 (1992)に記載のようにしてフィルターを洗浄し、 増感板を用い、−７０℃で１５〜７２時間、Ｋｏｄａｋ Ｘ−Ｏｍａｔ−ＡＲフィルムに暴露した。
【０２１６】
図１７は、臭化エチジウム染色した１．５％アガロースゲルを示している。図１８は、クローン１６（配列番号２６）由来の放射線標識プローブにハイブリダイズした後の同一ゲルからのサザンブロット法によるオートラジオグラムを示す。正常なタマリン肝臓及び腎臓ＤＮＡに０．０５ゲノム当量（レーン１７及び１８）でスパイクされたクローン１６（配列番号２６）配列を検出することは可能であるにも拘わらず、クローン１６（配列番号２６）配列は、その外因性と一致して、ゲノムＰＣＲ分析により、タマリン（図１７及び図１８、レーン９及び１０）、アカゲザル（レーン１１）又はヒトゲノムＤＮＡ（レーン１２）中にも、酵母又はＥ．ｃｏｌｉＤＮＡ（データは示さず）中にも検出されなかった。さらに、ヒトドーパミンＤ１レセプター遺伝子由来のプライマー、１０００−１０１９塩基対（センスプライマー）及び１５３３−１５５２塩基対（アンチセンスプライマー）（GenBankアクセス番号：X55760、R.K. Sunaharaら, Nature 347:80-83[1990]）は、霊長類ゲノムＤＮＡ（タマリン腎臓、タマリン肝臓、アカゲザル及びヒトのＤＮＡに対応する図１７、レーン２、３、４及び５、）由来のドーパミンＤ１レセプターＤＮＡを首尾よく増幅し、それは、低コピー数（即ち、単一コピー）配列を検出するこの方法の有用性を示している。レーン１及び８は、それぞれドーパミンＤ１レセプター及びクローンの１６プライマー（配列番号９３及び９４）に対するＨ２Ｏ対照である。レーン６は、ドーパミンレセプタープライマーで増幅した１００ｆｇのクローン１６（配列番号２６）プラスミドＤＮＡを含む。レーン１４、１５、１６及び２０は、それぞれ１、３、１０及び１００ｆｇのクローン１６（配列番号２６）プラスミドＤＮＡを含む。レーン７及び１９はマーカーである。上記のクローン２、４、１０、１８、２３及び５０に特異的なＰＣＲプライマーを用いて類似の結果を得た（データは示さず）。クローン２（配列番号２２）、４（配列番号２１）、１０（配列番号２３）、１８（配列番号２７）、２３（配列番号２８）及び５０（配列番号２９）はこの時点では結果が出ていない。しかし、クローン４（配列番号２１）、１０（配列番号２３）、１８（配列番号２７）及び５０（配列番号２９）配列は、タマリン、ヒト、酵母及びＥ．ｃｏｌｉＤＮＡ（アカゲザルは試験しなかった）には検出されず、これは、これらの配列が試験したゲノムＤＮＡ源に対して外因性であり、これらの配列のウイルス起源を支持するものであることを示している。
【０２１７】
（実施例７）
タマリン血清におけるＨＧＢＶ配列の存在
接種前及び急性期Ｔ−１０５３血漿のＨＧＢＶクローン配列の存在をＰＣＲにより調べた。ＨＧＢＶゲノムはＤＮＡ又はＲＮＡであり得るので、ＰＣＲ及びＲＴ−ＰＣＲを行った。特に、全核酸を実施例３（Ａ）に記載のようにして血漿から抽出した。実施例６（Ｂ）に記載のようにして当量の５μｌの血漿核酸に対してＰＣＲを行い、主として製造者の指示に従いPerkin-Elmer-Cetus製のＧｅｎｅＡｍｐ（登録商標）ＲＮＡ ＰＣＲキットを用いて、ＰＣＲ中１μＭ濃度のプライマー（クローン２については、配列番号８７及び８８；クローン４については、配列番号８９及び９０；クローン１０については、配列番号９１及び９２；クローン１６については、配列番号９３及び９４；クローン１８については、配列番号９５及び９６；クローン２３については、配列番号９７及び９８；クローン５０については、配列番号９９及び１００）を用いてＲＴ−ＰＣＲを行った。ランダムヘキサマーを用いてｃＤＮＡ合成を開始した。
【０２１８】
ＰＣＲ産物の臭化エチジウムによる染色及びハイブリッド形成により、急性期Ｔ−１０５３血漿には、ＨＧＢＶクローン配列２（配列番号２２）、４（配列番号２）、１０（配列番号２３）、１６（配列番号２６）、１８（配列番号２７）、２３（配列番号２８）及び５０（配列番号２９）が存在したが、予備接種Ｔ−１０５３血漿には存在しないことが示された（データは示さず）。さらに、ＨＧＢＶクローン２（配列番号２２）、４（配列番号２１）、１０（配列番号２３）、１８（配列番号２７）、２３（配列番号２８）及び５０（配列番号２９）配列は、タマリンＴ−１０５３に注入されたＨＧＢＶ接種材料であるＨ２０５中に検出することができた（実施例ＩＢ参照）。これらの結果を表８に要約する。ＨＧＢＶクローン配列は急性期血漿においてＲＴ−ＰＣＲによってのみ検出されたことに留意されたい。ＨＧＢＶクローン配列が、ＲＮＡをｃＤＮＡに変換するための逆転写段階後に初めてＰＣＲにより急性期血漿中に検出されたという事実は、これらのクローンのあるものとＨＣＶ分離体との低い相同性、及びＨＧＢＶクローン１０（配列番号２３；実施例５）のＲＮＡ依存性ＲＮＡポリメラーゼ中に認められた保存アミノ酸をコードする配列の存在と共に、ＨＧＢＶがＲＮＡウイルスであることを示唆している。
【０２１９】
ＨＧＢＶクローン１６配列（配列番号２６）を有するタマリン血漿パネルのＲＴ−ＰＣＲ分析を行って、実験的にＨＧＢＶに感染させた他の個体中のＨＧＢＶクローン１６（配列番号２６）の存在を確認した。先に記載（G.G. Schlauderら, J. Virological Methods 37:189-200 [1992]）のようにして、Ｈ２０５の接種材料で実験的に感染させる前と感染させた後で得られたタマリン由来の血漿２５μｌから核酸を分離した。エタノールで沈殿させた核酸を３μｌのＤＥＰＣ処理Ｈ２Ｏに再懸濁した。主として製造業者の指示に従って、Perkin-Elmer-Cetus製のＧｅｎｅＡｍｐＲＮＡ ＰＣＲキットを用いて、ｃＤＮＡ合成及びＰＣＲを行った。ランダムヘキサマーを用いてｃＤＮＡ合成を開始した。得られたｃＤＮＡをクローン１６プライマー（配列番号９３及び９４）を用い、０．５μＭの最終濃度でＰＣＲにかけた。ＰＣＲを３５サイクル（９４℃で１分；５５℃で１分；７２℃で１分）行い、次いで７２℃で７分間延長サイクルを行った。ＰＣＲ産物をアガロースゲル電気泳動により分離し、核酸を臭化エチジウムで直接染色した後で紫外線照射するか、及び／又は実施例６Ｂに記載のようにサザンブロット法によりニトロセルロースフィルターにトランスファーした後で放射線標識したプローブにハイブリダイズして視覚化した。
【０２２０】
図１９は、臭化エチジウム染色した１．５％アガロースゲルを示す。図２０は、クローン１６（配列番号２６）由来の放射線標識プローブにハイブリダイズした後の同一ゲルからのサザンブロット法によるオートラジオグラムを示す。Ｈ２Ｏ及びヒトの正常血清がレーン１及び２に示されている。レーン３、１９及び２０はマーカーである。レーン４、８、１２及び１６は非感染タマリン血清由来であり、レーン６、１０、１４及び１８は感染タマリン血清由来である。これらの結果は、ＨＧＢＶクローン１６配列（配列番号２６）が、タマリンＴ−１０５３の外に、ＨＧＢＶに感染した他の個体にも検出されたが、非感染個体には検出されなかったことを示している。５匹のＨ２０５感染動物由来の急性期血清をテストした。クローン１６配列（配列番号２６）は、これらの動物の中の３匹〔レーン１０、Ｔ−１０４９、接種後１４日目（ｄｐｉ）；レーン１４、Ｔ−１０５１，２８ｄｐｉ；レーン１８、Ｔ−１０５５、１６ｄｐｉ〕由来の血清中に検出された。クローン１６配列（配列番号２６）は、５匹の動物（レーン４、Ｔ−１０４８；レーン８、Ｔ−１０４９；レーン１２、Ｔ−１０５１；レーン１６、Ｔ−１０５５；Ｔ−１０５７は示さず）のいずれの接種前血清からも検出されなかった。これらの結果は、クローン１６配列（配列番号２６）が感染性ＨＧＢＶ病原体由来であり得ることを示唆している。５種の急性期血漿中の２種（レーン６、Ｔ−１０４８、２８ｄｐｉ；Ｔ−１０５７、１４ｄｐｉ、図示せず）に、クローン１６配列（配列番号２６）が不在であることは、タマリンにおけるＨＧＢＶ感染の急性分解性質とあいまったクローン１６ＲＴ−ＰＣＲの比較的低い感受性（クローン１６配列（配列番号２６）の約≧１０００コピーを検出し得ると想定される）から説明し得る。従って、２匹の陰性動物由来の急性期血漿は、用いられたＲＴ−ＰＣＲアッセイの検出レベルを下回るＨＧＢＶのタイターを含み得る。これら２匹の動物がクローン４（配列番号２１）に対して陽性であったというＲＴ−ＰＣＲによる観察結果（実施例１４）は、１つのウイルス（クローン４を含む）のＲＮＡ配列の存在及び第２のウイルス（クローン１６を含む）由来の検出可能なＲＮＡ配列の不在を反映している可能性がある。
【０２２１】
（実施例８）
感染タマリンの肝臓におけるHGBV配列のノーザンブロット分析
HGBVクローン配列が、急性期タマリン血漿中でのRT−PCRとH205接種とにおいて検出できたことにより、これらの配列がHGBVゲノムを起源とする可能性が高まった。さらに別のRT−PCR検査によって、H205感染タマリンT−1053から抽出した肝臓RNA にHGBV配列が存在することが実証された（データは示されていない）。従って、HGBVゲノムのサイズを知るために、H205感染及び非感染タマリンの肝臓RNAとのノーザンブロット分析を行った。RNA単離キット(Stratagene, La Jolla, CA)をその推奨使用法に従って用い、H205感染タマリンT−1053の肝臓 1.25gと対照非感染タマリンT−1040の肝臓1.0gとから全細胞RNAを抽出した。全RNA(30μg)を、0.6Mホルムアルデヒドを含む1%アガロースゲルを通して電気泳動し(R.M. Fourney らFocus 10:5−7,[1988]) 、更に、上記の通りに20×SCC(pH7.0)中で毛管作用によってHybond−N ナイロン膜(Amersham)に移した。J.Sambrookら,Molecular Cloning−A Laboratory Manual, 第２版(1989)。そのRNA を上記ナイロン膜に対してUV架橋し、上記ナイロン膜を真空炉内で80℃で60分間焼き付けた。PIPES 0.05M とリン酸ナトリウム50mMとNaCl 100 mM とEDTA 1mMとSDS 5%とを含む溶液25ml中で、60℃で２時間、このブロットに前ハイブリッド形成させた。G.D. Vircaら,Biotechniques8:370 −371 (1990)。放射能標識化DNAプローブとのハイブリッド形成の前に、上記溶液を取り除き、新鮮な溶液 10 mlを加えた。ハイブリッド形成に使用したプローブは、クローン４(配列番号21; 221 bp) とクローン50(配列番号29; 337 bp) とヒトβ−アクチンに対応する2000 bp cDNAだった。P.Gunning, らMol. and Cell. Biol. 3:787−795 (1983)。ランダムプライマー標識化キット(Stratagene, La Jolla, CA)を推奨使用法に従って用い、 [α−３２P]dATPの存在下でプローブ(50ng)を放射能標識化した。各プローブの比放射能は約10９cpm/μg だった。ブロットを60℃で16時間ハイブリッド形成させ、上記の通りに洗浄し(G.D. Virca ら、前出）、−80℃でKodak X−Omat−ARフィルムに対して露出した。得られたオートラジオグラフの写真を図21A に示した。レーン1 とレーン3 とレーン5 は、T−1040からの肝臓RNA を含み、レーン2 とレーン4 とレーン６は、T−1053からの肝臓RNA を含む。レーン1 とレーン2 は、ヒトβ−アクチンcDNAプローブとハイブリッド形成し、レーン3 とレーン4 はクローン4 プローブ (配列番号21) とハイブリッド形成し、レーン5 とレーン6 はクローン50プローブ (配列番号29) とハイブリッド形成した。露出時間は、レーン1 とレーン2 とが−80℃で5 時間であり、レーン3 からレーン6までが−80℃で56時間であった。28S リボゾームRNA の位置と18S リボゾームRNA の位置は矢印で示されている。これらのリボゾームRNA の相対サイズは、各々6333ヌクレオチドと2366ヌクレオチドである。J. Sambrook ら、前出。
【０２２２】
クローン4 プローブ (配列番号21) とクローン50プローブ(配列番号29) は、感染タマリン(T−1053) の肝臓から抽出したRNA 中に含まれるRNA 種とハイブリッド形成した (図21A 、レーン4 とレーン6)。このハイブリッド形成可能なRNA 種のサイズは、28S リボゾームRNA と18S リボゾームRNA と比べての相対移動度に基づいて約8300ヌクレオチドと計算された。上記両プローブは同一のRNA 種とハイブリッド形成したと考えられる。上記両プローブは非感染タマリン(T−1040) の肝臓から抽出したRNAとはハイブリッド形成しなかった (図21A、レーン3とレーン5)。これらの結果は、クローン4(配列番号21) 配列とクローン50 (配列番号29) 配列とが同じ8.3Kb 転写物内に存在していることを示している。
【０２２３】
HGBV RNAゲノムの鎖形成度(strandedness)を知るために、鎖特異性(Strand-specific) 放射能標識化DNA プローブを、Perkin−Elmer からの GeneAmp（登録商標） PCRキットを推奨使用法に従って用い、非対称PCR によって調製した。精製クローン50 DNA (配列番号29) を、クローン50に陰性な鎖特異性プライマー(配列番号99) 又はクローン50に陽性な鎖特異性プライマー(配列番号100)のどちらかを含む別々の反応の中で、 1μM の最終濃度となるよう鋳型として使用した。この反応混合物は、こうした反応混合物中に通常含まれるdATPの代わりに、 {α３２P −dATP](Amersham; 3000Ci/mmol)を含んでいた。上記鋳型を30回線形増幅した後に、非取込み [α３２P −dATP] を Quick−Spin（登録商標） Sephadex G50 スピンカラム(Boehringer −Mannheim，Indianapolis, IN) を推奨使用法に従って用い、取り除いた。二重鎖クローン50 DNA (配列番号29) の10倍ずつ希釈した液を含むDNA ドットブロットに放射能標識化プローブをハイブリッド形成させ、上記両プローブが概ね同等の感度を有することを認めた（データは示していない）。上記の通りに非感染タマリン T−1040から抽出した肝臓RNA と感染タマリン T−1053から抽出した肝臓RNA とを合計で30μg 含むRNA ブロットと共に、放射能標識化プローブをハイブリッド形成させた。得られたオートラジオグラフの写真を図21B に示す。レーン1 とレーン3 は T−1040からの肝臓RNA を含み、レーン2 とレーン4 は T−1053からの肝臓RNA を含む。レーン1 とレーン2 はクローン50に陽性な鎖プローブと共にハイブリッド形成し (即ち、陽性鎖が放射能標識化され、陰性鎖を検出した：配列番号100)、レーン3 とレーン4 はクローン50に陰性な鎖プローブと共にハイブリッド形成した（即ち、陰性鎖が放射能標識化され、陽性鎖を検出した：配列番号99）。ブロットを−80℃で18時間露出した。28S リボゾームRNA の位置と18S リボゾームRNA の位置とが矢印で示されている。
【０２２４】
図21B に示すように、クローン50に陽性及び陰性な鎖プローブ（各々配列番号100 と99）は、感染タマリン T−1053の肝臓から抽出した約8.3 キロベースのRNA 種とはハイブリッド形成した（図21B 、レーン２とレーン４）が、非感染タマリン T−1040の肝臓から抽出したRNA とはハイブリッド形成しなかった（図21B 、レーン１とレーン3 ）。これは、上記で示したクローン4(配列番号21) 及びクローン50 (配列番号29) 二重鎖プローブを使用して得られたノーザンブロット結果と一致していた。より強いシグナルがクローン50に陰性な鎖プローブ (配列番号99) を用いて得られた（図21B 、レーン4 対レーン2 ）ことは、感染タマリンの肝臓中に存在する優勢なRNA 種が陽性（即ち、コード化）鎖であることを示唆していた。
【０２２５】
（実施例９）
HGBVクローン配列の伸長
Ａ．HGBV配列の生成
既述の実施例3 の通りに得られ且つ実施例５の通りに配列決定されたクローンの各々は、HGBVゲノムの別々の領域から得られたと考えられた。従って、既に同定したクローンの間に残るHGBVゲノムの別の領域から配列を得るために、及び、そのRNA クローンの配列を確認するために、幾つかのPCR 移動実験(PCR walking experiment)を行った。
【０２２６】
全核酸を実施例3(A)で説明した通りに感染 T−1053血漿の50μl アリコートから抽出した。簡単に言えば、沈殿した核酸をDEPC処理した H2O 10μl 中に再懸濁させた。GeneAmp（登録商標） RNA PCRキット(Perkin −Elmer)で推奨使用法に従って標準RT−PCR を行った。簡潔に言えば、2mM MgCl２と 1μM プライマーによる抽出核酸のランダム感作逆転写反応のcDNA生成物に対して、PCR を行った。反応物に対して35サイクルの変性−アニーリング−伸長（94℃、30秒；55℃、30秒；72℃、 2分）を行い、その後で72℃で３分間の伸長を行った。アガロースゲル分析の前に反応物を 4℃に維持した。これらの生成物を慣用手法によりpT7 Blue T−ベクタープラスミド(Novagen）の中にクローン化した。表９は、上記反応を行った時に得られた結果を表している。
【０２２７】
【表４】
2005041862.tif 000005
【０２２８】
Sorensenら(J. Virol, 67:7118−7124[1993]) によって説明されているPCR 移動手法を変形した方法を、追加HGBV配列を得るために使用した。簡単に述べると、全核酸を感染タマリン T−1053血漿から抽出し、逆転写した。得られたcDNAを、MgCl２ 2mMを使用したことを除いてはSorensenら（前出）の手順と同様に、50μl PCR 反応物(PCR 1) 中で増幅した。これらの反応物に対して35回の変性−アニーリング−伸長（94℃、30秒；55℃、30秒；72℃、 2分）を行い、その後72℃で３分間の伸長を行った。Sorensenら（前出）が説明している通りに、ストレプタビジンで被覆した常磁性ビーズ(Promega) を使用してビオチニル化生成物を単離した。Sorensenらが説明している通りに、合計で20〜35回の変性−アニーリング−伸長し、ストレプタビジンで精製した生成物に対して「入れ子(nested)」PCR(PCR 2)を行った。得られた生成物と、それらを生成するために使用したPCR プライマーとを表10に示す。
【０２２９】
【表５】
2005041862.tif 000006
【０２３０】
これらの生成物を、慣用手法により低融点アガロースゲルから単離し、pT7 Blue T−ベクタープラスミド(Novagen) の中にクローン化した。
【０２３１】
上記の通りに、ウイルスゲノムRNA から5’末端配列を得るために、RNA リガーゼ仲介5’ RACE(cDNA末端の高速増幅：R apidA mplification of c DNA E nds)を使用した。簡単に述べると、5’ AmpliFINDER（登録商標）RACE キット(Clontech, Palo Alto, CA) を推奨使用法に従って使用した。ウイルスRNA の供給源は、上記の通りに抽出した急性期 T−1053血漿であった。逆転写（RT）のために使用した個々のウイルス種に固有のオリゴヌクレオチドと、第１のPCR 増幅(PCR 1) と第２のPCR 増幅(PCR 2) とを、表11に示す。結合アンカープライマーとその相補的PCR プライマーは上記製造者から提供を受けた。GeneAmp RNA PCR キット(Perkin Elmer)を使用して推奨使用法に従ってPCR を行った。
【０２３２】
【表６】
2005041862.tif 000007
【０２３３】
RNA リガーゼ仲介5’ RACE によって生成された生成物を、上記の通りに低融点アガロースゲルから単離し、pT7 Blue T−ベクタープラスミド(Novagen) の中にクローン化した。
【０２３４】
HGBV−B 配列の5’末端と3’末端とにおける別の配列を得るために（下記の「HGBV内の２種類のHCV 様フラビウイルスの存在の証拠」を参照されたい）、RNA 環化実験(RNA circularization experiment)を行った。（この方法は、C.W. Mandlら(1991) Biotechniques, Vol 10 (4): 485 −486 に説明されている方法に基づいている。）（沈殿中にtRNAをグリコーゲン 1μg で置き換えたことを除いてH205接種後14日目の） T−1057血漿50μl から全核酸を精製した。核酸ペレットをDEPC処理した水16.3μl の中に再溶解し、 2×TAP 緩衝液(1×=50 mM NaOAc、pH 5.0、1 mM EDTA 、10mM 2−メルカプトエタノール、2m MATP)25 μl と、タバコ酸ピロホスファターゼ（20単位;Sigma) 8.7μl とを加えた。混合物を37℃で60分間温置した。（水で飽和させた）フェノールを使用し更にクロロホルムを使用して試料を抽出し、グリコーゲン(1μg)の存在下でNaOAc/EtOHを用いて沈殿させた。そのペレットをDEPC水83μl 中に溶解し、10×RNA リガーゼ緩衝液(New England Biolabs, NEB)10μl とRNase インヒビター(Perkin Elmer) 2μl とT4 RNAリガーゼ(NEB)5μl とを加えた。混合物を 4℃で16時間温置した。上記と同様にフェノールを使用し更にクロロホルムを使用して試料を抽出し、NaOAc/EtOHを用いて沈殿させた。
【０２３５】
Superscript RT (GIBCO/BRL)をその推奨使用法に従って使用し且つ配列番号146 をプライマーとして用いる逆転写酵素(RT)反応で、結合RNA の1/10を使用した。RT反応混合物の半分を、ビオチニル化オリゴヌクレオチドプライマー (配列番号146)と第２のオリゴヌクレオチドプライマー (配列番号133)との存在下でPCR1のために上記の通り使用した。Sorensenら（前出）の通りにストレプタビジン被覆磁性ビーズを使用して、PCR1生成物を反応混合物から精製した。精製したPCR1生成物（30μl の中から 2μl ）をPCR2のための鋳型として使用した。オリゴヌクレオチドプライマー (配列番号147,154)を使用するPCR2によって、1200 bp 生成物を得、この生成物をpT7 Blue T−ベクタープラスミドの中にクローン化し、下記の通りに配列決定した。この実験からの２つの独立したクローンの配列分析によって、（一方のクローンが18個のT 残基の配列を有し、他方のクローンが27個のT 残基の配列を有したが）既知の配列と重複する領域では100%の同一性を示し、さらに追加の塩基270 個の新たな配列とが明らかになった。
【０２３６】
上記環化実験は、標準的な3’−RACE手法又は5’−RACE手法では得られなかったHGBV−B ウイルスゲノムの5’末端と3’末端の両方からの配列を与えた。しかし、新たに得られた配列から設計したプライマーを使用して行った別のPCR 実験の後でさえ、正確な5’−3’結合部を発見することは困難だった。従って、HGBV−B RNA ゲノムの5’末端をより適切に定性するために、 T−1053の肝臓から単離したRNA を使用してプライマー伸長実験を行った。
【０２３７】
実施例７で説明した通り、 T−1053の肝臓と対照( 即ち、非感染）動物(T−1040) の肝臓とから全細胞RNA を単離した。アンチセンスオリゴヌクレオチド (配列番号155)を、T ４ポリヌクレオチドキナーゼ(NEB) を使用して約9.39×10７CPM/μg の比放射能にγ−３２P −ATP で末端標識化した(Sambrook ら）。プライマーを別々の反応において T−1053肝臓RNA と T−1040肝臓RNA との30μl にアニーリングし、上記(Sambrook ら）の通りにMMLV逆転写酵素(Perkin −Elmer)を使用して伸長した。生成物を6%シークエンシングゲル上で分析した。プライマー伸長のために使用したプライマーと同一のプライマーを使用したHGBV−B 環化クローンの１つから生成したシーケンスラダー(sequence ladder) が、サイズ標準としての役割を果たした。
【０２３８】
176bp のプライマー伸長生成物を T−1053から得た。非感染動物(T−1040) から抽出した肝臓RNA を使用したプライマー伸長では、こうした生成物は得られず、従って、HGBV−B ゲノムから得られた生成物を示した。得られたこれらの生成物の長さは、感染動物の肝臓内に存在するそれのような上記ゲノムの5’末端が、AUG 開始コドンから442 ヌクレオチド長だけ上流に位置することを示した。
【０２３９】
上記環化実験で得られた配列の3’位置を確認するために、予測される3’末端に対応するプライマーを使用してRT−PCR を行った（表２の反応1.25を参照されたい）。配列番号156 と配列番号157 とを使用した（上記の通りの）感染 T−1053血漿のRT−PCR では450bp の生成物が得られた。これとは対照的に、配列番号157 の相補と配列番号147 とを使用するRT−PCR では、検出可能なPCR 生成物が得られなかった（データは示していない）。これらのデータは上記ゲノムの3’末端がポリ T系の50ヌクレオチド長下流に位置することを示唆している。
【０２４０】
表9 、表10、表11と上記RNA 環化実験とからのクローン化生成物を、実施例５で既に説明した通りに配列決定した。興味深いことに、反応1.4 、1.6 、1.9 、1.10、1.11のクローン化生成物がその末端において上記２つのプライマー配列の一方だけしか含まないことが発見され、このことは、これらの生成物が、誤ったランダムな合成開始事象(priming event) の結果として生じたことを示唆していた。PCR ／配列決定実験によって、生成物1.4 、1.6 、1.9 、1.10、1.11中で検出した配列が、クローン４ (配列番号21) 及び／又はクローン50 (配列番号29) とに関連付けられた。加えて、反応の各々から得られた配列は、HCV との同一性が限定されていた。従って、これらの生成物は、PCR 生成物の一方の末端における誤った合成開始(priming) の結果ではあっても、真正のHGBV配列を含むと考えられた。反応1.14から得られた生成物も誤った合成開始の結果であると考えられた。この場合に、配列番号160 の相補が、反応1.14から得た生成物の5’末端に発見された (図22、GB−B)。GB−A 内にある配列番号161 から配列番号160 が得られているので、このことは予想外であった。しかし、反応1.14から得た生成物と反応2.8 から得た生成物との間の配列の同一性が、別のPCR ／配列決定実験（データは示していない）と共に、反応1.14が真正  HGBV配列を含むことを実証した。配列番号160 の相補が配列番号162 の上流にあって、GB−B 配列に対してPCR プライマーとして働くのに十分な同一性を有することが明らかである。
【０２４１】
上記の表9 と表10と表11とに示した生成物から得られた配列と、上記RNA 環化実験から得られた配列とを、GCG Package(Version 7) プログラムを使用してコンティグ(contig)の形にアセンブルした。このアセンブルしたコンティグの概要を図22に示す。GBコンティグA(GB−A)は長さ9493bpであり、その全てが配列決定されており、配列番号163 に示す。GB−A は、クローン２ (配列番号22) とクローン16 (配列番号26) とクローン23 (配列番号28) とクローン18 (配列番号27) とクローン11(配列番号24) とクローン10 (配列番号23) とを含む。配列番号163 は３つの読み可能枠に翻訳され、配列番号164 −392 としての配列表の形で示されている。GBコンティグB(GB−B)は  9143 bp であり、配列番号393 に示す。GB−B(配列番号393)は、クローン４ (配列番号21) とクローン50 (配列番号29) とクローン119(配列番号30) とクローン13 (配列番号25) とを含んでいる。配列番号393 は１つの開放読み枠に翻訳され、配列番号396 、397として配列表の形で示されている。5’末端と3’末端とからのUTR の各々を６つの読み枠に翻訳することが可能である。
【０２４２】
Ｂ．HGBV内の２種類のHCV 様ウイルスの存在に関する証拠
１．２つの互いに異なったRNA 種を表すGB−A とGB−B との証拠
GB−A(配列番号163)及びGB−B(配列番号393)とHCV −1(GenBank accession#M67463)との比較によって、GB−A(配列番号163)及びGB−B(配列番号393)と HCV−1 とが全て異なった配列であることを示す。GB−A(配列番号163)及びGB−B(配列番号393)とHCV −1 との核酸配列のドットプロット分析を、GCGPackage(Version 7)を使用して行った。21のウィンドウサイズと14のストリンジェンシー(stringency)とを使用して、GB−A(配列番号163)及びGB−B(配列番号393)と HCV−1 とが互いに明らかに異なったヌクレオチド配列を含むことが発見された（図23）。従って、GB−A(配列番号163)及びGB−B(配列番号393)は、HCV の異なる株又は遺伝子型を表すものではなく、互いに異なる株又は遺伝子型を表すものでもない。この分析によって、限定されたヌクレオチド同一性を有する短い領域が、GB−A(配列番号163)とGB−B(配列番号393)のNS3 様配列とNS5b様配列との中に、並びにHCV のNS3 配列とNS5b配列の中に発見された。しかし、推定上のNTP 結合へリカーゼとRNA 依存性RNA ポリメラーゼの各々がNS3 とNS5bとに対応し、これが全てのフラビウイルス中に保存されているので、上記領域内のヌクレオチド同一性は驚くには値しない（下記参照）。GB−A(配列番号163)とGB−B(配列番号393)が別々のRNA 分子を表し、これらが同じRNA 分子の別々の領域でもないということが、5’ RACE 実験（上記）によって実証され、（実施例８で説明した）ノーザンブロットデータによって立証された。最初に、5’ RACE 実験によって、GB−A(配列番号163)とGB−B(配列番号393)との5’末端がそれぞれ異なることが示された。RNA 分子の5’末端は１種だけだから、GB−A(配列番号163)とGB−B(配列番号393)とは別々のRNA 分子を表す。第２に、クローン４とクローン50（両方ともGB−B[配列番号393]から得られた配列番号21、29、実施例８を参照されたい）を用いてノーザンブロット法によって感染タマリンの肝臓RNA 中に検出された8300塩基のRNA 分子は、GB−B(配列番号393 、9143 bp)のサイズに概ね一致した。GB−A とGB−B とが同一のRNA 分子のそれぞれ一部であるとすれば、少なくとも17,000個の塩基を有するノーザンブロット生成物がなければならない。これらのデータは、GB−A(配列番号163)とGB−B(配列番号393)とが、HCV の変形でもなく又は互いの変形でもない、２つの互いに異なったRNA 分子のヌクレオチド配列であることを示す。
【０２４３】
T−1053のノーザンブロット分析とPCR 調査によれば、GB−A(配列番号163)とGB−B(配列番号393)とにそれぞれ対応する２つのRNA 種は、 T−1053の肝臓中に相等しい含量で存在するわけではないことが判明した。上記のように、いずれもGB−B(配列番号393)から得られたクローン４とクローン50（各々配列番号21、29) が、（実施例8 で説明した通り） T−1053の感染肝臓中に存在する8.3 kb RNA種とハイブリッド形成した。これとは対照的に、いずれもGB−A(配列番号163)から得られたクローン２ (配列番号22) とクローン10 (配列番号23) とクローン16 (配列番号26) とクローン23 (配列番号28) は、同一の実験において T−1053肝臓RNA とのハイブリッド形成を全く示さなかった（データは示していない）。加えて、クローン4 PCR とクローン16 PCRとが同等の感度を有することがプラズミド鋳型を使用して実証された（データは示していない）にもかかわらず、クローン16 PCRは、エチジウム染色によって T−1053肝臓RNA から生成されたcDNA上において、クローン４PCR に比べて著しく少ない生成物しか生成しなかった。これは、動物を犠牲にした時点で T−1053血漿中において発見された状況とは対照的だった。 T−1053血漿RNA から生成されたcDNA上におけるクローン４(GB −B(配列番号393 ) に特異的）PCR とクローン６(GB −A(配列番号163)に特異的）PCR に関するPCR 滴定実験は、相等しい量のGB−A(配列番号163)RNA とGB−B(配列番号393)RNA とが T−1053血漿中に存在することを示唆した (実施例4 、E.2)。従って、GB−A(配列番号163)RNA とGB−B(配列番号393)  RNA とが T−1053血漿中に相等しい含量で存在していたにもかかわらず、動物を犠牲にした時点の T−1053肝臓中には、GB−A(配列番号163)RNA よりも多い量のGB−B(配列番号393)RNA が存在すると考えられた。これらの結果はさらに、 T−1053血漿中にGB−A(配列番号163)とGB−B(配列番号393)とに対応する２つの互いに異なったRNA 分子が存在することの更に別の証拠であり、これらのRNA が必ずしも感染タマリン肝臓RNA 中に相等しい含量で存在するわけではないということを示唆した。従って、GB−A(配列番号163)とGB−B(配列番号393)とが単一のウイルスゲノムの別々のセグメントを形成するとは考え難い。
【０２４４】
２．GB−A(配列番号163)とGB−B(配列番号393)とが２つの互いに異なるウイルスのゲノムを表すということの証拠
感染力(infectivity) とPCR の検討により、GB−A(配列番号163)とGB−B(配列番号393)のウイルス性質に関する証拠が得られる。具体的には、濾過(0.1μm)されて10−４に希釈された又は濾過されずに10−５に希釈された T−1053血漿を接種されたタマリン T−1049とタマリン T−1051は、いずれもクローン４(GB −B[配列番号393]）配列とクローン16(GB −A[配列番号163]）配列の両方に関して陽性だった。接種の前は、これらの動物は二匹ともクローン４とクローン16とに対して陰性だった（実施例４、E.4 、E.5 ）。従って、GB−A とGB−B とに対応する急性相 T−1053血漿中に含まれる２つのRNA 種を、濾過し、希釈して、他の動物に当該のGB−A(配列番号163)とGB−B(配列番号393)とのウイルスに予期される性質を維持するよう継代接種することが可能だった。GB−A とGB−B とが別個のウイルス粒子からのRNA 分子を表すことは、H205接種タマリンのPCR 調査によって明らかになった。具体的には、H205接種後にRT−PCR によって４匹のタマリンが全てクローン4(GB−B[配列番号393]）に対して陽性になった。これとは対照的に、４匹のH205接種タマリンの内の１匹(T−1053) だけがクローン 16(GB−B[配列番号163]）に対して陽性になったにすぎなかった（実施例4 、E.2 ）。従って、GB−A(配列番号163)配列は T−1048と T−1057と T−1061には本当に存在しないと仮定し、且つ、クローン16 PCRの結果が陰性であることが感染力の低さに起因するわけではないと仮定すると、GB−B(配列番号393)配列に対応するウイルス（即ち、肝炎GBウイルスB[HGBV−B]）が、GB−A(配列番号163)配列とは無関係に単独で継代接種されうると考えられた。T−1057からのHGBV−B のみの試料を、更に２回継代接種した（実施例４）。これらの動物では、GB−A(配列番号163)配列はRT−PCR によって検出されなかった。加えて、これらの動物において肝臓酵素のレベルが有意に上昇するとされており（実施例4 ）、このことは、HGBV−B だけでもタマリンに肝炎を発症せしめることを示した。GB−B(配列番号393)配列が検出限界未満のタマリンにおいて、GB−A(配列番号163)配列が確認された。具体的には、GB−B のみの動物(T−1048、 T−1057、 T−1061）に T−1053血漿で誘導すると、クローン16に特異的なRT−PCR によって検出されるような、GB−A(配列番号163)のみのウイルス血症が発症した。 T−1057からのGB−A のみの血漿を更に１回継代接種した（実施例４）。従って、GB−A(配列番号163)配列に対応するウイルス（肝炎GBウイルス A[HGBV −A]）はHGBV−B とは無関係に単独で複製するものと考えられた。HGBV−B の不在下でHGBV−A の継代接種を更に続けている。現在までのところ、HGBV−A がタマリンの肝炎を引き起こすか否かは判明していない。しかし、 T−1053誘導タマリンにHGBV−A ウイルス血症を伴う肝臓酵素のレベル上昇がないことや、 T−1057からのHGBV−A のみの血清を継代接種しても肝臓酵素のレベル上昇のないことは、タマリンにおけるHGBV−B の肝好性とは対照的である。
【０２４５】
急性相 T−1053血漿中の２種類のウイルスの存在は、H205接種物に基づくと考えられる。具体的には、実施例７のデータは、クローン16（配列番号26、GB−A[配列番号163]からのもの）が７匹の検査対象タマリンからの接種前の血漿中にはいずれにも存在しなかったことを示した。加えて、クローン2 、10、18、23（各々配列番号22、23、27、28、全てGB−A[配列番号163]からのもの）も、検査したHGBV接種タマリン血漿の何れにおいても検出されなかった（実施例７）。接種前のタマリンの血漿をクローン4 とクローン50（各々配列番号21、29、全てGB−B[配列番号393]からのもの）に関して検査した時にも、同様の陰性の結果が得られた。従って、HGBV−A とHGBV−B はいずれも接種前のタマリンの血漿中に存在しなかった。これに対し、上記クローンの全て（即ち、GB−A[配列番号163]からのクローン2 、10、16、18、23と、GB−B[配列番号393]からのクローン4 、50）が、H205接種物中に検出された（表７）。興味深いことに、T −1053肝臓から作られたcDNA（上記）に見られるように、H205からランダムに合成開始された同一のcDNAを使用した場合に、GB−A(配列番号163)中の幾つかの別々のPCR 標的は全て、GB−B(配列番号393)中の同様のPCR 標的の場合よりも生成物が少なかった（データは示していない）。従って、当初のGB接種物であるH205中には、HGBV−A 及びHGBV−B が存在すると結論付けられた。しかし、H205中にはHGBV−A よりも多くのHGBV−B が含まれると考えられる。H205接種物中のHGBV−A が相対的に少ないことが、H205接種後に４匹のタマリンの中の１匹だけが  HGBV−A に対して陽性であったこと (実施例４、E.2)の理由と考えられる。
【０２４６】
３．HGBV−A とHGBV−B とがフラビウイルス科(Flaviviridae)に属することの証拠
実施例５で説明したGB−A(配列番号165 −268 、270 −384 ，386 −392)の３つの枠翻訳生成物とGB−B(配列番号397)とをSWISS −PROTデータベースで検索すると、HCV の様々な菌株との、限定されてはいるが顕著なアミノ酸配列の相同性を示した。GB−A(配列番号164)とGB−B(配列番号393)とからの翻訳生成物は、様々なHCV 単離物（即ち、NS2 、NS3 、NS4 、NS5 ）の非構造タンパク領域に対して最も近いホモロジーを示した。例えば、図24に示されるように、フラビウイルスの推定上のNTP 結合ヘリカーゼドメインにおける保存残基（＊で表す）（図24A ）と、全てのウイルス性RNA 依存性RNA ポリメラーゼのRNA 依存性RNA ポリメラーゼドメインにおける保存残基（＊で表す）（図24B ）は、同様に HCV−１ NS3及びNS5b（SWISS −PROT accession number p26664) と、GB−A(配列番号390)及びGB−B(配列番号397)の予期される翻訳生成物のいずれにも保持されていた。（Chooら, PNAS 88:2451−2455 [1991] とDomierら, Virology 158:20 −27 [1987] を参照されたい。）従って、GB−A ウイルスとGB−B ウイルスとはいずれも機能NTP 結合ヘリカーゼ(functional NTP −binding helicase) とRNA 依存性  RNA ポリメラーゼとをコードすると考えられた。しかし、GB−A(配列番号390)とGB−B(配列番号397)は、その間に完全なアミノ酸同一性があるわけではなく、及び／又は、HCV NS3 及びNS5bの他の領域内においてHCV とも完全なアミノ酸同一性がない。具体的には、図24A に示されるNS3 の残基200 個に亙って、GB−A(配列番号390 、残基1252−1449) ウイルスとHCV −１ (配列番号398)は47％同一であり、GB−B(配列番号397 、残基1212−1408) ウイルスとHCV −１ (配列番号398)は55％同一であり、GB−A(配列番号390 、残基1252−1449) ウイルスとGB−B(配列番号397 、残基1212−1408) ウイルスは43.5％同一だった。加えて、図24B に示されるNS3 の残基 100個に亙って、GB−A(配列番号390 、残基2644−2739) ウイルスと HCV−１ (配列番  号398)は36％同一であり、GB−B(配列番号397 、残基2513−2612) ウイルスとHCV−１ (配列番号398)は41％同一であり、GB−A(配列番号390 、残基2644−2739) ウイルスとGB−B(配列番号397 、残基2599−2698) ウイルスは44％同一だった。HCV と比較した場合に、GB−A(配列番号390)とGB−B(配列番号397)との他の推定上の非構造遺伝子にも、ホモロジーは比較的低かった。Genbank に登録された種々のHCV 配列と比較しても、GB−A ウイルスとGB−B ウイルスとの推定上の非構造タンパク質のホモロジーの全体的レベルは、GB−A(配列番号164)とGB−B(配列番号393)の両方はフラビウイルス科の２つの互いに異なったメンバーから得られることを示唆している。フラビウイルス類は、１つのNTP 結合ヘリカーゼドメインと１つのRNA 依存性RNA ポリメラーゼドメインとに対応する単一のゲノムRNA 分子を含む。推定上のRNA ヘリカーゼドメインと推定上のRNA 依存性RNA ポリメラーゼドメインとを各々に含む２つのコンティグの存在は、急性相 T−1053血漿中の２つのHCV 様フラビウイルスの存在と一致するものである。
【０２４７】
（実施例１０）
PCR
HGBVとC 型肝炎ウイルスとの配列相関性を検出するために、PCR に基づく実験を次のように行った。様々な位置的起源からのHCV 単離体(Cha, T.−A.ら, J. Clin. Microbiol. 29:2528 −2534[1991]) において高度に保存されている、HCV ゲノムの5’−非翻訳領域(UTR) 配列に基づくPCR プライマー(J.H. Han, PNAS 88:1711 −1715 [1991])を、H205感染タマリン T−1053肝臓RNA における類似の配列を検出するために使用した。実施例8Aで説明した通りに、全細胞RNA を感染タマリン T−1053  の肝臓と非感染タマリン(T−1040) の肝臓とから抽出した。Perkin−Elmer から入手可能なキットを使用し、その推奨使用法に概ね従って、各RNA の試料30μg を逆転写しPCR 増幅した。HCV 5’−UTR の塩基 249−268 を含むアンチセンスプライマー（プライマー１）を上記逆転写酵素反応に使用した。プライマー１と、HCV 5’−UTR の塩基13−46を含むプライマー（プライマー２）とを、介在配列のPCR 増幅のために使用した。サーモサイクリング(thermocycling) の条件はCha ら（前出）による。  H205感染タマリン T−1053のHCV 5’−UTR 配列の検出感度を増大させるために、上記PCR 反応に対して、「入れ子」PCR プライマーを使用した第２の増幅反応を生じさせた。そのためのプライマーは、HCV 5’−UTR 内における上記プライマー１の配列と上記プライマー２の配列との間にある配列から得た。プライマー３はHCV 5’−UTR の塩基47−69からの配列を含み、アンチセンスプライマーであるプライマー４はHCV 5’−UTR の塩基 188−210 を含んでいた。この「入れ子」PCR 反応では、第１のPCR 反応からのPCR 生成物（反応体積合計100 μl から2   μl ）をDNA 鋳型源として使用した。アニーリング温度が60℃でなく55℃であったことを除いてサーモサイクリング条件は上記と概ね同一だった。第２のPCR 反応で得られたPCR 生成物を、アガロースゲル電気泳動と臭化エチジウム染色とを使用して所期のDNA 生成物に関して分析した。HCV 5’−UTR 配列に基づくこの所期のDNA フラグメントのサイズ（Han ら、前出）は、第１のPCR 反応の生成物に関しては 253bpであり、入れ子PCR 反応の生成物に関しては 163bpであった。所期サイズのPCR 生成物が、実施例8Aで説明したHCV 感染チンパンジーの肝臓から抽出した全細胞RNA 30μg を使用して行った対照実験において得られ（データは示していない）、これは、この実験手順でHCV の5’−UTR を検出できることを示す。しかし、 T−1053肝臓  RNA 又は T−1040肝臓RNA の一方を使用した場合には、どちらの所期生成物も、生じた臭化エチジウム染色アガロースゲル上に発見できなかった（データは示していない）。このように所期の結果が得られなかったのは、(i) 上記試薬の5’−UTR の配列がHCV のそれと大きく異なっていたために、使用したオリゴヌクレオチドプライマーが効率的にアニールされず、従って、PCR 増幅が不可能になったということ、又は、(ii)上記試薬に5’−UTR が欠如していたということを示唆する。どちらの場合にも、上記試薬のヌクレオチド配列がHCV のそれと大きく異なっていることが、この結果から推定される。
【０２４８】
HCV の実験的感染の急性相中に得られたチンパンジー血漿プールから核酸を実施例７で説明した通り単離した(G.Schlauderら,J. Clin. Microbiology 29:2175−2179[1991]) 。クローン16プライマー (配列番号93、94) を使用してRT−PCR を実施例７の通り行った。これらのプライマーに関する所期サイズのバンドは、臭化エチジウム染色によっても検出されず、クローン16に特異的なプローブに対するハイブリッド形成後にも検出されなかった（データは示していない）。こうした結果は、HCV に対するクローン16配列 (配列番号26) の無関係性を立証する。
【０２４９】
（実施例１１）
他の肝炎ウイルスに対するHGBV感染血清の反応性
H205接種物(T−1048、 T−1057、 T−1061) 又は T−1053接種物(T−1051) を使用したHGBV接種の前と後に血清標本を得、既知の肝炎ウイルスに接触した後に検出されることが多い抗体に関する検査を行った。A 型肝炎ウイルスに対する抗体（本出願人から入手可能なHAVAB 検定を使用）と、B 型肝炎コアの核タンパク質（本出願人から入手可能な Corzyme（登録商標）検査を使用）と、E 型肝炎ウイルス(HEV) （本出願人から入手可能なHEV   EIA を使用）と、C 型肝炎ウイルス(HCV) （本出願人から入手可能なHCV 第２世代検査を使用）とに関して、上記標本を検査した。これらの検査は、各検査キットのパッケージに同封された説明書に従って行った。
【０２５０】
HGBV接種の前と後のどちらにおいても、検査したタマリンは何れも、HCV又はHEVに対する抗体に関して陽性ではなかった（表12を参照）。従って、HGBV感染は、HCV又はHEVに対する検出可能な抗血清をもたらさなかった。
【０２５１】
上記タマリンの中の１匹(T−1061) は、HGBV接種の前と後のどちらにおいてもHAV 抗体に対して陽性であり、このことは、HAV に事前に罹患していたことを示唆した（表9 、 T−1061）。しかし、他の３匹のタマリン(T−1048、 T−1057、 T−1051) は、HGBV接種後において、HAV に特異的な抗体を全く示さなかった。従って、HGBV感染は抗HAV 反応を生じさせない。上記タマリンの中の１匹(T−1048) は、HGBV接種の前と後のどちらにおいてもHBV 抗体に対して陰性だった。上記タマリンの中の２匹(T−1061、 T−1057) は、HGBV接種の前に陽性だった。上記タマリンの中の１匹(T−1051) は、HGBV接種の前にはHBV 抗体に対して境界近くの陽性であったが、接種後には陰性だった。こうしたデータに基づく限り、HGBV試薬による感染がHBV 核に対する免疫反応を誘導するという証明は得られない。総論的に言えば、これらのデータは、HGBV試薬が独特(unique)なウイルス剤であり、ヒト肝炎に関連した一般のウイルス性試薬の何れにも関係しないことを実証した。
【０２５２】
（実施例１２）
HGBV感染肝臓のウェスタンブロット分析
上記の実施例1 と実施例２とに示したように、HGBVを接種したタマリンには肝臓酵素値の上昇が認められた。HGBVが実際に肝臓向性ウイルスである場合には、ウイルスタンパク質が感染肝臓細胞内で生成され、こうしたタンパク質に対する免疫反応が生じることが推測される。この実施例では、HGBV感染タマリンから得られた肝臓に特有(unique)のタンパク質が現れ、このタンパク質がHGBV感染後の回復期段階に得られたタマリン血清を使用するウェスタンブロットによって特異的に認識されるとすべき根拠を示す。
【０２５３】
HGBV感染タマリン肝臓と様々な対照用のタマリン肝臓とチンパンジー肝臓とを賽の目に切り、Omni−mixer ホモジナイザーを使用してPBS 中にホモジナイズした(5mlに対して肝臓約1g) 。得られた懸濁液を、遠心分離（10,000×g 、１時間、4 ℃）と、 5μm フィルタと 0.8μm フィルタと0.45μm フィルタとを通す限界濾過とによって清澄化した。この清澄化したホモジネートを、100S以上の全成分のペレット化を生じさせる条件下で遠心分離した。ペレット（100S肝臓フラクション）を少量の緩衝液中に溶解し、−70℃で貯蔵した。
【０２５４】
標準的な方法と試薬（Laemmli 不連続ゲル）を使用してSDS ポリアクリルアミドゲル電気泳動(PAGE)を行った。100S肝臓フラクションを、SDS と 2−メルカプトエタノールとを含む試料緩衝液中に1:20に希釈し、 5分間95℃に加熱した。30〜45分間200 ボルトで12% アクリルアミド又は 4→15% アクリルアミド線形勾配ゲル(7cm×8cm)のいずれかによって上記タンパク質を電気泳動した。標準の方法と試薬を使用して、タンパク質をニトロセルロース膜に電気転写(electro−transfer) した。
【０２５５】
標準的な方法を使用してウェスタンブロットを生じさせた。概略的に言えば、ニトロセルロース膜をTBS/Tween 中で簡単にすすぎ、 4℃のTBS/CS（100mM Tris、150mM NaCl、10mM EDTA 、0.18% Tween −20、4.0%仔ウシ血清、pH 8.0）中で一晩封鎖した。上記ニトロセルロース膜をMulti −screen装置の中に入れ、 600μg の血清を上記装置の溝の中に入れ、その後2 時間室温に維持し、一晩4 ℃で温置した。 Multi−screen装置から上記ニトロセルロース膜を取り除き、TBS/Twee (50mM Tris 、150mM NaCl、0.05% Tween −20、pH8.0 ）中で５分間ずつ３回上記ニトロセルロース膜を洗浄した。そのニトロセルロース膜をヤギ抗ヒト：HRPO抱合体(0.2μg/ml TBS/CS)15ml中で室温で１時間温置した。上記の通りに洗浄した後に、ニトロセルロース膜をTMB 酵素基質溶液中に温置し、水ですすぎ、乾燥した。
【０２５６】
犠牲時（GB接種12日後）に T−1053肝臓から単離して上記の通りに吸収転写したタンパク質は、GB接種後５週目、６週目、７週目、９週目、又は11週目から、 T−1057血清との反応時に約50〜80kDa の見掛け分子量を有する独特な抗原性タンパク質を示した。GB接種前又は接種３週後の T−1057血清と反応させた時には、上記バンドは存在しなかった。上記 T−1057血清の何れかと反応させた時に、上記バンドは、非接種タマリン(T−1040) から得られた肝臓タンパク質を含むレーン中には現れなかった。加えて、他のGB接種後の血清（GB接種後11週目の T−1048と、GB接種後 8週目の T−1051）に T−1053肝臓タンパク質を反応させた時には、同一サイズ (50〜80kDa)のタンパク質が現れたが、同じ上記動物から得た接種前血清と T−1053肝臓タンパク質を反応させた時には、この同一サイズのタンパク質は現れなかった。
【０２５７】
他のGB接種タマリンからの肝臓組織中で、又は、HCV もしくはHBV のいずれかに感染させたチンパンジーの肝臓組織の中で、上記免疫反応性バンドが検出されるかを調べるために、更に別のウェスタンブロット実験を行った。各々の場合、肝臓タンパク質を含むニトロセルロースストリップを T−1048（GB接種後5 、8 、16週目）と T−1051（GB接種後 8、12週目）とから得た血清プールと反応させた。上記プール中では、５つの血清を同等の割合で混合した。50〜80kDa の反応性タンパク質バンドを、GB接種タマリン（GB接種後14日目に得た T−1038、 T−1049、 T−1055と、GB接種後12日目に得た T−1053）から得た全てのタマリン肝臓標本において検出した。この免疫反応性バンドは、 T−1040（非接種）から得た肝臓標本と、チンパンジー肝臓標本 (CHAS−457(HCV 接種前) 、CHAS−457(HCV ＋) 、 CRAIG−454(HCV ＋) 、MUNA−376(HBV ＋))とにおいては検出できなかった。
【０２５８】
以上総合して、これらのデータは、HGBV感染タマリン肝臓に特異的に結合する、約50〜80kDa の見掛け分子量を有する免疫原性及び抗原性タンパク質の存在を実証するものだった。このHGBV関連タンパク質の性質（即ち、ウイルスをコードするか又は宿主起源か）は現在調査中である。HGBV関連タンパク質の起源に関係なく、これらの結果は、HGBV感染がHGBV感染タマリン肝臓中に存在する抗原に対する抗体反応を誘導する事実と整合している。
【０２５９】
（実施例１３）
CKS に基づく免疫原性HGBV−A 及びHGBV−B ポリペプチドの発現と検出
Ａ．HGBV−A 及びHGBV−B 配列のクローン化
クローン化ベクターpJO200、pJO201、pJO202により、組換えタンパク質を CMP−KDO シンセターゼ (CKS)タンパク質に融合させた。これらのプラスミドの各々はプラスミドpBR322由来であるが、（E.coli CKSタンパク質を構成する全体で 248個のアミノ酸の中の最初の 239個をコードする）kdsB遺伝子フラグメントに融合した修飾ラックプロモーターと、kdsB遺伝子フラグメントの末端に融合した合成リンカーとを有する。この合成リンカーは、遺伝子挿入に要する複数の制限部位と、翻訳停止シグナルと、trpA rho依存性転写ターミネーターとを含んでいた。このリンカー領域内の特有の制限部位は、5’から3’方向に、  EcoRI 、SacI、KpnI、SmaI、BamHI 、XbaI、PstI、SphI、HindIIIを含んでいた。各々のプラスミドは、上記複数のクローン化部位内のいずれの読み枠の中へも挿入を可能にする。タンパク質合成のCKS 方法とCKS ベクターは、本明細書に引例として組み入れられている本出願人の米国特許第 5,124,255号に開示されており、一方、検定フォーマットと検査キットとにおけるCKS 融合タンパク質の使用は、本明細書に引例として組み入れられている本出願人の米国出願番号No. 07/903,043に開示されている。
【０２６０】
表９と表10（実施例９）で説明した移動実験(walking experiment) から得られたHGBV−A 配列とHGBV−B 配列を、表13と表14に示した制限酵素（10単位、NEB ）を使用して適切な pT7Blue T−ベクタークローンから切り離し、実施例3Bで説明した通りに1%低融点アガロースゲルから精製した。プラスミドpJO200、pJO201、pJO202を同一の制限酵素（10単位、NEB ）によって消化し、細菌性アルカリフォスフォターゼ(GIBCO BRL, Grand Island, NY) で脱リン酸した。精製したHGBVフラグメントの各々を、消化し脱リン酸したpJO200、pJO201、pJO202の中に結合させ、実施例3Bで説明した通りにE. coli XL1 Blueに形質転換した。標準的なミニプレプ(miniprep)分析によって、CKS/HGBV発現ベクターの形成の成功を確認した。
【０２６１】
別の２つのPCR 生成物を、特に発現のために準備した。これら２つの生成物は、4.1 、4.2 と表され、各々にHGBV−B コア領域とHGBV−A コア領域とをコードすると予想された（図22参照）。実施例９で説明したように、PCR 生成物4.1 を、プライマーコア B−s とプライマーコア B−a1 (配列番号708 、709)を使用して作成し、PCR 生成物4.2 を、プライマーコア A−s とプライマーコア2.2.1’ (配列番号710 、138)を使用して生成した。この4.1 センス及びアンチセンスプライマーは、末端となるように意図したEcoRI 及びBamHI 制限部位を各々に有した。上記のように、4.1PCR生成物を消化し、ゲル単離し、pJO200、pJO201、pJO202に結合させた。4.2PCR 生成物に関するセンスプライマーは、末端となるように意図したEcoRI 制限部位を有するが、そのアンチセンスプライマーは制限部位を持たなかった。従って、この生成物を、EcoRI によって切断し、ゲル単離し、既にBamHI で消化したpJO200、pJO201、pJO202に結合させ、DNA ポリメラーゼのクレノウフラグメントとdNTPとで末端修飾し、EcoRI で消化し、当業界で公知のように細菌性アルカリフォスフォターゼで脱リン酸した。
【０２６２】
Ｂ．HGBV−A 及びHGBV−B 配列の発現
トリプトン32gm/L、酵母抽出物20gm/L、NaCl 5gm/L、pH7.4 、アンピシリン100mg/L 、グルコース3mM を含む媒質中で振とうしながら、CKS/HGBV発現ベクターを含むE. coli XL1 Blue培養物を37℃で生長させた。この培養物が 1.0〜2.0 のOD600 に達した時に、修飾ラックプロモーターからの発現を誘導するためIPTGを最終濃度1mM になるように加えた。更に３時間振とうしながら37℃で培養物を生長させ、集菌した。細胞ペレットを  SDS/PAGE充填緩衝液（Tris pH6.8 62.5mM 、SDS 2%、グリセロール 10%、 2−メルカプトエタノール5%、ブロモフェノールブルー0.1mg/ml）中に10のOD600 となるよう再懸濁させ、５分間沸騰させた。調製した全細胞ライゼートのアリコートを10%   SDS −ポリアクリルアミドゲル上に施し、40% メタノール／10% 酢酸中にクーマシーブルー染料0.2%を含む溶液で着色し、更に、バックグラウンドが透明になるまで16.5% メタノール／5%酢酸で脱色した。
【０２６３】
全細胞ライゼートを第２の10% SDS −ポリアクリルアミドゲル上に施し、イムノブロット検定のために電気泳動によってニトロセルロースに転写した。転写されたタンパク質を含むニトロセルロースのシートを室温で30分間封鎖溶液（Tris緩衝塩  類液中の5%Carnation 無脂肪ドライミルク）中に温置し、E.coli 細胞ライゼートに対して予め封鎖されたヤギ抗CKS 血清中で室温で１時間温置し、封鎖溶液中に1:1000に希釈した。このニトロセルロースシートをTris緩衝塩類液(TBS) で２回洗浄し、その後アルカリホスファターゼ抱合ウサギ抗ヤギIgG と共に室温で１時間温置し、封鎖溶液中で 1：1000に希釈した。このニトロセルロースシートをTBS で２回洗浄し、ニトロブルーテトラゾリウム(nitroblue tetrazolium) と5 −ブロモ−4 −クロロ−3 −インドリルホスフェートとを含むTBS 中で発色させた。各フラグメントに対する適切な読み枠を、適正な予想サイズの免疫反応性CKS 融合タンパク質の発現に基づいて定め、ベクター挿入結合部分についてはDNA 配列決定によって確認した。
【０２６４】
上記フラグメント各々の適切な読み枠を決定した後に、適切な構成要素を含む培養物からの試料を、SDS −ポリアクリルアミドゲル電気泳動とウェスタンブロットとによって分析した。図25A は、上記CKS 融合タンパク質全細胞ライゼートを含む２つのクーマシー染色10%SDS−ポリアクリルアミドゲルを示す。レーン１とレーン16は、左に示されるキロダルトン単位の分子量標準を含む。ゲル１（HGBV−A 試料）上の展開順序は次の通りだった：レーン2 、クローン1.17誘導前：レーン3 −15、クローン4.2 、クローン1.17、クローン1.8 、クローン1.2 、クローン1.18 (配列番号390)、クローン1.19、クローン1.20、クローン1.21、クローン1.22 (配列番号390)、クローン2.12、クローン1.5 、クローン1.23、クローン2.18、各々全て誘導３時間後。ゲル2 （HGBV−B 試料）上の展開順序は次の通りだった：レーン17、クローン4.1 誘導前：レーン18−29、クローン4.1 、クローン1.15、クローン1.14、クローン2.8 、クローン1.13、クローン1.12、クローン2.1 、クローン1.7 、クローン1.3 、クローン1.4 、クローン1.16、クローン2.12、各々全て誘導３時間後。これらのタンパク質を上記と同じ順序で２つの別の10％ゲル上に施し、上記の通りにニトロセルロースに転写した。試料を、２匹の回復期の T−1048、 T−1051からの血清のプールを使用したウェスタンブロットで次のように分析した。上記試料を含むニトロセルロースシートを封鎖溶液中に30分間温置し、E.coliライゼート 10%と、XL1 −Blue/CKSライゼート6mg/mlと、表６（実施例４）で説明した回復期タマリン血清プールの1:100 希釈液とを含む封鎖溶液に移した。室温で一晩温置した後、上記ニトロセルロースシートをTBS 中で２回洗浄し、HRPO−抱合ヤギ抗ヒトIgG 中に室温で１時間温置し、封鎖溶液中に1:500 に希釈した。ニトロセルロースシートをTBS 中で２回洗浄し、4 −クロロ−1 −ナフトール 2 mg/mlと過酸化水素 0.02%とメタノール 17%とを含むTBS 中で発色させた。図25B に示されているように、３つのHGBV−B タンパク質、クローン1.4 、1.7 、4.1 のCKS 融合が、タマリン血清プールとの免疫反応を示した。クローン1.7 は、HGBV−B 免疫原性領域をコードする配列 (配列番号610)を含み、クローン1.4 は、同じ回復期タマリン血清プールを使用したcDNAライブラリー（実施例４）のイムノスクリーニングによって発見された、２つのHGBV−B 免疫原性領域をコードする配列 (配列番号12、13、18) を含んでいた。
【０２６５】
上記のパラグラフで説明した試料も、軍医GB(the surgeon GB)からの急性肝炎の発病後約３週目に得られた回復期血清の1:100 希釈液を使用して、上記の通りにウェスタンブロットによって分析した。HGBV−A とHGBV−B とからの融合タンパク質の上記血清に対する反応性を表13、14に示す。HGBV−B タンパク質では１つ(2.1) だけがこの血清に対する反応性を示したが、この反応性は非常に低く、一方、２つのHGBV−A タンパク質  (1.22[配列番号390]、2.17）はこの血清に対する高い反応性を示した。これら２つのHGBV−A タンパク質は40個のアミノ酸について共通であり、このことは、１個以上のエピトープに対する反応性を反映している可能性がある。これら２つのHGBV−A タンパク質を、実施例16で説明した通りのELISA 検定で使用するために選択した。第11代継代接種GB材料(H205 GB pass 11) に感染したタマリンは、幾つかのHGBV−B エピトープに対して免疫反応を示し、HGBV−A エピトープに対しては免疫反応を示さなかったが、最初のGB源からの血清は、少なくとも１つの  GBV −A エピトープに対して著しい反応性を示したということは興味深い。このことは、HGBV−A が軍医GBにおける肝炎の原因であった可能性を示唆した。
【０２６６】
1.4 、1.7 、又は2.17 ELISAS（実施例15、16を参照されたい）によってCKS/HGBV−A 又はCKS/HGBV−B 融合タンパク質の１つ以上に対する抗体の存在を示した４つの別のヒト血清を、ウェスタンブロット分析のために選択した。これらの血清の３つ（G1−41、G1−14、G1−31）は西アフリカ「危険」集団からのものであり、４番目(341C)は、非 A−E 肝炎（エジプト）標本（これらの集団の詳細な説明については実施例15を参照されたい）からのものだった。上記のCKS 融合タンパク質の中の幾つかからの全細胞ライゼートを別の10% SDS −ポリアクリルアミドゲルに施し、上記の通りニトロセルロースに転写した。これらのブロットの各々を上記の通りに予め封鎖し、E. coli ライゼート 10%と XL1−Blue/CKSライゼート 6 mg/mlとを含む封鎖緩衝液中に1:100 に希釈したヒト血清標本の１つと共に一晩温置した。ブロットをTBS 中で２回洗浄し、HRPO抱合ヤギ抗ヒトIgG と反応させ、上記の通りに発色させた。
【０２６７】
CKS/HGBV−B タンパク質を上記血清の２つ（G1−41、G1−14）を使用して分析し、その反応性を表13に示した。タマリン血清に対して反応性を示した上記３つのタンパク質に加えて、更に別の２つのタンパク質 (1.16、2.1)が２つのヒト血清のどちらか一方に対して反応性を示した。CKS/HGBV−A タンパク質を、上記４つのヒト血清全てと分析し、これらの反応性を表14に示す。GB血清に対して反応性を示した上記２つのタンパク質に加えて、更に別の３つのタンパク質(1.5、1.18、1.19) がヒト血清の１つ以上に対して反応性を示した。これらのタンパク質の内の２つ（1.5 、1.18）を、実施例16で説明する通りのELISA 検定に使用するために選択した。ウェスタンブロットによって及び／又は２つのHGBV−A タンパク質（1.18、2.17）と１つのHGBV−B タンパク質(1.7) とに対するELISA（実施例15、16）によって反応性を示すG1−31血清が、GB−C 配列 (配列番号673 、残基2274−2640) がそれから単離された血清である（実施例17）ということが特に興味深い。
【０２６８】
【表７】
2005041862.tif 000008
ａPCR 生成物は表9 、表10、又は、表13に示した通りである。
ｂ制限消化は、 pT7Blue T−ベクターからPCR フラグメントを遊離させるために、又は、4.1PCR生成物の直接消化のために使用した。
【０２６９】
（実施例１４）
免疫反応性HGBV−A 及びHGBV−B タンパク質のエピトープマッピング
Ａ．HGBV−B タンパク質 1.7のエピトープマッピング
免疫原性領域の位置を確認するために、HGBV−B 免疫原性タンパク質1.7 内の重複サブクローンを、実施例７で説明した通り T−1053血清からのRT−PCR によって実施した。各PCR プライマーは、制限酵素消化を容易にするために5’末端側に余分の６つの塩基を有しており、その後にEcoRI 部位（センスプライマー）又はHindIII部位（アンチセンスプライマー）のいずれかが続いた。加えて、各アンチセンスプライマーはコーディング領域の直後に終止コドンを含んでいた。消化後に、実施例13で説明したように、各フラグメントをEcoRI/HindIII−消化pJO201の中にクローン化した。実施例13で説明した通り、CKS 融合タンパク質を発現させ、タマリン T−1048/T−1051血清を使用したウェスタンブロットによって分析した。 1.7−1 から 1.7−5 と称する５つの重複クローンを生成した。これらのクローンは、サイズがアミノ酸104〜110 個分の範囲にある1.7 タンパク質の領域をコードしている。各クローンを生成するために使用したPCR プライマーと、コードされたポリペプチドのサイズと、1.7 配列内の位置と、タマリン T−1048/T−1051血清に対する反応性とを、表15に示す。cDNAライブラリー（実施例４）のイムノスクリーニングによって発見された免疫原性領域（配列番号678 ）にまたがる、更に別の２つの重複クローンを生成した。 1.7−6 と 1.7−7 と称されるこれらのクローンの各々は、アミノ酸75個のポリペプチドをコードする。使用したPCR プライマーと、コードされたポリペプチドのサイズと、1.7 配列内の位置と、タマリン T−1048/T−1051血清に対する反応性とを、表15に示す。アミノ酸 507個分の長さの1.7 タンパク質の中に、２つの免疫原性領域を確認した。即ち、 N末端付近の免疫原性領域は残基 1−105 の範囲内であり、上記タンパク質の中央付近の免疫原性領域は残基 185−410 の範囲内であった。これらの領域の各々の中に単一のエピトープ又は複数のエピトープがあるかどうかは、更に検討を要する。
【０２７０】
Ｂ．HGBV−B タンパク質1.4 のエピトープマッピング
免疫原性領域の位置を確認するために、HGBV−B 免疫原性タンパク質1.4 内の重複サブクローンを、 T−1053血清からのRT−PCR によって実施した。各PCR プライマーは、制限酵素消化を容易にするために5’末端側に余分の６つの塩基を有しており、その後にEcoRI 部位（センスプライマー）又はBamHI 部位（アンチセンスプライマー）のいずれかが続いた。加えて、各アンチセンスプライマーはコーディング領域の直後に終止コドンを含んでいた。消化後に、実施例13で説明したように、各フラグメントを EcoRI/BamHI−消化pJO201の中にクローン化した。実施例13で説明した通り、CKS 融合タンパク質を発現させ、タマリン T−1048/T−1051血清を使用したウェスタンブロットによって分析した。1.4−1 から 1.4−4 と称する４つの重複クローンを生成した。これらのクローンは、サイズがアミノ酸 137〜138 個の範囲にある1.4 タンパク質の領域をコードしている。各クローンを生成するために使用したPCR プライマーと、コードされたポリペプチドのサイズと、1.4 配列内の位置と、タマリン T−1048/T−1051血清に対する反応性とを、表15に示す。cDNAライブラリー（実施例４）のイムノスクリーニングによって発見された免疫原性領域にまたがる、更に別の２つの重複クローンを生成した。1.4−5 と 1.4−6 とで称されるこれらのクローンの各々は、アミノ酸75個の長さのポリペプチドをコードする。使用したPCR プライマーと、コードされたポリペプチドのサイズと、1.4 配列内の位置と、タマリン T−1048/T−1051血清に対する反応性とを、表15に示す。残基 129−393 を含むアミノ酸 265個から構成される配列が、アミノ酸 522個分の長さの1.4 タンパク質の中の免疫原性領域であると確認した。ライブラリーのイムノスクリーニング（実施例４）によって上記配列内に２つの非隣接免疫原性クローンを確認したので、少なくとも２つのエピトープが上記領域内に存在する可能性がある。
【０２７１】
Ｃ．HGBV−A タンパク質1.22 (配列番号390)及び2.17のエピトープマッピング
HGBV−A タンパク質1.22（配列番号390 ）と2.17 (配列番号613)は、いずれもウェスタンブロットによってGB血清との免疫反応を示した（実施例13）。これらの２つのタンパク質はアミノ酸40個分だけ重なっているので、観察された免疫反応は、１つのエピトープによるか、又は２つ以上のエピトープの存在の結果として生じた可能性がある。完全な1.22／2.17配列はアミノ酸 641個分の長さだった。免疫原性領域を発見するために、この領域内の重複サブクローンを T−1053からRT−PCR によって実施した。各PCR プライマーは、制限酵素消化を容易にするために5’末端側に余分の６つの塩基を有しており、その後に、EcoRI 部位（センスプライマー）、又は、1.22／2.17−2 から1.22／2.17−6 に関してBamHI 部位（アンチセンスプライマー）のいずれかが続いた。しかし、クローン1.22／2.17−1 は内部EcoRI 部位を有するので、BamHI 部位がセンスプライマーとして使用され、HindIII部位がアンチセンスプライマーとして使用された。加えて、各アンチセンスプライマーはコーディング領域の直後に終止コドンを含んでいた。消化後に、実施例13で説明したように、各フラグメントをEcoRI/BamHI −消化（又は、1.22／2.17−1 に関してはBamHI/HindIII−消化）pJO201の中にクローン化した。実施例13で説明した通り、CKS 融合タンパク質を発現させ、GB血清を使用してウェスタンブロットによって分析した。このクローンはアミノ酸 115−116 個分のサイズ範囲の1.22/2.17 の領域をコードした。各クローンを生成するために使用したPCR プライマーと、コードされたポリペプチドのサイズと、HGBV−A ポリペプチド配列内の位置と、GB血清に対する反応性とを、表15に示す。1.22/2.17 タンパク質の中央では、免疫原性領域はアミノ酸 220個分の長さの領域に狭まっていた。これは、1.22と2.17の間のアミノ酸40個分の長さの重複領域を含み、従って、２つのタンパク質に共通する免疫反応は、共有している１つのエピトープによるか、又は複数のエピトープに起因していた可能性がある。
【０２７２】
【表８】
2005041862.tif 000009
【０２７３】
（実施例１５）
ＨＧＢＶ−Ｂの血清学的研究
Ａ．組換えタンパク精製手順
ＣＫＳ融合タンパクを発現する細菌細胞培養物を凍結し、−７０℃で保存した。三つの構築物それぞれからの細菌細胞を解凍し、リゾチームとＤＮアーゼを用いて粉砕処理し、次いでフッ化フェニルメタンスルホニルおよびその他のプロテアーゼ阻害剤の存在下、超音波処理して個々の組換え抗原と大腸菌タンパクの混合物を得た。三つの培養物それぞれについて、不溶性の組換え抗原を遠心分離により濃縮し、一連の洗浄工程に付して非組換え大腸菌タンパクの大部分を除去した。本プロトコールで使用した洗浄液の構成は、蒸留水、５％ＴｒｉｔｏｎＸ−１００、および５０ｍＭのＴｒｉｓ（８．５）であった。得られた沈殿物をドデシル硫酸ナトリウム（ＳＤＳ）の存在下、溶解した。タンパク濃度を測定したあと、２−メルカプトエタノールを加え、混合物をセファクリルＳ３００樹脂を用いたゲル濾過カラムクロマトグラフィーに付し、種々のタンパクをそのサイズによって分別、分離した。各分画を集め、ＳＤＳ−ポリアクリルアミドゲル電気泳動（ＳＤＳ−ＰＡＧＥ）で分析した。この電気泳動で分離されたタンパクは、次いでクーマシーブリリアントブルーＲ２５０で染色し、分子量が約７５ｋＤ（ＣＫＳ−１．７／配列番号６１０）、８０ｋＤ（ＣＫＳ−１．４／配列番号６１１）、４２ｋＤ（ＣＫＳ−４．１／配列番号６１２）に相当するタンパクの有無を調べた。該当するタンパクを含有する分画をプールし、ＳＤＳ−ＰＡＧＥによって再度調査した。
【０２７４】
精製抗原を含有するプール分画の免疫原性および構造の完全性を、実施例１３に記載の方法に従ってニトロセルロースに対する電子移動およびイムノブロット法によって決定した。適当な陽性コントロールがなかったため、組換えタンパクは、各融合タンパクのＣＫＳ部分に対するモノクローナル抗体との反  応性によって同定した。ＣＫＳ−１．７タンパク（配列番号  ６１０）について、組換え抗原を検出すべく抗−ＣＫＳモノ  クローナル抗体を用いてウェスタンブロット法で調べると、約７５ｋＤのところにシングルバンドが認められた。この結果はＣＫＳ−１．７タンパク（配列番号６１０）の予想サイズに一致している。ＣＫＳ−１．４タンパク（配列番号６１１）については、抗−ＣＫＳモノクローナル抗体によって６０ｋＤと  ７０ｋＤの間に四重のバンドパターンが検出された。観察されたこれらのバンドは完全長タンパクについて予想された長さより短く、恐らく欠失されたものであろうと思われる。ＣＫＳ−４．１タンパク（配列番号５２）をウェスタンブロット法で調べると、抗−ＣＫＳモノクローナル抗体によって組換え抗体が約４２ｋＤにおいてシングルバンドとして検出された。この結果はＣＫＳ−４．１タンパク（配列番号６１２）について予想されたサイズと一致している。
【０２７５】
Ｂ．ポリスチレンビーズの被覆手順
上記タンパクを透析し、以下に記載のように、これらのタンパクのポリスチレンビーズ上での抗原性を評価した。これとは別に、三種の精製ＨＧＢＶ組換えタンパク（ＣＫＳ−１．７／配列番号６１０、ＣＫＳ−１．４／配列番号６１１、およびＣＫＳ−４．１／配列番号６１２）のそれぞれを用いてＨＧＢＶに対する抗体を検出すべく、酵素結合免疫吸収アッセイ（ＥＬＩＳＡ）を行った。これらのタンパクで行ったＥＬＩＳＡをそれぞれ、１．７ＥＬＩＳＡ（ＣＫＳ−１．７（配列番号６１０）組換えタンパク使用）、１．４ＥＬＩＳＡ（ＣＫＳ−１．４（配列番号６１１）組換えタンパク使用）、および４．１ＥＬＩＳＡ（ＣＫＳ−４．１（配列番号６１２）組換えタンパク使用）とする。最初の研究においては、１／４インチのポリスチレンビーズを種々の濃度の精製タンパクで被覆（約６０ビーズ／ロット）し、無接種のタマリンからの血清を陰性コントロール、接種したタマリンからの回復期血清を陽性コントロールとして用いたＥＬＩＳＡ試験（下記）により評価した。その他のコントールとして、種々の肝炎ウイルスに対して陰性と判定された個体から得たヒト血清のプールを含めた。追加の陽性コントロールは、ビーズの被覆効率をモニターするためのＣＫＳタンパクに対するモノクローナル抗体であった。陰性コントロールシグナルに対する陽性コントロールシグナルの比が最も高くなるようにビーズの被覆条件を選択し、ビーズ被覆プロセスのスケールアッセイに用いた。四つのＥＬＩＳＡ試験のそれぞれについて、１０００ビーズからなるロットを少なくとも２ロット作成し、血清学的研究に用いた。
【０２７６】
簡単に述べると、ポリスチレンビーズを精製タンパクで被覆するにあたり、洗浄したビーズをシンチレーションバイアルに加え、ビーズを組換え抗原含有緩衝液に浸漬した（約０．２３３ｍｌ／ビーズ）。各組換え抗原につき種々の異なる濃度を用意し、これらをｐＨ５．０〜９．５の範囲に調整した種々の異なる緩衝液とともに用いて評価した。次いでバイアルを４０℃のインキュベーター中の回転装置上に２時間載置し、その後液体を吸引し、ビーズをｐＨ６．８のリン酸緩衝食塩水（ＰＢＳ）で３回洗浄した。次いでビーズを０．１％ＴｒｉｔｏｎＸ−１００を用いて１時間、４０℃で処理し、ＰＢＳで３回洗浄した。次に、ビーズを５％ウシ血清アルブミンでオーバーコートし、攪拌しながら４０℃、１時間でインキュベートした。ＰＢＳでさらに洗浄を繰り返した後、ビーズを５％ショ糖で２０分間室温でオーバーコートし、液体は吸引除去した。最後にビーズを空気乾燥し、ＨＧＢＶに対する抗体を検出するためのＥＬＩＳＡ試験に使用した。
【０２７７】
Ｃ．ＨＧＢＶに対する抗体を検出するためのＥＬＩＳＡ手順
ＥＬＩＳＡは間接アッセイ法で行った。即ち、血清または血漿を検体希釈剤で希釈し、固相に被覆した抗原と反応させた。洗浄工程の後、固相と結合したタマリンまたはヒト抗体を検出するために、ビーズをヒト免疫グロブリンを指向する西洋ワサビペルオキシダーゼ（ＨＲＰＯ）標識抗体と反応させた。切  捨て値を越えるシグナルを生じた検体は反応性ありとした。 ＥＬＩＳＡに関する付加的な詳細を以下に記す。
【０２７８】
ＥＬＩＳＡの様式は、抗原で被覆した固相を予め検体希釈剤（動物血清と非イオン活性剤を含有する緩衝溶液）で希釈したタマリン血清と接触させるものである。この検体希釈剤の調合に当たっては、特異的抗体が抗原で被覆された固相と結合する割合を高める一方、固相に対する非特異的な免疫グロブリンの結合に起因するバックグラウンドシグナルを減少させるように調合した。具体的には、１０μｌのタマリン血清を１５０μｌの検体希釈剤で希釈し、回転攪拌した。この予備希釈された検体１０μｌを反応トレイ中のウェルに添加した後、２００μｌの検体希釈剤と抗原被覆ポリスチレンビーズを加えた。この反応トレイをダイナミックインキュベーター（アボットラボラトリーズ製）中でインキュベートした。インキュベーターは、室温で常に攪拌し続けた。１時間のインキュベーションの後、液体を吸引除去し、ビーズを含有するウェルを蒸留水で３回洗浄した（各回５ｍｌ）。次にコンジュゲート希釈剤（動物血清と非イオン活性剤を含有する緩衝溶液）で希釈したＨＲＰＯ標識ヤギ抗ヒト免疫グロブリンを２００μｌ各ウェルに添加し、反応トレイを上記のようにして再び１時間インキュベートした。液体を吸引除去し、ビーズを含有するウェルを蒸留水で上記のようにして３回洗浄した。抗原及び結合免疫グロブリンを有するビーズをウェルから除去し、各ビーズを試験管に入れ、０．３％ｏ−フェニレンジアミン二塩酸塩の０．０２％Ｈ２Ｏ２含有０．１Ｍクエン酸塩緩衝液（ｐＨ５．５）溶液３００μｌと反応させた。室温で３０分保持後、１ＮのＨ２ＳＯ４を加えて反応を停止させた。４９２ｎｍでの吸収を分光光度計で読み取った。生じた色は、試験サンプル中に存在する抗体の量と正比例する関係にあった。
【０２７９】
ＨＧＢＶエピトープに対する抗体を含まないと思われる検体とＨＧＢＶエピトープに対する抗体を含むと思われる検体とを分別するために、検体の各グループに対して予備的な切捨て値を設定した。
【０２８０】
Ｄ．感染個体の血清におけるＨＧＢＶ由来ＲＮＡの検出
タマリン血清またはヒト血清／血漿中における、ＨＧＢＶ−ＲＮＡ存在下の１．７ＥＬＩＳＡおよび１．４ＥＬＩＳＡの血清反応データを相互に関連付けるために、ＲＴ−ＰＣＲを既に参照して本明細書に包含した米国特許出願第０８／２８３，３１４号の実施例７と同様に実施した。実施にあたってはＨＧＢＶのクローン化された配列に由来するオリゴヌクレオチドを使用した。オリゴヌクレオチドのＨＧＢＶ−Ｂゲノムに由来するクローン４（実施例７参照）およびＨＧＢＶ−Ａゲノムに由来するクローン１６に対する最終濃度は０．５μＭであった。
【０２８１】
Ｅ．タマリンの血清像
ＬＥＭＳＩＰに収容されたタマリンから週単位で採血して血清を得、肝臓の酵素レベルを検査した。検体血清の残量はさらなる調査のためにアボットラボラトリーズに送った。
【０２８２】
１．タマリンについてのＥＬＩＳＡの結果（初期感染性の研究）
４匹のタマリン（Ｔ−１０５３、Ｔ−１０４８、Ｔ−１０５７、およびＴ−１０６１）にＧＢ血清（Ｈ２０５ＧＢ継代数  １１と称する）を接種した。接種後（ＰＩ）の最初１週間の間、タマリンＴ−１０５３では肝酵素の上昇が認められた。このタマリンは、ＰＩ１２日で安楽死させた。タマリンＴ−１０４８、Ｔ−１０５７、およびＴ−１０６１は、接種後２週間までの間に肝酵素の上昇を示した。この上昇はＰＩ８〜９週まで続いた（図２〜４）後、接種前のレベルに戻った。ＰＩ１４週において、これら３匹のタマリンに対し、タマリンＴ−１０５３（この個体は感染力を有することが判明している−実施例２）から得た希釈していない血清０．１０ｍｌでの再接種を行った。
【０２８３】
この３匹のタマリン（タマリンＴ−１０４８、Ｔ−１０５７、およびＴ−１０６１）の回復期の血清がＣＫＳ−１．７（配  列番号６１０）組換えタンパク、ＣＫＳ−１．４（配列番号  ６１１）組換えタンパク、ＣＫＳ−４．１（配列番号６１２）組換えタンパクに対する抗体を有するか否かについて、ＥＬＩＳＡ（図３、４、５）を個々に行って検討した。１．７（配列番号６１０）、１．４（配列番号６１１）、４．１（配列番号６１２）、あるいは１．５（配列番号６１４）の各組換えタンパクに対する特異抗体は、どの接種前の検体からも検出されなかった。
【０２８４】
図２６に示すように、Ｔ−１０４８の血清においては、１．７および１．４ＥＬＩＳＡの試験によってＰＩ５６〜８４日で特異抗体が検出されたが、ＰＩ９７および１３７日では検出されなかった。また、Ｔ−１０４８の血清は、４．１ＥＬＩＳＡの試験では特異抗体を検出しなかった。図２７に示すよ  うに１．７タンパク（配列番号６１０）に対する抗体がＴ−  １０５７の血清においてＰＩ５６および６３日に検出されたが、ＰＩ６３日よりも後は検出されなかった。４．１タンパク（配列番号６１２）に対する抗体がＰＩ２８〜６３日に検出されたが、ＰＩ８４〜９７では検出されなかった。上記のように、各タマリンに対し、ＰＩ９７日に接種剤Ｈ２０５で再接種を行った。４．１タンパク（配列番号６１２）に対する特異抗体が  ＰＩ１１２日およびＰＩ１２６日に検出されたが、これは接種に対する既往反応を示唆するものである。１．４組換えタンパク（配列番号６１１）については抗体反応は認められなかった。
【０２８５】
組換え１．４タンパク（配列番号６１１）に対する特異抗体がタマリンＴ−１０６１の血清においてＰＩ８４日からＰＩ  １１２日の間で検出されたが、ＰＩ１２６日以降では検出されなかった。図２８に示すように、タマリンＴ−１０６１の血清は１．７タンパク（配列番号６１０）および４．１タンパク（配列番号６１２）に対する抗体に関してＰＩ３５０日で陰性であった。
【０２８６】
２．タマリンについてのＰＣＲの結果（初期感染性の研究）
タマリンＴ−１０４８およびＴ−１０５７の血清を選択し、実施例７に記載のクローン４から得たプライマーと実施例７に記載のクローン１６から得たプライマーを用い、ＲＴ−ＰＣＲによってＨＧＢＶ−ＲＮＡを調べた。
【０２８７】
ＨＧＢＶ−ＲＮＡは、ＲＴ−ＰＣＲによっては接種前１０日および接種前１７日の血清中のプライマーのいずれにおいても（Ｔ−１０４８）（図２６）、あるいは接種前１７、３７、５９日の血清中のプライマーのいずれにおいても（Ｔ−１０５７）（図２７）検出されなかった。Ｔ−１０４８については、ＨＧＢＶ−ＲＮＡが、ＰＩ７〜１３７日の間に得た１７の異なった血清のうちの１５に関してクローン４からのプライマーを用いて検出された。ＨＧＢＶ−ＲＮＡは、ＰＩ７〜９７日の期間に得た１０種血清のいずれかにあっても、クローン  １６から得たプライマーを用いるＲＴ−ＰＣＲによっては検出されなかった。Ｔ−１０５３の血漿を接種すると、接種後８日および４０日の期間に採取した血清５検体のうち４検体がクローン１６に対して陽性であった。Ｔ−１０５７については、ＲＴ−ＰＣＲの結果が陽性であったのは、図２７に示すようにＰＩ７日から２８日に採取した４検体で、クローン４からのプライマーを用いたものであった。各検体に対して行ったＲＴ−ＰＣＲの結果は、ＰＩ２８日後においては弱いハイブリダイゼーションシグナルを示した２８７日目を除いては、クローン４に対して陰性であった。ＰＩ７日〜９７日に得たＴ−１０５７の６つの検体のいずれもが、クローン１６からのプライマーを用いたＲＴ−ＰＣＲが陽性であった。しかしながら、Ｔ−１０５３の接種後８日〜８５日の間の血清は、クローン１６からのプライマーの使用で陽性であった。
【０２８８】
３．タマリンについてのＥＬＩＳＡの結果（力価検定／伝播性の研究）
実施例２に記載のように、タマリンＴ−１０５３の血清を４匹のタマリンに接種した。これら４匹のタマリンのうち３匹を疾病の急性期（ＰＩ１２日から１４日の間）に安楽死させた。これら３匹のタマリンについて得たＲＴ−ＰＣＲの結果を以下に記す。生き残ったタマリン（Ｔ−１０５１）は最初ＰＩ１４日までに肝酵素値が上昇し、この上昇値は少なくともＰＩ８週まで持続した。タマリンＴ−１０５１の検体を１．７ＥＬＩＳＡおよび１．４ＥＬＩＳＡで試験した。結果を図２９に示す。特異抗体は接種後の最初の４１日間に採取された血清においても接種前の血清においても検出されなかった。しかしながら、１．４タンパク（配列番号６１１）および１．７タンパク（配列番号６１０）に対する抗体反応がＰＩ４９日とＰＩ１１３日の間に、また４．１タンパク（配列番号６１２）に対する抗体反応がＰＩ２８日とＰＩ１０５日の間に認められた。タマリンはＰＩ１１３日目に安楽死させた。
【０２８９】
タマリン（Ｔ−１０３４）は、実施例１および表４に記載のように最近罹患した肝炎感染から回復しつつある患者（最初のＧＢ源）の潜在的感染性血清０．１ｍｌで前に接種したものである。肝酵素値の上昇はＴ−１０３４において接種後の約１０週間認められなかった。この理由からタマリンＴ−１０３４は付加的研究において使用できるであろうと決定した。タマリンＴ−１０３４はＨＧＢＶ調製物で接種した。このＨＧＢＶ調製物は、タマリンＴ−１０５３の血清を予め接種した３匹のタマリン（Ｔ−１０５５、Ｔ−１０３８、Ｔ−１０４９）の血清プールから実施例４？？の記載に従って調製したものである。
【０２９０】
これらの３匹のタマリン（Ｔ−１０５５、Ｔ−１０３８、Ｔ−１０４９）に、実施例２の記載に従ってタマリンＴ−１０５３から調製した血清を接種した。ＰＩ１１日までには３匹のタマリン全てで肝酵素の上昇が認められた。ＰＩ１２日目にタマリンＴ−１０５５を殺した。タマリンＴ−１０３８とタマリンＴ−１０４９はＰＩ１４日目に殺した。これらのタマリンの血清をプールして、清澄化し、濾過した。この濾過したものの１０−６希釈物（健常タマリン血清中に調製）０．２５ｍｌをタマリンＴ−１０３４に接種した。
【０２９１】
Ｔ−１０３４に接種後２週間で肝酵素ＡＬＴ値の上昇が最初に認められ、続く７週間の間上昇値を保ち、最後に接種後１０週までに正常化した。図３０に示したように１．４（配列番号２２）組換えタンパクに対する特異抗体応答がＰＩ４９日に最初に検出され、ＰＩ５６日〜１１８日の間検出され続けた。４．１（配列番号５２）組換えタンパクに対する抗体応答は  ＰＩ４９日に最初に検出され、ＰＩ５６日〜７７日の間検出され続けた。但しＰＩ８４日から１１８日の間は検出されなかった。１．７（配列番号６１０）組換えタンパクに対する抗体応答はＰＩ５６日に最初に検出され、ＰＩ６３日〜１１８日の間検出され続けた。タマリンはＰＩ１１８日目に殺した。
【０２９２】
実施例２に記載のように、タマリンＴ−１０４４は、Ｈ２０５で接種した７日後にＴ−１０５７からの血清で接種した。この接種物はクローン４プライマーで検出された配列に対してのみ陽性であった。クローン１６プライマーを用いたＲＴ−ＰＣＲでＰＩ１４日から６３日の間、切捨て値を越えるゆるやかなＡＬＴ値の上昇が見られた。前述のように、１．７（配列番号６１０）組換えタンパクに対する特異抗体応答は、ＰＩ６３日〜８４日の間、検出された。４．１（配列番号６１２）組換えタンパクに対する抗体応答や、１．４（配列番号６１１）組換えタンパクに対する抗体応答は検出されなかった。タマリンは、ＰＩ１６１日目に殺した。
【０２９３】
４．タマリンについてのＰＣＲの結果（力価検定／伝播性の研究）
接種に先立つ８週目の週にＴ−１０４９とＴ−１０５５から採取した血清および接種の日にＴ−１０３８から得た血清は、クローン１６（配列番号２６）およびクローン４（配列番号  ２１）に対し、ＲＴ−ＰＣＲ陰性であった。タマリンＴ−１０４９とタマリンＴ−１０５５はクローン４の配列（配列番号２１）に対して接種の１週間後、ＲＴ−ＰＣＲ陽性であった（クローン１６のＰＣＲは実施しなかった）。殺す日に先立つ、Ｔ−１０４９（ＰＩ１４日）並びにＴ−１０５５（ＰＩ１１日）は、クローン４（配列番号２１）およびクローン１６の配列  （配列番号２６）のいずれに対しても、ＲＴ−ＰＣＲ陽性であった。タマリンＴ−１０３８は、殺す日（ＰＩ１４日）には、両プライマーのいずれでも陽性であった。
【０２９４】
図３０から判るように、Ｔ−１０３４は、接種後に採取した（ＰＩ７日）最初の血清サンプルについてクローン４プライマーで検出された配列に対しＲＴ−ＰＣＲ陽性で、ＰＩ７０日まで陽性でありつづけた。ＰＩ１１２日に採取したサンプルは陰性であった。これらのサンプル全てはクローン１６プライマーによるＲＴ−ＰＣＲで陰性であった。接種前の７０日目および１０１日目に採取したサンプルは両プライマーのいずれでも陰性であった。
【０２９５】
タマリンＴ−１０５１に関する図２９から判るように、ＨＧＢＶ−ＲＮＡは、接種の８週間前に採取した血清サンプルにおいては、両プライマー（上記のクローン４とクローン１６からのもの）のいずれによっても検出されなかった。ＨＧＢＶ−ＲＮＡは、ＰＩ７日〜６９日の間に採取した６種の血清において、クローン４からのプライマーを用いたＲＴ−ＰＣＲで検出されたが、ＰＩ７７、８４、９１、あるいは１０５日に採取した血清では検出されなかった。接種後に採取した９つのサンプルにおいて、クローン１６からのプライマーを用いたＲＴ−ＰＣＲでＨＧＢＶ−ＲＮＡが検出された。
【０２９６】
図７に示すように、Ｔ−１０４４は、接種後（ＰＩ７日）に採取した最初の血清サンプルにおいては、クローン４プライマーで検出された配列に対し、ＲＴ−ＰＣＲ陽性であり、ＰＩ６３日まで陽性でありつづけた。ＰＩ７７日〜１１９日の間に採取したサンプルは陰性であった。これらのすべてのサンプルは、クローン１６プライマーに対してＲＴ−ＰＣＲ陰性であった。接種の４２日前に採取したサンプルは、両プライマーのいずれに対しても陰性であった。
【０２９７】
タマリンＴ−１０４７とＴ−１０５６に対し、ＰＩ１４日に採取したＴ−１０４４血清を接種した。これらの両動物からＰＩ７日〜６４日の間に採取した９種のサンプルは、クローン４プライマー（配列番号８と９）によるＲＴ−ＰＣＲは陽性であったが、クローン１６プライマーでは陰性であった。
【０２９８】
タマリンＴ−１０５８に、Ｔ−１０５３血清による誘発の２２日後に採取した無希釈のＴ−１０５７血清を接種した。この接種物は、クローン１６プライマーで検出された配列に対して陽性であったが、クローン４プライマーでのものには陰性であった。この動物から採取した血清サンプルを、ＧＢＶ−配列［クローン１６、クローン２、クローン１０、クローン１８］およびＧＢ−Ｂ配列［クローン４およびクローン５０］に由来するプライマーを用いて試験した。接種の９日前に採取したサンプルは、全てのプライマーでいずれも陰性であった。ＰＩ１４日に採取したサンプルはクローン１０と１８のプライマーのみで陽性であった。ＰＩ２１日に採取したサンプルはクローン１６、１０、および１８のプライマーのみで陽性であった。ＰＩ２８日に採取したサンプルはクローン１８のプライマーのみで陽性であった。ＰＩ３５日に採取したサンプルはクローン２、１６、および１８のプライマーのみで陽性であった。ＰＩ４１日に採取したサンプルはクローン１６および１８のプライマーのみで陽性であった。クローン４およびクローン５０からのプライマーでは、試験した全サンプルが陰性であった。
【０２９９】
５．タマリンによる血清学的研究のまとめ
５匹のタマリンに対し、ＨＧＢＶの種々の調製物を接種すると、接種後２週間までに肝酵素が上昇を始めた。この上昇値は続く６〜８週間の間持続した。一以上のＨＧＢＶ組換え抗原、１．７、１．４、および４．１に対する特異抗体の応答が５匹全部のタマリンで観察された。いずれの場合も抗体はまず、ＰＩ６から１０週で検出され、さらに２週間から７週間の間持続した。一般に、抗体レベルはピークに達し、次いで引き続く数週間の内に急速に下降した。抗体は、肝酵素の値が正常値に戻った後しばらくして検出可能となることがわかる。このことは、抗体の産生がウイルス感染の消散において何らかの作用をしていることを示唆するものである。
【０３００】
６．タマリンでのＰＣＲ研究のまとめ
ゲノムウォーキング実験の結果は、クローン４（配列番号２１）とクローン１６（配列番号２６）が別々のＲＮＡ分子上にあることを示唆している。我々は従前、ウイルスゲノムには異なる２種類が存在し、その一つは一部にクローン４（配列番号２１）を含有しもう一つは一部にクローン１６（配列番号２６）を含有する、という仮説を提起した。ある動物がクローン４からのプライマーで陽性でクローン１６からのプライマーでは陰性であるという事実が観察されたことは、ウイルスゲノムに異なる２種類が存在することを支持するものである。しかしながら、クローン１６（配列番号２６）の配列が感染タマリンの内のあるものでは検出できなかったことは、クローン１６のプライマーセットとクローン４のプライマーセットとの感度の下限の違いを反映している、という議論もできるかもしれない。もしこの後者の可能性が正しいとするならば、両方のプライマーともに陽性のタマリンは、これら二つのプライマーセットに関し、感度の差を示すはずである。上記の結果は二つのウイルス種の存在によって説明されるのであって二つのプライマーセットの感度の差によるものではない、という立場を補強するため、タマリンＴ−１０５７とＴ−１０５３のｃＤＮＡの一連の希釈列を用いてＰＣＲを実施した。Ｔ−１０５７血清はクローン４プライマーの血清当量５×１０−３μｌで陽性、５×１０−４μｌで陰性であった。Ｔ−１０５７血清を２０μｌという多量で用いてＲＴ−ＰＣＲをクローン１６プライマーで行ったが、結果は陰性であった。もしこの差が二つのプライマーセット（クローン４対クローン１６）の相対感度に帰するのであれば、他の検体もＰＣＲ試験を行ったとき４０００倍もの高い終点希釈を示すであろうと予測される。しかしながら、Ｔ−１０５３血清に由来するｃＤＮＡは、クローン４（配列番号２１）およびクローン１６（配列番号２６）の両クローンの配列に対し、いずれも血清当量２．５×１０−４μｌで陽性で、２．５×１０−５μｌで陰性であることが判った。よってこの結果はプライマーセットの感度の差では説明できず、ｃｏｎｔｉｇＢ−クローン４（配列番号２１）およびｃｏｎｔｉｇＡ−クローン１６（配列番号２６）配列が、Ｔ−１０５７においては少なくとも４０００倍異なる力価であるがＴ−１０５３では略等しい力価であるような別個のウイルスゲノムの上に存在する、という仮定と整合する。すなわちこのデータは、異なる検体において異なる相対終点力価を有する別個の二つのウイルスの存在と整合するものである。
【０３０１】
ＨＧＢＶ−Ｂによるウイルス血症のみで肝酵素レベルの上昇を引き起こすのに十分であって、ＧＢＶ−Ａのみのウイルス血症段階では肝酵素レベル上昇は認められない、という観察結果から、ＨＧＢＶ−Ｂが恐らくこれらのタマリンにおける肝炎の原因物質であったことがわかった。ＨＧＢＶ−Ｂ抗原に対する免疫応答は、精々接種後１５０日という短期間出現した。これに対する説明としては、これらのＥＬＩＳＡアッセイにおいて選定されたエピトープが、免疫応答が生成する主エピトープからのものではなかったということが考えられる。他の説明として、タマリンにおいては肝炎誘発は長期間の応答を必要とする重症ではない、ということも考えられる。これは、急性期に殺した、あるいは急性期の少し後で自然死した動物において、肝臓の炎症が軽症ないし非重症に止まった（結果は示さない）という組織学的証拠と整合する。
【０３０２】
この研究で記載した６匹の動物の内の５匹において、ＰＩ１１２日までにＨＧＢＶ−Ｂによるウイルス血症が散退した。一方、タマリンＴ−１０４８は１３６日間ウイルス血症から回復せず、死亡時（ＰＩ１３７日）にウイルス血症が認められた。ＧＢＶ−Ａ配列に陽性であった４匹の動物中で、３匹は、ＧＢＶ−Ａ配列が最初に出現してから７７日後までにウイルス血症の解消をみた。これに対し、タマリンＴ−１０６１は、犠牲に供されるまでの２４５日間、ウイルス血症が認められた。加えて、タマリンＴ−１０５１は、犠牲に供されるまで（ＰＩ１１３日）ウイルス血症であったが、この持続するウイルス血症が最初にＴ−１０５３血漿で接種したことによるものか、あるいはその６９日後にＴ−１０５３血漿で追加接種した結果によるものかは不明である。
【０３０３】
ＨＧＢＶ−ＡおよびＨＧＢＶ−Ｂの両方に陽性であった６匹の動物のピークＡＬＴの平均値は、ＨＧＢＶ−Ｂのみに陽性の４匹の動物の平均値より高かった。加えてピーク値に達するのは、平均してＧＢＶ−Ｂのみに陽性の動物よりもＧＢＶ−ＡおよびＧＢＶ−Ｂの両方に陽性の動物における方が早かった。これらの結果は、肝炎の強さは両剤が相当量で存在すること  に関係するかもしれないことを示唆している。タマリンＴ−  １０４７とＴ−１０５６へのＧＢＶ−Ｂの追加継代接種において肝酵素値の上昇がＧＢＶ−Ｂウイルス血症でほとんどなかったことが観察されたが、この結果は、タマリンにおいては両剤がＡＬＴレベルの主たる上昇をもたらすのに必須ではないかという仮説を支持する。ＨＧＢＶ−Ｂ単独を用いた継代接種に加え、Ｔ−１０５８に接種物ＨＧＢＶ−Ａを接種した時の初期の結果は、クローン４とクローン５０のプライマーで検出可能なＧＢ−Ｂ配列の不在によって示されるように、ＨＧＢＶ−Ａは検出可能なＨＧＢＶ−Ｂがなくとも独立に伝染しうることを示唆している。
【０３０４】
Ｆ．ヒト集団でのＨＧＢＶへの暴露を示すための実験手順
種々のヒト集団から検体を得て、ＨＧＢＶ−Ｂに由来する組換えタンパクを用いた三種の別個のＥＬＩＳＡによってＨＧＢＶに対する抗体の有無を調べた。実施例１５Ｂのようにして１．７ＥＬＩＳＡにおいてはＣＫＳ−１．７組換えタンパク（配列番号６１０）で固相を被覆し、１．４ＥＬＩＳＡにおいてはＣＫＳ−１．４組換えタンパク（配列番号６１１）で固相を被覆し、また４．１ＥＬＩＳＡでは４．１組換えタンパク（配列番号６１２）で固相を被覆して用いた。実施例１５Ｅでも記したように、ＨＧＢＶで接種したタマリンでは、これらのタンパクに対して特異的ではあるが短い抗体応答が認められた。この検出可能な免疫応答の短期的な性質からすると、結果が陰性のヒト集団においてＨＧＢＶに対して従前暴露された可能性がないとはいえない。
【０３０５】
ヒトの検体で行った血清学的研究は二重の目的を有するものであった。第一の目的は、種々のヒト集団における本発明の  ＨＧＢＶ組換え抗原に対する抗体の血清学的存在を決定することであった。これらの研究は次の（１）〜（３）のテストを含む：（１）ＨＧＢＶへの暴露に関し「低リスク」と考えられる集団（例えば合衆国における健康なボランティアの血液ドナーの人々）；（２）ＨＧＢＶへの暴露に関し「リスクあり」と考えられる集団（例えば経静脈麻薬使用者や血友病患者の検体は、非経口的に伝播した肝炎ウイルス（ＨＢＶおよびＨＣＶ）に対して血清反応がしばしば陽性となる；発展途上国に居住する個体からの検体は、経腸的に伝播したウイルス（ＨＡＶおよびＨＥＶ）に対して血清反応がしばしば陽性となる；（３）既知の肝炎ウイルス（ＨＡＶ、ＨＢＶ、ＨＣＶ、ＨＤＶ、またはＨＥＶ）への暴露や、サイトメガロウイルス（ＣＭＶ）やエプスタイン−バーウイルス（ＥＢＶ）などの肝炎関連のその他のウイルスへの暴露には関連のない、「非Ａ−Ｅ−肝炎」を有する個体から得た検体グループ。非Ａ−Ｅ−肝炎という一般的呼称に属するグループのメンバーの一部はＨＥＶに対する抗体に関してはテストされていない場合がある。よって、１．７、１．４、あるいは４．１ＥＬＩＳＡで反応性を有した非Ａ−Ｅ群のすべての検体について、ＨＥＶ−ＥＬＩＳＡアッセイ（本出願人から入手可能）を行った。抗ＨＥＶは、三つの地域（パキスタン、アメリカ合衆国、およびニュージーランド）からのサンプルで以下に記載するように陽性の結果となった。
【０３０６】
ＨＧＢＶに対する暴露に関し「低リスク」と考えられる集団よりも、ＨＧＢＶに対する暴露の「リスクあり」の集団や非Ａ−Ｅ肝炎を有する個体における方が、より高い血清学的存在率がみられることが予想される。
【０３０７】
本血清学的研究の第二の目的は、一以上のＨＧＢＶエピトープに対する抗体について陽性であることが判った検体ＲＴ−ＰＣＲで調べ、ウイルスが血清中に存在するかどうかを決定することであった。ＨＢＶおよびＨＣＶは数カ月あるいは数年も持続するウイルス血症の疾病状態を、また、一般にＨＡＶやＨＥＶは一般に数週間持続する短期間のウイルス血症をもたらすことはよく知られている。急性で消退しつつある肝炎である、ＨＢＶやＨＣＶ感染の場合には、ウイルス血症の段階は数週間という短期間の持続の場合もあろう。このようにＲＴ−ＰＣＲは、感染個体にウイルスが存在するという証拠を得るために用いることができる。しかしながら、ウイルス血症の状態は短期間でありうるので、ある剤に感染した個体でもその剤に関してＲＴ−ＰＣＲ陰性となることもある。
【０３０８】
Ｇ．切捨て値の決定
間接方式を利用するその他のＥＬＩＳＡアッセイにおける従前の経験から、予備的な切捨て値を、研究対象のタンパクに対する抗体に関して恐らく陰性であると思われる集団から得た吸収に基づいて算出すればよいことが判明している。予備的切捨て値は、集団の平均吸収値と、集団の平均値からの１０の標準偏差との合計として計算した。切捨て値は一検査群の検査が行われるたびに用いられるものなので、切捨てを表現するより簡便な方法は、各アッセイのたびに５個重複して走らせる陰性コントロール（正常ヒト血漿プール−ＮＦＰ）から決める方法であった。１．７、１．４、および４．１ＥＬＩＳＡについては、陰性コントロールは、典型的には０．０３０と０．０６０の間の吸収を有していた。以下に記載のように、切捨て値は吸収値で約０．３００から０．６００であると計算されたが、これは陰性コントロールの値の１０倍の吸収シグナルに匹敵するものであった。よって、検体が反応性であると考えられるのは、陰性対照（Ｎ）吸収値に対するサンプル（Ｓ）の吸収値（＝Ｓ／Ｎ比）が１０．０以上であることを要する。
【０３０９】
Ｈ．追補的試験
最初の試験で反応性であるとされた検体は、原則として２個重複で再試験した。もし再試験時の吸収の一あるいは二者も切捨て値より高ければ、その検体は繰り返し反応性であると考えられた。繰り返し反応性であると考えられた検体については、さらにＥＬＩＳＡのデータを補充すべく追補的アッセイを行った。十分量がある場合、繰り返し反応性検体はウェスタンブロットによって、抗体応答がＣＫＳ１．７（配列番号６１０）ＣＫＳ１．４（配列番号６１１）またはＣＫＳ４．１（配列番号６１２）抗原を指向するものであって、問題とする主タンパクとともに固相に共に被覆されていたかもしれない大腸菌タンパクを指向するものではないことを確認した。ウェスタンブロットが陽性と考えられるためには、可視的なバンドが１．７タンパク（配列番号６１０）に対して８０ｋＤ、１．４タンパク（配列番号６１１）に対して６０から７０ｋＤ、または４．１タンパク（配列番号６１２）に対して４２ｋＤにおいて検出される必要がある。ウェスタンブロットはＥＬＩＳＡの感度に匹敵ないしそれを凌駕するほど最適化されていないので、陰性の結果が出ても直ちにＥＬＩＳＡのデータを捨てることはしなかった。しかしながら、陽性の結果が出れば、それはＥＬＩＳＡによって検出された反応性を補強するものである。
【０３１０】
繰り返し反応性のある検体で十分量あるものの対しては、クローン４プライマーを使用するＲＴ−ＰＣＲ（実施例１５Ｄに記載に従って実施）を実施し、血清中のＨＧＢＶ特異性ヌクレオチド配列を同定してもよい。結果が陽性であれば、その検体はウイルス血症であることがわかり、究極的にはヒト肝炎におけるＨＧＢＶの役割を確立する一助になるであろう。しかしながら、結果が陰性であってもそれはＥＬＩＳＡの結果が誤りだったと解釈してはならない。タマリンによる研究において実施例１５Ｅに記載したように、ＲＴ−ＰＣＲの結果は感染後の最初の数週間は陽性で、その後本発明のＥＬＩＳＡで抗体がまさに検出されはじめた頃には陰性になっていた。この後の段階における検体はＲＴ−ＰＣＲ反応陰性であっても一方または両方のＥＬＩＳＡにおいて陽性であるかもしれない。
【０３１１】
Ｉ．低リスク検体における血清反応データ
ウィスコンシン州南東部の健康なボランティア血液供与者から１００血清と１００血漿から成る集団を得て、上記のＥＬＩＳＡによって１．７（配列番号６１０）、１．４（配列番号６１１）、４．１（配列番号６１２）の各組換えタンパクに  対する抗体を検査した。血清および血漿について、１．７、１．４、および４．１ＥＬＩＳＡで得られた吸収の値を別々にプロットした（図９−１４）。
【０３１２】
１．７ＥＬＩＳＡでは、血清検体と血漿検体に対する平均吸収値はそれぞれ０．０７２［標準偏差（ＳＤ）は０．０６１］および０．０８３（ＳＤ＝０．０５５）であった。よって１．７ＥＬＩＳＡでは血清と血漿に対する仮の切捨て値はそれぞれ０．４９９および０．４６８であった。上述のように陰性コントロールの吸収値をもとにして切捨て値を表すこともできる。Ｓ／Ｎ比が１０．０を越える検体を反応性ありとした。この切捨て値を用いると、１．７（配列番号６１０）に対する抗体に対して試験した２００検体の内の０検体が反応性であった。
【０３１３】
１．４ＥＬＩＳＡでは幾つかの検体（血清集団から３種、血漿集団から６種）が０．３００を越える吸収値を示した（Ｓ／Ｎ比が６から１２、予想される切捨て値に近いかそれ以上）。再試験すると、これらの検体の９種全部が１０．０より低い  Ｓ／Ｎ比を示した。血清検体と血漿検体に対する平均吸収値はそれぞれ０．０７２（ＳＤ＝０．０５２）および０．１０８（ＳＤ＝０．０６２）であった。１．４ＥＬＩＳＡにおける切捨て値は、上記の式によって計算した。即ち、血清と血漿それぞれの集団に対する切捨て値はそれぞれ０．４３６および０．５４２であった。血清集団の中の一検体は、最初の試験で反応性とされたが、二重にして再試験したときには陰性であった。血漿集団の中の２検体も最初は試験で反応性とされたが、再試験では陰性であった。血漿１００検体と血清１００検体からなる第二の正常検体２００の集団を試験した。先に提案した切捨てに基づき試験すると、血漿２検体および血清２検体が繰り返し反応性であった。
【０３１４】
４．１ＥＬＩＳＡでは血清検体と血漿検体に対する平均吸収値はそれぞれ０．０７０［標準偏差（ＳＤ）は０．０３７］および０．０６３（ＳＤ＝０．０４０）であった。よって４．１ＥＬＩＳＡにおいて、血清および血漿に対する仮の切捨て値はそれぞれ０．３２９および０．５１１であった。上述のように陰性コントロールの吸収値に基づいて切捨て値を決めることもできる：Ｓ／Ｎ比が１０．０を越える検体を反応性ありとした。この切捨て値を用いると、４．１（配列番号６１２）に対する抗体について試験した１００血漿検体の内の０検体、および  １００血清検体の内の０検体が最初の試験で反応性を有しているとされた。
【０３１５】
インターステート血液銀行（オハイオ州）から追加の７６０の血漿供与者の提供を受け、１．７ＥＬＩＳＡおよび１．４ＥＬＩＳＡの試験を行った。合計９検体が繰り返し反応性であった。両方のＥＬＩＳＡで同時に反応性を有する検体はなく、全９検体が１．４ＥＬＩＳＡで繰り返し反応性であった。
【０３１６】
アメリカ合衆国に居住している血漿或いは血液提供者からの合計９６０検体について、１．７タンパクおよび１．４タンパクに対する抗体の有無を調査した。合計１３検体が１．４ＥＬＩＳＡにおいて繰り返し反応性であった。１．７ＥＬＩＳＡで繰り返し反応性を有する検体はなかった。
【０３１７】
以上まとめると、これらのデータは次のことを示している。すなわち、ＨＧＢＶ−Ｂからの組換え抗原を用いる一種以上のＥＬＩＳＡアッセイにおいて、これまでのＥＬＩＳＡ結果によると、アメリカ合衆国の血液提供者から採取された９６０検体のうち１３検体が抗体反応性であった。この結果からＨＧＢＶはアメリカ合衆国に固有のいわゆる風土病である可能性があると思われる。
【０３１８】
これらのデータを表１６に示す。
【０３１９】
Ｊ．肝炎に関し「リスクあり」と考えられる検体
この研究でのデータを表１６に示す。
【０３２０】
（ｉ）西アフリカからの検体
西アフリカから入手した１３００検体の内、合計１８１検体が一以上のＥＬＩＳＡで繰り返し反応性であった。３種のＥＬＩＳＡ全部で繰り返し反応性の検体が１検体あった。合計４３検体が１．７ＥＬＩＳＡで繰り返し反応性を有し、９１検体が１．４ＥＬＩＳＡで繰り返し反応性を有し、５１検体が４．１ＥＬＩＳＡで繰り返し反応性を有した。
【０３２１】
１．７ＥＬＩＳＡで繰り返し反応性であった６検体のうちの一つは、１．７タンパク（配列番号６１０）についてのウェスタンブロットで反応性であった。１．４ＥＬＩＳＡで繰り返し反応性であった９検体のうちの９検体（１００％）は、１．４タンパク（配列番号６１１）に対する抗体についてのウェスタンブロットで陽性であった。一検体が両方のタンパクについてのウェスタンブロットで陽性であった。４．１ＥＬＩＳＡで繰り返し反応性であった１２検体のうちの１２検体（１００％）は、４．１タンパク（配列番号６１２）に関するウェスタンブロットで陽性であった。
【０３２２】
繰り返し反応性であった３つの検体（１．４ＥＬＩＳＡで陽性であった一検体と、両ＥＬＩＳＡおよびウェスタンブロットで陽性であった一検体を含む）について、クローン４からのプライマーを用いるＲＴ−ＰＣＲによって上記のようにしてＨＧＢＶ−ＲＮＡの有無を調べた。
【０３２３】
得られたデータはＨＧＢＶが西アフリカの風土病である可能性を示唆するものであった。
【０３２４】
（ii）経静脈麻薬使用者（ＩＶＤＵ）からの検体
セット１：１１２検体のうち３検体が１．４ＥＬＩＳＡで陽性であった。５検体が４．１ＥＬＩＳＡで、３検体が１．７ＥＬＩＳＡで反応性であった。２サンプルが、２以上のＥＬＩＳＡで陽性であった。
【０３２５】
セット２：経静脈麻薬使用者の集団から計９９検体を採取した。この試験はイリノイ州シカゴのハインズ退役軍人管理病院（Hines Veteran’s Administration Hospital ）で実施されたものの一部である。検体のいずれも１．７あるいは４．１  ＥＬＩＳＡで反応性を有しなかった。一検体は１．４ＥＬＩＳＡで繰り返し反応性が認められた。この繰り返し反応性の検体について、クローン４からのプライマーを用いるＲＴ−ＰＣＲによって上記のようにしてＨＧＢＶ−ＲＮＡの有無を調べた。この検体はＲＴ−ＰＣＲ陰性であった。
【０３２６】
Ｋ．非Ａ−Ｅ肝炎の個体から採取した検体
得られたデータを表１６にまとめて示す。
【０３２７】
非Ａ−Ｅ肝炎と診断された個体群から種々の検体集団を得て、実施例１５Ｃに従って１．７、１．４、および４．１ＥＬＩＳＡを実施した。使用した検体は次のものを含む：日本のクリニックからの１８０検体；ニュージーランドのクリニックからの５６検体；ギリシャのクリニックからの７３検体；エジプトのクリニックからの１３２検体；アメリカ合衆国テキサス州のクリニックからの６４検体（セットＴ）；ミネソタの研究センターからの７２検体（セットＭ）；米国からの６２検体（セット＃１）；パキスタンのクリニックからの８２検体；イタリーのクリニックからの１０検体（幾つかの検体は血清量の不足のため実行可能なＥＬＩＳＡアッセイすべては実施しなかった）。
【０３２８】
（ｉ）日本の検体
これらの１８０検体は８５人の異なる患者からのものであった。全１８０検体のうち二つが１．７ＥＬＩＳＡで繰り返し反応性であった。この二つの反応性を示す検体は２人の異なる患者からのものであった。上記２検体について、クローン４からのプライマーを用いるＲＴ−ＰＣＲによって前記のように検査した。陽性の検体はなかった。
【０３２９】
１．４ＥＬＩＳＡで陽性の検体はなかった。
【０３３０】
４．１ＥＬＩＳＡについては、８９検体中７検体が４．１アッセイで繰り返し反応性を示した（注：これら８９検体は２９人の異なる患者から得たものであった）。反応性の検体のうち５検体は一人の患者からのものであった。残る２検体は別の一人の患者からのものであった。
【０３３１】
（ii）ニュージーランドの検体
５６検体のうち計４検体が１．７、１．４、および４．１ＥＬＩＳＡの一以上において繰り返し反応性であった。これらの内、二以上のＥＬＩＳＡで反応性を示した検体はなかった。１検体が１．７ＥＬＩＳＡで繰り返し反応性であり、２検体が１．４ＥＬＩＳＡで繰り返し反応性であった。１検体が４．１ＥＬＩＳＡで繰り返し反応性であった。二つの繰り返し反応性の検体についてＰＣＲを実施した。その結果、両検体とも陰性であった。１．４ＥＬＩＳＡで繰り返し反応性を示した１検体はＨＥＶに対する抗体とも反応性を有した。
【０３３２】
（iii）ギリシャの検体
７３検体中の計５検体が１．７および／または１．４ＥＬＩＳＡで抗体反応性であった。これら７３検体は計１１人の患者から採取したものであった。繰り返し反応性の５検体中２検体は、両ＥＬＩＳＡで繰り返し反応性を示したが、これらは別々の日に同一の患者から採取したものであった。二つの繰り返し反応性を示した検体をＲＴ−ＰＣＲで調べたところ陰性であった。これらの検体のいずれも４．１ＥＬＩＳＡでは抗体反応性を有しなかった。
【０３３３】
（iv）エジプトの検体
１３２検体中の計１１検体が１．７、１．４、あるいは４．１ＥＬＩＳＡで反応性を示した。８検体が１．７および１．４ＥＬＩＳＡの両方で陽性であった。９検体が１．７ＥＬＩＳＡで抗体反応性であり、９検体が１．４ＥＬＩＳＡで反応性であった。１検体は４．１ＥＬＩＳＡでは繰り返し反応性を示したが、１．７および１．４ＥＬＩＳＡでは陰性であった。１．７ＥＬＩＳＡで繰り返し反応性を示した１検体は、ウェスタンブロットで調べると１．７組換えタンパク（配列番号６１０）に対する抗体に関し陰性であった。１．４ＥＬＩＳＡで繰り返し反応性を示した９検体中６検体は、ウェスタンブロットでは１．４組換えタンパク（配列番号６１１）に対する抗体に関し陽性であった。繰り返し反応性であったもののうち７検体についてＲＴ−ＰＣＲで試験した。どの検体も反応性を示さなかった。これら全１３２検体は２５人の異なる個体から別々の日に採取したものであった。繰り返し反応性を示した１１検体は、異なる５個体からのものであった。これらの個体中の一個体（患者＃１０１）においては、免疫応答は明白にタマリン（図３１）で観察されたそれと相似であった。図３１においてＡＬＴレベルが医者が症状を認めた時には上昇していたことに注意されたい。その後の検体ではＡＬＴレベルは低下し、１．４および１．７ＥＬＩＳＡによって抗体が検出された。抗体応答は、タマリンで観察された血清反応状況と同じく、その後数週間にわたって低下した。追加の３人の患者（２５７、２６０、および３４０）は患者＃１０１と同様の血清パターンを示した（図３２−３４参照）。これらのデータはＨＧＢＶがこれらの肝炎の症例において原因剤であるかもしれないという仮説を支持するものである。
【０３３４】
上の４人の患者からの７検体中、いずれの検体もＲＴ−ＰＣＲではＨＧＢＶ−ＲＮＡ陽性ではなかった。この結果には幾つかの理由が考えられる。第一にウイルス血症の段階は非常に短期間であるかもしれず、その場合ウイルスは最初の採血の日までに血清から除去されてしまっていた可能性がある。第二にこれらの検体が船でエジプトから輸送されてきたことから、恐らく保存・輸送の過程で凍結、解凍を経るかその他の変化を受けたことが考えられ、その結果ＨＧＢＶ−ＲＮＡの検出能力が低下した可能性がある。
【０３３５】
（ｖ）アメリカ合衆国の検体（セットＴ）
アメリカ合衆国の６４検体（セットＴ）で、１．７、１．４、４．１ＥＬＩＳＡにおいて繰り返し反応性を有するものはなかった。
【０３３６】
（vi）アメリカ合衆国の検体（セットＭ）
アメリカ合衆国の７２検体（セットＭ）のうち、計４検体が一以上のＥＬＩＳＡで繰り返し反応性を示した。２検体は１．７および４．１ＥＬＩＳＡで反応性を示した。１．７ＥＬＩＳＡのみで反応性のものが１検体、４．１ＥＬＩＳＡのみで反応性のものが１検体存在した。
【０３３７】
(vii) アメリカ合衆国の検体（セット１）
非Ａ−Ｅ肝炎のアメリカ合衆国検体（セット１）５１検体中、３検体が一つまたは両ＥＬＩＳＡで繰り返し反応性を示した。１検体は両ＥＬＩＳＡで繰り返し反応性を示した。１検体は１．７ＥＬＩＳＡで反応性を示し、３検体は１．４ＥＬＩＳＡで繰り返し反応性を示した。両ＥＬＩＳＡで陽性の検体は、１．４組換えタンパク（配列番号２２）に対するウェスタンブロットで陽性であったが、１．７組換えタンパク（配列番号２３）では陰性であった。追加の１検体は１．４ＥＬＩＳＡで陽性、１．４組換えタンパク（配列番号６１１）に対してウェスタンブロット陽性であった。１．４ＥＬＩＳＡで繰り返し反応性を示した１検体はＨＥＶに対する抗体に反応性であった。
【０３３８】
(viii)パキスタンの検体
８２検体中の計４検体が、１．４および／または１．７ＥＬＩＳＡで繰り返し抗体反応性であった。両ＥＬＩＳＡで反応性を示した検体はなかった。２検体が１．７ＥＬＩＳＡで繰り返し反応性を示し、２検体が１．４ＥＬＩＳＡで繰り返し反応性を示した。１．４ＥＬＩＳＡで繰り返し反応性の２検体は、ＨＥＶに対する抗体にも反応性であった。８２検体いずれも４．１ＥＬＩＳＡでは陽性でなかった。
【０３３９】
（ix）イタリーの検体
１０検体いずれも、１．７、１．４、および４．１ＥＬＩＳＡで繰り返し反応性を示さなかった。
【０３４０】
Ｌ．血清反応の結果の統計的意義
これらのデータは、ＨＧＢＶタンパクに対する特異抗体（即ち１．７、１．４、または４．１ＥＬＩＳＡで抗体に繰り返し反応性を示す検体）を、調査した集団の三つのカテゴリー全部で検出できることを示している。種々の検体カテゴリー（「低リスク」、「リスクあり」、および非Ａ−Ｅ肝炎患者）から得た血清学上の結果を合わせ、χ二乗検定で統計的意義について分析した。データは、ＨＧＢＶへの暴露に関し「リスクあり」と考えられる個体、あるいは分類未知の肝炎と診断された個体を含むボランティア血液提供者において、抗−ＨＧＢＶの血清学的有病率を比較すると有意の差異が存在することを示した。
【０３４１】
西アフリカ検体においては血清学的有病率は１３．９％であって、これはベースライン上のグループ（表１７）と比べ、ｐ値０．０００の下で有意に高かった。同様にＩＶＤＵにおいても、結果をボランティア提供者のデータと比較した時、統計的に有意の差が存在した（ｐ値＝０．０００）。日本、ニュージーランド、アメリカ合衆国、エジプト、およびパキスタンを含む国々については、アメリカ合衆国のボランティア血液提供者に比べ、非Ａ−Ｅ肝炎患者において抗体の存在に有意の差が存在した。
【０３４２】
Ｈ．まとめ
これらのデータは、本明細書に記載の種々のＥＬＩＳＡが、日本、ニュージーランド、アメリカ合衆国、エジプト、およびパキスタンを含む様々な地域におけるヒトの肝炎診断に有用である可能性を示唆している。これらのデータは、試験した検体の全カテゴリーにおいてＨＧＢＶに対する抗体の血清学的存在を過小に評価しているように思われる。さらなるＨＧＢＶエピトープが発見され、評価されるにつれ、現在は診断を下すことができない患者において肝炎を診断するにあたり、ＨＧＢＶゲノム（群）に基づく試験の有用性がより重要なものとなることが期待される。注：これらの最初の研究ではＲＴ−ＰＣＲの結果は陰性であったが、その後のデータから血清反応陽性の個体の血清でフラヴィ様ウイルス配列が見いだされた。
【０３４３】
上に記載したように、２種以上のＨＧＢＶ株が存在する。これらは本発明の範囲内のものと考えられ、これを「肝炎ＧＢウイルス（ＨＧＢＶ）」と呼ぶ。
【０３４４】
（実施例１６）
ＨＧＢＶ−Ａの血清学的研究
Ａ．組換えタンパク精製手順
ＣＫＳ融合タンパクを発現する細菌細胞を凍結し、−７０℃で保存した。各ＧＢＶ−Ａ構築物からの細菌細胞を解凍し、実施例１５でＧＢＶ−Ｂ構築物について記載したようにして粉砕処理した。さらに、組換えタンパクを、実施例１５でＧＢＶ−Ｂ組換えタンパクについて記載したようにして精製した。
【０３４５】
この精製手順で収集した分画を電気泳動で分離し、クーマシーブリリアントブルーＲ２５０で染色して、分子量が約６０ｋＤ（ＣＫＳ−１．５／配列番号６１４）、６５ｋＤ（ＣＫＳ−２．１７／配列番号６１３）、５５ｋＤ（ＣＫＳ−１．１８／配列番号３９０）、および６６ｋＤ（ＣＫＳ−１．２２／配列番号３９０）に相当するタンパクの有無を調べた。該当するタンパクを含有する分画をプールし、ＳＤＳ−ＰＡＧＥによって再度調査した。
【０３４６】
精製抗原を含有するプール分画の免疫原性および構造の完全性を、実施例１３に記載の方法に従ってニトロセルロースに対する電子移動およびイムノブロット法によって決定した。適当な陽性コントロールがなかったため、組換えタンパクは、各融合タンパクのＣＫＳ部分に対するモノクローナル抗体との反応性によって同定した。ＣＫＳ−１．５タンパク（配列番号６１４）について、組換え抗原を検出すべく抗−ＣＫＳモノクローナル抗体を用いてウェスタンブロット法で調べると、約６０ｋＤのところにシングルバンドが認められた。この結果はＣＫＳ−１．５タンパク（配列番号６１４）の予想サイズに  対応している。同様にＣＫＳ−２．１７タンパク（配列番号６１３）、ＣＫＳ−１．１８タンパク（配列番号３９０）およびＣＫＳ−１．２２タンパク（配列番号３９０）も、イムノブロット法で調べた結果予想されたサイズを有していた。
【０３４７】
Ｂ．ポリスチレンビーズの被覆手順
上記タンパクを透析し、実施例１５の記載に従って、これらのタンパクのポリスチレンビーズ上での抗原性を評価した。
【０３４８】
Ｃ．ＨＧＢＶに対する抗体を検出するためのＥＬＩＳＡの手順
各種ＥＬＩＳＡは実施例１５の記載に従って実施した。
【０３４９】
Ｄ．感染個体の血清におけるＨＧＢＶ−ＲＮＡの検出
各ＥＬＩＳＡで繰り返し反応性を示した検体について、実施例１５のセクションＤの記載に従ってＨＧＢＶ−ＲＮＡの有無を調べた。
【０３５０】
Ｅ．タマリンの血清像
すべてＨＧＢＶ−Ａゲノム由来のＣＫＳ１．５タンパク、ＣＫＳ２．１７タンパク、ＣＫＳ１．１８タンパク、あるいはＣＫＳ１．２２タンパクを用いたＥＬＩＳＡアッセイにおいて、タマリンからの血清はいずれも特異免疫反応を示さなかった。しかしながら、先の実施例に記載のように、感染タマリンの内のあるものではＨＧＢＶ−ＡのＲＮＡが検出された（実施例１５中タマリンの血清像についてのまとめ参照）。
【０３５１】
Ｆ．ヒト集団についての血清学的研究のための実験手順
実施例１５では、ＨＧＢＶ−Ｂに由来する組換え抗原を用いたＥＬＩＳＡによって種々のヒトの集団におけるＨＧＢＶ−Ｂに対する抗体の存在を評価した。その後、同じ検体の多くについて、ＣＫＳ１．５組換えタンパク（配列番号６１４）を用いた１．５ＥＬＩＳＡ、ＣＫＳ２．１７組換えタンパク（配列番号６１３）を用いた２．１７ＥＬＩＳＡ、ＣＫＳ１．１８組換えタンパク（配列番号３９０）を用いた１．１８ＥＬＩＳＡ、およびＣＫＳ１．２２組換えタンパク（配列番号３９０）をそれぞれ用いたＥＬＩＳＡによって、ＨＧＢＶ−Ａに対する抗体の有無を調べた。各タンパクは実施例１５のように固相に被覆して用いた。実施例１５に記載のように、ＨＧＢＶを接種された回復期のタマリン５匹全部が、ＨＧＢＶ−Ｂ組換えタンパクに対して特異的抗体反応を示したが、短期間しか持続しなかった（１．７、１．４、および４．１ＥＬＩＳＡで検出）。１．５、２．１７、１．１８、あるいは１．２２ＥＬＩＳＡにおいては、どのタマリンも検出可能な抗体反応を示さなかったが、西アフリカからのヒト検体の幾つかは、ウェスタンブロットでこれらの組換えタンパクの一以上のものについて特異的抗体反応を示し、ある外科医（ＧＢ剤の供給者）の提供になる肝炎発症２２日目に採取した検体の一つは、ウェスタンブロットで試験したとき２．１７組換えタンパクに対する特異的抗体反応を示した（実施例３参照）。本実施例では、様々なヒトの集団において抗体を検出するに際しての、１．５、２．１７、１．１８、および１．２２ＥＬＩＳＡの有用性を評価した。
【０３５２】
Ｇ．切捨て値の決定
１．５、２．１７、１．１８、および１．２２ＥＬＩＳＡにおける切捨て値を、実施例１５に記載のようにして決定した。
【０３５３】
Ｈ．追補的試験
実施例１５に記載したように、最初反応性を示した検体については、原則として再試験を行った。ある検体が２回目も反応性を示した場合、ＥＬＩＳＡによるデータをさらに補充すべく追加の試験（例えばウェスタンブロット）を実施した。ウェスタンブロットの結果が陽性と考えられるためには、観察可能ななバンドが１．５タンパク（配列番号６１４）に対して６０ｋＤ、２．１７タンパク（配列番号６１３）に対して６５ｋＤ、１．１８タンパク（配列番号３９０）に対して５５ｋＤ、および１．２２タンパク（配列番号３９０）に対して６６ｋＤにおいて検出される必要がある。ウェスタンブロットはＥＬＩＳＡの感度に匹敵ないしはそれを凌駕するほど最適化されていないので、陰性の結果が出ても直ちにＥＬＩＳＡのデータを捨てることはしなかった。しかしながら、陽性の結果が出れば、それはＥＬＩＳＡによって検出された反応性を補強するものである。
【０３５４】
実施例１５で記載したように、繰り返し反応性のある検体で十分量あるものの対しては、プライマーを使用するＲＴ−ＰＣＲ（実施例１５の記載に従って実施）を実施し、血清中のＨＧＢＶ特異性ヌクレオチド配列を同定してもよい。
【０３５５】
Ｉ．低リスク検体における血清学的データ
計２５２本の血漿検体をオハイオ州のインターステート血液銀行から入手し、１．５組換えタンパク（配列番号６１４）を用いた１．５ＥＬＩＳＡで抗体の有無を検査した。この集団での平均吸収値は０．０３６（ＳＤ＝０．０２２）であった。切捨て値は０．１６８と計算された。これはＳ／Ｎ比＝１０．０に対応する。７６０本の血漿検体（切捨て値決定のために用いた２５２検体を含む）について、１．５ＥＬＩＳＡで抗体の有無を検査した。繰り返し反応性を示す検体はなかった。加えて、１００本の血漿検体をウィスコンシン州南東部から入手し、１．５ＥＬＩＳＡで抗体の有無を検査した。繰り返し反応性を示す検体はなかった。
【０３５６】
このように、１．５タンパクに対する抗体の存在を示す証拠はアメリカ合衆国の血液提供者においては見いだされなかった。
【０３５７】
２００本の検体をウィスコンシンの血液提供者から入手し、２．１７組換えタンパク（配列番号６０）を用いる２．１７ＥＬＩＳＡによって抗体の有無を検査した。この集団での平均吸収値は０．０５８（ＳＤ＝０．０２５）であった。切捨て値は０．２０８と計算された。これはＳ／Ｎ比＝１０．０にほぼ対応する。検体の一つは繰り返し反応性を示した。このように、アメリカ合衆国の血液提供者（Ｎ＝２００）における血清学的有病率(seroprevalence)は比較的低かった。
【０３５８】
上のパラグラフに記載のものと同じ２００検体について、１．１８および１．２２ＥＬＩＳＡで抗体の有無を検査した。どの検体も繰り返し反応性を示さなかった。このように、ボランティアの血液提供者からの検体については、１．５、２．１７、１．１８、および１．２２ＥＬＩＳＡから判断するかぎり、ＨＧＢＶ−Ａタンパクに関して抗体陽性であるという証拠はなかった。
【０３５９】
Ｊ．肝炎に関し「リスクあり」と考えられる検体
この研究でのデータを表１８にまとめて示す。
【０３６０】
（ｉ）西アフリカからの検体
１３００検体の内、５８検体が１．５ＥＬＩＳＡで反応性を示した。繰り返し反応性であった１８検体のうちの１２検体は、１．５タンパク（配列番号６１４）に対する抗体についてのウェスタンブロットで陽性であった。８１７検体中４３検体が２．１７ＥＬＩＳＡで反応性であった。これらの繰り返し反応性の検体については、２．１７タンパク（配列番号６１３）に対する抗体に関するウェスタンブロットは行わなかった。
【０３６１】
８１７検体中６検体が１．２２ＥＬＩＳＡで反応性であった。３５３検体中９検体が１．１８ＥＬＩＳＡで反応性であった。２．１７ＥＬＩＳＡで反応性の２１検体をウェスタンブロットで試験したところ、１３検体が反応性であった。１．１８ＥＬＩＳＡで繰り返し反応性の８検体がウェスタンブロットで陽性であった。
【０３６２】
これらのデータはＨＧＢＶが西アフリカの風土病である可能性を示唆するものである。
【０３６３】
（ii）経静脈麻薬使用者からの検体
経静脈麻薬使用者の集団から全１１２検体を採取した。この試験はイリノイ州シカゴのハインズ退役軍人管理病院で実施されたものの一部である。１検体は２．１７ＥＬＩＳＡで繰り返し反応性が認められた。追加の１検体は１．１８ＥＬＩＳＡで反応性を示した。これらの検体のいずれも１．５あるいは１．２２ＥＬＩＳＡでは陽性ではなかった。
【０３６４】
Ｋ．非Ａ−Ｅ肝炎の個体から採取した検体
得られたデータを表１８にまとめて示す。
【０３６５】
非Ａ−Ｅ肝炎の個体群から種々の検体集団（実施例１５Ｋに記載）を得て、１．５、２．１７、１．１８、および１．２２ＥＬＩＳＡ（実施例１５Ｃに記載）を実施した。幾つかの検体は血清量の不足のため全部のＥＬＩＳＡアッセイは実施しなかった。
【０３６６】
（ｉ）日本の検体
８９検体中の計４検体は、１．５ＥＬＩＳＡで繰り返し反応性を示した。そのうちの３検体は１個人から、１検体は別の個人からのものであった。１．５ＥＬＩＳＡ、１．１８ＥＬＩＳＡ、および１．２２ＥＬＩＳＡで陰性であった１検体は、２．１７ＥＬＩＳＡでは反応性を示した。１．１８ＥＬＩＳＡで反応性を示した検体はなかった。これらの検体は、１．２２ＥＬＩＳＡでは検査しなかった。
【０３６７】
（ii）ニュージーランドの検体
５６検体のうち１．５ＥＬＩＳＡで反応性を示したものはなかった。これらの検体は２．１７ＥＬＩＳＡ、１．１８ＥＬＩＳＡ、あるいは１．２２ＥＬＩＳＡでは検査しなかった。
【０３６８】
（iii）ギリシャの検体
６７検体（１０人の患者からのもの）のいずれもが１．５、２．１７、あるいは１．２２ＥＬＩＳＡでは反応性を示さなかった。
【０３６９】
（iv）エジプトの検体
１３２検体中に１．５ＥＬＩＳＡに反応性の検体はなかった。検査可能であった１３２検体中、計７検体が２．１７ＥＬＩＳＡで反応性を有した。これらの検体は急性の非Ａ−Ｅ肝炎患者２５名からのものであった。２５名の患者のうち３名が２．１７ＥＬＩＳＡで肝炎の発症のあと１日以上たったとき血清反応陽性であった。１．１８、あるいは１．２２ＥＬＩＳＡで反応性の検体は存在しなかった。
【０３７０】
（ｖ）アメリカ合衆国の検体（セットＭ）
７２検体のいずれも１．５ＥＬＩＳＡで反応性を示さなかった。７２検体中３検体は１．１８ＥＬＩＳＡで反応性を示した。２検体が２．１７ＥＬＩＳＡで、また４検体が１．２２ＥＬＩＳＡで反応性を示した。２サンプルは一以上のＥＬＩＳＡで反応性を示した。
【０３７１】
（vi）アメリカ合衆国の検体（セットＴ）
６４検体のいずれも１．５、１．２２、あるいは２．１７ＥＬＩＳＡで反応性を示さなかった。１検体は１．１８で反応性を有した。
【０３７２】
（vii）アメリカ合衆国の検体（セット１）
６２検体中の計３検体が一以上のＧＢＶ−ＡのＥＬＩＳＡで反応性を示した。２．１７および１．２２ＥＬＩＳＡの両者で繰り返し反応性を示したものが１検体存在した。２．１７ＥＬＩＳＡのみに反応性の検体が１検体あり、別の１検体は１．２２ＥＬＩＳＡのみに反応性を示した。１．５あるいは１．１８ＥＬＩＳＡに反応性の検体は存在しなかった。
【０３７３】
上に述べたように、２以上のＨＧＢＶ株があり、あるいは、２以上の別種のウイルスを本明細書に記載の配列によって表すことができる。それらは本発明の範囲内のものと考えられ、これを「肝炎ＧＢウイルス（ＨＧＢＶ）」と呼ぶ。
【０３７４】
Ｌ．血清反応の結果の統計的意義
これらのデータによって、ＨＧＢＶ−Ａタンパクに対する特異抗体（即ち１．５、２．１７、１．１８および１．２２ＥＬＩＳＡで抗体に繰り返し反応性を示す検体）は、ＨＧＢＶへの暴露に関し「リスクあり」と考えられる個体および非Ａ−Ｅ肝炎と診断された個体において検出されたが、アメリカ合衆国のボランティアからも売血者からもそれほど高頻度には検出されることがなかったことが示された。表１９において、種々のカテゴリーの検体（表１８の「低リスク」、「リスクあり」、および非Ａ−Ｅ肝炎患者）からの血清反応の結果を合わせ、χ二乗検定で統計的意義について分析した。表１８は検査した検体の総数におけるＨＧＢＶタンパクに対する抗体の血清学的存在をまとめたものであるが、これと異なり、表１９のデータは、異なる個体（人）からの結果を示している。ＧＢＶ−ＡのＥＬＩＳＡについては、抗−ＨＧＢＶの血清学的存在をボランティア血液提供者とＨＧＢＶへの暴露に関し「リスクあり」と考えられる個体（西アフリカ、但しＩＶＤＵではないもの）との間で比較すると、有意の差（ｐ値＝０．０００）が存在することを示している。加えて、ボランティアの血液提供者と比較した場合、エジプトとアメリカ合衆国における非Ａ−Ｅ肝炎患者におけるＨＧＢＶ−Ａに対する抗体の血清学的存在には、統計的に有意の差があった。このデータは、ＨＧＢＶ−Ａに対する暴露と非Ａ−Ｅ肝炎とに関連があることを示唆している。注：これらの最初の研究ではＲＴ−ＰＣＲの結果は陰性であったが、その後のデータによって血清反応陽性の個体の血清においてフラヴィ様ウイルス配列が見いだされた（実施例１９参照）。
【０３７５】
Ｍ．まとめ
これらのデータは、本発明に記載のＥＬＩＳＡが西アフリカに居住している個体および非Ａ−Ｅ肝炎の個体において抗体を検出するのに有用であることを示唆するものである。西アフリカの個体群においては肝炎に罹患するリスクは比較的高い。人々のほぼ８５％近くが肝炎Ｂウイルスに対する抗体に血清反応陽性であり、約５％が肝炎Ｃウイルスに対する抗体に陽性である。これらのデータは、試験した検体の全カテゴリーにおいてＨＧＢＶに対する抗体の血清学的存在を過小に評価しているように思われる。さらなるＨＧＢＶエピトープが発見され、評価されるにつれ、現在は診断を下すことができない患者において肝炎を診断するにあたり、ＨＧＢＶゲノム（群）に基づく試験の有用性がより重要なものとなることが期待される。
【０３７６】
（実施例１８）
ヒトにおけるＧＢ関連ウイルスの同定
Ａ．理論
ＨＧＢＶ−ＡおよびＨＧＢＶ−Ｂの両者のエピトープが同定された（実施例３）。これらを血清学的マーカーとして用いてヒトの血清および血漿サンプルをスクリーニングした（実施例５および６）。これらのマーカーのうちの幾つかについての血清学的活性と非Ａ−Ｅ肝炎の発症頻度との間に顕著な相関があったが、これはＨＧＢＶ−Ｂがヒトにおける非Ａ−Ｅ肝炎の病因物質であることを示唆している（実施例５Ｇ）。しかしながら、ＧＢヒト血清をウェスタンブロットで分析してみるとＨＧＢＶ−Ｂエピトープに対する反応性は示されなかった（実施例３）。そのかわり、ＧＢヒト血清に少なくとも一つのＨＧＢＶ−Ａエピトープが同定された。これはＨＧＢＶ−ＡがＧＢにおける肝炎の病因物質であったことを示唆するものである。ＨＧＢＶ−Ａ配列もＨＧＢＶ−Ｂ配列も、ＲＴ−ＰＣＲでは非Ａ−Ｅ肝炎の患者では同定されなかった（実施例５Ｅ）。そこで非Ａ−Ｅ肝炎に罹患しているヒトにおけるＨＧＢＶ−Ａおよび／またはＨＧＢＶ−Ｂ感染の証拠を定める必要がいまだ残っている。
【０３７７】
ヒト血清あるいは血漿源におけるＨＧＢＶ−Ａおよび／またはＨＧＢＶ−Ｂ配列の同定が失敗に終わったことには幾つかの要因が考えられる。第一に、我々がＲＴ−ＰＣＲによって検査したのは限られた数のＨＧＢＶ−Ａ血清陽性および／またはＨＧＢＶ−Ｂ血清陽性サンプルであって、これらのサンプルの多くは保存歴が不明である。よってこれらのサンプル中に存在したウイルス性のＲＮＡが不適当な保存の影響を受けた可能性がある。第二に、ＧＢ感染は自然に快癒するように見受けられる。そのため、ＧＢ配列が感染した個体の血清中に存在する期間幅は非常に狭い可能性がある。即ちＧＢ配列を含有する血清サンプルを得る機会は極端に低いものとなろう。最後に、ＨＧＢＶ−Ａおよび／またはＨＧＢＶ−Ｂ配列を探すにあたって、限られた数のＰＣＲプライマーセットを用いたことが挙げられる。ＨＧＢＶ−Ａおよび／またはＨＧＢＶ−ＢはＲＮＡウイルスであるため、突然変異の率が高い傾向がある（ホランドら（１９８２年）サイエンス２１５：１５７７−１５８５）。即ち、検査したヒト血清中のＨＧＢＶ−Ａおよび／またはＨＧＢＶ−Ｂ配列が我々のＰＣＲプライマーの配列とは異なっていて、そのためＨＧＢＶ−Ａおよび／またはＨＧＢＶ−Ｂが検出されない可能性がある。
【０３７８】
ＨＧＢＶ−Ａおよび／またはＨＧＢＶ−Ｂのゲノムの変異性のために我々のＰＣＲ研究においてこれらのウイルスが妨害された可能性を示すため、ＨＧＢＶ−Ａおよび／またはＨＧＢＶ−Ｂの高度に保存されたＮＳ３様の領域（図１７参照）に合わせ、変性ＰＣＲプライマーを設計配置した。これらの高度に保存された領域がウイルスの複製サイクルにおいて必要な機能を果たしているからである。よってこれらの配列はＨＧＢＶ−Ａおよび／またはＨＧＢＶ−Ｂ変異体においても保存されているはずである。この領域内に設計配置されたＰＣＲプライマーは、ＲＴ−ＰＣＲによってＨＧＢＶ−Ａおよび／またはＨＧＢＶ−ＢのゲノムＲＮＡを検出できるはずである。加えて、ＨＧＢＶ−Ａ、ＨＧＢＶ−ＢおよびＨＣＶ配列を特異的に増幅することのできる変性ＰＣＲプライマーを設計すれば、ＨＧＢＶ−Ａ、ＨＧＢＶ−ＢおよびＨＣＶに関連するウイルスから得た配列を増幅することができるかもしれないと我々は判断した。よって、もし別々のＨＧＢＶ−Ａ関連ウイルスまたはＨＧＢＶ−Ｂ関連ウイルスの抗原と交差反応する抗体が存在するために、ヒトの血清および血漿サンプル（実施例５および６）で血清反応があまり検出されなかったのであるならば、我々はこれらのＧＢ関連ウイルスから配列を得ることができるであろう。［これはニコルと彼の同僚が最近米国南西部における急性呼吸器疾患の大流行に関連する特殊なハンタウイルスを同定するために採用した実験手法に類似のものである。ニコルら、サイエンス２６２：９１４−９１７（１９９３）］
【０３７９】
Ｂ．肝炎ＧＢウイルスＣ（ＨＧＢＶ−Ｃ）のＮＳ３様領域のクローニング
ウイルス感染のモデルでは、感染の初期段階でウイルス血症が起こり、これがウイルスタンパクに対するＩｇＭ抗体の検出と相関していることが多い。実施例５、６で記載したように、ＨＧＢＶ−Ａ及びＨＧＢＶ−Ｂに由来する組換えタンパクに対するＩｇＧ抗体が検出された検体は、ＥＬＩＳＡにおいて免疫反応性を有していた。更に追加のＥＬＩＳＡを実施し、ＩｇＭ抗体がこれらのタンパクについて検出されるかどうかを調べた。西アフリカの個体（実施例５Ｅ−ｉ）の血清反応陽性の検体の内のあるものは、組換えタンパクに対するＩｇＭ抗体に関して反応性であった（データ省略）。これらの検体はウイルスを含有する可能性が高いと考えられた。加えて、急性肝炎に罹患しているＨＧＢＶ−Ａ陽性およびＨＧＢＶ−Ｂ陽性のエジプトの個体（実施例５Ｆ−vii ）で、ＨＧＢＶ−ＡまたはＨＧＢＶ−Ｂ組換えタンパクに対するＩｇＭ抗体が検出されない検体についても、急性肝臓疾患はウイルスの存在と関連している可能性があることから検査を実施した。これらのサンプルの核酸について、ＨＧＢＶ−Ａ、ＨＧＢＶ−Ｂ、及びＨＣＶ−１の各配列を増幅する変性オリゴヌクレオチドプライマーを用いて“半入れ子”(hemi-nested) ＲＴ−ＰＣＲを実施した。使用機器は  ＧｅｎｅＡｍｐ（登録商標）ＲＮＡＰＣＲキット（パーキンエルマー製）を用い、製造業者の使用説明書に従って実施した。簡単に言えば、増幅の第一セットは、２ｍＭのＭｇＣｌ２および１μＭのプライマーｎｓ３．１−ｓとｎｓ３．１−ａ（配列番号はそれぞれ６７１および６７２）で抽出した核酸のランダム−プライムド逆転写反応によるｃＤＮＡ産物について行った。反応物に対し、変性−アニーリング−伸展［（９４℃、３０秒；３７℃、３０秒；２分かけて７２℃；７２℃、３０秒）を３サイクル行い、次いで（９４℃、３０秒；５５℃、３０秒；７２℃、３０秒）を３７サイクル行う］を４０回行い、最後に７２℃で１０分間伸展させた。反応が終了したものは、４℃で保存した。増幅の第二セットは、最初のＰＣＲ産物の４％を鋳型として使用し、ｎｓ３．１−ｓおよびｎｓ３−ａ（配列番号はそれぞれ６７１および６７３）を“ヘミネスティッド”プライマーセットとして用いた他は上記と同様であった。ＰＣＲの第一及び第二のセットの産物をゲル濾過で分析した。
【０３８０】
西アフリカの１サンプルは、約３８６ｂｐ（ＨＧＢＶ−Ａ、ＨＧＢＶ−Ｂ、またはＨＣＶ産物の予想されるサイズ）にぼやけた半入れ子反応に由来するＰＣＲ産物を有していた。この産物を、本技術分野の書物に記載されているｐＴ７ブルーＴ−ベクタープラスミド（ノヴァゲン製）にクローニングした。このクローンから得た配列（ＧＢｃｏｎｔｉｇＣ［ＧＢ−Ｃ］、配列番号６７３、残基２２７４−２６４０）をＧＢｃｏｎｔｉｇＡ（ＧＢ−Ａ、配列番号１６３、残基４４３８−４８０４）、ＧＢｃｏｎｔｉｇＢ（ＧＢ−Ｂ、配列番号３９３、残基４２１８−４５８７）、およびＨＣＶ−１（配列番号３９８）と比較した。図３６は、これらの配列のヌクレオチド配列を示し、一方、表２０はこれらの配列間の％相同性を示す。
【０３８１】
【表９】
2005041862.tif 000010
【０３８２】
図３６と表２０に示すように、ＧＢ−Ａ、ＧＢ−Ｂ、およびＨＣＶ−１のヌクレオチドの比較の結果、これらの配列は  ４７．９９〜６１．６６％互いに類似している。このことは、これらのウイルスのＮＴＰ結合性ヘリカーゼに存在する保存されたアミノ酸残基を考えると特に驚くべきことではない（実施例２Ｂ３、図１７Ａ）。西アフリカのサンプル（ＧＢ−Ｃ、配列番号６７３、残基２２７４−２６４０）から得たＮＳ３ＰＣＲ産物のヌクレオチドと他のウイルスのヌクレオチドを比較すると、ＧＢ−Ａ（配列番号１６３、残基４４３８−４８０４）、ＧＢ−Ｂ（配列番号３９３、残基４２１８−４５８７）、およびＨＣＶ−１（配列番号３９８）からのＮＳ３配列に関連しているが、明確に異なっていることが示唆されている。ウィスコンシン配列分析パッケージ（バージョン８）中の核酸および  タンパクデータベースとＧＢ−Ｃ（配列番号６７３、残基２２７４−２６４０）とのＢＬＡＳＴＩＮおよびＢＬＡＳＴＸ解析の結果、ＨＣＶの株の幾つかは配列の同一性に限界があることが判明した。ヌクレオチドおよびアミノ酸に関するもっとも高いＰ値（すなわち偶然に配列が整合した確率）はそれぞれ１．９×１０−２０と５．３×１０−３１であった（データ省略）。以上を合わせると、これらのデータは、ＧＢ−Ｃ（配列番号６７３、残基２２７４−２６４０）がＨＧＢＶ−Ａ、ＨＧＢＶ−Ｂおよび我々がここでＨＧＢＶ−Ｃと標記するＨＣＶに関連するユニークなＧＢ様のウイルスに由来するものであるかもしれないことを示唆している。
【０３８３】
Ｃ．ＧＢ−Ｃは外因性である
ＧＢ−Ｃ配列に対するＰＣＲプライマーを用い、上記のように、即ち例えば実施例６Ｂに記載の手順によって、この配列  がヒト、アカゲザル、Ｓ．ｃｅｒｅｖｉｓｉａｅおよびＥ．ｃｏｌｉのゲノム中に検出されるかどうかを決定した。ＰＣＲはパーキン−エルマー−シータスのＧｅｎｅＡｍｐ（登録商標）を使用し、基本的に製造者の指示書に従って実施した。即ち、３００ｎｇのゲノムＤＮＡを各１００μｌの反応物に対して使用した。ＰＣＲプライマー（配列番号６７５および６７６）を最終濃度１．０μＭで使用した。ＰＣＲは４０サイクル行い（９４℃、３０秒；５５℃、３０秒；７２℃、３０秒）、次いで７２℃で１０分間伸展させた。ＰＣＲ産物をアガロースゲル電気泳動で分離し、臭化エチジウムで核酸を直接染色したのちＵＶ照射で可視化し、さらにサザントランスファーでＨｙｂｏｎｄ−Ｎ＋ナイロンフィルターに移してから放射標識プローブとハイブリダイズした。図３７は、ＧＢ−Ｃ（配列番号６７３、残基２２７４−２６４０）から調製した放射線標識プローブとハイブリダイズした後、ＰＣＲ産物をサザンブロットして得たＰｈｏｓｐｈｏＩｍａｇｅ（モレキュラー・ダイナミクス社、カリフォルニア州サニーヴェイル）である。ＧＢ−Ｃ（配列番号６７３）は、３００ｎｇのヒトゲノムＤＮＡ中にＧＢ−Ｃプラスミド鋳型の〜３５０ｆｇ（１ゲノムコピー当量、レーン５）および〜３５ｆｇ（０．１ゲノムコピー当量、レーン６）が検出された以外、ヒト（図１９、レーン１）、アカゲザル（レーン２）、Ｓ．ｃｅｒｅｖｉｓｉａｅ（レーン３）、Ｅ．ｃｏｌｉ（レーン４）の各ゲノムＤＮＡには検出されなかった。（レーン７は〜３．５ｆｇ［０．０１ゲノムコピー当量］のＧＢ−Ｃプラスミド鋳型からのＰＣＲ産物を３００ｎｇのヒトゲノムＤＮＡ中に含有する。）このように、０．１ゲノムコピー当量を検出できるゲノムＰＣＲを使用してもＧＢ−Ｃ（配列番号６７３）はヒト、アカゲザル、Ｓ．ｃｅｒｅｖｉｓｉａｅおよびＥ．ｃｏｌｉのゲノム中に検出できない。この結果は、ＧＢ−Ｃ（配列番号６７３）が外因性（即ちウイルス性）起源であるという予想と一致している。
【０３８４】
Ｄ．ＧＢ−Ｃは追加のヒト血清サンプル中に検出できる
追加のＨＧＢＶ−ＡおよびＨＧＢＶ−Ｂ免疫反応性ヒト血清サンプルにＲＴ−ＰＣＲを適用し、ＧＢ−Ｃ配列の存在について調べた。実施例７に記載のように、血清サンプルから抽出した核酸をランダムヘキサマーで逆転写し、ｃＤＮＡに対して  ３５−４０サイクルの増幅を行い（９４℃、３０秒；５５℃、３０秒；７２℃、３０−９０秒）、次いで７２℃で１０分間伸展させた。ＧＢ−Ｃに特異的なＰＣＲプライマー（ｇ１３１−ｓｌとｇ１３１−ａｌ、配列番号６７５と６７６）を濃度１．０μＭで使用した。ＰＣＲ産物をアガロースゲル電気泳動で分離し、臭化エチジウムで核酸を直接染色したのちＵＶ照射で可視化し、サザンブロットでＨｙｂｏｎｄ−Ｎ＋ナイロンフィルターに移してから放射標識プローブとハイブリダイズした。西アフリカからの計４８本のＨＧＢＶ−免疫陽性サンプルを試験した。ＧＢ−Ｃが同定された最初のサンプルを含む西アフリカからの８サンプルは、ＧＢ−Ｃ配列に陽性であることがＲＴ−ＰＣＲで判った。ＧＢ血清反応陰性の西アフリカ血清サンプルを計１０本試験したが、いずれも検出可能なＧＢ−Ｃ配列は有していなかった。陽性サンプル４本からのＰＣＲ産物をクローニングし、前記のように配列決定した。１５６にわたるヌクレオチドを調べた所、試験した４クローンの内の２つがＧＢ−Ｃ配列（配列番号６７３、残基２２７４−２６４０）と同一であり、２クローン（配列番号６７７および６７８）がＧＢ−Ｃ（配列番号６７３、残基２２７４−２６４０）と８８．４％および８３．６％相同の配列を含有していた（図３８）。しかしながら、ヌクレオチドレベルにおけるダイバージェンスにもかかわらず、各クローンは非常に類似しており、配列番号６７８の予想された翻訳中にはただ一つのアミノ酸の相違が見られただけであることが、予想された翻訳で示された。
【０３８５】
ギリシャ、エジプトおよびアメリカ合衆国の非Ａ−Ｅ肝炎の個体から追加の血清サンプルを得て、前記のようにしてＧＢ−Ｃ配列について検査した。これらのサンプルはいずれもＧＢ−Ｃ配列は含有していなかった。サンプル中にＧＢ−Ｃ配列が検出されなかったことには幾つかの理由が考えられる（上記、理論の項参照）。しかしながら、ＧＢ−Ｃ（配列番号６７３、残基２２７４−２６４０）と二つのＧＢ−Ｃ変異体（配列番号６７８と６７７）との間における上述の配列変化は、もし密接に関連している西アフリカからのＨＧＢＶ−Ｃがヌクレオチドレベルで１５．１％異なることがあるならば、ＧＢ−Ｃに特異的なＰＣＲプライマー（ｇ１３１−ｓｌ、ｇ１３１−ａｌ、配列番号６７５と６７６）が地理的に別個の隔離体であるＧＢ−Ｃウイルスと、検出可能なＰＣＲ産物を産生するほどには十分ハイブリダイズしないかもしれないことを示唆している。この場合、ゲノムのより高度に保存された領域（５’ＵＴＲ）に設計されたＰＣＲプライマーによって、ＧＢ−Ｃ配列を西アフリカ血清サンプル中に検出できるかもしれない。
【０３８６】
Ｅ．ＨＧＢＶ−Ｃ配列の伸展
実施例２Ａに記載のＰＣＲウォーキング法によって追加のＧＢ−Ｃ配列を得た。即ち、当初ＧＢ−Ｃ（配列番号６７３、残基２２７４−２６４０）を同定するために用いた西アフリカのヒト血清から全核酸を抽出した。この核酸を前記のようにして逆転写した。その結果得られたｃＤＮＡを、２ｍＭのＭｇＣｌ２を用いたこと以外はソレンセンらによって記載された方法に従って５０μｌのＰＣＲ反応物（ＰＣＲ１）中で増幅した。反応物を３５サイクルの変性−アニーリング−伸展工程（９４℃、３０秒；５５℃、３０秒；７２℃、９０秒）に付し、次いで７２℃で１０分間伸展させた。ソレンセンらによって記載された方法に従ってストレプトアビジン被覆常磁性ビーズ（プロメガ社）によってビオチン化産物を単離した。次いでソレンセンらの記載する方法に従ってこのストレプトアビジンで精製した産物に上記と同じ全３５サイクルの変性−アニーリング−伸展によってネスティッドＰＣＲ（ＰＣＲ２）を行った。得られた産物およびこれを精製するために用いたＰＣＲプライマーを表２１に示す。
【０３８７】
【表１０】
2005041862.tif 000011
【０３８８】
さらに、上記のＰＣＲ１の条件下でオリゴヌクレオチドプライマー（配列番号６６９および６７０）を用いて１．３ｋｂ産物（Ｃ．１６）を生成した。この産物を表２１に記載のものと共にアガロースゲルから単離し、本技術分野で周知の方法によってｐＴ７ブルーＴ−ベクタープラスミド（ノヴァゲン社）中にクローニングした。
【０３８９】
クローニングした産物は、実施例５に記載のようにして配列決定した。ＧＣＧパッケージ（バージョン７）のプログラムによって配列を組み立てた。構築されたｃｏｎｔｉｇの概略を図３９に示す。ＧＢ−Ｃは長さが９０３４ｂｐで、その全長が配列決定された。これを配列番号４００−６０６に示す。これらの配列番号は三つの前進翻訳フレームと対応している。
【０３９０】
（実施例１９）
ＣＫＳに基づいた発現と免疫原性ＨＧＢＶ−Ｃポリペプチドの検出
実施例１７（表１３）に記載のウォーキング試験で得たＨＧＢＶ−Ｃ配列を、実施例１３の記載にしたがって表２２（１０ユニット、ＮＥＢ）に掲載の制限酵素を用いてＣＫＳ発現ベクターｐＪＯ２００、ｐＪＯ２０１およびｐＪＯ２０２にクローニングした。追加のＰＣＲクローン２種、Ｃ３／２およびＣ８／１２、も発現した（図３９）。配列番号６８１のプライマーによってＰＣＲ産物Ｃ３／２を生成し、ＰＣＲ産物Ｃ８／１２と配列番号６８５の補体を、実施例９の記載に従ってプライマー（配列番号６９３とその補体）を用いて生成した。このＰＣＲ産物を前記のようにしてｐＴ７ブルー中にクローニングし、次いで表２２に掲載した制限酵素で遊離させ、上記のｐＪＯ２００、ｐＪＯ２０１およびｐＪＯ２０２中にクローニングした。
【０３９１】
一以上のＣＫＳ／ＨＧＢＶ−ＡあるいはＣＫＳ／ＨＧＢＶ−Ｂ融合タンパクに対する抗体の存在が１．７、４．１、または２．１７ＥＬＩＳＡ（実施例１５、１６参照）によって示唆された二つのヒト血清を選択し、ウェスタンブロットによって分析した。これらの血清のうちの一つ（２４０Ｄ）は非Ａ−Ｅ肝炎（エジプト）の個体からのものであり、他方（Ｇ８−８１）は西アフリカの個体のものでＨＧＢＶへの暴露について「リスクあり」（実施例１５参照）のものであった。ＣＫＳ／ＨＧＢＶ−Ｃ融合タンパクを発現し、これを前記のようにしてニトロセルロースシートに移した。記載されたようにブロットをプレブロックし、１０％のＥ．ｃｏｌｉ溶解物と６ｍｇ／ｍｌの  ＸＬ１−ブルー／ＣＫＳ溶解物を含有するブロッキングバッファーで１：１００に希釈されたヒト血清サンプルの一つで一夜インキュベートした。ブロットはＴＢＳで２回洗浄し、ＨＲＰＯ−接合ヤギ抗−ヒトＩｇＧと反応させ、上記のように展開させた。結果を表２２に示す。
【０３９２】
ＨＧＢＶ−Ｃタンパクの内この二つの血清の一方あるいは他方と反応性を示したものがいくつかあり、その三つ（Ｃ．１、Ｃ．６、Ｃ．７）を選んでＥＬＩＳＡアッセイ（実施例２０参照）に付した。このようにして、ＨＧＢＶ−Ａおよび／またはＨＧＢＶ−Ｂタンパクと反応性を示すことが既に判っているサンプルは、ＨＧＢＶ−Ｃタンパクとも反応することが判明した。三つのＨＧＢＶウイルスからの複数のタンパクとの反応性は、ウイルス間でエピトープが共有された結果の交差反応によるものであるかもしれない。あるいは、これは複数種のウイルスの感染によるものかもしれず、さらにはその他の同定されていない要因によるものである可能性もある。
【０３９３】
【表１１】
2005041862.tif 000012
ａ：ＰＣＲ産物は、前出の各表および実施例に記載のもの。
ｂ：制限分解はｐＴ７ブルーＴ−ベクターからＰＣＲフラグメントを遊離させるために行った。ＮＤ＝実施せず。
【０３９４】
（実施例２０）
ＧＢＶ−Ｃの血清学的研究
Ａ．組換えタンパク精製手順
ＣＫＳ融合タンパクを発現する細菌細胞を凍結し、−７０℃で保存した。各ＧＢＶ−Ｃ構築物からの細菌細胞を解凍し、実施例１５でＧＢＶ−Ｂ構築物について記載したようにして破砕処理した。さらに、組換えタンパクを、実施例１５でＧＢＶ−Ｂ組換えタンパクについて記載したようにして精製した。
【０３９５】
この精製手順で収集した分画を電気泳動で分離し、クーマシーブリリアントブルーＲ２５０で染色して、分子量が約７５ｋＤ（ＣＫＳ−Ｃ．１／配列番号４０４）、７１ｋＤ（ＣＫＳ−Ｃ．６／配列番号４０４）、および４９ｋＤ（ＣＫＳ−Ｃ．７／配列番号４０４）であるタンパクの存否を調べた。予想された分子量のタンパクを示すバンドが、ＣＫＳ−Ｃ．６およびＣＫＳＣ．７組換えタンパクについて観察された。ＣＫＳ−Ｃ．１タンパクについては、予想された分子量７５ｋＤの所ではなく、分子量６２ｋＤに対応する箇所にバンドが認められた。なぜ予想されたバンドと観察されたバンドが異なるのかは不明である。興味の対象のタンパクを含有する分画をプールし、ＳＤＳ−ＰＡＧＥによって再度調査した。
【０３９６】
精製抗原を含有するプール分画の免疫原性および構造の完全性を、実施例１３に記載の方法に従ってニトロセルロースに対する電子移動およびイムノブロット法によって決定した。適切な陽性対照がなかったため、組換えタンパクは、各融合タンパクのＣＫＳ部分に対するモノクローナル抗体との反応性によって同定した。ＣＫＳ−Ｃ．１タンパク（配列番号４０４）の組換え抗原を検出すべく抗−ＣＫＳモノクローナル抗体を用いてウェスタンブロット法で調べると、約６５ｋＤのところにシングルバンドが認められた。この結果はＣＫＳ−Ｃ．１タンパク（配列番号４０４）の予想サイズの７５ｋＤとは異なっている。なお、ＣＫＳ−Ｃ．６タンパク（配列番号４０４）およびＣＫＳ−Ｃ．７タンパク（配列番号４０４）については、イムノブロット法で調べた結果予想されたサイズを有していた。
【０３９７】
Ｂ．ポリスチレンビーズの被覆手続き
上記タンパクを透析し、実施例１５の記載に従って、これらのタンパクのポリスチレンビーズ上での免疫原性を評価した。
【０３９８】
Ｃ．ＨＧＢＶに対する抗体を検出するためのＥＬＩＳＡの手順
各種ＥＬＩＳＡは実施例１５の記載に従って実施した。
【０３９９】
Ｄ．感染個体の血清におけるＨＧＢＶ−ＲＮＡの検出
各ＥＬＩＳＡで繰り返し反応性を示した検体について、実施例１５のセクションＤの記載に従ってＨＧＢＶ−ＲＮＡを調べた。
【０４００】
Ｅ．タマリンの血清像
ＨＧＢＶ−Ｃゲノム由来のＣＫＳＣ．１タンパク、ＣＫＳＣ．６タンパク、あるいはＣＫＳＣ．７タンパクを用いたＥＬＩＳＡアッセイにおいて、タマリンからの血清はいずれも特異的免疫反応を示さなかった。実施例１５中のタマリンの血清像についての記載参照。
【０４０１】
Ｆ．追補的試験
実施例１５に記載したように、最初反応性を示した検体については、典型的には再試験を行った。ある検体が繰り返し反応性を示した場合、ＥＬＩＳＡによるデータをさらに補充すべく追加の試験（例えばウェスタンブロット）を実施することができる。ウェスタンブロットの結果が陽性と考えられるためには、観察可能なバンドがＣ．１タンパク（配列番号４０４）に対して６５ｋＤ、Ｃ．６タンパク（配列番号４０４）に対して７１ｋＤ、またはＣ．７タンパク（配列番号４０４）に対して４９ｋＤにおいて検出される必要がある。ウェスタンブロットはＥＬＩＳＡの感度に匹敵しあるいはそれを越えるほど最適化されていないので、陰性の結果が出ても直ちにＥＬＩＳＡのデータを捨てることはしなかった。しかしながら、陽性の結果が出ればそれはＥＬＩＳＡによって検出された反応性を補強するものである。
【０４０２】
実施例１５で記載したように、繰り返し反応性のある検体で十分量あるものに対しては、ＲＴ−ＰＣＲ（配列番号８と９に対応するプライマーを用い、実施例１０の記載に従って実施）によって血清中のＨＧＢＶ−Ｃ特異性ヌクレオチド配列を同定することができる。
【０４０３】
Ｇ．実験手順
実施例１５では、種々のヒト個体群におけるＨＧＢＶ−ＢとＨＧＢＶ−Ａに対する抗体の存在を評価するために、ＨＧＢＶ−Ｂからの組換え抗原を使用したＥＬＩＳＡを利用した。実施例１４に記載したように、固相の上に被覆したＣＫＳ−Ｃ．１組換えタンパク（配列番号４０４）を用いたＣ．１ＥＬＩＳＡ、ＣＫＳ−Ｃ．６組換えタンパク（配列番号４０４）を用いたＣ．６ＥＬＩＳＡ、およびＣＫＳ−Ｃ．７組換えタンパク（配列番号４０４）を用いたＣ．７ＥＬＩＳＡを利用し、ＨＧＢＶ−Ｃに対する抗体についての試験を同じ検体の多くについて行なった。実施例１５に述べたように、ＨＧＢＶを接種した回復期にあるタマリンの５匹全てが、（１．７、１．４および４．１ＥＬＩＳＡを用いて検出されたように）ＨＧＢＶ−Ｂ組換えタンパクに応答する特異的ではあるが短命の抗体を産生した。Ｃ．１、Ｃ．６およびＣ．７ＥＬＩＳＡに応答する検出可能な抗体を産生したタマリンはなかったが、ヒトの検体の幾つかは、ウエスタンブロット法（実施例１３参照）によって試験したとき、Ｃ．１、Ｃ．６およびＣ．７組換えタンパクに反応する特異的な抗体を産生した。本実施例では、種々のヒト個体群における抗体を検出する上でのＣ．１、Ｃ．６およびＣ．７ＥＬＩＳＡの有用性を評価した。
【０４０４】
Ｈ．切捨て値の決定
Ｃ．１、Ｃ．６およびＣ．７ＥＬＩＳＡの切捨て値を実施例１５に記載したようにして決定した。
【０４０５】
Ｉ．低リスク検体を用いて得た血清学的データ
ウイスコンシン州南西部に住む健康なボランティアのドナーから１００本の血清と１００本の血漿を含む集団を得るとともに、Ｃ．１ＥＬＩＳＡにおけるＣＫＳ−Ｃ．１（配列番号４０４）タンパク、Ｃ．６ＥＬＩＳＡにおけるＣＫＳ−Ｃ．６（配列番号４０４）タンパク、およびＣ．７ＥＬＩＳＡにおけるＣＫＳ−Ｃ．７（配列番号４０４）タンパクを含むＨＧＢＶ−Ｃからの三種の組換えタンパクに対する抗体について試験を行なった。
【０４０６】
Ｃ．１ＥＬＩＳＡについては、血清および血漿の検体の平均吸収値が、それぞれ０．０４９（標準偏差（ＳＤ）＝０．０４０）と０．０３８（ＳＤ＝０．０２９）であった。血清と血漿についての切捨て値はそれぞれ０．２１４と０．２８６と計算された。上記のように、切捨て値は、陰性対照の吸収値の関数として表すこともでき、１０．０を越えるＳ／Ｎ値を有する検体は反応性であると考えられた。この切捨て値を用いたところ、１００の血漿検体にはＣ．１タンパク（配列番号４０４）に対する抗体に初期反応性および繰り返し反応性がみとめられたものはなく、１００の血清検体の内の一つでは、Ｃ．１タンパク（配列番号４０４）に対する抗体に初期反応性および繰り返し反応性が認められた。
【０４０７】
Ｃ．６ＥＬＩＳＡについては、血清および血漿の検体の平均吸収値が、それぞれ０．１０２（標準偏差（ＳＤ）＝０．０４６）と０．１０５（ＳＤ＝０．０４７）であった。１０以上のＳ／Ｎ値を有する検体が反応性であると判断されるように切捨て値を設定した。この切捨て値を用いたところ、３個の検体（２個は血清の集団からで、１個は血漿の集団から）ではＣ．６タンパク（配列番号４０４）に対する抗体に対して繰り返し反応性がみとめられた。
【０４０８】
Ｃ．７ＥＬＩＳＡについては、血清および血漿の検体の平均吸収値が、それぞれ０．０６１（標準偏差（ＳＤ）＝０．０４０）と０．０５０（ＳＤ＝０．０５５）であった。１０以上のＳ／Ｎ値を有する検体が反応性であると判断されるように切捨て値を設定した。この切捨て値を用いたところ、Ｃ．７タンパク（配列番号４０４）に対する抗体に対して繰り返し反応性であると考えられる検体は無かった。
【０４０９】
したがって、米国人の血液提供者（Ｎ＝２００）の約１％にＣ１、Ｃ６またはＣ．７タンパクに対する抗体が存在することが証明された。
【０４１０】
Ｊ．肝炎に対し「リスクあり」と考えられる検体
この研究のデータを表２３にまとめて示す。
【０４１１】
（ｉ）西アフリカからの検体
１３７個の検体の内の計２０個が、ＧＢＶ−Ｃタンパクを用いたＥＬＩＳＡの一種またはそれ以上において反応性であった。９７個の内の合計１２個がＣ．１ＥＬＩＳＡにおいて繰り返し反応性であることが認められ、５２個の内の３個がＣ．６ＥＬＩＳＡにおいて繰り返し反応性であることが認められ、１３７個の検体の内の５個がＣ．７ＥＬＩＳＡにおいて繰り返し反応性であることが認められた。Ｃ．１において反応性であった検体の内の３個をウエスタンブロット法で試験し、反応性であることが分かった。
【０４１２】
これらのデータは、ＨＧＢＶが西アフリカの風土病であることを示唆している。
【０４１３】
（ii）経静脈麻薬使用者の検体
イリノイ州シカゴのハインズ退役軍人管理病院において行なわれた研究の一環として、経静脈麻薬使用者の集団から合計１１２個の検体を得た。１１２個の検体の内の計２個が一種またはそれ以上のタンパクに対して繰り返し反応性を有していた。１個の検体がＣ．１ＥＬＩＳＡにおいて繰り返し反応性であることがみとめられ、１個の検体がＣ．７ＥＬＩＳＡにおいて繰り返し反応性であることがみとめられた．Ｃ．６ＥＬＩＳＡにおいて陽性であった検体は無かった。
【０４１４】
Ｋ．非Ａ−Ｅ肝炎の個体から得た検体
この研究のデータを表２３にまとめて示す。
【０４１５】
非Ａ−Ｅ肝炎を有する個体から種々の検体の集団（実施例１５．Ｋに記載）を得、１．５、２．１７、１．１８、および１．２２ＥＬＩＳＡ（実施例１５．Ｃに記載）によって試験した。検体の量が不十分であったため、検体の全てを全てのＥＬＩＳＡにおいて試験できなかった。
【０４１６】
（ｉ）日本の検体
合計８９個の検体の内、Ｃ．１ＥＬＩＳＡにおいて繰り返し反応性であるとみとめられたものは無かった。検体の量が少なかったため、Ｃ６またはＣ．７ＥＬＩＳＡでの抗体についての試験は行なわなかった。
【０４１７】
（ii）ギリシャの検体
合計６７個の検体をＣ．１およびＣ．７ＥＬＩＳＡを用いて試験した。反応性のみとめられた検体は無かった。
【０４１８】
（iii）エジプトの検体
１３２個の検体の内の計１８個が一つ以上のＥＬＩＳＡにおいて反応性であるとみとめられた。Ｃ．１ＥＬＩＳＡにおいて反応性であるとみとめられたものは無かった。計１５個の検体がＣ．６ＥＬＩＳＡにおいて反応性であるとみとめられ、３個の検体がＣ．７ＥＬＩＳＡにおいて反応性であるとみとめられた。
【０４１９】
（iv）米国の検体（Ｍセット）
合計６個の検体が一以上のＥＬＩＳＡにおいて反応性であると認められた。２個の検体がＣ．１ＥＬＩＳＡにおいて繰り返し反応性であると認められた。４個の検体がＣ．６ＥＬＩＳＡにおいて繰り返し反応性であると認められた。Ｃ．７ＥＬＩＳＡにおいて繰り返し反応性の検体は無かった。
【０４２０】
（ｖ）米国からの検体（Ｔセット）
６４個の検体の内で、Ｃ．１ＥＬＩＳＡまたはＣ．６ＥＬＩＳＡにおいて反応性であると認められたものは無かった。１個の検体がＣ．７ＥＬＩＳＡにおいて繰り返し反応性であった。
【０４２１】
（vi）米国の種々の臨床現場からの検体（セット１）
総計すると、６２個の検体の内の３個が一以上のＥＬＩＳＡで反応性であると認められた。１個の検体がＣ．１ＥＬＩＳＡおよびＣ．６ＥＬＩＳＡの両方において繰り返し反応性であると認められた。２個の検体がＣ．７ＥＬＩＳＡにおいて繰り返し反応性であると認められた。
【０４２２】
上記のように、ＨＧＢＶには二以上の株が存在する可能性があり、即ち二以上の別個のウイルスを本明細書に開示した配列によって表すことができる。これらは本発明の範囲内であると考えられ“肝炎ＧＢウイルス（“ＨＧＢＶ”）”と称す。
【０４２３】
Ｌ．血清反応の結果の統計的意義
これらのデータは、ＨＧＢＶに晒されるリスクがあると考えられる個人、および非Ａ−Ｅ肝炎であると診断された個人からは、ＨＧＢＶ−Ｃタンパク（即ち、Ｃ．１、Ｃ．６およびＣ．７ＥＬＩＳＡの抗体に対して繰り返し反応性である検体）に特異的な抗体が検出され、米国からのボランティアまたは売血血液提供者からはこれらの抗体が低い割合で検出された。表２４に、種々のカテゴリーの検体（表２３に示す“低リスク”、“リスク有り”、および非Ａ−Ｅ肝炎患者）について得られた血清反応の結果をグループ分けして示し、χ二乗検定によって統計的意義を分析した。試験した検体の総数におけるＨＧＢＶタンパクに対する抗体の血清学的にみた存在をまとめた表２３のデータと異なり、表２４のデータは、異なる個体（人）について得られた結果を反映している。ＧＢＶ−ＣのＥＬＩＳＡについては、そのデータは、ボランティアの血液提供者における抗ＨＧＢＶの血清学的にみた存在と、ＩＶＤＵではなくＨＧＢＶに晒される“リスクあり”と考えられる個体（西アフリカ）との比較においては有意差（ｐ値＝０．０００）があることを示している。また、エジプトと米国の非Ａ−Ｅ肝炎に罹患している個体におけるＨＧＢＶ−Ｃに対する血清学的にみた抗体の存在は、ボランティアの血液提供者と比較した場合、統計的有意差があった。これらのデータによれば、ＨＧＢＶ−Ｃに晒されることは非Ａ−Ｅ肝炎と関連していることが示唆される。注：これらの初期の研究ではＲＴ−ＰＣＲの結果は陰性であったが、その後に得られたデータによって、血清学的に陽性の個体（実施例１９参照）の血清におけるフラヴィ様ウイルス配列が判明した。
【０４２４】
（実施例２１）
非Ａ−Ｅ肝炎のヒトにおけるＨＧＢＶ−Ｃの存在
ＨＧＢＶ−Ｃに特異的なＥＬＩＳＡの生成により、非Ａ−Ｅ肝炎に罹患している患者の免疫的に陽性の血清（ＨＧＢＶ−Ｃ血清学の実施例）を同定できるようになった。この血清を、非Ａ−Ｅ肝炎であると立証された個体（表２５）から得た幾つかの免疫的に陽性のＨＧＢＶ−ＡとＨＧＢＶ−Ｂと共に、ＨＧＢＶ−Ｃ配列についてＲＴ−ＰＣＲによって試験した。ＨＧＢＶ−Ｃの異型もなるべく検出できるよう、第１回目の増幅において変性ＮＳ３オリゴヌクレオチドプライマーを使用してＲＴ−ＰＣＲを行ない、これに続き、ネスト化されたＧＢ−Ｃ特異性プライマーを用いて第２回目の増幅を行なった。具体的には、第１回目の増幅は、２ｍＭのＭｇＣｌ２、および１μＭのプライマーｎｓ３．２−ｓ１、ｎｓ３．２−ａ１（配列番号はそれぞれ７１１と７１２）を使用し、実施例６で述べたようにして調製された血清ｃＤＮＡ製品を用いて行なった。反応物に対して変性−アニーリング−伸展を４０回繰り返し〔（９４℃で  ３０秒、３７℃で３０秒、２分間かけて７２℃に温度上昇、７２℃で３０秒）というサイクルを３回繰り返し、その後（９４℃で３０秒、５０℃で３０秒、７２℃で３０秒）のサイクルを３７回〕、これに続き７２℃で１０分間伸展を行なった。得られた反応物を４℃に維持した。第２回目の増幅は、２ｍＭのＭｇＣｌ２、１μＭのＧＢ−Ｃ特異性のプライマー（配列番号６７５と６７６）、および鋳型としての４％の第１のＰＣＲ製品を使用して行なった。第２回目の増幅では、増幅すべき鋳型との塩基対の不適合を含んでいるようなオリゴヌクレオチドプライマーを有する特定の生成物をも増幅するために設計された温度循環計画を採用した〔Ｒｏｕｘ、Ｂｉｏ／Ｔｅｃｈｎｉｑｕｅｓ、１６：８１２〜８１４（１９９４年）〕。即ち、反応は、温度循環（９４℃で２０秒、５５℃（各サイクル毎に０．３℃低下）で３０秒、７２℃で１分）を４３回行なった後、（９４℃で２０秒、４０℃で３０秒、７２℃で１分）で１０回行い、最終伸展を７２℃で１０分行なった。ＰＣＲ産物をアガロースゲル電気泳動法により単離し、臭化エチジウムを用いて核酸を直接染色した後、紫外線照射によって可視化し、サザントランスファーでＨｙｂｏｎｄ−Ｎ＋ナイロンフィルターに移した後、ＧＢ−Ｃに対する放射線標識化プローブにハイブリダイゼーションを行なった。ＰＣＲ産物を、当分野において述べられたようにクローン化するとともに配列決定した。
【０４２５】
上記の方法を用い、ＧＢ−Ｃ．４、ＧＢ−Ｃ．５、ＧＢ−Ｃ．６、およびＧＢ−Ｃ．７を得た。これらの配列は、８２．１〜８６．６％の割合でＧＢ−Ｃ（配列番号４００、塩基４１６７〜４３６５）と相同である。図４０は、予期されたコドントリプレットにおける、ＧＢ−Ｃと相同な領域に整合したＧＢ−Ｃ．４、ＧＢ−Ｃ．５、ＧＢ−Ｃ．６、およびＧＢ−Ｃ．７の配列の相違を示す。この図に示すように、ヌクレオチドの相違の殆どは、ＧＢ−Ｃからのアミノ酸の変化を引き起こさない。このアミノ酸レベルでの全体的な配列の維持は、ＧＢ−Ｃ．４、ＧＢ−Ｃ．５、ＧＢ−Ｃ．６、およびＧＢ−Ｃ．７が同じウイルスの異なった株であるＨＧＢＶ−Ｃから得られたものであることを示唆している。さらに、ヌクレオチドレベルでの配列の相違の程度は、これらのＰＣＲ産物が以前に同定されたＧＢ−Ｃ配列の何れかによる汚染の結果生じたものではないことを示している。
【０４２６】
これらの個体の内の三つ（ＧＢ−Ｃ．４、ＧＢ−Ｃ．５、ＧＢ−Ｃ．６、およびＧＢ−Ｃ．７源）については、Ａ型肝炎、Ｂ型肝炎、またはＣ型肝炎に感染している証拠はなかった。病因が未知の肝炎に罹患している個体におけるＧＢ−Ｃ配列の存在は、ヒト肝炎の原因物質の一つがＨＧＢＶ−Ｃであることを示唆している。個体の内の２つ（ＧＢ−Ｃ．４とＧＢ−Ｃ．５を含んでいる）については経時的試料が利用可能であった。これらの試料中のＨＧＢＶ−Ｃの配列を追跡するために、クローン特異性のＲＴ−ＰＣＲを開発した。即ち、血清から抽出した核酸を、実施例７において行なったようにランダムヘキサマーによって逆転写した。得られたｃＤＮＡを、９４℃で３０秒、５５℃で３０秒、７２℃で３０秒の条件での増幅を４０回行い、その後、伸展を７２℃で１０分行なった。ＧＢ−Ｃ．４とＧＢ−Ｃ．５に特異的なＰＣＲプライマー（ＧＢ−Ｃ．４−ｓ１とＧＢ−Ｃ．４−ａ１、またはＧＢ−Ｃ．５−ｓ１とＧＢ−Ｃ．５−ａ１）を１．０μＭの濃度で使用した。ＰＣＲ産物をアガロースゲル電気泳動法により単離し、臭化エチジウムを用いて核酸を直接染色した後、紫外線照射によって可視化し、サザントランスファーでＨｙｂｏｎｄ−Ｎ＋ナイロンフィルターに移した後、放射線標識プローブにハイブリダイズした。
【０４２７】
急性非Ａ−Ｅ肝炎に罹患しているエジプト人の患者の血清においてＧＢ−Ｃ．４が見いだされた。この患者はＨＧＢＶ−Ａタンパクについ血清反応陽性であった（ＨＧＢＶ−Ａ  ＥＬＩＳＡの実施例参照）。このエジプト人の患者から得た５個の一連の試料のＲＴ−ＰＣＲはウイルス血症を示し、これは血清ＡＬＴ値が正常になった後少なくも２０日の間持続した（表２６）。血清ＡＬＴが正常になった後におけるＧＢ−Ｃ配列の存在は、人によっては慢性の感染につながることを示唆した。しかし、この患者の試料はそれ以上は得られなかったため、ＨＧＢＶ−Ｃの慢性化について結論を出すことはできない。この問題を解決するため追加の試料を求めている段階である。
【０４２８】
ＧＢ−Ｃ．５は、肝炎に関連する再生不良貧血に罹患していたカナダ人の患者から得た。この患者の各試料は、Ｃ．７ＥＬＩＳＡにおいて血清学的に陽性であった（実施例２０）。カナダ人の患者から再生不良貧血の間（症状の顕出後１３日目）および死亡時（１４日目、図４１）において得た試料から、ＧＢ−Ｃ．５特異性のプライマー（ＧＢ−Ｃ．５−ｓ１とＧＢ−Ｃ．５−ａ１）を用いてＧＢ−Ｃ．５を検出した。しかし、ＧＢ−Ｃ．５特異性のＰＣＲは、症状の発生時（０日目、急性肝炎）および３日目（肝不全）においてＧＢ−Ｃ．５配列を検出できなかった。したがって、最初の試料中にＧＢ−Ｃ．５が検出限界以下のレベルで存在していたか否かは不明である。もし、存在していたとしたら、ＨＧＢＶ−Ｃは、その患者の再生不良貧血の原因物質であったであろう。しかし、ＧＢ−Ｃ．５は、再生不良の危期においてのみＲＴ−ＰＣＲによって検出されたため、ＧＢ−Ｃ．５は、貧血の対処のために投与された血液製品から混入したものかもしれない。この場合、再生不良貧血へのＨＧＢＶ−Ｃの関連はＨＣＶと類似したものであろう〔ヒブス（Hibbs ）ら、ＪＡＭＡ、２６７、２０５１〜２０５４（１９９２年）〕。
【０４２９】
ＨＧＢＶ−ＣとＨＣＶとの関係が遠いことに鑑み、ＨＣＶ感染を検出するための現在の方法により、ＨＧＢＶ−Ｃを含むヒトの試料を認識できるか否かは興味の対象であった。ＨＣＶに暴露または感染した個体の通常の検査法は、ＨＣＶ−１の３つまたはそれ以上の領域から得た抗原を利用する抗体試験によるものである。この試験により、殆どの個体におけるＨＣＶの既知の遺伝子型の全てに対する抗体を検出できる〔サカモトら、Ｊ．Ｇｅｎ．Ｖｉｒｏｌ．７５、１７６１〜１７６８（１９９４年）、スチュイバー（Stuyver）ら、Ｊ．Ｇｅｎ．Ｖｉｒｏｌ．７４、１０９３〜１１０２（１９９３年）〕。ＨＣＶのための第２世代のＥＬＩＳＡを、実施例１０（表２５）に記載されたＨＧＢＶ−Ｃを含む試料に対して実施した。ＨＧＢＶ−Ｃを含む４つの試料の内の一つがＨＣＶ抗原に対して血清反応陽性であった。ＨＣＶに対して血清反応陰性のヒト血清中の限られたものだけが、非常に感度の高いＲＴ−ＰＣＲアッセイにより、ＨＣＶゲノムＲＮＡに対して陽性であることが示された〔スギタニ、１９９２年、＃６５〕。類似のＲＴ−ＰＣＲアッセイ（実施例９に記載されたような）は、血清反応陽性の試料中のＨＣＶウイルス血症の存在を確認した。しかし、血清反応ＨＣＶ陰性の試料にはＨＣＶウイルス血症であるものは存在しなかった。したがって、ＨＧＢＶ−Ｃ配列を含む４つの個体の内の一つはＨＣＶ感染の証拠を有しているものの、ＨＣＶの存在に関する本アッセイは、ＨＧＢＶ−Ｃの存在を正確に予測できなかった。この一人のＨＣＶ陽性の患者はＨＧＢＶ−Ｃにも感染していたようである。この患者の肝炎がＨＣＶ、ＨＧＢＶ−Ｃ、または両方のウイルスの存在によるものであったかは不明確である。同じ患者においてＨＣＶとＨＧＢＶ−Ｃが発見されることは、これらの感染を受ける共通のリスクが存在することを示唆するものであろう。
【０４３０】
上記のＰＣＲ手順を使用し、１９９４年に２人のボランティアの米国人提供者から得た血液の“正常（normal）”ユニット中に、ＧＢ−Ｃ配列（図４１に示した先のＧＢ−Ｃ分離株と〜８５％相同、データは示していない）を同定した。これらのユニットは、試験の結果ＨＢＶ、ＨＣＶについて陰性であるとされ、正常な血清ＡＬＴ値を有していた。しかし、これらのユニットは１．４ＥＬＩＳＡでの試験の結果、陽性とされた。免疫的にスクリーニングされた〜１０００ユニットの内の少なくとも２つの“正常”血液ユニットにＨＧＢＶ−Ｃが発見されたことは、このウイルスが現在、米国の血液供給に存在していることを示唆している。しかし、我々はＨＧＢＶタンパクから開発されたＥＬＩＳＡおよびＨＧＢＶ配列からのヌクレオチドプローブを使用して、これらの血液ユニットを同定できることを示す。
【０４３１】
種々のＨＧＢＶ配列（図４１）には、多数の配列のバリエーションがあることに留意しなければならない。ウイルス性の核酸に対するＰＣＲに基づくアッセイは、非常に敏感ではあるものの、オリゴヌクレオチドプライマーとウイルス鋳型との間の配列の一致に依存する。したがって、本研究で利用したＰＣＲプライマーは、種々の分離物において十分保存されていないＨＧＢＶ−Ｃゲノムの領域に位置していたため、試験したＨＧＢＶ−Ｃウイルス血症の試料の全てを、ここで採用したＲＴ−ＰＣＲによって検出できなかったのであろう。ＨＣＶ５’の翻訳されていない領域中に発見されたように〔チャ（Cha ) ら、Ｊ．Ｃｌｉｎ．Ｍｉｃｒｏｂｉｏｌ．、２９、２５２８〜２５３４（１９９１年）〕、ＨＧＢＶ−Ｃゲノムの良く保存された領域からのＰＣＲプライマーを利用することにより、ＨＧＢＶ−Ｃウイルス血症の試料をより正確に検出できるようになろう。
【０４３２】
【表１２】
2005041862.tif 000013
１  ウイルスＡ、ＢまたはＣからの組換えＨＧＢＶタンパクに対する免疫学的応答性検出。
２  切捨て値と報告された値との対比。値が１以上のもの（下線で示す）は陽性と考えられる。
３  肝炎に関連した再生不良貧血。
【０４３３】
【表１３】
2005041862.tif 000014
１  正常検体の上限：４５Ｕ／ｌ。
２  正常と報告された値との対比。値が１０以上のものは陽性と考えられる。
【０４３４】
（実施例２２）
配列の比較と系統的分析
ヌクレオチドと予測したアミノ酸配列の比較、即ちアライメントを行なうことによってウイルスの近親性の程度についての情報を得ることができる。ＨＧＢＶ配列と他のウイルスの配列とのアライメントを行なうことにより、配列間の類似性と相同性の程度を量的に評価することができる。この情報は、ＨＧＢＶウイルスの分類のための原理を開発するのに使用できる。一般に、二つのアミノ酸配列の間の類似性の計算は、アライメント中のアミノ酸対の側鎖の間の類似度程度に基づいて行なわれる。類似度は、アミノ酸の側鎖の物理化学的特徴、即ち、寸法、形状、電荷、水素結合の能力、および化学的反応性に基づいている。即ち類似したアミノ酸は類似の物理化学的特徴を備えた側鎖を有している。例えば、フェニルアラニンとチロシンは共に芳香性の側鎖を含んでおり、したがって化学的に類似であると見做すことができる。アミノ酸の化学についての議論は基礎的な生化学の教科書、例えば、Ｂｉｏｃｈｅｍｉｓｔｒｙ、第３版、ルバート・スタイヤー（Lubert Stier）編、Ｗ．Ｈ．Ｆｒｅｅｍａｎ  ａｎｄ  Ｃｏｍｐａｎｙ、ニューヨーク、１９８８年に見ることができる。整列した２つのアミノ酸配列の間の相同性の計算は、一般的にアライメント中の同一のアミノ酸対の数を計数し、この数をアライメント中の配列の長さで割るという算術計算である。アミノ酸配列のアライメントに使用する方法と同様に、アライメントした２つのヌクレオチド配列の間の相同性の程度の決定は、アライメント中の同一のヌクレオチド塩基対の数を計数し、この数をアライメント中の配列の長さで割るという算術計算である。アラインした２つのヌクレオチド配列の間の類似性の計算は、アライメント中の種々の位置における対になった（即ち、整合した）対の間における遷移および転換に対して時として異なる値を用いる。しかし、一対のヌクレオチド配列間の類似性と相同性の点数は通常非常に接近しており、即ち１〜２％以内である。
【０４３５】
前に述べたように、ＨＧＢＶ作用物質とＣ型肝炎遺伝子型のアミノ酸配列の間の相同性は限られたものである。ＨＧＢＶ作用物質とＨＣＶとの間の近親性の程度をより精度良く決定するために、ＨＧＢＶ−Ａ、ＢおよびＣの全体的な大きな開放読み枠（ＯＲＦ）の配列、および幾つかの代表的なＨＣＶ分離物の大きなＯＲＦのアミノ酸配列を用いてアミノ酸配列アライメントを行った。さらに、ヌクレオチドレベルにおけるＨＧＢＶ作用物質とＨＣＶの間の近親性の程度は、ＨＧＢＶ−Ａ、ＢおよびＣの全体的なゲノムヌクレオチド配列、および幾つかの代表的なＨＣＶ分離物の全体的なゲノムヌクレオチド配列を用いて決定した。アミノ酸配列とヌクレオチド配列の間のアライメントは、５３７１１、ウイスコンシン州マジゾン、サイエンスドライブ５７５にあるジェネティック・コンピュータ・グループ社から入手可能なウイスコンシン配列分析パッケージ（バージョン８）のプログラムＧＡＰを用いて行なった。ギャップ作成とギャップ延長のペナルティーは、核酸配列のアライメントに対してはそれぞれ５．０と０．３であり、アミノ酸配列の比較に対してはそれぞれ３．０と０．１であった。ＧＡＰプログラムは、アラインされている２つの配列の間の百分率で表した類似性と相同性の程度を計算するために、ニードルマン（Needleman）とワンシュ（Wunsch）のアルゴリズム（Ｊ．Ｍｏｌ．Ｂｉｏｌ．４８、４４３〜４５３、１９７０年）を使用している。
【０４３６】
選択された数の主要なＣ型肝炎のウイルス（ＨＣＶ）遺伝子型のヌクレオチド配列とアミノ酸配列をＧｅｎＢａｎｋから入手した。これをそれらの登録番号とともに下記に示す。
【０４３７】
【表１４】
2005041862.tif 000015
【０４３８】
大きな開放読み枠（即ち推定の前駆体ポリタンパク）の予想されるアミノ酸配列と、上記ＨＣＶ遺伝子型の各々とＨＧＢＶ分離物との間のヌクレオチド配列との間の対毎の比較結果を表２８と２９にそれぞれ示す。各ＨＣＶ分離物の遺伝子型の指定を一番上の行に示す。この遺伝子型の指定は、シモンズ・ピー（Simmonds, P）ら（１９９４年）Ｈｅｐａｔｏｌｏｇｙ、１９、１３２１〜１３２４に記載されたＨＣＶ分離物のための命名法に基づく。
【０４３９】
表２８に示すデータは、ＨＣＶ遺伝子型の間におけるアミノ酸配列の相同性の下限が６９％であることを示している。この値は、シモンズら〔シモンズ・ピー（Simmonds, P ）ら、Ｈｅｐａｔｏｌｏｇｙ、１９、１３２１〜１３２４（１９９４年）〕が示した値に非常に近い。シモンズらは、２つの主要な群からの８個の完全なＨＣＶゲノムのコード化領域を比較して、６７．１％〜６８．６％のアミノ酸配列の類似度を示した。しかし、この著者は、類似度を計算した方法を記載しなかった。この値（６９％）は、ＨＣＶ−Ｊ８と他の主要なＨＣＶ分離物との比較についてオコモト（Okomoto ）ら〔Ｖｉｒｏｌｏｇｙ、１８８、３３１〜３４１、１９９２〕が報告した値にも非常に近い。しかし、これらの研究者も、相同性を計算した方法を述べなかった。ＨＧＢＶポリタンパク配列と各ＨＣＶ遺伝子型との比較は、ＨＧＢＶによってコードされたポリタンパクの配列は、ＨＣＶポリタンパク（表２８）の何れのものに対しても３３％以下の相同性しか示さないことを明らかにしている。ヌクレオチド配列（表２９）の比較により、任意のＨＧＢＶと任意のＨＣＶ分離物との間では最大で４４．２％の相同性があり、これに対し、ＨＣＶの分離物の間では最小でもヌクレオチド配列の相同性が６４．９％である。したがって、ＨＧＢＶ−Ａ、ＢおよびＣとＨＣＶとの間では、そのヌクレオチドと予想されるアミノ酸配列の相同性が、既知のＨＣＶ遺伝子型について確立された相同性の範囲から大きく外れたものであるため、ＨＧＢＶウイルスはＣ型肝炎ウイルスの遺伝子型であると考えることはできない。
【０４４０】
Ｃ型肝炎ウイルスとＧＢ型肝炎のウイルスとの間の関係は、それらのアラインされたヌクレオチド、推定されたアミノ酸配列（即ち、大きな開放読み枠）、またはこれらの配列の一部について系統的分析を行なうことによって調べることができる。この方法をＣ型肝炎ウイルスに適用したところ、ＨＣＶ分離物の可変性により配列の６つの均等に発散した主グループを描写することが示された〔シモンズ・ピー（Simmonds, P ）ら、Ｊ．Ｇｅｎ．Ｖｉｒｏｌ．（１９９３年）７４、２３９１〜２３９９およびシモンズ・ピー(Simmonds, P) ら、Ｊ．Ｇｅｎ．Ｖｉｒｏｌ．（１９９４年）７５、１０５３〜１０６１〕。この分析の結果、Ｃ型肝炎ウイルスのための命名法が確立された〔シモンズ・ピー(Simmonds, P )ら、Ｈｅｐａｔｏｌｏｇｙ、１９、１３２１〜１３２４（１９９４年）〕、この命名法では、分離物を配列間の進化論的隔たりに基づいて遺伝子型に分類している。
【０４４１】
ＧＢ型肝炎ウイルスとＣ型肝炎ウイルスとの間の系統的関係を決定するために、ＮＳ３の推定ヘリカーゼ遺伝子およびＮＳ５Ｂの推定ＲＮＡ−依存ＲＮＡ−ポリメラーゼ（ＲｄＲｐ）内のアミノ酸配列のアライメントを行なった。また、Ｆｌａｖｉｖｉｒｉｄａｅ内の他のウイルスからの関連する配列、およびヘリカーゼ遺伝子およびポリメラーゼ遺伝子内においてＦｌａｖｉｖｉｒｉｄａｅのメンバーに対する進化論的近親性を有することが示されているウイルスもアライメントに含めた〔クーニン・イー・ヴイ(Koonin, E. V.) およびドルジャ・ブイ・ヴイ(Dolja, V. V )（１９９３年）、Ｃｒｉｔ．Ｒｅｖ．Ｂｉｏｃｈｅｍ．Ｍｏｌ．Ｂｉｏｌ．２８、３７５〜４３０、およびクーニン・イー・ヴイ(Koonin, E. V.) （１９９１年）、Ｊ．Ｇｅｎ．Ｖｉｒｏｌ．７２、２１７９〜２２０６〕。
【０４４２】
アミノ酸配列のアライメントは、ウイスコンシン配列分析パッケージ（バージョン８）のプログラムＰＩＬＥＵＰを用いて行なった。アラインされた一対の配列の間の系統的な距離は、ジェイ・フェルセンスタイン（J. Felsenstein）〔フェルセンスタイン・ジェイ（１９８９年）、Ｃｌａｄｉｓｔｉｃｓ ５、１６４〜１６６〕のご好意により提供を受けたＰＨＹＬＩＰパッケージ（バージョン３．５ｃ、１９９３年）のＰＲＯＴＤＩＳＴプログラムを用いて決定した。この計算した距離は、プログラムＮＥＩＧＨＢＯＲ（隣接結合設定）を使用して系統図  （phylogenetic trees）を組み立てるのに使用した。プログラムＤＲＡＷＴＲＥＥを用いて系統図をプロットした。使用したウイルスの配列とそれらに対応するゲンバンク登録番号を表３０に示す。ヘリカーゼ、ＲｄＲｐ、または完全な大きな開放読み枠内で行なったアライメントのための各ＨＣＶ遺伝子型と各ＨＧＢＶウイルスとの間の進化距離を、表３１、３２および３３にそれぞれ示す。ＨＣＶ遺伝子型と、ＨＧＢＶウイルスおよび表３０に列挙した他のウイルスとの間で計算した距離は示していない。ヘリカーゼ、ＲｄＲｐ、または完全な大きな開放読み枠配列のアミノ酸アライメントについて作られた系統図を図４２、４３および４４にそれぞれ示す。
【０４４３】
ＨＧＢＶ−Ａ、ＢおよびＣの、ＮＳ５Ｂ領域内でコードされた、推定ＲｄＲｐと、幾つかのＨＣＶ遺伝子型のＲｄＲｐ、伝染性ウイルス二種、幾つかの代表的なフラヴィウイルス、および幾つかのポジティプストランドのＲＮＡ植物ウイルスとの間でのアミノ酸配列のアライメントは、それらがポジティプストランドＲＮＡウイルスのＲｄＲｐに関連する保存された配列の特色を有することを示した（データは示していない）。類似の分析に基づき、ＨＧＢＶ−ＡとＨＧＢＶ−Ｂでコードされたヘリカーゼは、これらのポジティプストランドのＲＮＡウイルスのヘリカーゼと著しい相同性を示す（データは示していない）。例外は、ヘリカーゼ遺伝子を保有していないと推定されるＣＡＲＭＶ、ＴＣＶ、およびＭＮＳＶである〔グイレー・エッチ(Guilley, H)ら、（１９８５年）Ｎｕｃｌｅｉｃ  Ａｃｉｄｓ  Ｒｅｓ．１３、６６６３〜６６７７〕。これらの結果は、以前の系統的分析によって示された、これらのウイルスのヘリカーゼとＲｄＲｐ遺伝子のスーパーグループへの関連に鑑みると予期できない結果ではなかった〔クーニン・イー・ヴイ（Koonin, E. V. ）およびドルジャ・ブイ・ヴイ（Dolja, V. V ）（１９９３年）、Ｃｒｉｔ．Ｒｅｖ．Ｂｉｏｃｈｅｍ．Ｍｏｌ．Ｂｉｏｌ．２８、３７５〜４３０〕。しかし、ヘリカーゼまたはＲｄＲｐ配列（表３１および３３）の配列に基づくＨＧＢＶ分離物とＨＣＶ分離物の間の系統的距離の調査は、これら２群の間には相当な隔たりがあることを示している。計算された隔たりは、ＨＣＶ遺伝子型の間における近い関係を示し、２つの遺伝子型の間での最大距離は０．３６９６（ＲｄＲｐ距離）である。しかし、ＨＧＢＶ−Ａ、−Ｂ、または−ＣとＨＣＶ群の任意のメンバーとの間のＲｄＲｐから計算された距離は、０．９６０４２〜１．４６２６１である。同様に、任意の２つのＨＣＶ遺伝子型についてのヘリカーゼアライメントから計算された値は０．０４４５５５〜０．１９７０６の範囲であるのに対し、ＨＣＶ群の任意のメンバーとＨＧＢＶ−Ａ、−Ｂ、または−Ｃとの間の距離は０．６９１３０〜０．８７１２０の範囲である。また、ＨＣＶ遺伝子型とＧＢウイルスの完全な大きな開放読み枠の予想されるアミノ酸配列のアライメントは、ＨＣＶ分離物の進化論的隔たりの範囲は狭く（０．１７９１８〜０．３９６４６）、一方、任意のＧＢウイルスと任意のＨＣＶ分離物の間の距離は最小でも１．６８６５０であることを示す。したがって、ＧＢ肝炎ウイルスは、Ｃ型肝炎ウイルスの遺伝子型が示す範囲から外れた進化論的隔たりを示す。
【０４４４】
ＨＧＢＶおよびＨＣＶの配列の系統的分析は、“ＨＣＶ配列からのＨＧＢＶ配列のダイバージェンスをＨＣＶ配列の間でのダイバージェンスとどの様にして比較できるか？特に、ＨＣＶ配列相互のダイバージェンスよりもＨＣＶ配列からのＨＧＢＶ配列のダイバージェンスの方が少ないのであろうか？”という疑問に答えようとするものである。もしＨＣＶ配列相互のダイバージェンスよりもＨＧＢＶ配列のＨＣＶ配列からのダイバージェンスが小さいとしたら、満足しなければならない条件は、ＨＧＢＶ−Ａ、ＨＧＢＶ−Ｂ、および／またはＨＧＢＶ−Ｃの配列が、ＨＣＶ配列の最も距離的に関連する対と同じ程度に、ＨＣＶ配列の少なくとも一つと接近していることである（即ち、任意のＨＧＢＶ配列から任意にＨＣＶ配列までの最小距離は、ＨＣＶ配列の間で観察される最大値と等しいか小さい）。現在の配列データはこの条件を満たしていない。表３１（ＲｂＲｐアライメント）においては、最小ＨＣＶ−ＨＧＢＶ距離は、最大ＨＣＶ−ＨＣＶの距離の２．８３倍であり、表３２においては、最小ＨＣＶ−ＨＧＢＶ距離は、最大ＨＣＶ−ＨＣＶの距離の３．５１倍である。したがって、データは、ＨＧＢＶ配列は、前に特徴づけしたＨＣＶ群のメンバーによってダイバージェンスが制限された群のメンバーであるとする着想を支持するものではない。
【０４４５】
これらの相対距離は、ブートストラップに基づく試験を用いて調べることができる〔エフロン・ビー（Efron, B.）（１９８２年）、“ジャックナイフ、ブートストラップ、および他の再サンプリング計画”、Ｓｏｃｉｅｔｙ  Ｉｎｄｕｓｔｒｉａｌ  ａｎｄ  Ａｐｐｌｉｅｄ  Ｍａｔｈｅｍａｔｉｃｓ、フィラデルフィヤ、エルトン・ビー(Elton, B.) およびゴング・ジー（Gong, G.）、１９８３年）“ジャックナイフ、ブートストラップ、およびクロスバリデーションの楽しい研究”Ａｍ．Ｓｔａｔ．３７、３６〜４８〕。ブートストラップサンプリングから得られた結果を表３２に示す。この表は、ＨＣＶ−ＨＧＢＶのダイバージェンス（全てのＨＣＶ−ＨＧＢＶ距離の内の最小値）のＨＣＶダイバージェンス（全てのＨＣＶ−ＨＣＶ距離の内の最大値）に対する比較を示すもので、ＰＲＯＴＤＩＳＴプログラムを用いて計算したＰＡＭ距離に基づいている。配列アライメントにおけるカラムの１０００のブートストラップ再サンプリングにおいて、ＨＣＶ間の最大のダイバージェンスは、ＨＣＶ配列からのＨＧＢＶ配列のダイバージェンスの最小値を越えることは無かった（表３４）。したがって、２つの分離した遺伝子からのコード領域のアライメントに基づく個々の測定においては、ＨＣＶ遺伝子型の遺伝子配列のダイバージェンスの範囲内にＨＧＢＶの配列が入るという例は一つもない。慎重気味に推測するとしても、ＨＧＢＶのためのデータを、ＨＣＶ配列と同じ配列プールから引き出せる可能性は  １００，０００に一つ未満である。
【０４４６】
【表１５】
2005041862.tif 000016
【０４４７】
本研究で利用したＨＣＶ配列が、ＨＣＶ遺伝子型の最も大きくダイバージェンスしたものを代表していると仮定すると、これらの結果は、ＨＧＢＶ−Ａ、Ｂ、およびＣがＨＣＶの遺伝子型でないことを示している。また、ＨＧＢＶ−ＡとＨＧＢＶ−Ｃの間の関係は、それらのＨＧＢＶ−Ｂに対する関係に比べより近いようであり、これは、ＨＧＢＶ−ＡとＨＧＢＶ−Ｃが異なったウイルスの系列を代表するものであることを示唆している。同様にＨＧＢＶ−Ｂは、その独自のウイルス系列を代表する唯一のものである。分析されたウイルス配列の間の相対旋回距離は、図４５および４６に示した根のない系統図を調べることによって容易に明らかになる。系統図において枝の長さは進化論的距離に比例している。ＨＣＶウイルスが近い進化論的関係を持つことは明らかであり、分析を行なうにあたりコード化されたゲノム配列の一部を使用するか、ゲノムの全体を使用するかを選択することと一致している（図４４）。ＨＧＢＶ−Ａ、ＨＧＢＶ−Ｂ、およびＨＧＢＶ−Ｃと、Ｆｌａｖｉｖｉｒｉｄａｅの他のメンバーとの間のダイバージェンスの程度が大きいことは、Ｃ型肝炎ウイルスに最も緊密に関係しているものの、ＧＢ作用物質はＨＣＶの遺伝子型とは考えることはできず、実際にはフラヴィウイルス科内の新しいグループを代表するものであろうことを示している。
【０４４８】
本発明は、試験試料中におけるＨＧＢＶ−Ａ、ＨＧＢＶ−Ｂ、およびＨＧＢＶ−Ｃの存在を決定するための試薬と方法を提供するものである。本明細書に記載したＨＧＢＶ−Ａ、ＨＧＢＶ−Ｂ、およびＨＧＢＶ−Ｃに特異的なポリヌクレオチドまたはポリペプチド（またはその断片）、またはこれらのポリペプチドおよびポリヌクレオチドから産生される抗体は、一般に使用されているアッセイ用試薬と組み合わせることができ、また上記のウイルスに対する抗体を検出するための本アッセイ手順に組み込むことができ、これは本発明の範囲内と考えられるものである。あるいは、本明細書に記載したＨＧＢＶ−Ａ、ＨＧＢＶ−Ｂ、およびＨＧＢＶ−Ｃに特異的なポリヌクレオチドまたはポリペプチド（またはその断片）、またはこれらのポリペプチドおよびポリヌクレオチド（またはその断片）から産生される抗体は、ＨＧＢＶ−Ａ、ＨＧＢＶ−Ｂ、およびＨＧＢＶ−Ｃウイルスを検出するためにそれぞれ別個に使用できる。
【０４４９】
本発明の他の用途または変種は、本明細書の開示を検討すれば当業者にとって明らかなもである。したがって、本発明は添付の請求の範囲のみによって限定されることを意図するものである。
【０４５０】
【表１６】
2005041862.tif 000017
【０４５１】
【表１７】
2005041862.tif 000018
【０４５２】
【表１８】
2005041862.tif 000019
【０４５３】
【表１９】
2005041862.tif 000020
【０４５４】
【表２０】
2005041862.tif 000021
【０４５５】
【表２１】
2005041862.tif 000022
【０４５６】
【表２２】
2005041862.tif 000023
【０４５７】
【表２３】
2005041862.tif 000024
【０４５８】
【表２４】
2005041862.tif 000025
【０４５９】
【表２５】
2005041862.tif 000026
【０４６０】
【表２６】
2005041862.tif 000027
【０４６１】
【表２７】
2005041862.tif 000028
【０４６２】
【表２８】
2005041862.tif 000029
【０４６３】
【表２９】
2005041862.tif 000030
【０４６４】
【表３０】
2005041862.tif 000031
【０４６５】
【表３１】
2005041862.tif 000032
【０４６６】
【表３２】
2005041862.tif 000033
【０４６７】
【表３３】
2005041862.tif 000034
【０４６８】
【表３４】
2005041862.tif 000035
【図面の簡単な説明】
【０４６９】
【図１】タマリンＴ−１０５３の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図２】タマリンＴ−１０４８の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図３】タマリンＴ−１０５７の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図４】タマリンＴ−１０６１の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図５】タマリンＴ−１０４７の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図６】タマリンＴ−１０４２の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図７】タマリンＴ−１０４４の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図８】タマリンＴ−１０３４の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図９】タマリンＴ−１０５５の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図１０】タマリンＴ−１０５１の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図１１】タマリンＴ−１０３８の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図１２】タマリンＴ−１０４９の肝酵素（ＡＬＴまたはＩＣＤ）の量（ｍＵ／ｍｌ）を時間（接種後の週数）に対してプロットしたグラフである。グラフ中、ＡＬＴ  ＣＯはＡＬＴのカットオフ値を示し、ＩＣＤ  ＯＤはＩＣＤのカットオフ値を示している。
【図１３】クローンの同定に使用される代表相違分析（representational difference analysis，ＲＤＡ）に含まれるステップのフローチャートを示す。
【図１４】接種前及び急性ＨＧＢＶ感染タマリンの血漿に実施した代表相違分析（ＲＤＡ）で得られた生成物のエチジウムブロミド染色２.０％アガロースゲルを示す。
【図１５】最初の３回の控除（subtraction）／ハイブリダイゼーションで得られた、ゲノムＤＮＡ、アンプリコン（amplicon）ＤＮＡ、及び産物のサザンブロットのオートラジオグラムを示す。
【図１６】図１５に示したのと同じオートラジオグラムであるが、但し、別の放射性標識プローブを使用した。
【図１７】ゲノムＤＮＡ由来のポリメラーゼ連鎖反応（ＰＣＲ）増幅産物のエチジウムブロミド染色１.５％アガロースゲルを示す。
【図１８】図１７の１.５％アガロースゲルのサザンブロットで得られたオートラジオグラムを示す。
【図１９】正常ヒト血清並びに接種前及び急性タマリン血漿から得られたＲＴ−ＰＣＲ産物のエチジウムブロミド染色１.５％アガロースゲルを示す。
【図２０】図１９に示したのと同じゲルのサザンブロットで得られたオートラジオグラムを示す。
【図２１Ａ】未感染タマリン及びＨＧＢＶ感染タマリンの肝臓から抽出された全細胞ＲＮＡのノーザンブロットのオートラジオグラムを示す。
【図２１Ｂ】未感染タマリン及びＨＧＢＶ感染タマリンの肝臓から抽出された全細胞ＲＮＡのノーザンブロットのオートラジオグラムを示す。
【図２２】組換えポリヌクレオチド単離体の各々が連続ＲＮＡ種に存在することを示す図である。
【図２３Ａ】ＨＧＢＶ−Ａの核酸配列のドットプロット分析を示す。
【図２３Ｂ】ＨＧＢＶ−Ｂの核酸配列のドットプロット分析を示す。
【図２３Ｃ】ＨＧＢＶ−Ａ対ＨＧＢＶ−Ｂの核酸配列のドットプロット分析を示す。
【図２４Ａ】ＨＧＢＶ−Ａ、ＨＧＢＶ−Ｂ及びＨＣＶ−１  ＮＳ３の推定翻訳産物の推定ＮＴＰ結合ヘリカーゼドメインにおける保存残基を示す。
【図２４Ｂ】ＨＧＢＶ−Ａ、ＨＧＢＶ−Ｂ及びＨＣＶ−１  ＮＳ５ｂの推定翻訳産物のＲＮＡ依存性ＲＮＡポリメラーゼドメインの保存残基を示す。
【図２５Ａ】ＣＫＳ融合タンパク質全細胞溶解物のクーマシー染色１０％ＳＤＳ−ポリアクリルアミドゲルを示す。３つのＣＫＳ融合タンパク質がＨＧＢＶ感染タマリン血清に対して免疫反応性を示している。
【図２５Ｂ】ＣＫＳ融合タンパク質全細胞溶解物のクーマシー染色１０％ＳＤＳ−ポリアクリルアミドゲルを示す。３つのＣＫＳ融合タンパク質がＨＧＢＶ感染タマリン血清に対して免疫反応性を示している。
【図２６】タマリンＴ−１０４８の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）；４）ＣＫＳ−４.１組換えタンパク質のＥＬＩＳＡ吸収値（点線で結ばれた＋で示す）；５）配列番号２１のプライマーを使用した陰性ＰＣＲ結果（中白の四角で示す）；６）配列番号２１のプライマーを使用した陽性ＰＣＲ結果（中黒の四角で示す）；７）配列番号２６のプライマーを使用した陰性ＰＣＲ結果（中白の菱形で示す）；８）配列番号２６のプライマーを使用した陽性ＰＣＲ結果（中黒の菱形で示す）；９）接種データ（矢頭で示す）をプロットしたグラフである。
【図２７】タマリンＴ−１０５７の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）；４）ＣＫＳ−４.１組換えタンパク質のＥＬＩＳＡ吸収値（点線で結ばれた＋で示す）；５）配列番号２１のプライマーを使用した陰性ＰＣＲ結果（中白の四角で示す）；６）配列番号２１のプライマーを使用した陽性ＰＣＲ結果（中黒の四角で示す）；７）配列番号２６のプライマーを使用した陰性ＰＣＲ結果（中白の菱形で示す）；８）配列番号２６のプライマーを使用した陽性ＰＣＲ結果（中黒の菱形で示す）；９）接種データ（矢頭で示す）をプロットしたグラフである。
【図２８】タマリンＴ−１０６１の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）；４）ＣＫＳ−４.１組換えタンパク質のＥＬＩＳＡ吸収値（点線で結ばれた＋で示す）；５）配列番号２１のプライマーを使用した陰性ＰＣＲ結果（中白の四角で示す）；６）配列番号２１のプライマーを使用した陽性ＰＣＲ結果（中黒の四角で示す）；７）配列番号２６のプライマーを使用した陰性ＰＣＲ結果（中白の菱形で示す）；８）配列番号２６のプライマーを使用した陽性ＰＣＲ結果（中黒の菱形で示す）；９）接種データ（矢頭で示す）をプロットしたグラフである。
【図２９】タマリンＴ−１０５１の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）；４）ＣＫＳ−４.１組換えタンパク質のＥＬＩＳＡ吸収値（点線で結ばれた＋で示す）；５）配列番号２１のプライマーを使用した陰性ＰＣＲ結果（中白の四角で示す）；６）配列番号２１のプライマーを使用した陽性ＰＣＲ結果（中黒の四角で示す）；７）配列番号２６のプライマーを使用した陰性ＰＣＲ結果（中白の菱形で示す）；８）配列番号２６のプライマーを使用した陽性ＰＣＲ結果（中黒の菱形で示す）；９）接種データ（矢頭で示す）をプロットしたグラフである。
【図３０】タマリンＴ−１０３４の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）；４）ＣＫＳ−４.１組換えタンパク質のＥＬＩＳＡ吸収値（点線で結ばれた＋で示す）；５）配列番号２１のプライマーを使用した陰性ＰＣＲ結果（中白の四角で示す）；６）配列番号２１のプライマーを使用した陽性ＰＣＲ結果（中黒の四角で示す）；７）配列番号２６のプライマーを使用した陰性ＰＣＲ結果（中白の菱形で示す）；８）配列番号２６のプライマーを使用した陽性ＰＣＲ結果（中黒の菱形で示す）；９）接種データ（矢頭で示す）をプロットしたグラフである。
【図３１】患者１０１のヒト検査試料の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）をプロットしたグラフである。
【図３２】患者２５７のヒト検査試料の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）をプロットしたグラフである。
【図３３】患者２６０のヒト検査試料の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）をプロットしたグラフである。
【図３４】患者３４０のヒト検査試料の、１）時間（接種後の週数）に対する肝酵素（ＡＬＴ）の量（ｍＵ／ｍｌ）（実線で示す）；２）ＣＫＳ−１.７組換えタンパク質のＥＬＩＳＡ吸収値（点線で結ばれた黒丸で示す）；３）ＣＫＳ−１.４組換えタンパク質のＥＬＩＳＡ吸収値（点線で結ばれた白丸で示す）をプロットしたグラフである。
【図３５Ａ】Ｃｏｎｔｉｇ．Ａ、Ｃｏｎｔｉｇ．Ｂ及びＨＣＶ−１  ＮＳ３の推定翻訳産物の推定ＮＴＰ結合ヘリカーゼドメインの保存残基を示す。
【図３５Ｂ】Ｃｏｎｔｉｇ．Ａ、Ｃｏｎｔｉｇ．Ｂ及びＨＣＶ−１  ＮＳ５ｂの推定翻訳産物のＲＮＡ依存性ＲＮＡポリメラーゼドメインの保存残基を示す。
【図３６】ＨＧＢＶ−Ａ、ＨＧＢＶ−Ｂ、ＨＧＢＶ−Ｃ及びＨＣＶ−１のヌクレオチドの整列を示す。
【図３７】ＧＢ−Ｃ由来の放射性標識プローブを用いてハイブリダイズした後のＰＣＴ産物のサザンブロットから得られたＰｈｏｓｐｈｏＩｍａｇｅ（Ｍｏｌｅｃｕｌａｒ  Ｄｙｎａｍｉｃｓ，Ｓｕｎｎｙｖａｌｅ，ＣＡ）を示す。
【図３８】ＨＧＢＶ−Ｃと２種の変種クローンとのヌクレオチド整列を示す。
【図３９】ＨＧＢＶ−Ｃの集成後のＣｏｎｔｉｇの概略を表わす。
【図４０】ＨＧＢＶ−Ｃと４種の変種クローンとのヌクレオチド整列を示す。
【図４１】カナダ人患者ＧＢ−Ｃ.５.由来の放射性標識プローブを用いてハイブリダイズした後のカナダ人肝炎患者から生成されたＰＣＴ産物のサザンブロットのＰｈｏｓｐｈｏＩｍａｇｅ（Ｍｏｌｅｃｕｌａｒ  Ｄｙｎａｍｉｃｓ，Ｓｕｎｎｙｖａｌｅ，ＣＡ）を示す。
【図４２】記載のウイルスのヘリカーゼドメインの整列から生成された系統樹を示す。
【図４３】ＳＣＯＴＴ、記載のウイルスのＲＮＡ依存性ＲＮＡポリメラーゼドメインの整列から生成された系統樹を示す。
【図４４】記載のウイルスの大読取り枠（推定前駆体ポリプロテイン）の整列から生成された系統樹を示す。
【図１】
2005041862.tif 000036
【図２】
2005041862.tif 000037
【図３】
2005041862.tif 000038
【図４】
2005041862.tif 000039
【図５】
2005041862.tif 000040
【図６】
2005041862.tif 000041
【図７】
2005041862.tif 000042
【図８】
2005041862.tif 000043
【図９】
2005041862.tif 000044
【図１０】
2005041862.tif 000045
【図１１】
2005041862.tif 000046
【図１２】
2005041862.tif 000047
【図１３】
2005041862.tif 000048
【図１４】
2005041862.tif 000049
【図１５】
2005041862.tif 000050
【図１６】
2005041862.tif 000051
【図１７】
2005041862.tif 000052
【図１８】
2005041862.tif 000053
【図１９】
2005041862.tif 000054
【図２０】
2005041862.tif 000055
【図２１Ａ】
2005041862.tif 000056
【図２１Ｂ】
2005041862.tif 000057
【図２２】
2005041862.tif 000058
【図２３Ａ】
2005041862.tif 000059
【図２３Ｂ】
2005041862.tif 000060
【図２３Ｃ】
2005041862.tif 000061
【図２４Ａ】
2005041862.tif 000062
【図２４Ｂ】
2005041862.tif 000063
【図２５Ａ】
2005041862.tif 000064
【図２５Ｂ】
2005041862.tif 000065
【図２６】
2005041862.tif 000066
【図２７】
2005041862.tif 000067
【図２８】
2005041862.tif 000068
【図２９】
2005041862.tif 000069
【図３０】
2005041862.tif 000070
【図３１】
2005041862.tif 000071
【図３２】
2005041862.tif 000072
【図３３】
2005041862.tif 000073
【図３４】
2005041862.tif 000074
【図３５Ａ】
2005041862.tif 000075
【図３５Ｂ】
2005041862.tif 000076
【図３６】
2005041862.tif 000077
【図３７】
2005041862.tif 000078
【図３８】
2005041862.tif 000079
【図３９】
2005041862.tif 000080
【図４０】
2005041862.tif 000081
【図４１】
2005041862.tif 000082
【図４２】
2005041862.tif 000083
【図４３】
2005041862.tif 000084
【図４４】
2005041862.tif 000085
【配列表】
2005041862000001.xml